(57)【要約】      （修正有）【課題】ＴＧＲ５に対するアゴニストまたはアンタゴニストのスクリーニング方法及びその用途の提供。【解決手段】特定配列で表わされるアミノ酸配列と同一もしくは実質的に同一のアミノ酸配列を含有するＴＧＲ５またはその塩および合成リガンドを用いることを特徴とするＴＧＲ５に対するアゴニストまたはアンタゴニストのスクリーニング方法及びスクリーニングされた物質を含有するＧｌｕｃａｇｏｎ−ｌｉｋｅ  ペプチド分泌促進剤等を開発した。【選択図】なし【特許請求の範囲】
【請求項１】
（１）配列番号：１で表されるアミノ酸配列と同一もしくは実質的に同一のアミノ酸配列を含有するＧ蛋白質共役型レセプター蛋白質、その部分ペプチドまたはその塩および（２）コレステロール代謝関連物質またはその塩と該レセプター蛋白質またはその塩との結合性を変化させる低分子合成化合物またはその塩とを用いることを特徴とする該レセプター蛋白質またはその塩に対するアゴニストまたはアンタゴニストのスクリーニング方法。
【請求項２】
（１）配列番号：１で表されるアミノ酸配列と同一もしくは実質的に同一のアミノ酸配列を含有するＧ蛋白質共役型レセプター蛋白質、その部分ペプチドまたはその塩および（２）コレステロール代謝関連物質またはその塩と該レセプター蛋白質またはその塩との結合性を変化させる低分子合成化合物またはその塩とを用いることを特徴とするＧｌｕｃａｇｏｎ−ｌｉｋｅ  ｐｅｐｔｉｄｅ−１（ＧＬＰ−１）分泌促進薬またはＧＬＰ−１分泌抑制薬のスクリーニング方法。
【請求項３】
該レセプター蛋白質が配列番号：１、配列番号：５、配列番号：７、配列番号：１４、配列番号：１６または配列番号：３６で表されるアミノ酸配列からなるＧ蛋白質共役型レセプター蛋白質である請求項１または２記載のスクリーニング方法。
【請求項４】
（１）配列番号：１で表されるアミノ酸配列と同一もしくは実質的に同一のアミノ酸配列を含有するＧ蛋白質共役型レセプター蛋白質、その部分ペプチドまたはその塩および（２）コレステロール代謝関連物質またはその塩と該レセプター蛋白質またはその塩との結合性を変化させる低分子合成化合物またはその塩とを含有することを特徴とする該レセプター蛋白質またはその塩に対するアゴニストまたはアンタゴニストのスクリーニング用キット。
【請求項５】
（１）配列番号：１で表されるアミノ酸配列と同一もしくは実質的に同一のアミノ酸配列を含有するＧ蛋白質共役型レセプター蛋白質、その部分ペプチドまたはその塩および（２）コレステロール代謝関連物質またはその塩と該レセプター蛋白質またはその塩との結合性を変化させる低分子合成化合物またはその塩とを含有することを特徴とするＧｌｕｃａｇｏｎ−ｌｉｋｅ  ｐｅｐｔｉｄｅ−１（ＧＬＰ−１）分泌促進薬またはＧＬＰ−１分泌抑制薬のスクリーニング用キット。
【請求項６】
配列番号：３６で表されるアミノ酸配列からなるＧ蛋白質共役型レセプター蛋白質またはその塩。
【請求項７】
請求項６記載のＧ蛋白質共役型レセプター蛋白質をコードするポリヌクレオチドを含有するポリヌクレオチド。
【請求項８】
配列番号：３７で表される塩基配列からなるＤＮＡ。
【請求項９】
請求項７記載のポリヌクレオチドを含有する組換えベクター。
【請求項１０】
請求項９記載の組換えベクターで形質転換させた形質転換体。
【請求項１１】
請求項１０記載の形質転換体を培養し、請求項６記載のＧ蛋白質共役型レセプター蛋白質またはその塩を生成せしめることを特徴とする請求項６記載のＧ蛋白質共役型レセプター蛋白質またはその塩の製造法。
【請求項１２】
（１）配列番号：３６で表わされるアミノ酸配列からなるＧ蛋白質共役型レセプター蛋白質、その部分ペプチドまたはその塩および（２）コレステロール代謝関連物質またはその塩を用いることを特徴とする該レセプター蛋白質またはその塩とコレステロール代謝関連物質またはその塩との結合性を変化させる化合物またはその塩のスクリーニング方法。
【請求項１３】
（１）配列番号：３６で表わされるアミノ酸配列からなるＧ蛋白質共役型レセプター蛋白質、その部分ペプチドまたはその塩および（２）コレステロール代謝関連物質またはその塩を含有することを特徴とする該レセプター蛋白質またはその塩とコレステロール代謝関連物質またはその塩との結合性を変化させる化合物またはその塩のスクリーニング用キット。
【請求項１４】
（１）配列番号：１で表されるアミノ酸配列と同一もしくは実質的に同一のアミノ酸配列を含有するＧ蛋白質共役型レセプター蛋白質、その部分ペプチドまたはその塩および（２）コレステロール代謝関連物質またはその塩とを用いることを特徴とするＧｌｕｃａｇｏｎ−ｌｉｋｅ  ｐｅｐｔｉｄｅ−１（ＧＬＰ−１）分泌促進薬またはＧＬＰ−１分泌抑制薬のスクリーニング方法。
【請求項１５】
該レセプター蛋白質が配列番号：１、配列番号：５、配列番号：７、配列番号：１４、配列番号：１６または配列番号：３６で表されるアミノ酸配列からなるＧ蛋白質共役型レセプター蛋白質である請求項１４記載のスクリーニング方法。
【請求項１６】
（１）配列番号：１で表されるアミノ酸配列と同一もしくは実質的に同一のアミノ酸配列を含有するＧ蛋白質共役型レセプター蛋白質、その部分ペプチドまたはその塩および（２）コレステロール代謝関連物質またはその塩とを含有することを特徴とするＧｌｕｃａｇｏｎ−ｌｉｋｅ  ｐｅｐｔｉｄｅ−１（ＧＬＰ−１）分泌促進薬またはＧＬＰ−１分泌抑制薬のスクリーニング用キット。
【請求項１７】
試験化合物を配列番号：１で表されるアミノ酸配列と同一もしくは実質的に同一のアミノ酸配列を含有するＧ蛋白質共役型レセプター蛋白質、その部分ペプチドまたはその塩を含有する細胞に接触させた場合におけるＧｌｕｃａｇｏｎ−ｌｉｋｅ  ｐｅｐｔｉｄｅ−１（ＧＬＰ−１）分泌促進活性を測定することを特徴とする該Ｇ蛋白質共役型レセプター蛋白質またはその塩に対するアゴニストの決定方法。
【請求項１８】
配列番号：１で表されるアミノ酸配列と同一もしくは実質的に同一のアミノ酸配列を含有するＧ蛋白質共役型レセプター蛋白質またはその塩に対するアゴニストを含有してなるＧｌｕｃａｇｏｎ−ｌｉｋｅ  ｐｅｐｔｉｄｅ−１（ＧＬＰ−１）分泌促進剤。
【請求項１９】
配列番号：１で表されるアミノ酸配列と同一もしくは実質的に同一のアミノ酸配列を含有するＧ蛋白質共役型レセプター蛋白質またはその塩に対するアゴニストを含有してなる糖尿病、インスリン分泌不全、膵疲弊または肥満の予防・治療剤、食欲抑制剤、または膵臓の再生剤。
【請求項２０】
配列番号：１で表されるアミノ酸配列と同一もしくは実質的に同一のアミノ酸配列を含有するＧ蛋白質共役型レセプター蛋白質またはその塩に対するアンタゴニストを含有してなるＧｌｕｃａｇｏｎ−ｌｉｋｅ  ｐｅｐｔｉｄｅ−１（ＧＬＰ−１）分泌抑制剤。
【請求項２１】
配列番号：１で表されるアミノ酸配列と同一もしくは実質的に同一のアミノ酸配列を含有するＧ蛋白質共役型レセプター蛋白質またはその塩に対するアンタゴニストを含有してなる低血糖の予防・治療剤。
【請求項２２】
哺乳動物に対して、配列番号：１で表されるアミノ酸配列と同一もしくは実質的に同一のアミノ酸配列を含有するＧ蛋白質共役型レセプター蛋白質またはその塩に対するアゴニストの有効量を投与することを特徴とするＧｌｕｃａｇｏｎ−ｌｉｋｅ  ｐｅｐｔｉｄｅ−１（ＧＬＰ−１）分泌促進方法。
【請求項２３】
哺乳動物に対して、配列番号：１で表されるアミノ酸配列と同一もしくは実質的に同一のアミノ酸配列を含有するＧ蛋白質共役型レセプター蛋白質またはその塩に対するアゴニストの有効量を投与することを特徴とする糖尿病、インスリン分泌不全、膵疲弊または肥満の予防・治療方法、食欲抑制方法、または膵臓の再生方法。
【請求項２４】
哺乳動物に対して、配列番号：１で表されるアミノ酸配列と同一もしくは実質的に同一のアミノ酸配列を含有するＧ蛋白質共役型レセプター蛋白質またはその塩に対するアンタゴニストの有効量を投与することを特徴とするＧｌｕｃａｇｏｎ−ｌｉｋｅ  ｐｅｐｔｉｄｅ−１（ＧＬＰ−１）分泌抑制方法。
【請求項２５】
哺乳動物に対して、配列番号：１で表されるアミノ酸配列と同一もしくは実質的に同一のアミノ酸配列を含有するＧ蛋白質共役型レセプター蛋白質またはその塩に対するアンタゴニストの有効量を投与することを特徴とする低血糖の予防・治療方法。
【請求項２６】
Ｇｌｕｃａｇｏｎ−ｌｉｋｅ  ｐｅｐｔｉｄｅ−１（ＧＬＰ−１）分泌促進剤を製造するための、配列番号：１で表されるアミノ酸配列と同一もしくは実質的に同一のアミノ酸配列を含有するＧ蛋白質共役型レセプター蛋白質またはその塩に対するアゴニストの使用。
【請求項２７】
糖尿病、インスリン分泌不全、膵疲弊または肥満の予防・治療剤、食欲抑制剤、または膵臓の再生剤を製造するための、配列番号：１で表されるアミノ酸配列と同一もしくは実質的に同一のアミノ酸配列を含有するＧ蛋白質共役型レセプター蛋白質またはその塩に対するアゴニストの使用。
【請求項２８】
Ｇｌｕｃａｇｏｎ−ｌｉｋｅ  ｐｅｐｔｉｄｅ−１（ＧＬＰ−１）分泌抑制剤を製造するための、配列番号：１で表されるアミノ酸配列と同一もしくは実質的に同一のアミノ酸配列を含有するＧ蛋白質共役型レセプター蛋白質またはその塩に対するアンタゴニストの使用。
【請求項２９】
低血糖の予防・治療剤を製造するための、配列番号：１で表されるアミノ酸配列と同一もしくは実質的に同一のアミノ酸配列を含有するＧ蛋白質共役型レセプター蛋白質またはその塩に対するアンタゴニストの使用。
【請求項３０】
式
【化１】
2005021151.tif 000015
〔式中、Ｒ１、Ｒ２およびＲ３はそれぞれ水素原子またはハロゲン化されていてもよいＣ１−６アルキル基を、Ｘは結合手、−Ｏ−、−ＮＲ−（Ｒは水素原子または低級アルキル基を示す）または−Ｓ−を、Ｙは置換されていてもよいＣ１−５アルキレン基を、Ａｒ１およびＡｒ２はそれぞれ置換されていてもよい単環性芳香族基を示す。〕で表される化合物またはその塩あるいはそのプロドラッグを含有してなるＴＧＲ５受容体作動剤。
【請求項３１】
Ａｒ１が置換されていてもよいフェニル基または置換されていてもよいチエニル基である請求項３０記載の剤。
【請求項３２】
Ａｒ２が置換されていてもよいフェニル基である請求項３０記載の剤。
【請求項３３】
Ｒ２およびＲ３はハロゲン化されていてもよいＣ１−３アルキル基である請求項３０記載の剤。
【請求項３４】
Ｘが−Ｏ−である請求項３０記載の剤。
【請求項３５】
ＹがＣ１−３アルキレン基である請求項３０記載の剤。
【請求項３６】
Ｘが−Ｏ−であり、Ｙがメチレン基である請求項３０記載の剤。
【請求項３７】
化合物が1,3,6-トリメチル-2-オキソ-4-フェニル-1,2,3,4-テトラヒドロピリミジン-5-カルボン酸ベンジルエステル、4-(5-ブロモチオフェン-2-イル)-1,6-ジメチル-2-オキソ-1,2,3,4-テトラヒドロピリミジン-5-カルボン酸ベンジルエステル、1,6-ジメチル-2-オキソ-4-(チオフェン-3-イル)-1,2,3,4-テトラヒドロピリミジン-5-カルボン酸ベンジルエステルまたはその塩である請求項３０記載の剤。
【請求項３８】
ＴＧＲ５が関与する生理機能の調節剤またはＴＧＲ５が関与する病態または疾患の予防・治療剤である請求項３０記載の剤。
【請求項３９】
サイトカイン産生抑制剤である請求項３０記載の剤。
【請求項４０】
心不全、心筋梗塞、急性腎不全、狭心症、不整脈、気管支喘息、慢性閉塞性肺疾患、動脈硬化症、慢性関節リウマチ、糖尿病、胃潰瘍、潰瘍性大腸炎、アレルギー、変形性関節症、エリテマトーデス、移植医療後の過剰免疫反応または感染症の予防・治療剤または免疫抑制剤である請求項３０記載の剤。
【請求項４１】
Ｇｌｕｃａｇｏｎ−ｌｉｋｅ  ｐｅｐｔｉｄｅ−１（ＧＬＰ−１）分泌促進剤、食欲抑制剤、膵臓の再生剤、膵β細胞分化促進剤または膵β細胞増殖促進剤である請求項３０記載の剤。
【請求項４２】
糖尿病、インスリン分泌不全、膵疲弊または肥満の予防・治療剤である請求項３０記載の剤。
【請求項４３】
哺乳動物に対して、式
【化２】
2005021151.tif 000016
〔式中、Ｒ１、Ｒ２およびＲ３はそれぞれ水素原子またはハロゲン化されていてもよいＣ１−６アルキル基を、Ｘは結合手、−Ｏ−、−ＮＲ−（Ｒは水素原子または低級アルキル基を示す）または−Ｓ−を、Ｙは置換されていてもよいＣ１−５アルキレン基を、Ａｒ１およびＡｒ２はそれぞれ置換されていてもよい単環性芳香族基を示す。〕で表される化合物またはその塩あるいはそのプロドラッグの有効量を投与することを特徴とする、ＴＧＲ５受容体の作動方法。
【請求項４４】
ＴＧＲ５受容体作動剤の製造のための式
【化３】
2005021151.tif 000017
〔式中、Ｒ１、Ｒ２およびＲ３はそれぞれ水素原子またはハロゲン化されていてもよいＣ１−６アルキル基を、Ｘは結合手、−Ｏ−、−ＮＲ−（Ｒは水素原子または低級アルキル基を示す）または−Ｓ−を、Ｙは置換されていてもよいＣ１−５アルキレン基を、Ａｒ１およびＡｒ２はそれぞれ置換されていてもよい単環性芳香族基を示す。〕で表される化合物またはその塩あるいはそのプロドラッグの使用。
【発明の詳細な説明】
【技術分野】
【０００１】
本発明は、ＴＧＲ５アゴニストまたはアンタゴニストのスクリーニング方法およびモルモット由来の新規なＴＧＲ５に関する。
【背景技術】
【０００２】
Ｇ蛋白質共役型レセプター蛋白質であるヒト由来ＴＧＲ５が報告されている（特許文献１）。
【０００３】
また、ＴＧＲ５のリガンドがコレステロール代謝関連物質であり、ＴＧＲ５とコレステロール代謝関連物質を用いるＴＧＲ５アゴニストまたはアンタゴニストのスクリーニング方法が報告されている（特許文献２）。胆汁酸がＴＧＲ５（ＢＧ３７）に結合することが報告されている（特許文献３）。
【０００４】
さらに、ＴＧＲ５（ＢＧ３７）がＧｌｕｃａｇｏｎ−ｌｉｋｅ  ｐｅｐｔｉｄｅ−１（ＧＬＰ−１）の分泌に関与していることが示唆されている（非特許文献１）。
【特許文献１】ＷＯ０１／７７３２５号
【特許文献２】ＷＯ０２／８４２８６号
【特許文献３】ＷＯ０２／４０６６９号
【非特許文献１】Biochemical and Biophysical Research Communications 298 (2002) 714-719
【発明の開示】
【発明が解決しようとする課題】
【０００５】
さらに効率の良いＴＧＲ５アゴニストまたはアンタゴニストのスクリーニング方法の開発が望まれていた。
【課題を解決するための手段】
【０００６】
本発明者らは、鋭意研究を重ねた結果、ＴＧＲ５の天然リガンドではなく、ＴＧＲ５に結合する低分子合成化合物をサロゲート（surrogate）リガンドとして用いることにより、簡便に、かつ効率良くＴＧＲ５アゴニストまたはＴＧＲ５アンタゴニストをスクリーニングできることを見出した。さらに、本発明者らは、モルモット由来の新規ＴＧＲ５ｃＤＮＡをクローニングすることに成功した。さらに、本発明者らは、胆汁酸がＴＧＲ５を介してＧｌｕｃａｇｏｎ−ｌｉｋｅ  ｐｅｐｔｉｄｅ−１（ＧＬＰ−１）の分泌を促進することを見出した。本発明者らは、これらの知見に基づいて、さらに研究を重ねた結果、本発明を完成するに至った。
【０００７】
すなわち、本発明は、
〔１〕（１）配列番号：１で表されるアミノ酸配列と同一もしくは実質的に同一のアミノ酸配列を含有するＧ蛋白質共役型レセプター蛋白質、その部分ペプチドまたはその塩および（２）コレステロール代謝関連物質またはその塩と該レセプター蛋白質またはその塩との結合性を変化させる低分子合成化合物またはその塩とを用いることを特徴とする該レセプター蛋白質またはその塩に対するアゴニストまたはアンタゴニストのスクリーニング方法、
〔２〕（１）配列番号：１で表されるアミノ酸配列と同一もしくは実質的に同一のアミノ酸配列を含有するＧ蛋白質共役型レセプター蛋白質、その部分ペプチドまたはその塩および（２）コレステロール代謝関連物質またはその塩と該レセプター蛋白質またはその塩との結合性を変化させる低分子合成化合物またはその塩とを用いることを特徴とするＧｌｕｃａｇｏｎ−ｌｉｋｅ  ｐｅｐｔｉｄｅ−１（ＧＬＰ−１）分泌促進薬またはＧＬＰ−１分泌抑制薬のスクリーニング方法、
〔３〕該レセプター蛋白質が配列番号：１、配列番号：５、配列番号：７、配列番号：１４、配列番号：１６または配列番号：３６で表されるアミノ酸配列からなるＧ蛋白質共役型レセプター蛋白質である上記〔１または２〕記載のスクリーニング方法、
〔４〕（１）配列番号：１で表されるアミノ酸配列と同一もしくは実質的に同一のアミノ酸配列を含有するＧ蛋白質共役型レセプター蛋白質、その部分ペプチドまたはその塩および（２）コレステロール代謝関連物質またはその塩と該レセプター蛋白質またはその塩との結合性を変化させる低分子合成化合物またはその塩とを含有することを特徴とする該レセプター蛋白質またはその塩に対するアゴニストまたはアンタゴニストのスクリーニング用キット、
〔５〕（１）配列番号：１で表されるアミノ酸配列と同一もしくは実質的に同一のアミノ酸配列を含有するＧ蛋白質共役型レセプター蛋白質、その部分ペプチドまたはその塩および（２）コレステロール代謝関連物質またはその塩と該レセプター蛋白質またはその塩との結合性を変化させる低分子合成化合物またはその塩とを含有することを特徴とするＧｌｕｃａｇｏｎ−ｌｉｋｅ  ｐｅｐｔｉｄｅ−１（ＧＬＰ−１）分泌促進薬またはＧＬＰ−１分泌抑制薬のスクリーニング用キット、
〔６〕配列番号：３６で表されるアミノ酸配列からなるＧ蛋白質共役型レセプター蛋白質またはその塩、
〔７〕上記〔６〕記載のＧ蛋白質共役型レセプター蛋白質をコードするポリヌクレオチドを含有するポリヌクレオチド、
〔８〕配列番号：３７で表される塩基配列からなるＤＮＡ、
〔９〕上記〔７〕記載のポリヌクレオチドを含有する組換えベクター、
〔１０〕上記〔９〕記載の組換えベクターで形質転換させた形質転換体、
〔１１〕上記〔１０〕記載の形質転換体を培養し、上記〔６〕記載のＧ蛋白質共役型レセプター蛋白質またはその塩を生成せしめることを特徴とする上記〔６〕記載のＧ蛋白質共役型レセプター蛋白質またはその塩の製造法、
〔１２〕（１）配列番号：３６で表わされるアミノ酸配列からなるＧ蛋白質共役型レセプター蛋白質、その部分ペプチドまたはその塩および（２）コレステロール代謝関連物質またはその塩を用いることを特徴とする該レセプター蛋白質またはその塩とコレステロール代謝関連物質またはその塩との結合性を変化させる化合物またはその塩のスクリーニング方法、
〔１３〕（１）配列番号：３６で表わされるアミノ酸配列からなるＧ蛋白質共役型レセプター蛋白質、その部分ペプチドまたはその塩および（２）コレステロール代謝関連物質またはその塩を含有することを特徴とする該レセプター蛋白質またはその塩とコレステロール代謝関連物質またはその塩との結合性を変化させる化合物またはその塩のスクリーニング用キット、
〔１４〕（１）配列番号：１で表されるアミノ酸配列と同一もしくは実質的に同一のアミノ酸配列を含有するＧ蛋白質共役型レセプター蛋白質、その部分ペプチドまたはその塩および（２）コレステロール代謝関連物質またはその塩とを用いることを特徴とするＧｌｕｃａｇｏｎ−ｌｉｋｅ  ｐｅｐｔｉｄｅ−１（ＧＬＰ−１）分泌促進薬またはＧＬＰ−１分泌抑制薬のスクリーニング方法、
〔１５〕該レセプター蛋白質が配列番号：１、配列番号：５、配列番号：７、配列番号：１４、配列番号：１６または配列番号：３６で表されるアミノ酸配列からなるＧ蛋白質共役型レセプター蛋白質である上記〔１４〕記載のスクリーニング方法、
〔１６〕（１）配列番号：１で表されるアミノ酸配列と同一もしくは実質的に同一のアミノ酸配列を含有するＧ蛋白質共役型レセプター蛋白質、その部分ペプチドまたはその塩および（２）コレステロール代謝関連物質またはその塩とを含有することを特徴とするＧｌｕｃａｇｏｎ−ｌｉｋｅ  ｐｅｐｔｉｄｅ−１（ＧＬＰ−１）分泌促進薬またはＧＬＰ−１分泌抑制薬のスクリーニング用キット、
〔１７〕試験化合物を配列番号：１で表されるアミノ酸配列と同一もしくは実質的に同一のアミノ酸配列を含有するＧ蛋白質共役型レセプター蛋白質、その部分ペプチドまたはその塩を含有する細胞または組織（例、ＣＨＯ細胞、ＮＣＩ−Ｈ７１６、マクロファージ、単球、腸管）に接触させた場合におけるＧｌｕｃａｇｏｎ−ｌｉｋｅ  ｐｅｐｔｉｄｅ−１（ＧＬＰ−１）分泌促進活性を測定することを特徴とする該Ｇ蛋白質共役型レセプター蛋白質またはその塩に対するアゴニストの決定方法、
〔１８〕配列番号：１で表されるアミノ酸配列と同一もしくは実質的に同一のアミノ酸配列を含有するＧ蛋白質共役型レセプター蛋白質またはその塩に対するアゴニストを含有してなるＧｌｕｃａｇｏｎ−ｌｉｋｅ  ｐｅｐｔｉｄｅ−１（ＧＬＰ−１）分泌促進剤、
〔１９〕配列番号：１で表されるアミノ酸配列と同一もしくは実質的に同一のアミノ酸配列を含有するＧ蛋白質共役型レセプター蛋白質またはその塩に対するアゴニストを含有してなる糖尿病、インスリン分泌不全、膵疲弊または肥満の予防・治療剤、食欲抑制剤、または膵臓の再生剤、
〔２０〕配列番号：１で表されるアミノ酸配列と同一もしくは実質的に同一のアミノ酸配列を含有するＧ蛋白質共役型レセプター蛋白質またはその塩に対するアンタゴニストを含有してなるＧｌｕｃａｇｏｎ−ｌｉｋｅ  ｐｅｐｔｉｄｅ−１（ＧＬＰ−１）分泌抑制剤、
〔２１〕配列番号：１で表されるアミノ酸配列と同一もしくは実質的に同一のアミノ酸配列を含有するＧ蛋白質共役型レセプター蛋白質またはその塩に対するアンタゴニストを含有してなる低血糖の予防・治療剤、
〔２２〕哺乳動物に対して、配列番号：１で表されるアミノ酸配列と同一もしくは実質的に同一のアミノ酸配列を含有するＧ蛋白質共役型レセプター蛋白質またはその塩に対するアゴニストの有効量を投与することを特徴とするＧｌｕｃａｇｏｎ−ｌｉｋｅ  ｐｅｐｔｉｄｅ−１（ＧＬＰ−１）分泌促進方法、
〔２３〕哺乳動物に対して、配列番号：１で表されるアミノ酸配列と同一もしくは実質的に同一のアミノ酸配列を含有するＧ蛋白質共役型レセプター蛋白質またはその塩に対するアゴニストの有効量を投与することを特徴とする糖尿病、インスリン分泌不全、膵疲弊または肥満の予防・治療方法、食欲抑制方法、または膵臓の再生方法、
〔２４〕哺乳動物に対して、配列番号：１で表されるアミノ酸配列と同一もしくは実質的に同一のアミノ酸配列を含有するＧ蛋白質共役型レセプター蛋白質またはその塩に対するアンタゴニストの有効量を投与することを特徴とするＧｌｕｃａｇｏｎ−ｌｉｋｅ  ｐｅｐｔｉｄｅ−１（ＧＬＰ−１）分泌抑制方法、
〔２５〕哺乳動物に対して、配列番号：１で表されるアミノ酸配列と同一もしくは実質的に同一のアミノ酸配列を含有するＧ蛋白質共役型レセプター蛋白質またはその塩に対するアンタゴニストの有効量を投与することを特徴とする低血糖の予防・治療方法、
〔２６〕Ｇｌｕｃａｇｏｎ−ｌｉｋｅ  ｐｅｐｔｉｄｅ−１（ＧＬＰ−１）分泌促進剤を製造するための、配列番号：１で表されるアミノ酸配列と同一もしくは実質的に同一のアミノ酸配列を含有するＧ蛋白質共役型レセプター蛋白質またはその塩に対するアゴニストの使用、
〔２７〕糖尿病、インスリン分泌不全、膵疲弊または肥満の予防・治療剤、食欲抑制剤、または膵臓の再生剤を製造するための、配列番号：１で表されるアミノ酸配列と同一もしくは実質的に同一のアミノ酸配列を含有するＧ蛋白質共役型レセプター蛋白質またはその塩に対するアゴニストの使用、
〔２８〕Ｇｌｕｃａｇｏｎ−ｌｉｋｅ  ｐｅｐｔｉｄｅ−１（ＧＬＰ−１）分泌抑制剤を製造するための、配列番号：１で表されるアミノ酸配列と同一もしくは実質的に同一のアミノ酸配列を含有するＧ蛋白質共役型レセプター蛋白質またはその塩に対するアンタゴニストの使用、
〔２９〕低血糖の予防・治療剤を製造するための、配列番号：１で表されるアミノ酸配列と同一もしくは実質的に同一のアミノ酸配列を含有するＧ蛋白質共役型レセプター蛋白質またはその塩に対するアンタゴニストの使用、
〔３０〕式
【０００８】
【化４】
2005021151.tif 000002
【０００９】
〔式中、Ｒ１、Ｒ２およびＲ３はそれぞれ水素原子またはハロゲン化されていてもよいＣ１−６アルキル基を、Ｘは結合手、−Ｏ−、−ＮＲ−（Ｒは水素原子または低級アルキル基を示す）または−Ｓ−を、Ｙは置換されていてもよいＣ１−５アルキレン基を、Ａｒ１およびＡｒ２はそれぞれ置換されていてもよい単環性芳香族基を示す。〕で表される化合物またはその塩あるいはそのプロドラッグを含有してなるＴＧＲ５受容体作動剤、
〔３１〕Ａｒ１が置換されていてもよいフェニル基または置換されていてもよいチエニル基である上記〔３０〕記載の剤、
〔３２〕Ａｒ２が置換されていてもよいフェニル基である上記〔３０〕記載の剤、
〔３３〕Ｒ２およびＲ３はハロゲン化されていてもよいＣ１−３アルキル基である上記〔３０〕記載の剤、
〔３４〕Ｘが−Ｏ−である上記〔３０〕記載の剤、
〔３５〕ＹがＣ１−３アルキレン基である上記〔３０〕記載の剤、
〔３６〕Ｘが−Ｏ−であり、Ｙがメチレン基である上記〔３０〕記載の剤、
〔３７〕化合物が1,3,6-トリメチル-2-オキソ-4-フェニル-1,2,3,4-テトラヒドロピリミジン-5-カルボン酸ベンジルエステル、4-(5-ブロモチオフェン-2-イル)-1,6-ジメチル-2-オキソ-1,2,3,4-テトラヒドロピリミジン-5-カルボン酸ベンジルエステル、1,6-ジメチル-2-オキソ-4-(チオフェン-3-イル)-1,2,3,4-テトラヒドロピリミジン-5-カルボン酸ベンジルエステルまたはその塩である上記〔３０〕記載の剤、
〔３８〕ＴＧＲ５が関与する生理機能の調節剤またはＴＧＲ５が関与する病態または疾患の予防・治療剤である上記〔３０〕記載の剤、
〔３９〕サイトカイン産生抑制剤である上記〔３０〕記載の剤、
〔４０〕心不全、心筋梗塞、急性腎不全、狭心症、不整脈、気管支喘息、慢性閉塞性肺疾患、動脈硬化症、慢性関節リウマチ、糖尿病、胃潰瘍、潰瘍性大腸炎、アレルギー、変形性関節症、エリテマトーデス、移植医療後の過剰免疫反応または感染症の予防・治療剤または免疫抑制剤である上記〔３０〕記載の剤、
〔４１〕Ｇｌｕｃａｇｏｎ−ｌｉｋｅ  ｐｅｐｔｉｄｅ−１（ＧＬＰ−１）分泌促進剤、食欲抑制剤、膵臓の再生剤、膵β細胞分化促進剤または膵β細胞増殖促進剤である上記〔３０〕記載の剤、
〔４２〕糖尿病、インスリン分泌不全、膵疲弊または肥満の予防・治療剤である上記〔３０〕記載の剤、
〔４３〕哺乳動物に対して、式
【００１０】
【化５】
2005021151.tif 000003
【００１１】
〔式中、Ｒ１、Ｒ２およびＲ３はそれぞれ水素原子またはハロゲン化されていてもよいＣ１−６アルキル基を、Ｘは結合手、−Ｏ−、−ＮＲ−（Ｒは水素原子または低級アルキル基を示す）または−Ｓ−を、Ｙは置換されていてもよいＣ１−５アルキレン基を、Ａｒ１およびＡｒ２はそれぞれ置換されていてもよい単環性芳香族基を示す。〕で表される化合物またはその塩あるいはそのプロドラッグの有効量を投与することを特徴とする、ＴＧＲ５受容体の作動方法、および
〔４４〕ＴＧＲ５受容体作動剤の製造のための式
【００１２】
【化６】
2005021151.tif 000004
【００１３】
〔式中、Ｒ１、Ｒ２およびＲ３はそれぞれ水素原子またはハロゲン化されていてもよいＣ１−６アルキル基を、Ｘは結合手、−Ｏ−、−ＮＲ−（Ｒは水素原子または低級アルキル基を示す）または−Ｓ−を、Ｙは置換されていてもよいＣ１−５アルキレン基を、Ａｒ１およびＡｒ２はそれぞれ置換されていてもよい単環性芳香族基を示す。〕で表される化合物またはその塩あるいはそのプロドラッグの使用を提供する。
【００１４】
さらに、本発明は、
〔４５〕上記〔１〕記載のスクリーニング方法または上記〔４〕記載のスクリーニング用キットを用いて得られる配列番号：１で表わされるアミノ酸配列と同一もしくは実質的に同一のアミノ酸配列を含有するＧ蛋白質共役型レセプター蛋白質またはその塩に対するアゴニストまたはアンタゴニスト、
〔４６〕上記〔１〕記載のスクリーニング方法または上記〔４〕記載のスクリーニング用キットを用いて得られる配列番号：１で表わされるアミノ酸配列と同一もしくは実質的に同一のアミノ酸配列を含有するＧ蛋白質共役型レセプター蛋白質またはその塩に対するアゴニストまたはアンタゴニストを含有してなる医薬、
〔４７〕上記〔１〕記載のスクリーニング方法または上記〔４〕記載のスクリーニング用キットを用いて得られる配列番号：１で表わされるアミノ酸配列と同一もしくは実質的に同一のアミノ酸配列を含有するＧ蛋白質共役型レセプター蛋白質またはその塩に対するアゴニストを含有してなる炎症性疾患または移植医療後の過剰免疫反応の予防・治療剤、
〔４８〕上記〔１〕記載のスクリーニング方法または上記〔４〕記載のスクリーニング用キットを用いて得られる配列番号：１で表わされるアミノ酸配列と同一もしくは実質的に同一のアミノ酸配列を含有するＧ蛋白質共役型レセプター蛋白質またはその塩に対するアゴニストを含有してなるＧｌｕｃａｇｏｎ−ｌｉｋｅ  ｐｅｐｔｉｄｅ−１（ＧＬＰ−１）分泌促進剤、
〔４９〕上記〔１〕記載のスクリーニング方法または上記〔４〕記載のスクリーニング用キットを用いて得られる配列番号：１で表わされるアミノ酸配列と同一もしくは実質的に同一のアミノ酸配列を含有するＧ蛋白質共役型レセプター蛋白質またはその塩に対するアゴニストを含有してなる糖尿病、インスリン分泌不全、膵疲弊または肥満の予防・治療剤、食欲抑制剤、または膵臓の再生剤、
〔５０〕上記〔１〕記載のスクリーニング方法または上記〔４〕記載のスクリーニング用キットを用いて得られる配列番号：１で表わされるアミノ酸配列と同一もしくは実質的に同一のアミノ酸配列を含有するＧ蛋白質共役型レセプター蛋白質またはその塩に対するアンタゴニストを含有してなる免疫不全または感染症の予防・治療剤、
〔５１〕上記〔１〕記載のスクリーニング方法または上記〔４〕記載のスクリーニング用キットを用いて得られる配列番号：１で表わされるアミノ酸配列と同一もしくは実質的に同一のアミノ酸配列を含有するＧ蛋白質共役型レセプター蛋白質またはその塩に対するアンタゴニストを含有してなるＧｌｕｃａｇｏｎ−ｌｉｋｅ  ｐｅｐｔｉｄｅ−１（ＧＬＰ−１）分泌抑制剤、
〔５２〕上記〔１〕記載のスクリーニング方法または上記〔４〕記載のスクリーニング用キットを用いて得られる配列番号：１で表わされるアミノ酸配列と同一もしくは実質的に同一のアミノ酸配列を含有するＧ蛋白質共役型レセプター蛋白質またはその塩に対するアンタゴニストを含有してなる低血糖の予防・治療剤、
〔５３〕哺乳動物に対して、上記〔１〕記載のスクリーニング方法または上記〔４〕記載のスクリーニング用キットを用いて得られる配列番号：１で表わされるアミノ酸配列と同一もしくは実質的に同一のアミノ酸配列を含有するＧ蛋白質共役型レセプター蛋白質またはその塩に対するアゴニストの有効量を投与することを特徴とする炎症性疾患または移植医療後の過剰免疫反応の予防・治療方法、
〔５４〕哺乳動物に対して、上記〔１〕記載のスクリーニング方法または上記〔４〕記載のスクリーニング用キットを用いて得られる配列番号：１で表わされるアミノ酸配列と同一もしくは実質的に同一のアミノ酸配列を含有するＧ蛋白質共役型レセプター蛋白質またはその塩に対するアゴニストの有効量を投与することを特徴とするＧｌｕｃａｇｏｎ−ｌｉｋｅ  ｐｅｐｔｉｄｅ−１（ＧＬＰ−１）分泌促進方法、
〔５５〕哺乳動物に対して、上記〔１〕記載のスクリーニング方法または上記〔４〕記載のスクリーニング用キットを用いて得られる配列番号：１で表わされるアミノ酸配列と同一もしくは実質的に同一のアミノ酸配列を含有するＧ蛋白質共役型レセプター蛋白質またはその塩に対するアゴニストの有効量を投与することを特徴とする糖尿病、インスリン分泌不全、膵疲弊または肥満の予防・治療方法、食欲抑制方法、または膵臓の再生方法、
〔５６〕哺乳動物に対して、上記〔１〕記載のスクリーニング方法または上記〔４〕記載のスクリーニング用キットを用いて得られうる、配列番号：１で表わされるアミノ酸配列と同一もしくは実質的に同一のアミノ酸配列を含有するＧ蛋白質共役型レセプター蛋白質またはその塩に対するアンタゴニストの有効量を投与することを特徴とする免疫不全または感染症の予防・治療方法、
〔５７〕哺乳動物に対して、上記〔１〕記載のスクリーニング方法または上記〔４〕記載のスクリーニング用キットを用いて得られる配列番号：１で表わされるアミノ酸配列と同一もしくは実質的に同一のアミノ酸配列を含有するＧ蛋白質共役型レセプター蛋白質またはその塩に対するアンタゴニストの有効量を投与することを特徴とするＧｌｕｃａｇｏｎ−ｌｉｋｅ  ｐｅｐｔｉｄｅ−１（ＧＬＰ−１）分泌抑制方法、
〔５８〕哺乳動物に対して、上記〔１〕記載のスクリーニング方法または上記〔４〕記載のスクリーニング用キットを用いて得られる配列番号：１で表わされるアミノ酸配列と同一もしくは実質的に同一のアミノ酸配列を含有するＧ蛋白質共役型レセプター蛋白質またはその塩に対するアンタゴニストの有効量を投与することを特徴とする低血糖の予防・治療方法、
〔５９〕炎症性疾患または移植医療後の過剰免疫反応の予防および／または治療剤を製造するための、上記〔１〕記載のスクリーニング方法または上記〔４〕記載のスクリーニング用キットを用いて得られる配列番号：１で表わされるアミノ酸配列と同一もしくは実質的に同一のアミノ酸配列を含有するＧ蛋白質共役型レセプター蛋白質またはその塩に対するアゴニストの使用、
〔６０〕Ｇｌｕｃａｇｏｎ−ｌｉｋｅ  ｐｅｐｔｉｄｅ−１（ＧＬＰ−１）分泌促進剤を製造するための、上記〔１〕記載のスクリーニング方法または上記〔４〕記載のスクリーニング用キットを用いて得られる配列番号：１で表わされるアミノ酸配列と同一もしくは実質的に同一のアミノ酸配列を含有するＧ蛋白質共役型レセプター蛋白質またはその塩に対するアゴニストの使用、
〔６１〕糖尿病、インスリン分泌不全、膵疲弊または肥満の予防・治療剤、食欲抑制剤、または膵臓の再生剤を製造するための、上記〔１〕記載のスクリーニング方法または上記〔４〕記載のスクリーニング用キットを用いて得られる配列番号：１で表わされるアミノ酸配列と同一もしくは実質的に同一のアミノ酸配列を含有するＧ蛋白質共役型レセプター蛋白質またはその塩に対するアゴニストの使用、
〔６２〕免疫不全または感染症の予防および／または治療剤を製造するための、上記〔１〕記載のスクリーニング方法または上記〔４〕記載のスクリーニング用キットを用いて得られる配列番号：１で表わされるアミノ酸配列と同一もしくは実質的に同一のアミノ酸配列を含有するＧ蛋白質共役型レセプター蛋白質またはその塩に対するアンタゴニストの使用、
〔６３〕Ｇｌｕｃａｇｏｎ−ｌｉｋｅ  ｐｅｐｔｉｄｅ−１（ＧＬＰ−１）分泌抑制剤を製造するための、上記〔１〕記載のスクリーニング方法または上記〔４〕記載のスクリーニング用キットを用いて得られる配列番号：１で表わされるアミノ酸配列と同一もしくは実質的に同一のアミノ酸配列を含有するＧ蛋白質共役型レセプター蛋白質またはその塩に対するアンタゴニストの使用、
〔６４〕低血糖の予防・治療剤を製造するための、上記〔１〕記載のスクリーニング方法または上記〔４〕記載のスクリーニング用キットを用いて得られる配列番号：１で表わされるアミノ酸配列と同一もしくは実質的に同一のアミノ酸配列を含有するＧ蛋白質共役型レセプター蛋白質またはその塩に対するアンタゴニストの使用、
〔６５〕（１）配列番号：１で表されるアミノ酸配列と同一もしくは実質的に同一のアミノ酸配列を含有するＧ蛋白質共役型レセプター蛋白質（ＴＧＲ５）、その部分ペプチドまたはその塩および（２）1)コレステロール代謝関連物質もしくはその塩または2)コレステロール代謝関連物質またはその塩と該レセプター蛋白質またはその塩との結合性を変化させる低分子合成化合物またはその塩とを用いることを特徴とするＧｌｕｃａｇｏｎ−ｌｉｋｅ  ｐｅｐｔｉｄｅ−１（ＧＬＰ−１）分泌促進薬（ＴＧＲ５アゴニスト）またはＧＬＰ−１分泌抑制薬（ＴＧＲ５アンタゴニスト）のスクリーニング方法、
〔６６〕該レセプター蛋白質が配列番号：１、配列番号：５、配列番号：７、配列番号：１４、配列番号：１６または配列番号：３６で表されるアミノ酸配列からなるＧ蛋白質共役型レセプター蛋白質である上記〔６５〕記載のスクリーニング方法、
〔６７〕（１）配列番号：１で表されるアミノ酸配列と同一もしくは実質的に同一のアミノ酸配列を含有するＧ蛋白質共役型レセプター蛋白質、その部分ペプチドまたはその塩および（２）1)コレステロール代謝関連物質もしくはその塩または2)コレステロール代謝関連物質またはその塩と該レセプター蛋白質またはその塩との結合性を変化させる低分子合成化合物またはその塩とを含有することを特徴とするＧｌｕｃａｇｏｎ−ｌｉｋｅ  ｐｅｐｔｉｄｅ−１（ＧＬＰ−１）分泌促進薬またはＧＬＰ−１分泌抑制薬のスクリーニング用キット、
〔６８〕上記〔６５〕記載のスクリーニング方法または上記〔６７〕記載のスクリーニング用キットを用いて得られるＧｌｕｃａｇｏｎ−ｌｉｋｅ  ｐｅｐｔｉｄｅ−１（ＧＬＰ−１）分泌促進薬またはＧＬＰ−１分泌抑制薬、
〔６９〕上記〔６５〕記載のスクリーニング方法または上記〔６７〕記載のスクリーニング用キットを用いて得られるＧｌｕｃａｇｏｎ−ｌｉｋｅ  ｐｅｐｔｉｄｅ−１（ＧＬＰ−１）分泌促進薬（ＴＧＲ５アゴニスト）を含有してなるＧＬＰ−１分泌促進剤、
〔７０〕上記〔６５〕記載のスクリーニング方法または上記〔６７〕記載のスクリーニング用キットを用いて得られるＧｌｕｃａｇｏｎ−ｌｉｋｅ  ｐｅｐｔｉｄｅ−１（ＧＬＰ−１）分泌促進薬（ＴＧＲ５アゴニスト）を含有してなる糖尿病、インスリン分泌不全、膵疲弊または肥満の予防・治療剤、食欲抑制剤、または膵臓の再生剤、
〔７１〕上記〔６５〕記載のスクリーニング方法または上記〔６７〕記載のスクリーニング用キットを用いて得られるＧｌｕｃａｇｏｎ−ｌｉｋｅ  ｐｅｐｔｉｄｅ−１（ＧＬＰ−１）分泌抑制薬（ＴＧＲ５アンタゴニスト）を含有してなるＧｌｕｃａｇｏｎ−ｌｉｋｅ  ｐｅｐｔｉｄｅ−１（ＧＬＰ−１）分泌抑制剤、
〔７２〕上記〔６５〕記載のスクリーニング方法または上記〔６７〕記載のスクリーニング用キットを用いて得られるＧｌｕｃａｇｏｎ−ｌｉｋｅ  ｐｅｐｔｉｄｅ−１（ＧＬＰ−１）分泌抑制薬（ＴＧＲ５アンタゴニスト）を含有してなる低血糖の予防・治療剤、
〔７３〕哺乳動物に対して、上記〔６５〕記載のスクリーニング方法または上記〔６７〕記載のスクリーニング用キットを用いて得られるＧｌｕｃａｇｏｎ−ｌｉｋｅ  ｐｅｐｔｉｄｅ−１（ＧＬＰ−１）分泌促進薬（ＴＧＲ５アゴニスト）の有効量を投与することを特徴とするＧｌｕｃａｇｏｎ−ｌｉｋｅ  ｐｅｐｔｉｄｅ−１（ＧＬＰ−１）分泌促進方法、
〔７４〕哺乳動物に対して、上記〔６５〕記載のスクリーニング方法または上記〔６７〕記載のスクリーニング用キットを用いて得られるＧｌｕｃａｇｏｎ−ｌｉｋｅ  ｐｅｐｔｉｄｅ−１（ＧＬＰ−１）分泌促進薬（ＴＧＲ５アゴニスト）の有効量を投与することを特徴とする糖尿病、インスリン分泌不全、膵疲弊または肥満の予防・治療方法、食欲抑制方法、または膵臓の再生方法、
〔７５〕哺乳動物に対して、上記〔６５〕記載のスクリーニング方法または上記〔６７〕記載のスクリーニング用キットを用いて得られうるＧｌｕｃａｇｏｎ−ｌｉｋｅ  ｐｅｐｔｉｄｅ−１（ＧＬＰ−１）分泌抑制薬（ＴＧＲ５アンタゴニスト）の有効量を投与することを特徴とするＧｌｕｃａｇｏｎ−ｌｉｋｅ  ｐｅｐｔｉｄｅ−１（ＧＬＰ−１）分泌抑制方法、
〔７６〕哺乳動物に対して、上記〔６５〕記載のスクリーニング方法または上記〔６７〕記載のスクリーニング用キットを用いて得られるＧｌｕｃａｇｏｎ−ｌｉｋｅ  ｐｅｐｔｉｄｅ−１（ＧＬＰ−１）分泌抑制薬（ＴＧＲ５アンタゴニスト）の有効量を投与することを特徴とする低血糖の予防・治療方法、
〔７７〕Ｇｌｕｃａｇｏｎ−ｌｉｋｅ  ｐｅｐｔｉｄｅ−１（ＧＬＰ−１）分泌促進剤を製造するための、上記〔６５〕記載のスクリーニング方法または上記〔６７〕記載のスクリーニング用キットを用いて得られるＧｌｕｃａｇｏｎ−ｌｉｋｅ  ｐｅｐｔｉｄｅ−１（ＧＬＰ−１）分泌促進薬（ＴＧＲ５アゴニスト）の使用、
〔７８〕糖尿病、インスリン分泌不全、膵疲弊または肥満の予防・治療剤、食欲抑制剤、または膵臓の再生剤を製造するための、上記〔６５〕記載のスクリーニング方法または上記〔６７〕記載のスクリーニング用キットを用いて得られるＧｌｕｃａｇｏｎ−ｌｉｋｅ  ｐｅｐｔｉｄｅ−１（ＧＬＰ−１）分泌促進薬（ＴＧＲ５アゴニスト）の使用、
〔７９〕Ｇｌｕｃａｇｏｎ−ｌｉｋｅ  ｐｅｐｔｉｄｅ−１（ＧＬＰ−１）分泌抑制剤を製造するための、上記〔６５〕記載のスクリーニング方法または上記〔６７〕記載のスクリーニング用キットを用いて得られるＧｌｕｃａｇｏｎ−ｌｉｋｅ  ｐｅｐｔｉｄｅ−１（ＧＬＰ−１）分泌抑制薬（ＴＧＲ５アンタゴニスト）の使用、
〔８０〕低血糖の予防・治療剤を製造するための、上記〔６５〕記載のスクリーニング方法または上記〔６７〕記載のスクリーニング用キットを用いて得られるＧｌｕｃａｇｏｎ−ｌｉｋｅ  ｐｅｐｔｉｄｅ−１（ＧＬＰ−１）分泌抑制薬（ＴＧＲ５アンタゴニスト）の使用、
〔８１〕Ｙが置換基Ａ群から選ばれる置換基で置換されていてもよいＣ１−５アルキレン基で、
Ａｒ１およびＡｒ２がそれぞれ置換基Ｂ群（ハロゲン原子、ニトロ基、シアノ基、置換されていてもよい炭化水素基、置換されていてもよい複素環基、置換されていてもよいヒドロキシ基、置換されていてもよいチオール基、置換スルフィニル基、置換スルホニル基、置換されていてもよいアミノ基、アシル基、置換されていてもよいカルバモイル基、エステル化されていてもよいカルボキシル基およびＣ１−３アルキレンジオキシ基）から選ばれる置換基で置換されていてもよい（ｉ）単環性Ｃ６−８アリール基または（ii）環系を構成する原子（環原子）として、酸素原子、硫黄原子および窒素原子から選ばれたヘテロ原子１ないし３種を少なくとも１個含む５ないし８員の単環性芳香族複素環基である単環性芳香族基で、
置換基Ａ群が(i)ニトロ基、(ii)ヒドロキシ基もしくはオキソ基、(iii)シアノ基、(iv)カルバモイル基、(v)モノ−またはジ−Ｃ１−６アルキル−カルバモイル基（該アルキル基はハロゲン原子、ヒドロキシ基またはＣ１−６アルコキシ基で置換されていてもよい）、モノ−またはジ−Ｃ２−４アルケニル−カルバモイル基（該アルケニル基はハロゲン原子、ヒドロキシ基またはＣ１−６アルコキシ基で置換されていてもよい）、モノ−またはジ−フェニル−カルバモイル基（該フェニル基はハロゲン原子、ハロゲン原子で置換されていてもよいＣ１−６アルキルまたはＣ１−６アルコキシ基で置換されていてもよい）、モノ−またはジ−ベンジル−カルバモイル基（該ベンジル基はハロゲン原子、ハロゲン原子で置換されていてもよいＣ１−６アルキルまたはＣ１−６アルコキシ基で置換されていてもよい）、Ｃ１−６アルコキシ−カルボニル−カルバモイル基、Ｃ１−６アルキルスルホニル−カルバモイル基、Ｃ１−６アルコキシ−カルバモイル基、アミノ−カルバモイル基、モノ−またはジ−Ｃ１−６アルキルアミノ−カルバモイル基、モノ−またはジ−フェニルアミノ−カルバモイル基、(vi)カルボキシル基、(vii)Ｃ１−６アルコキシ−カルボニル基、(viii)ハロゲン原子、(ix)ハロゲン化されていてもよいＣ１−６アルコキシ基、ヒドロキシ基で置換されていてもよいＣ１−６アルコキシ基、カルボキシル基で置換されていてもよいＣ１−６アルコキシ基、Ｃ１−６アルコキシ−カルボニル基で置換されていてもよいＣ１−６アルコキシ基、Ｃ１−６アルコキシ−Ｃ１−６アルコキシ基、Ｃ１−６アルコキシ−Ｃ１−６アルコキシ−Ｃ１−６アルコキシ基、(x)フェノキシ−Ｃ１−６アルキル基、フェノキシ−Ｃ１−６アルコキシ基、Ｃ１−６アルキルカルボニル−オキシ基、カルバモイルオキシ基、モノ−またはジ−Ｃ１−６アルキル−カルバモイルオキシ基、(xi)ハロゲン化されていてもよいフェニル基、ハロゲン化されていてもよいフェニル−Ｃ１−６アルキル基、ハロゲン化されていてもよいフェニル−Ｃ２−４アルケニル基、ハロゲン化されていてもよいフェノキシ基、ピリジルオキシ基、Ｃ３−１０シクロアルキル基、Ｃ３−１０シクロアルキル−Ｃ１−６アルコキシ基、Ｃ３−１０シクロアルキル−Ｃ１−６アルキル基、(xii)ハロゲン化されていてもよいＣ１−６アルキル基、ハロゲン化されていてもよいＣ２−６アルケニル基、ハロゲン化されていてもよいＣ１−６アルキルチオ基、ヒドロキシ基で置換されていてもよいＣ１−６アルキル基、ヒドロキシ基で置換されていてもよいＣ１−６アルキルチオ基、(xiii)メルカプト基、チオキソ基、(xiv)ハロゲン原子、カルボキシル基およびＣ１−６アルコキシ−カルボニル基から選ばれる置換基でそれぞれ置換されていてもよいベンジルオキシ基またはベンジルチオ基、(xv)ハロゲン化されていてもよいフェニルチオ基、ピリジルチオ基、フェニルチオ−Ｃ１−６アルキル基、ピリジルチオ−Ｃ１−６アルキル基、(xvi)ハロゲン化されていてもよいＣ１−６アルキルスルフィニル基、フェニルスルフィニル基、フェニルスルフィニル−Ｃ１−６アルキル基、(xvii)ハロゲン化されていてもよいＣ１−６アルキルスルホニル基、フェニルスルホニル基、フェニルスルホニル−Ｃ１−６ア��キル基、(xviii)アミノ基、アミノスルホニル基、モノ−またはジ−Ｃ１−６アルキルアミノスルホニル基（該アルキル基はハロゲン原子、ヒドロキシ基またはＣ１−６アルコキシ基で置換されていてもよい）、(xix)Ｃ１−６アルカノイルアミノ、ベンゾイルアミノ、Ｃ１−６アルキルスルホニルアミノおよびＣ６−１０アリールスルホニルアミノから選ばれるＣ１−１０アシル−アミノ（該Ｃ１−１０アシルはハロゲン原子、Ｃ１−６アルキル基、Ｃ１−６アルコキシ基、ヒドロキシ基またはカルボキシル基で置換されていてもよい）、ベンジルオキシカルボニルアミノ、ハロゲン化されていてもよいＣ１−６アルコキシカルボニルアミノ、カルバモイルアミノ基、モノ−またはジ−Ｃ１−６アルキルカルバモイルアミノ基、(xx)モノ−またはジ−Ｃ１−６アルキルアミノ基（該アルキル基はハロゲン原子、ヒドロキシ基またはＣ１−６アルコキシ基で置換されていてもよい）、モノ−またはジ−Ｃ１−６アルカノイルアミノ基（該アルカノイル基はハロゲン原子、ヒドロキシ基またはＣ１−６アルコキシ基で置換されていてもよい）、フェニルアミノ、ベンジルアミノ、Ｃ１−６アルキル（ベンジル）アミノ、Ｃ１−６アルカノイル（ベンジル）アミノ、(xxi)４ないし８員環状アミノ基、４ないし８員環状アミノ−カルボニル基、４ないし８員環状アミノ−カルボニル−オキシ基、４ないし８員環状アミノ−カルボニル−アミノ基、４ないし８員環状アミノ−スルホニル基、４ないし８員環状アミノ−Ｃ１−６アルキル基、(xxii)ハロゲン原子、Ｃ１−６アルキル基、Ｃ１−６アルコキシ基、カルボキシル基およびＣ１−６アルコキシ−カルボニル基から選ばれる置換基でそれぞれ置換されていてもよいＣ１−６アシル基（例、Ｃ２−６アルカノイル）またはベンゾイル基、 (xxiii)酸素原子、硫黄原子および窒素原子等から選ばれたヘテロ原子１ないし３種を少なくとも１個含む４ないし１０員複素環基（該複素環基はＣ１−６アルキル基で置換されていてもよい）、(xxiv)酸素原子、硫黄原子および窒素原子等から選ばれたヘテロ原子１ないし３種を少なくとも１個含む４ないし１０員複素環−カルボニル基（該複素環基はＣ１−６アルキル基で置換されていてもよい）、(xxv)ヒドロキシイミノ基、Ｃ１−６アルコキシイミノ基、Ｃ６−１４アリール基および(xxvi)ハロゲン化されていてもよい直鎖状または分枝状のＣ１−６アルキレンジオキシ基からなり、
置換基Ｂ群の「置換されていてもよい炭化水素基」が、置換基Ｃ群から選ばれる置換基でそれぞれ置換されていてもよい（ｉ）直鎖状または分枝状のＣ１−１５アルキル基、（ii）Ｃ３−８シクロアルキル基、（iii）Ｃ２−１８アルケニル基、（iv）Ｃ３−１０シクロアルケニル基、（ｖ）Ｃ２−８アルキニル基、（vi）フェニル−Ｃ１−６アルキル基、（vii）ナフチル−Ｃ１−６アルキル基、（viii）Ｃ６−１４アリール基または（ix）ビフェニル基で、
置換基Ｂ群の「置換されていてもよい複素環基」が、置換基Ｃ群から選ばれる置換基でそれぞれ置換されていてもよい環系を構成する原子（環原子）として、酸素原子、硫黄原子および窒素原子から選ばれたヘテロ原子１ないし３種を少なくとも１個含む４〜１６員の１ないし３環性の芳香族複素環基または飽和もしくは不飽和の非芳香族複素環基（脂肪族複素環基）で、
置換基Ｂ群の置換されていてもよいヒドロキシ基が、前記「置換されていてもよい炭化水素基」、後記「アシル基」、後記「エステル化されていてもよいカルボキシル基」、後記「置換されていてもよいカルバモイル基」または前記「置換されていてもよい複素環基」で置換されていてもよいヒドロキシ基で、
置換基Ｂ群の置換されていてもよいチオール基が、前記「置換されていてもよい炭化水素基」、後記「アシル基」、後記「エステル化されていてもよいカルボキシル基」、後記「置換されていてもよいカルバモイル基」または前記「置換されていてもよい複素環基」で置換されていてもよいチオール基で、
置換基Ｂ群の置換スルフィニル基が、前記「置換されていてもよいヒドロキシ基」、後記「置換されていてもよいアミノ基」、前記「置換されていてもよい炭化水素基」または前記「置換されていてもよい複素環基」で置換されたスルフィニル基で、
置換基Ｂ群の置換スルホニル基が、前記「置換されていてもよいヒドロキシ基」、後記「置換されていてもよいアミノ基」、前記「置換されていてもよい炭化水素基」または前記「置換されていてもよい複素環基」で置換されたスルホニル基で、
置換基Ｂ群の置換されていてもよいアミノ基が、前記「置換されていてもよい炭化水素基」、後記「アシル基」、後記「エステル化されていてもよいカルボキシル基」、後記「置換されていてもよいカルバモイル基」または前記「置換されていてもよい複素環基」で置換されていてもよいアミノ基で、
置換基Ｂ群のアシル基が、式  ＲＡＣＯ−、ＲＡＳＯ２−、ＲＡＳＯ−またはＲＡＯＰＯ（ＯＲＢ）−（ＲＡは水素原子、前記「置換されていてもよい炭化水素基」または前記「置換されていてもよい複素環基」を示し、ＲＢは水素原子または前記「置換されていてもよい炭化水素基」を示す）で表される基で、
置換基Ｂ群の置換されていてもよいカルバモイル基が、前記「置換されていてもよい炭化水素基」、前記「アシル基」、後記「エステル化されていてもよいカルボキシル基」、前記「置換されていてもよい複素環基」、「低級（Ｃ１−６）アルキル基およびフェニル基から選ばれる置換基１〜２個で置換されていてもよいカルバモイル基」、「前記置換されていてもよい炭化水素基、前記アシル基、後記エステル化されていてもよいカルボキシル基または前記置換されていてもよい複素環基で置換されていてもよいアミノ基」、「前記置換されていてもよい炭化水素基、前記アシル基、後記エステル化されていてもよいカルボキシル基または前記置換されていてもよい複素環基で置換されていてもよいヒドロキシ基」で置換されていてもよいカルバモイル基で、Ｎ,Ｎ−ジ置換カルバモイルにおける２個の置換基が窒素原子と一緒になって３〜８員環状アミノを形成してもよく、この様な場合の３〜８員環状アミノカルボニルが１−アゼチジニルカルボニル、１−ピロリジニルカルボニル、ピペリジノカルボニル、モルホリノカルボニル、チオモルホリノカルボニル（硫黄原子は酸化されていてもよい）、１−ピペラジニルカルボニル、１−ホモピペラジニルカルボニル、または４位にＣ１−６アルキル、Ｃ７−１０アラルキル、Ｃ６−１０アリール、Ｃ１−１０アシル基を有していてもよい１−ピペラジニルカルボニルであり、
置換基Ｂ群のエステル化されていてもよいカルボキシル基が、式  −ＣＯＯＲＣ（ＲＣは水素原子、前記「置換されていてもよい炭化水素基」または前記「置換されていてもよい複素環基」を示す）で表される基で、
置換基Ｃ群が(i)ヒドロキシ基、(ii)オキソ基、(iii)シアノ基、(iv)カルバモイル基、(v)モノ−またはジ−Ｃ１−６アルキル−カルバモイル基（該アルキル基はハロゲン原子、ヒドロキシ基またはＣ１−６アルコキシ基で置換されていてもよい）、モノ−またはジ−Ｃ２−４アルケニル−カルバモイル基（該アルケニル基はハロゲン原子、ヒドロキシ基またはＣ１−６アルコキシ基で置換されていてもよい）、モノ−またはジ−フェニル−カルバモイル基（該フェニル基はハロゲン原子、ハロゲン原子で置換されていてもよいＣ１−６アルキルまたはＣ１−６アルコキシ基で置換されていてもよい）、モノ−またはジ−ベンジル−カルバモイル基（該ベンジル基はハロゲン原子、ハロゲン原子で置換されていてもよいＣ１−６アルキルまたはＣ１−６アルコキシ基で置換されていてもよい）、Ｃ１−６アルコキシ−カルボニル−カルバモイル基、Ｃ１−６アルキルスルホニル−カルバモイル基、Ｃ１−６アルコキシ−カルバモイル基、アミノ−カルバモイル基、モノ−またはジ−Ｃ１−６アルキルアミノ−カルバモイル基、モノ−またはジ−フェニルアミノ−カルバモイル基、(vi)カルボキシル基、(vii)Ｃ１−６アルコキシ−カルボニル基、(viii)ハロゲン原子、(ix)ハロゲン化されていてもよいＣ１−６アルコキシ基、ヒドロキシ基で置換されていてもよいＣ１−６アルコキシ基、カルボキシル基で置換されていてもよいＣ１−６アルコキシ基、Ｃ１−６アルコキシ−カルボニル基で置換されていてもよいＣ１−６アルコキシ基、Ｃ１−６アルコキシ−Ｃ１−６アルコキシ基、Ｃ１−６アルコキシ−Ｃ１−６アルコキシ−Ｃ１−６アルコキシ基、(x)フェノキシ−Ｃ１−６アルキル基、フェノキシ−Ｃ１−６アルコキシ基、Ｃ１−６アルキルカルボニル−オキシ基、カルバモイルオキシ基、モノ−またはジ−Ｃ１−６アルキル−カルバモイルオキシ基、(xi)ハロゲン化されていてもよいフェニル基、ハロゲン化されていてもよいフェニル−Ｃ１−６アルキル基、ハロゲン化されていてもよいフェニル−Ｃ２−４アルケニル基、ハロゲン化されていてもよいフェノキシ基、ピリジルオキシ基、Ｃ３−１０シクロアルキル基、Ｃ３−１０シクロアルキル−Ｃ１−６アルコキシ基、Ｃ３−１０シクロアルキル−Ｃ１−６アルキル基、(xii)ハロゲン化されていてもよいＣ１−６アルキル基、ハロゲン化されていてもよいＣ２−６アルケニル基、ハロゲン化されていてもよいＣ１−６アルキルチオ基、ヒドロキシ基で置換されていてもよいＣ１−６アルキル基、ヒドロキシ基で置換されていてもよいＣ１−６アルキルチオ基、(xiii)メルカプト基、（xiv）チオキソ基、(xv)ハロゲン原子、カルボキシル基およびＣ１−６アルコキシ−カルボニル基から選ばれる置換基でそれぞれ置換されていてもよいベンジルオキシ基またはベンジルチオ基、(xvi)ハロゲン化されていてもよいフェニルチオ基、ピリジルチオ基、フェニルチオ−Ｃ１−６アルキル基、ピリジルチオ−Ｃ１−６アルキル基、(xvii)ハロゲン化されていてもよいＣ１−６アルキルスルフィニル基、フェニルスルフィニル基、フェニルスルフィニル−Ｃ１−６アルキル基、(xviii)ハロゲン化されていてもよいＣ１−６アルキルスルホニル基、フェニルスルホニル基、フェニルスルホニル−Ｃ１−６アルキル基、(xix)アミノ基、アミノスルホニル基、モノ−またはジ−Ｃ１−６アルキルアミノスルホニル基（該アルキル基はハロゲン原子、ヒドロキシ基またはＣ１−６アルコキシ基で置換されていてもよい）、(xx)Ｃ１−１０アシル−アミノ基（例、Ｃ１−６アルカノイルアミノ、ベンゾイルアミノ、Ｃ１−６アルキルスルホニルアミノまたはＣ６−１０アリールスルホニルアミノ；Ｃ１−１０アシルはハロゲン原子、Ｃ１−６アルキル基、Ｃ１−６アルコキシ基、ヒドロキシ基またはカルボキシル基で置換されていてもよい）、ベンジルオキシカルボニルアミノ、ハロゲン化されていてもよいＣ１−６アルコキシカルボニルアミノ、カルバモイルアミノ基、モノ−またはジ−Ｃ１−６アルキルカルバモイルアミノ基、(xxi)モノ−またはジ−Ｃ１−６アルキルアミノ基（該アルキル基はハロゲン原子、ヒドロキシ基またはＣ１−６アルコキシ基で置換されていてもよい）、モノ−またはジ−Ｃ１−６アルカノイルアミノ基（該アルカノイル基はハロゲン原子、ヒドロキシ基またはＣ１−６アルコキシ基で置換されていてもよい）、フェニルアミノ、ベンジルアミノ、Ｃ１−６アルキル（ベンジル）アミノ、Ｃ１−６アルカノイル（ベンジル）アミノ、(xxii)４ないし８員環状アミノ基、４ないし８員環状アミノ−カルボニル基、４ないし８員環状アミノ−カルボニル−オキシ基、４ないし８員環状アミノ−カルボニル−アミノ基、４ないし８員環状アミノ−スルホニル基、４ないし８員環状アミノ−Ｃ１−６アルキル基、(xxiii)ハロゲン原子、Ｃ１−６アルキル基、Ｃ１−６アルコキシ基、カルボキシル基およびＣ１−６アルコキシ−カルボニル基から選ばれる置換基でそれぞれ置換されていてもよいＣ１−６アシル基（例、Ｃ２−６アルカノイルなど）またはベンゾイル基、 (xxiv)酸素原子、硫黄原子および窒素原子から選ばれたヘテロ原子１ないし３種を少なくとも１個含む４ないし１０員複素環基（該複素環基はＣ１−６アルキル基などで置換されていてもよい）、(xxv)酸素原子、硫黄原子および窒素原子から選ばれたヘテロ原子１ないし３種を少なくとも１個含む４ないし１０員複素環−カルボニル基（該複素環基はＣ１−６アルキル基で置換されていてもよい）、(xxvi)ヒドロキシイミノ基、Ｃ１−６アルコキシイミノ基、Ｃ６−１４アリール基および(xxvii)ハロゲン化されていてもよい直鎖状または分枝状のＣ１−６アルキレンジオキシ基からなる上記〔３０〕記載の剤などを提供する。
【発明の効果】
【００１５】
ＴＧＲ５に対する合成リガンドとＴＧＲ５を用いることにより、ＴＧＲ５アゴニストまたはＴＧＲ５アンタゴニストを効率良くスクリーニングすることができる。
【００１６】
また、本発明のＴＧＲ５受容体作動剤は、優れたＴＧＲ５受容体作動作用を有するため、各種疾患の治療に有用である。
【発明を実施するための最良の形態】
【００１７】
本発明で用いられるＧ蛋白質共役型レセプター蛋白質（以下、ＴＧＲ５と略記する場合がある）は、配列番号：１で表わされるアミノ酸配列と同一もしくは実質的に同一のアミノ酸配列を含有するレセプター蛋白質である。
【００１８】
ＴＧＲ５は、例えば、ヒトやその他の哺乳動物（例えば、モルモット、ラット、マウス、ウサギ、ブタ、ヒツジ、ウシ、サル、イヌなど）のあらゆる細胞（例えば、脾細胞、神経細胞、グリア細胞、膵臓β細胞、骨髄細胞、メサンギウム細胞、ランゲルハンス細胞、表皮細胞、上皮細胞、内皮細胞、繊維芽細胞、繊維細胞、筋細胞、脂肪細胞、免疫細胞（例、マクロファージ、Ｔ細胞、Ｂ細胞、ナチュラルキラー細胞、肥満細胞、好中球、好塩基球、好酸球、単球）、巨核球、滑膜細胞、軟骨細胞、骨細胞、骨芽細胞、破骨細胞、乳腺細胞、肝細胞もしくは間質細胞、またはこれら細胞の前駆細胞、幹細胞もしくはガン細胞など）や血球系の細胞、またはそれらの細胞が存在するあらゆる組織、例えば、脳、脳の各部位（例、嗅球、扁頭核、大脳基底球、海馬、視床、視床下部、視床下核、大脳皮質、延髄、小脳、後頭葉、前頭葉、側頭葉、被殻、尾状核、脳染、黒質）、脊髄、下垂体、胃、膵臓、腎臓、肝臓、生殖腺、甲状腺、胆のう、骨髄、副腎、皮膚、筋肉、肺、消化管（例、大腸、小腸）、血管、心臓、胸腺、脾臓、顎下腺、末梢血、末梢血球、前立腺、睾丸、精巣、卵巣、胎盤、子宮、骨、関節、骨格筋などに由来する蛋白質であってもよく、また合成蛋白質であってもよい。
【００１９】
配列番号：１で表わされるアミノ酸配列と実質的に同一のアミノ酸配列としては、例えば、配列番号：１で表わされるアミノ酸配列と約５０％以上、好ましくは約６０％以上、より好ましくは約７０％以上、さらに好ましくは約８０％以上、なかでも好ましくは約９０％以上、最も好ましくは約９５％以上の相同性を有するアミノ酸配列などが挙げられる。
【００２０】
本発明の配列番号：１で表わされるアミノ酸配列と実質的に同一のアミノ酸配列を含有する蛋白質としては、例えば、配列番号：１で表わされるアミノ酸配列と実質的に同一のアミノ酸配列を有し、配列番号：１で表わされるアミノ酸配列からなるレセプター蛋白質と実質的に同質の活性を有する蛋白質などが好ましい。
【００２１】
アミノ酸配列の相同性は、相同性計算アルゴリズムＮＣＢＩ  ＢＬＡＳＴ（Ｎａｔｉｏｎａｌ  Ｃｅｎｔｅｒ  ｆｏｒ  Ｂｉｏｔｅｃｈｎｏｌｏｇｙ  Ｉｎｆｏｒｍａｔｉｏｎ  Ｂａｓｉｃ  Ｌｏｃａｌ  Ａｌｉｇｎｍｅｎｔ  Ｓｅａｒｃｈ  Ｔｏｏｌ）を用い、以下の条件（期待値＝１０；ギャップを許す；マトリクス＝ＢＬＯＳＵＭ６２；フィルタリング＝ＯＦＦ）にて計算することができる。
【００２２】
実質的に同質の活性としては、例えば、リガンド結合活性、シグナル情報伝達作用などが挙げられる。実質的に同質とは、それらの活性が性質的に同質であることを示す。したがって、リガンド結合活性やシグナル情報伝達作用などの活性が同等（例、約０．０１〜１００倍、好ましくは約０．５〜２０倍、より好ましくは約０．５〜２倍）であることが好ましいが、これらの活性の程度や蛋白質の分子量などの量的要素は異なっていてもよい。
【００２３】
リガンド結合活性やシグナル情報伝達作用などの活性の測定は、公知の方法に準じて行なうことができるが、例えば、後に記載するリガンドの決定方法やスクリーニング方法に従って測定することができる。
【００２４】
また、ＴＧＲ５としては、1)配列番号：１、配列番号：５、配列番号：７、配列番号：１４、配列番号：１６または配列番号：３６で表わされるアミノ酸配列中の１または２個以上（好ましくは、１〜３０個程度、より好ましくは１〜１０個程度、さらに好ましくは数個（１〜５個））のアミノ酸が欠失したアミノ酸配列、2)配列番号：１、配列番号：５、配列番号：７、配列番号：１４、配列番号：１６または配列番号：３６で表わされるアミノ酸配列に１または２個以上（好ましくは、１〜３０個程度、より好ましくは１〜１０個程度、さらに好ましくは数個（１〜５個））のアミノ酸が付加したアミノ酸配列、3)配列番号：１、配列番号：５、配列番号：７、配列番号：１４、配列番号：１６または配列番号：３６で表わされるアミノ酸配列中の１または２個以上（好ましくは、１〜３０個程度、より好ましくは１〜１０個程度、さらに好ましくは数個（１〜５個））のアミノ酸が他のアミノ酸で置換されたアミノ酸配列、または4)それらを組み合わせたアミノ酸配列を含有する蛋白質なども用いられる。
【００２５】
本明細書におけるレセプター蛋白質は、ペプチド表記の慣例に従って、左端がＮ末端（アミノ末端）、右端がＣ末端（カルボキシル末端）である。配列番号：１で表わされるアミノ酸配列を含有するレセプター蛋白質をはじめとする、ＴＧＲ５は、Ｃ末端がカルボキシル基（−ＣＯＯＨ）、カルボキシレート(−ＣＯＯ-)、アミド（−ＣＯＮＨ2）またはエステル（−ＣＯＯＲ）の何れであってもよい。
【００２６】
ここでエステルにおけるＲとしては、例えば、メチル、エチル、ｎ−プロピル、イソプロピルもしくはｎ−ブチルなどのＣ１−６アルキル基、例えば、シクロペンチル、シクロヘキシルなどのＣ３−８シクロアルキル基、例えば、フェニル、α−ナフチルなどのＣ６−１２アリール基、例えば、ベンジル、フェネチルなどのフェニル−Ｃ１−２アルキル基もしくはα−ナフチルメチルなどのα−ナフチル−Ｃ１−２アルキル基などのＣ７−１４アラルキル基のほか、経口用エステルとして汎用されるピバロイルオキシメチル基などが用いられる。
【００２７】
ＴＧＲ５がＣ末端以外にカルボキシル基（またはカルボキシレート）を有している場合、カルボキシル基がアミド化またはエステル化されているものもＴＧＲ５に含まれる。この場合のエステルとしては、例えば上記したＣ末端のエステルなどが用いられる。
【００２８】
さらに、ＴＧＲ５には、上記した蛋白質において、Ｎ末端のメチオニン残基のアミノ基が保護基（例えば、ホルミル基、アセチルなどのＣ２−６アルカノイル基などのＣ１−６アシル基など）で保護されているもの、Ｎ端側が生体内で切断され生成したグルタミル基がピログルタミン酸化したもの、分子内のアミノ酸の側鎖上の置換基（例えば、−ＯＨ、−ＳＨ、アミノ基、イミダゾール基、インドール基、グアニジノ基など）が適当な保護基（例えば、ホルミル基、アセチルなどのＣ２−６アルカノイル基などのＣ１−６アシル基など）で保護されているもの、あるいは糖鎖が結合したいわゆる糖蛋白質などの複合蛋白質なども含まれる。
【００２９】
ＴＧＲ５の具体例としては、例えば、配列番号：１（ヒト型）、配列番号：５（マウス型）、配列番号：７（ラット型）、配列番号：１４（ウシ型）、配列番号：１６（ウサギ型）または配列番号：３６（モルモット型）で表わされるアミノ酸配列からなるレセプター蛋白質などが用いられる。配列番号：３６（モルモット型）で表わされるアミノ酸配列からなるレセプター蛋白質は新規な蛋白質である。
【００３０】
ＴＧＲ５の部分ペプチド（以下、部分ペプチドと略記する場合がある）としては、上記したＴＧＲ５の部分ペプチドであれば何れのものであってもよいが、例えば、ＴＧＲ５分子のうち、細胞膜の外に露出している部位であって、実質的に同質のレセプター結合活性を有するものなどが用いられる。
【００３１】
具体的には、配列番号：１、配列番号：５、配列番号：７、配列番号：１４、配列番号：１６または配列番号：３６で表わされるアミノ酸配列からなるレセプター蛋白質の部分ペプチドとしては、疎水性プロット解析において細胞外領域（親水性（Hydrophilic）部位）であると分析された部分を含むペプチドである。また、疎水性（Hydrophobic）部位を一部に含むペプチドも同様に用いることができる。個々のドメインを個別に含むペプチドも用い得るが、複数のドメインを同時に含む部分のペプチドでも良い。
【００３２】
本発明の部分ペプチドのアミノ酸の数は、上記したＴＧＲ５の構成アミノ酸配列のうち少なくとも２０個以上、好ましくは５０個以上、より好ましくは１００個以上のアミノ酸配列を有するペプチドなどが好ましい。
【００３３】
実質的に同一のアミノ酸配列とは、これらアミノ酸配列と約５０％以上、好ましくは約６０％以上、より好ましくは約７０％以上、さらに好ましくは約８０％以上、なかでも好ましくは約９０％以上、最も好ましくは約９５％以上の相同性を有するアミノ酸配列を示す。
【００３４】
ここで、「実質的に同質のレセプター活性」とは、上記と同意義を示す。「実質的に同質のレセプター活性」の測定は上記と同様に行なうことができる。
【００３５】
また、本発明の部分ペプチドは、上記アミノ酸配列中の１または２個以上（好ましくは、１〜１０個程度、さらに好ましくは数個（１〜５個））のアミノ酸が欠失し、または、そのアミノ酸配列に１または２個以上（好ましくは、１〜２０個程度、より好ましくは１〜１０個程度、さらに好ましくは数個（１〜５個））のアミノ酸が付加し、または、そのアミノ酸配列中の１または２個以上（好ましくは、１〜１０個程度、より好ましくは数個、さらに好ましくは１〜５個程度）のアミノ酸が他のアミノ酸で置換されていてもよい。
【００３６】
また、本発明の部分ペプチドはＣ末端が通常カルボキシル基（−ＣＯＯＨ）またはカルボキシレート（−ＣＯＯ-）であるが、上記した本発明の蛋白質のごとく、Ｃ末端がアミド（−ＣＯＮＨ2）またはエステル（−ＣＯＯＲ）であってもよい。本発明の部分ペプチドがＣ末端以外にカルボキシル基（またはカルボキシレート）を有している場合、カルボキシル基がアミド化またはエステル化されているものも本発明の部分ペプチドに含まれる。この場合のエステルとしては、例えば上記したＣ末端のエステルなどが用いられる。
【００３７】
さらに、本発明の部分ペプチドには、上記したＴＧＲ５と同様に、Ｎ末端のメチオニン残基のアミノ基が保護基で保護されているもの、Ｎ端側が生体内で切断され生成したグルタミル基がピログルタミン酸化したもの、分子内のアミノ酸の側鎖上の置換基が適当な保護基で保護されているもの、あるいは糖鎖が結合したいわゆる糖ペプチドなどの複合ペプチドなども含まれる。
【００３８】
ＴＧＲ５またはその部分ペプチドの塩としては、薬理学的に許容される塩が好ましく、例えば無機塩基との塩、有機塩基との塩、無機酸との塩、有機酸との塩、塩基性または酸性アミノ酸との塩などが挙げられる。
【００３９】
無機塩基との塩の好適な例としては、例えばナトリウム塩、カリウム塩、リチウム塩などのアルカリ金属塩；カルシウム塩、マグネシウム塩などのアルカリ土類金属塩；アルミニウム塩、アンモニウム塩などが挙げられる。
【００４０】
有機塩基との塩の好適な例としては、例えばトリメチルアミン、トリエチルアミン、ピリジン、ピコリン、エタノールアミン、ジエタノールアミン、トリエタノールアミン、ジシクロヘキシルアミン、Ｎ，Ｎ−ジベンジルエチレンジアミンなどとの塩が挙げられる。
【００４１】
無機酸との塩の好適な例としては、例えば塩酸、臭化水素酸、硝酸、硫酸、リン酸などとの塩が挙げられる。
【００４２】
有機酸との塩の好適な例としては、例えばギ酸、酢酸、トリフルオロ酢酸、フマル酸、シュウ酸、酒石酸、マレイン酸、クエン酸、コハク酸、リンゴ酸、メタンスルホン酸、ベンゼンスルホン酸、ｐ−トルエンスルホン酸などとの塩が挙げられる。
【００４３】
塩基性アミノ酸との塩の好適な例としては、例えばアルギニン、リジン、オルニチンなどとの塩が挙げられる。
【００４４】
酸性アミノ酸との塩の好適な例としては、例えばアスパラギン酸、グルタミン酸などとの塩が挙げられる。
【００４５】
ＴＧＲ５、その部分ペプチドまたはその塩は、ＷＯ０１／７７３２５号、ＷＯ０２／８４２８６号に記載の方法に準じて製造し、精製単離することもできる。
【００４６】
ＴＧＲ５をコードするポリヌクレオチドとしては、上記したＴＧＲ５をコードする塩基配列（ＤＮＡまたはＲＮＡ、好ましくはＤＮＡ）を含有するものであればいかなるものであってもよい。該ポリヌクレオチドとしては、ＴＧＲ５をコードするＤＮＡ、ｍＲＮＡ等のＲＮＡであり、二本鎖であっても、一本鎖であってもよい。二本鎖の場合は、二本鎖ＤＮＡ、二本鎖ＲＮＡまたはＤＮＡ：ＲＮＡのハイブリッドでもよい。一本鎖の場合は、センス鎖（すなわち、コード鎖）であっても、アンチセンス鎖（すなわち、非コード鎖）であってもよい。
【００４７】
ＴＧＲ５をコードするポリヌクレオチドを用いて、例えば、公知の実験医学増刊「新ＰＣＲとその応用」15(7)、1997記載の方法またはそれに準じた方法により、ＴＧＲ５のｍＲＮＡを定量することができる。
【００４８】
ＴＧＲ５をコードするＤＮＡとしては、ゲノムＤＮＡ、ゲノムＤＮＡライブラリー、上記した細胞または組織由来のｃＤＮＡ、上記した細胞・組織由来のｃＤＮＡライブラリー、合成ＤＮＡのいずれでもよい。ライブラリーに使用するベクターは、バクテリオファージ、プラスミド、コスミド、ファージミドなどいずれであってもよい。また、上記した細胞または組織より全ＲＮＡまたはｍＲＮＡ画分を調製したものを用いて直接Reverse Transcriptase Polymerase Chain Reaction（以下、ＲＴ−ＰＣＲ法と略称する）によって増幅することもできる。
【００４９】
具体的には、ＴＧＲ５をコードするＤＮＡとしては、例えば、配列番号：２、配列番号：６、配列番号：８、配列番号：１３、配列番号：１５または配列番号：３７で表わされる塩基配列を含有するＤＮＡ、または配列番号：２、配列番号：６、配列番号：８、配列番号：１３、配列番号：１５または配列番号：３６で表わされる塩基配列とハイストリンジェントな条件下でハイブリダイズする塩基配列を有し、配列番号：１、配列番号：５、配列番号：７、配列番号：１４、配列番号：１６または配列番号：３６で表わされるアミノ酸配列からなるＴＧＲ５と実質的に同質の活性（例、リガンド結合活性、シグナル情報伝達作用など）を有するレセプター蛋白質をコードするＤＮＡであれば何れのものでもよい。
【００５０】
配列番号：２、配列番号：６、配列番号：８、配列番号：１３、配列番号：１５または配列番号：３６で表わされる塩基配列とハイブリダイズできるＤＮＡとしては、例えば、配列番号：２、配列番号：６、配列番号：８、配列番号：１３、配列番号：１５または配列番号：３６で表わされる塩基配列と約７０％以上、好ましくは約８０％以上、より好ましくは約９０％以上、最も好ましくは約９５％以上の相同性を有する塩基配列を含有するＤＮＡなどが用いられる。
【００５１】
塩基配列の相同性は、相同性計算アルゴリズムＮＣＢＩ  ＢＬＡＳＴ（Ｎａｔｉｏｎａｌ  Ｃｅｎｔｅｒ  ｆｏｒ  Ｂｉｏｔｅｃｈｎｏｌｏｇｙ  Ｉｎｆｏｒｍａｔｉｏｎ  Ｂａｓｉｃ  Ｌｏｃａｌ  Ａｌｉｇｎｍｅｎｔ  Ｓｅａｒｃｈ  Ｔｏｏｌ）を用い、以下の条件（期待値＝１０；ギャップを許す；フィルタリング＝ＯＮ；マッチスコア＝１；ミスマッチスコア＝−３）にて計算することができる。
【００５２】
ハイブリダイゼーションは、公知の方法あるいはそれに準じる方法、例えば、モレキュラー・クローニング（Molecular Cloning）２nd（J. Sambrook et al.,Cold Spring Harbor Lab. Press, 1989）に記載の方法などに従って行なうことができる。また、市販のライブラリーを使用する場合、添付の使用説明書に記載の方法に従って行なうことができる。より好ましくは、ハイストリンジェントな条件に従って行なうことができる。
【００５３】
該ハイストリンジェントな条件とは、例えば、ナトリウム濃度が約１９〜４０ｍＭ、好ましくは約１９〜２０ｍＭで、温度が約５０〜７０℃、好ましくは約６０〜６５℃の条件を示す。特に、ナトリウム濃度が約１９ｍＭで温度が約６５℃の場合が最も好ましい。
【００５４】
より具体的には、配列番号：１で表わされるアミノ酸配列からなるヒトＴＧＲ５をコードするＤＮＡとしては、配列番号：２で表わされる塩基配列からなるＤＮＡなどが用いられる。
【００５５】
また配列番号：５で表わされるアミノ酸配列からなるマウスＴＧＲ５をコードするＤＮＡとしては、配列番号：６で表わされる塩基配列からなるＤＮＡなどが用いられる。
【００５６】
配列番号：７で表わされるアミノ酸配列からなるラットＴＧＲ５をコードするＤＮＡとしては、配列番号：８で表わされる塩基配列からなるＤＮＡなどが用いられる。
【００５７】
配列番号：１４で表わされるアミノ酸配列からなるウシＴＧＲ５をコードするＤＮＡとしては、配列番号：１３で表わされる塩基配列からなるＤＮＡなどが用いられる。
【００５８】
配列番号：１６で表わされるアミノ酸配列からなるウサギＴＧＲ５をコードするＤＮＡとしては、配列番号：１５で表わされる塩基配列からなるＤＮＡなどが用いられる。
【００５９】
配列番号：３６で表わされるアミノ酸配列からなるモルモットＴＧＲ５をコードするＤＮＡとしては、配列番号：３７で表わされる塩基配列からなるＤＮＡなどが用いられる。
【００６０】
本発明の部分ペプチドをコードするＤＮＡとしては、上記した本発明の部分ペプチドをコードする塩基配列を含有するものであればいかなるものであってもよい。また、ゲノムＤＮＡ、ゲノムＤＮＡライブラリー、上記した細胞・組織由来のｃＤＮＡ、上記した細胞・組織由来のｃＤＮＡライブラリー、合成ＤＮＡのいずれでもよい。ライブラリーに使用するベクターは、バクテリオファージ、プラスミド、コスミド、ファージミドなどいずれであってもよい。また、上記した細胞・組織よりｍＲＮＡ画分を調製したものを用いて直接ＲＴ−ＰＣＲ法によって増幅することもできる。
【００６１】
具体的には、本発明の部分ペプチドをコードするＤＮＡとしては、例えば、（１）配列番号：２、配列番号：６、配列番号：８、配列番号：１３、配列番号：１５または配列番号：３７で表わされる塩基配列を有するＤＮＡの部分塩基配列を有するＤＮＡ、または（２）配列番号：２、配列番号：６、配列番号：８、配列番号：１３、配列番号：１５または配列番号：３７で表わされる塩基配列とハイストリンジェントな条件下でハイブリダイズする塩基配列を有し、配列番号：１、配列番号：５、配列番号：７、配列番号：１４、配列番号：１６または配列番号：３６で表されるアミノ酸配列からなるＴＧＲ５ペプチドと実質的に同質の活性（例、リガンド結合活性、シグナル情報伝達作用など）を有するレセプター蛋白質をコードするＤＮＡの部分塩基配列を有するＤＮＡなどが用いられる。
【００６２】
配列番号：２、配列番号：６、配列番号：８、配列番号：１３、配列番号：１５または配列番号：３７で表わされる塩基配列ハイブリダイズできるＤＮＡとしては、例えば、配列番号：２、配列番号：６、配列番号：８、配列番号：１３、配列番号：１５または配列番号：３７で表わされる塩基配列と約７０％以上、好ましくは約８０％以上、より好ましくは約９０％以上、最も好ましくは約９５％以上の相同性を有する塩基配列を含有するＤＮＡなどが用いられる。
【００６３】
塩基配列の相同性は、相同性計算アルゴリズムＮＣＢＩ  ＢＬＡＳＴ（Ｎａｔｉｏｎａｌ  Ｃｅｎｔｅｒ  ｆｏｒ  Ｂｉｏｔｅｃｈｎｏｌｏｇｙ  Ｉｎｆｏｒｍａｔｉｏｎ  Ｂａｓｉｃ  Ｌｏｃａｌ  Ａｌｉｇｎｍｅｎｔ  Ｓｅａｒｃｈ  Ｔｏｏｌ）を用い、以下の条件（期待値＝１０；ギャップを許す；フィルタリング＝ＯＮ；マッチスコア＝１；ミスマッチスコア＝−３）にて計算することができる。
【００６４】
ハイブリダイゼーションは、公知の方法あるいはそれに準じる方法、例えば、モレキュラー・クローニング（Molecular Cloning）２nd（J. Sambrook et al.,Cold Spring Harbor Lab. Press, 1989）に記載の方法などに従って行なうことができる。また、市販のライブラリーを使用する場合、添付の使用説明書に記載の方法に従って行なうことができる。より好ましくは、ハイストリンジェントな条件に従って行なうことができる。
【００６５】
該ハイストリンジェントな条件とは、例えば、ナトリウム濃度が約１９〜４０ｍＭ、好ましくは約１９〜２０ｍＭで、温度が約５０〜７０℃、好ましくは約６０〜６５℃の条件を示す。特に、ナトリウム濃度が約１９ｍＭで温度が約６５℃の場合が最も好ましい。
【００６６】
上記したＴＧＲ５またはその部分ペプチドをコードするＤＮＡは、、ＷＯ０１／７７３２５号、ＷＯ０２／８４２８６号に記載の方法を用いてクローニングすることができる。
【００６７】
ＤＮＡの塩基配列の置換は、ＰＣＲや公知のキット、例えば、ＭｕｔａｎTM−ｓｕｐｅｒ Ｅｘｐｒｅｓｓ Ｋｍ（宝酒造）、ＭｕｔａｎTM−Ｋ（宝酒造）などを用いて、ＯＤＡ−ＬＡ ＰＣＲ法、Ｇａｐｐｅｄ ｄｕｐｌｅｘ法、Ｋｕｎｋｅｌ法などの公知の方法あるいはそれらに準じる方法に従って行なうことができる。
【００６８】
クローン化されたレセプター蛋白質をコードするＤＮＡは目的によりそのまま、または所望により制限酵素で消化したり、リンカーを付加したりして使用することができる。該ＤＮＡはその５’末端側に翻訳開始コドンとしてのＡＴＧを有し、また３’末端側には翻訳終止コドンとしてのＴＡＡ、ＴＧＡまたはＴＡＧを有していてもよい。これらの翻訳開始コドンや翻訳終止コドンは、適当な合成ＤＮＡアダプターを用いて付加することもできる。
【００６９】
ＴＧＲ５の発現ベクターは、例えば、（イ）ＴＧＲ５をコードするＤＮＡを含有するＤＮＡ（例えば、ｃＤＮＡ）から目的とするＤＮＡ断片を切り出し、（ロ）該ＤＮＡ断片を適当な発現ベクター中のプロモーターの下流に連結することにより製造することができる。
【００７０】
ベクターとしては、大腸菌由来のプラスミド（例、ｐＢＲ３２２、ｐＢＲ３２５、ｐＵＣ１２、ｐＵＣ１３）、枯草菌由来のプラスミド（例、ｐＵＢ１１０、ｐＴＰ５、ｐＣ１９４）、酵母由来プラスミド（例、ｐＳＨ１９、ｐＳＨ１５）、λファージなどのバクテリオファージ、レトロウイルス、ワクシニアウイルス、バキュロウイルスなどの動物ウイルスなどの他、ｐＡ１−１１、ｐＸＴ１、ｐＲｃ／ＣＭＶ、ｐＲｃ／ＲＳＶ、ｐｃＤＮＡＩ／Ｎｅｏなどが用いられる。
【００７１】
本発明で用いられるプロモーターとしては、遺伝子の発現に用いる宿主に対応して適切なプロモーターであればいかなるものでもよい。例えば、動物細胞を宿主として用いる場合は、ＳＲαプロモーター、ＳＶ４０プロモーター、ＬＴＲプロモーター、ＣＭＶプロモーター、ＨＳＶ-ＴＫプロモーターなどが挙げられる。
【００７２】
これらのうち、ＣＭＶプロモーター、ＳＲαプロモーターなどを用いるのが好ましい。宿主がエシェリヒア属菌である場合は、ｔｒｐプロモーター、ｌａｃプロモーター、ｒｅｃＡプロモーター、λＰLプロモーター、ｌｐｐプロモーターなどが、宿主がバチルス属菌である場合は、ＳＰＯ１プロモーター、ＳＰＯ２プロモーター、ｐｅｎＰプロモーターなど、宿主が酵母である場合は、ＰＨＯ５プロモーター、ＰＧＫプロモーター、ＧＡＰプロモーター、ＡＤＨプロモーターなどが好ましい。宿主が昆虫細胞である場合は、ポリヘドリンプロモーター、Ｐ１０プロモーターなどが好ましい。
【００７３】
発現ベクターには、以上の他に、所望によりエンハンサー、スプライシングシグナル、ポリＡ付加シグナル、選択マーカー、ＳＶ４０複製オリジン（以下、ＳＶ４０ｏｒｉと略称する場合がある）などを含有しているものを用いることができる。選択マーカーとしては、例えば、ジヒドロ葉酸還元酵素（以下、ｄｈｆｒと略称する場合がある）遺伝子〔メソトレキセート（ＭＴＸ）耐性〕、アンピシリン耐性遺伝子（以下、Ａｍｐrと略称する場合がある）、ネオマイシン耐性遺伝子（以下、Ｎｅｏrと略称する場合がある、Ｇ４１８耐性）等が挙げられる。特に、ＣＨＯ（ｄｈｆｒ-）細胞を用いてｄｈｆｒ遺伝子を選択マーカーとして使用する場合、目的遺伝子をチミジンを含まない培地によっても選択できる。
【００７４】
また、必要に応じて、宿主に合ったシグナル配列を、ＴＧＲ５のＮ端末側に付加する。宿主がエシェリヒア属菌である場合は、ＰｈｏＡ・シグナル配列、ＯｍｐＡ・シグナル配列などが、宿主がバチルス属菌である場合は、α−アミラーゼ・シグナル配列、サブチリシン・シグナル配列などが、宿主が酵母である場合は、ＭＦα・シグナル配列、ＳＵＣ２・シグナル配列など、宿主が動物細胞である場合には、インシュリン・シグナル配列、α−インターフェロン・シグナル配列、抗体分子・シグナル配列などがそれぞれ利用できる。
【００７５】
このようにして構築されたＴＧＲ５をコードするＤＮＡを含有するベクターを用いて、形質転換体を製造することができる。
【００７６】
宿主としては、例えば、エシェリヒア属菌、バチルス属菌、酵母、昆虫細胞、昆虫、動物細胞などが用いられる。
【００７７】
エシェリヒア属菌の具体例としては、エシェリヒア・コリ（Escherichia coli）Ｋ１２・ＤＨ１〔プロシージングズ・オブ・ザ・ナショナル・アカデミー・オブ・サイエンシイズ・オブ・ザ・ユーエスエー（Proc. Natl. Acad. Sci. USA），６０巻，１６０(１９６８)〕、ＪＭ１０３〔ヌクイレック・アシッズ・リサーチ，（Nucleic Acids Research），９巻，３０９(１９８１)〕、ＪＡ２２１〔ジャーナル・オブ・モレキュラー・バイオロジー（Journal of Molecular Biology），１２０巻，５１７(１９７８)〕、ＨＢ１０１〔ジャーナル・オブ・モレキュラー・バイオロジー，４１巻，４５９(１９６９)〕、Ｃ６００〔ジェネティックス（Genetics），３９巻，４４０(１９５４)〕などが用いられる。
【００７８】
バチルス属菌としては、例えば、バチルス・ズブチルス（Bacillus subtilis）ＭＩ１１４〔ジーン，２４巻，２５５(１９８３)〕，２０７−２１〔ジャーナル・オブ・バイオケミストリー（Journal of Biochemistry），９５巻，８７(１９８４)〕などが用いられる。
【００７９】
酵母としては、例えば、サッカロマイセス・セレビシエ（Saccharomyces cerevisiae）ＡＨ２２、ＡＨ２２Ｒ-、ＮＡ８７−１１Ａ、ＤＫＤ−５Ｄ、２０Ｂ−１２、シゾサッカロマイセス・ポンベ（Schizosaccharomyces pombe）ＮＣＹＣ１９１３、ＮＣＹＣ２０３６、ピキア・パストリス（Pichia pastoris）などが用いられる。
【００８０】
昆虫細胞としては、例えば、ウイルスがＡｃＮＰＶの場合は、ヨトウガの幼虫由来株化細胞（Spodoptera frugiperda cell；Ｓｆ細胞）、Trichoplusia niの中腸由来のＭＧ１細胞、Trichoplusia niの卵由来のＨｉｇｈ ＦｉｖｅTM細胞、Mamestra brassicae由来の細胞またはEstigmena acrea由来の細胞などが用いられる。ウイルスがＢｍＮＰＶの場合は、カイコ由来株化細胞（Bombyx mori N；ＢｍＮ細胞）などが用いられる。該Ｓｆ細胞としては、例えば、Ｓｆ９細胞（ATCC CRL1711）、Ｓｆ２１細胞（以上、Vaughn, J.L.ら、イン・ヴィボ（In Vivo）,13, 213-217,(1977)）などが用いられる。
【００８１】
昆虫としては、例えば、カイコの幼虫などが用いられる〔前田ら、ネイチャー（Nature），３１５巻，５９２(１９８５)〕。
【００８２】
動物細胞としては、例えば、サル細胞ＣＯＳ−７、Ｖｅｒｏ、チャイニーズハムスター細胞ＣＨＯ（以下、ＣＨＯ細胞と略記）、ｄｈｆｒ遺伝子欠損チャイニーズハムスター細胞ＣＨＯ（以下、ＣＨＯ（ｄｈｆｒ-）細胞と略記）、マウスＬ細胞，マウスＡｔＴ−２０、マウスミエローマ細胞、ラットＧＨ３、ヒトＦＬ細胞、ヒトＨＥＫ２９３細胞などが用いられる。
【００８３】
エシェリヒア属菌を形質転換するには、例えば、プロシージングズ・オブ・ザ・ナショナル・アカデミー・オブ・サイエンジイズ・オブ・ザ・ユーエスエー（Proc. Natl. Acad. Sci. USA），６９巻，２１１０(１９７２)やジーン（Gene），１７巻，１０７(１９８２)などに記載の方法に従って行なうことができる。
【００８４】
バチルス属菌を形質転換するには、例えば、モレキュラー・アンド・ジェネラル・ジェネティックス（Molecular ＆ General Genetics），１６８巻，１１１(１９７９)などに記載の方法に従って行なうことができる。
【００８５】
酵母を形質転換するには、例えば、メッソズ・イン・エンザイモロジー（Methods in Enzymology），１９４巻，１８２−１８７（１９９１）、プロシージングズ・オブ・ザ・ナショナル・アカデミー・オブ・サイエンシイズ・オブ・ザ・ユーエスエー（Proc. Natl. Acad. Sci. USA），７５巻，１９２９（１９７８）などに記載の方法に従って行なうことができる。
【００８６】
昆虫細胞または昆虫を形質転換するには、例えば、バイオ／テクノロジー（Bio/Technology）,6, 47-55(1988)）などに記載の方法に従って行なうことができる。
【００８７】
動物細胞を形質転換するには、例えば、細胞工学別冊８新細胞工学実験プロトコール．２６３−２６７（１９９５）（秀潤社発行）、ヴィロロジー（Virology），５２巻，４５６(１９７３)に記載の方法に従って行なうことができる。
【００８８】
このようにして、Ｇ蛋白質共役型レセプター蛋白質をコードするＤＮＡを含有する発現ベクターで形質転換された形質転換体が得られる。
【００８９】
宿主がエシェリヒア属菌、バチルス属菌である形質転換体を培養する際、培養に使用される培地としては液体培地が適当であり、その中には該形質転換体の生育に必要な炭素源、窒素源、無機物その他が含有せしめられる。炭素源としては、例えば、グルコース、デキストリン、可溶性澱粉、ショ糖など、窒素源としては、例えば、アンモニウム塩類、硝酸塩類、コーンスチープ・リカー、ペプトン、カゼイン、肉エキス、大豆粕、バレイショ抽出液などの無機または有機物質、無機物としては、例えば、塩化カルシウム、リン酸二水素ナトリウム、塩化マグネシウムなどが挙げられる。また、酵母エキス、ビタミン類、生長促進因子などを添加してもよい。培地のｐＨは約５〜８が望ましい。
【００９０】
エシェリヒア属菌を培養する際の培地としては、例えば、グルコース、カザミノ酸を含むＭ９培地〔ミラー（Miller），ジャーナル・オブ・エクスペリメンツ・イン・モレキュラー・ジェネティックス（Journal of Experiments in Molecular Genetics），４３１−４３３，Cold Spring Harbor Laboratory, New York １９７２〕が好ましい。ここに必要によりプロモーターを効率よく働かせるために、例えば、３β−インドリルアクリル酸のような薬剤を加えることができる。
【００９１】
宿主がエシェリヒア属菌の場合、培養は通常約１５〜４３℃で約３〜２４時間行ない、必要により、通気や撹拌を加えることもできる。
【００９２】
宿主がバチルス属菌の場合、培養は通常約３０〜４０℃で約６〜２４時間行ない、必要により通気や撹拌を加えることもできる。
【００９３】
宿主が酵母である形質転換体を培養する際、培地としては、例えば、バークホールダー（Burkholder）最小培地〔Bostian, K. L. ら、「プロシージングズ・オブ・ザ・ナショナル・アカデミー・オブ・サイエンシイズ・オブ・ザ・ユーエスエー（Proc. Natl. Acad. Sci. USA），７７巻，４５０５(１９８０)」や０.５％カザミノ酸を含有するＳＤ培地〔Bitter, G. A. ら、「プロシージングズ・オブ・ザ・ナショナル・アカデミー・オブ・サイエンシイズ・オブ・ザ・ユーエスエー（Proc. Natl. Acad. Sci. USA），８１巻，５３３０（１９８４）」が挙げられる。培地のｐＨは約５〜８に調整するのが好ましい。培養は通常約２０〜３５℃で約２４〜７２時間行ない、必要に応じて通気や撹拌を加える。
【００９４】
宿主が昆虫細胞または昆虫である形質転換体を培養する際、培地としては、Grace's Insect Medium（Grace, T.C.C.,ネイチャー（Nature）,195,788(1962)）に非動化した１０％ウシ血清等の添加物を適宜加えたものなどが用いられる。培地のｐＨは約６．２〜６．４に調整するのが好ましい。培養は通常約２７℃で約３〜５日間行ない、必要に応じて通気や撹拌を加える。
【００９５】
宿主が動物細胞である形質転換体を培養する際、培地としては、例えば、約５〜２０％の胎児牛血清を含むＭＥＭ培地〔サイエンス（Science），１２２巻，５０１(１９５２)〕，ＤＭＥＭ培地〔ヴィロロジー（Virology），８巻，３９６(１９５９)〕，ＲＰＭＩ １６４０培地〔ジャーナル・オブ・ザ・アメリカン・メディカル・アソシエーション（The Journal of the American Medical Association）１９９巻，５１９(１９６７)〕，１９９培地〔プロシージング・オブ・ザ・ソサイエティ・フォー・ザ・バイオロジカル・メディスン（Proceeding of the Society for the Biological Medicine），７３巻，１(１９５０)〕などが用いられる。ｐＨは約６〜８であるのが好ましい。培養は通常約３０〜４０℃で約１５〜６０時間行ない、必要に応じて通気や撹拌を加える。
【００９６】
以上のようにして、形質転換体の細胞内、細胞膜または細胞外に本発明のＧ蛋白質共役型レセプター蛋白質を生成せしめることができる。
【００９７】
上記培養物からＴＧＲ５を分離精製するには、例えば、下記の方法により行なうことができる。
【００９８】
ＴＧＲ５を培養菌体あるいは細胞から抽出するに際しては、培養後、公知の方法で菌体あるいは細胞を集め、これを適当な緩衝液に懸濁し、超音波、リゾチームおよび／または凍結融解などによって菌体あるいは細胞を破壊したのち、遠心分離やろ過によりレセプター蛋白質の粗抽出液を得る方法などが適宜用いられる。緩衝液の中に尿素や塩酸グアニジンなどの蛋白質変性剤や、トリトンＸ−１００TMなどの界面活性剤が含まれていてもよい。培養液中にレセプター蛋白質が分泌される場合には、培養終了後、公知の方法で菌体あるいは細胞と上清とを分離し、上清を集める。
【００９９】
このようにして得られた培養上清、あるいは抽出液中に含まれるレセプター蛋白質の精製は、公知の分離・精製法を適切に組み合わせて行なうことができる。これらの公知の分離、精製法としては、塩析や溶媒沈澱法などの溶解度を利用する方法、透析法、限外ろ過法、ゲルろ過法、およびＳＤＳ−ポリアクリルアミドゲル電気泳動法などの主として分子量の差を利用する方法、イオン交換クロマトグラフィーなどの荷電の差を利用する方法、アフィニティークロマトグラフィーなどの特異的親和性を利用する方法、逆相高速液体クロマトグラフィーなどの疎水性の差を利用する方法、等電点電気泳動法などの等電点の差を利用する方法などが用いられる。
【０１００】
このようにして得られるレセプター蛋白質が遊離体で得られた場合には、公知の方法あるいはそれに準じる方法によって塩に変換することができ、逆に塩で得られた場合には公知の方法あるいはそれに準じる方法により、遊離体または他の塩に変換することができる。
【０１０１】
なお、組換え体が産生するレセプター蛋白質を、精製前または精製後に適当な蛋白質修飾酵素を作用させることにより、任意に修飾を加えたり、ポリペプチドを部分的に除去することもできる。蛋白質修飾酵素としては、例えば、トリプシン、キモトリプシン、アルギニルエンドペプチダーゼ、プロテインキナーゼ、グリコシダーゼなどが用いられる。
【０１０２】
このようにして生成するＴＧＲ５またはその塩の活性は、標識したリガンドとの結合実験および特異抗体を用いたエンザイムイムノアッセイなどにより測定することができる。
【０１０３】
以下に、本発明のＴＧＲ５とコレステロール代謝関連物質またはその塩との結合性を変化させる化合物またはその塩（ＴＧＲ５に対するアゴニストまたはＴＧＲ５に対するアンタゴニストなど）のスクリーニング方法について詳述する。
【０１０４】
ＴＧＲ５、その部分ペプチドまたはその塩（以下、ＴＧＲ５と略記する場合がある）、特に組換え型ＴＧＲ５を発現した細胞と、該ＴＧＲ５とリガンドであるコレステロール代謝関連物質またはその塩との結合性を変化させる低分子合成化合物（以下、合成リガンドと略記する）をサロゲート（surrogate）リガンドとして用いた結合アッセイ系を用いることによって、試験化合物の中からＴＧＲ５アゴニストまたはＴＧＲ５アンタゴニストを効率よくスクリーニングすることができる。
【０１０５】
ＴＧＲ５アゴニストは、ＴＧＲ５に結合して細胞刺激活性を有する化合物である。細胞刺激活性としては、例えば、（１）細胞内ｃＡＭＰ産生、（２）細胞内蛋白質（例、ＭＡＰキナーゼなど）のリン酸化または活性化、（３）細胞外ｐＨの低下、（４）Ｒｈｏ、Ｒａｃ、Ｒａｓなどの低分子量Ｇ蛋白質の活性化、（５）転写因子ＣＲＥ（ｃＡＭＰ  ｒｅｓｐｏｎｓｉｖｅ  ｅｌｅｍｅｎｔ）、ＡＰ１、ＮＦＡＴ、ＳＲＥ（ｓｅｒｕｍ  ｒｅｓｐｏｎｓｉｖｅ  ｅｌｅｍｅｎｔ）などの下流につないだレポーター遺伝子（例、ルシフェラーゼなど）の活性化、（６）細胞内カルシウムイオン変動、（７）細胞内ｃＧＭＰ生成、（８）イノシトールリン酸産生、（９）Ｇｌｕｃａｇｏｎ−ｌｉｋｅ  ｐｅｐｔｉｄｅ−１（ＧＬＰ−１）分泌などを上昇する活性、または（１０）サイトカイン産生抑制活性などが挙げられ、特に細胞内ｃＡＭＰ産生上昇活性、ＭＡＰキナーゼのリン酸化または活性化、ＧＬＰ−１分泌促進活性、サイトカイン産生抑制活性が好ましく用いられる。
【０１０６】
ＴＧＲ５アンタゴニストは、ＴＧＲ５に結合するが、該細胞刺激活性を有しない化合物である。
【０１０７】
また、本発明のスクリーニング方法を用いることにより、コレステロール代謝関連物質またはその塩とＴＧＲ５との結合力を増強する化合物、またはコレステロール代謝関連物質またはその塩とＴＧＲ５との結合力を減少させる化合物などもスクリーニングすることができる。
【０１０８】
すなわち、本発明は、（ｉ）ＴＧＲ５と合成リガンドとを接触させた場合と（ii）ＴＧＲ５と合成リガンドおよび試験化合物とを接触させた場合との比較を行なうことを特徴とするＴＧＲ５アゴニストまたはＴＧＲ５アンタゴニストのスクリーニング方法を提供する。
【０１０９】
本発明のスクリーニング方法においては、（ｉ）と（ii）の場合における、例えば、ＴＧＲ５に対する合成リガンドの結合量、細胞刺激活性などを測定して、比較することを特徴とする。
【０１１０】
より具体的には、本発明は、
（１）標識した合成リガンドをＴＧＲ５に接触させた場合と、標識した合成リガンドおよび試験化合物をＴＧＲ５に接触させた場合における、標識した合成リガンドのＴＧＲ５に対する結合量を測定し、比較することを特徴とするＴＧＲ５アゴニストまたはＴＧＲ５アンタゴニストのスクリーニング方法、
（２）標識した合成リガンドをＴＧＲ５を含有する細胞または該細胞の膜画分に接触させた場合と、標識した合成リガンドおよび試験化合物をＴＧＲ５を含有する細胞または該細胞の膜画分に接触させた場合における、標識した合成リガンドの該細胞または該膜画分に対する結合量を測定し、比較することを特徴とするＴＧＲ５アゴニストまたはＴＧＲ５アンタゴニストのスクリーニング方法、
（３）標識した合成リガンドをＴＧＲ５ＤＮＡを含有する形質転換体を培養することによって細胞膜上に発現したＴＧＲ５に接触させた場合と、標識した合成リガンドおよび試験化合物をＴＧＲ５ＤＮＡを含有する形質転換体を培養することによって細胞膜上に発現したＴＧＲ５に接触させた場合における、標識した合成リガンドの該ＴＧＲ５に対する結合量を測定し、比較することを特徴とするＴＧＲ５アゴニストまたはＴＧＲ５アンタゴニストのスクリーニング方法、
（４）試験化合物をＴＧＲ５を含有する細胞または組織（例、ＣＨＯ細胞、ＮＣＩ−Ｈ７１６、マクロファージ、単球、腸管）に接触させた場合における、ＴＧＲ５を介した細胞刺激活性を測定し、比較することを特徴とするＴＧＲ５アゴニストまたはＴＧＲ５アンタゴニストのスクリーニング方法、および
（５）試験化合物をＴＧＲ５ＤＮＡを含有する形質転換体を培養することによって細胞膜上に発現したＴＧＲ５に接触させた場合における、ＴＧＲ５を介する細胞刺激活性を測定し、比較することを特徴とするＴＧＲ５アゴニストまたはＴＧＲ５アンタゴニストのスクリーニング方法、
（６）合成アゴニストをＴＧＲ５を含有する細胞または組織（例、ＣＨＯ細胞、ＮＣＩ−Ｈ７１６、マクロファージ、単球、腸管）に接触させた場合と、合成アゴニストおよび試験化合物をＴＧＲ５を含有する細胞に接触させた場合における、ＴＧＲ５を介した細胞刺激活性を測定し、比較することを特徴とするＴＧＲ５アンタゴニストのスクリーニング方法、および
（７）合成アゴニストをＴＧＲ５ＤＮＡを含有する形質転換体を培養することによって細胞膜上に発現したＴＧＲ５に接触させた場合と、合成アゴニストおよび試験化合物をＴＧＲ５ＤＮＡを含有する形質転換体を培養することによって細胞膜上に発現したＴＧＲ５に接触させた場合における、ＴＧＲ５を介する細胞刺激活性を測定し、比較することを特徴とするＴＧＲ５アンタゴニストのスクリーニング方法を提供する。
【０１１１】
ＴＧＲ５またはＴＧＲ５を発現する細胞は上記の方法を用いて製造することができる。
【０１１２】
細胞刺激活性としては、例えば、（１）細胞内ｃＡＭＰ産生、（２）細胞内蛋白質（例、ＭＡＰキナーゼなど）のリン酸化または活性化、（３）細胞外ｐＨの低下、（４）Ｒｈｏ、Ｒａｃ、Ｒａｓなどの低分子量Ｇ蛋白質の活性化、（５）転写因子ＣＲＥ（ｃＡＭＰ  ｒｅｓｐｏｎｓｉｖｅ  ｅｌｅｍｅｎｔ）、ＡＰ１、ＮＦＡＴ、ＳＲＥ（ｓｅｒｕｍ  ｒｅｓｐｏｎｓｉｖｅ  ｅｌｅｍｅｎｔ）などの下流につないだレポーター遺伝子（例、ルシフェラーゼなど）の活性化、（６）細胞内カルシウムイオン変動、（７）細胞内ｃＧＭＰ生成、（８）イノシトールリン酸産生、（９）Ｇｌｕｃａｇｏｎ−ｌｉｋｅ  ｐｅｐｔｉｄｅ−１（ＧＬＰ−１）分泌などを上昇する活性、または（１０）サイトカイン産生抑制活性などが挙げられ、なかでも細胞内ｃＡＭＰ産生上昇活性、ＭＡＰキナーゼのリン酸化または活性化、ＧＬＰ−１分泌促進活性、サイトカイン産生抑制活性が好ましい。
【０１１３】
該ＴＧＲ５とリガンドであるコレステロール代謝関連物質またはその塩との結合性を変化させる低分子合成化合物またはその塩（合成リガンド）としては、低分子合成アゴニスト（以下、合成アゴニストと略記する）が好ましく用いられる。
【０１１４】
合成リガンドは、上記したスクリーニング方法において、合成リガンド（合成アゴニスト）に代えて、後述する天然リガンドであるコレステロール代謝関連物質またはその塩などを用いることによって、入手することができる。具体的には、後述する本発明化合物などが用いられる。
【０１１５】
試験化合物としては、例えば、ペプチド、蛋白質、非ペプチド性化合物、合成化合物、発酵生産物、細胞抽出液、植物抽出液、動物組織抽出液、血漿などが用いられ、これら化合物は新規な化合物であってもよいし、公知の化合物であってもよい。
【０１１６】
試験化合物は塩を形成していてもよく、試験化合物の塩としては、薬理学的に許容される塩が好ましく、例えば無機塩基との塩、有機塩基との塩、無機酸との塩、有機酸との塩、塩基性または酸性アミノ酸との塩などが挙げられる。
【０１１７】
無機塩基との塩の好適な例としては、例えばナトリウム塩、カリウム塩、リチウム塩などのアルカリ金属塩；カルシウム塩、マグネシウム塩などのアルカリ土類金属塩；アルミニウム塩、アンモニウム塩などが挙げられる。
【０１１８】
有機塩基との塩の好適な例としては、例えばトリメチルアミン、トリエチルアミン、ピリジン、ピコリン、エタノールアミン、ジエタノールアミン、トリエタノールアミン、ジシクロヘキシルアミン、Ｎ，Ｎ−ジベンジルエチレンジアミンなどとの塩が挙げられる。
【０１１９】
無機酸との塩の好適な例としては、例えば塩酸、臭化水素酸、硝酸、硫酸、リン酸などとの塩が挙げられる。
【０１２０】
有機酸との塩の好適な例としては、例えばギ酸、酢酸、トリフルオロ酢酸、フマル酸、シュウ酸、酒石酸、マレイン酸、クエン酸、コハク酸、リンゴ酸、メタンスルホン酸、ベンゼンスルホン酸、ｐ−トルエンスルホン酸などとの塩が挙げられる。
【０１２１】
塩基性アミノ酸との塩の好適な例としては、例えばアルギニン、リジン、オルニチンなどとの塩が挙げられる。
【０１２２】
酸性アミノ酸との塩の好適な例としては、例えばアスパラギン酸、グルタミン酸などとの塩が挙げられる。
【０１２３】
また、試験化合物としては、ＴＧＲ５の活性部位の原子座標およびリガンド結合ポケットの位置に基づいて、リガンド結合ポケットに結合するように設計された化合物が好ましく用いられる。ＴＧＲ５の活性部位の原子座標およびリガンド結合ポケットの位置の測定は、公知の方法あるいはそれに準じる方法を用いて行うことができる。
【０１２４】
本発明のスクリーニング方法において、ＴＧＲ５を含有する細胞を用いる場合、該細胞をグルタルアルデヒド、ホルマリンなどで固定化してもよい。固定化方法は公知の方法に従って行なうことができる。
【０１２５】
ＴＧＲ５を含有する細胞としては、ＴＧＲ５を発現した宿主細胞をいうが、該宿主細胞としては、大腸菌、枯草菌、酵母、昆虫細胞、動物細胞などが好ましい。
【０１２６】
細胞膜画分としては、細胞を破砕した後、公知の方法で得られる細胞膜が多く含まれる画分のことをいう。細胞の破砕方法としては、Potter−Elvehjem型ホモジナイザーで細胞を押し潰す方法、ワーリングブレンダーやポリトロン（Kinematica社製）のよる破砕、超音波による破砕、フレンチプレスなどで加圧しながら細胞を細いノズルから噴出させることによる破砕などが挙げられる。細胞膜の分画には、分画遠心分離法や密度勾配遠心分離法などの遠心力による分画法が主として用いられる。例えば、細胞破砕液を低速（５００〜３０００ｒｐｍ）で短時間（通常、約１〜１０分）遠心し、上清をさらに高速（１５０００〜３００００ｒｐｍ）で通常３０分〜２時間遠心し、得られる沈澱を膜画分とする。該膜画分中には、発現したＴＧＲ５と細胞由来のリン脂質や膜蛋白質などの膜成分が多く含まれる。
【０１２７】
ＴＧＲ５を含有する細胞や膜画分中のレセプター蛋白質の量は、１細胞当たり１０3〜１０8分子であるのが好ましく、１０5〜１０7分子であるのが好適である。なお、発現量が多いほど膜画分当たりのリガンド結合活性（比活性）が高くなり、高感度なスクリーニング系の構築が可能になるばかりでなく、同一ロットで大量の試料を測定できるようになる。
【０１２８】
上記のスクリーニング方法（１）〜（３）を実施するためには、例えば、適当なＴＧＲ５画分と標識した合成リガンドが必要である。
【０１２９】
ＴＧＲ５画分としては、天然型のＴＧＲ５画分か、またはそれと同等の活性を有する組換え型ＴＧＲ５画分などが望ましい。ここで、同等の活性とは、同等のリガンド結合活性、シグナル情報伝達作用などを示す。
【０１３０】
標識した合成リガンドとしては、例えば、〔3Ｈ〕、〔125Ｉ〕、〔14Ｃ〕、〔35Ｓ〕などで標識された合成リガンドなどが用いられる。
【０１３１】
具体的には、ＴＧＲ５アゴニストまたはＴＧＲ５アンタゴニストのスクリーニングを行なうには、まずＴＧＲ５を含有する細胞または細胞の膜画分を、スクリーニングに適したバッファーに懸濁することによりＴＧＲ５標品を調製する。バッファーには、ｐＨ４〜１０（望ましくはｐＨ６〜８）のリン酸バッファー、トリス−塩酸バッファーなどのリガンドとレセプター蛋白質との結合を阻害しないバッファーであればいずれでもよい。また、非特異的結合を低減させる目的で、ＣＨＡＰＳ、Ｔｗｅｅｎ−８０TM（花王−アトラス社）、ジギトニン、デオキシコレートなどの界面活性剤をバッファーに加えることもできる。さらに、プロテアーゼによるレセプター蛋白質やリガンドの分解を抑える目的でＰＭＳＦ、ロイペプチン、Ｅ−６４（ペプチド研究所製）、ペプスタチンなどのプロテアーゼ阻害剤を添加することもできる。０.０１〜１０ｍｌの該レセプター蛋白質溶液に、一定量（５０００〜５０００００ｃｐｍ）の標識した合成リガンドを添加し、同時に１０-4Ｍ〜１０-10Ｍの試験化合物を共存させる。非特異的結合量（ＮＳＢ）を知るために大過剰の未標識の合成リガンドを加えた反応チューブも用意する。反応は約０〜５０℃、望ましくは約４〜３７℃で、約２０分〜２４時間、望ましくは約３０分〜３時間行う。反応後、ガラス繊維濾紙等で濾過し、適量の同バッファーで洗浄した後、ガラス繊維濾紙に残存する放射活性を液体シンチレーションカウンターまたはγ−カウンターで計測する。拮抗する物質がない場合のカウント（Ｂ0）から非特異的結合量（ＮＳＢ）を引いたカウント（Ｂ0−ＮＳＢ）を１００％とした時、特異的結合量（Ｂ−ＮＳＢ）が、例えば、５０％以下になる試験化合物を拮抗阻害能力のある候補物質（アゴニストまたはアンタゴニスト）として選択することができる。
【０１３２】
ＴＧＲ５アゴニストまたはアンタゴニストのスクリーニング方法（４）〜（７）を実施するためには、例えば、ＴＧＲ５を介する細胞刺激活性を公知の方法または市販の測定用キットを用いて測定することができる。
【０１３３】
具体的には、まず、ＴＧＲ５を含有する細胞をマルチウェルプレート等に培養する。スクリーニングを行なうにあたっては前もって新鮮な培地あるいは細胞に毒性を示さない適当なバッファーに交換し、試験化合物などを添加して一定時間インキュベートした後、細胞を抽出あるいは上清液を回収して、生成した産物をそれぞれの方法に従って定量する。細胞刺激活性の指標とする物質（例えば、ｃＡＭＰなど）の生成が、細胞が含有する分解酵素によって検定困難な場合は、該分解酵素に対する阻害剤を添加してアッセイを行なってもよい。また、ｃＡＭＰ産生抑制などの活性については、フォルスコリンなどで細胞の基礎的産生量を増大させておいた細胞に対する産生抑制作用として検出することができる。
【０１３４】
例えば、上記のスクリーニング方法（１）〜（３）で選択された試験化合物の中で、上記スクリーニング方法（４）〜（５）において、上記した細胞刺激活性（特に細胞内ｃＡＭＰ産生活性、ＭＡＰキナーゼのリン酸化または活性化、ＧＬＰ−１分泌活性）を約１０％、好ましくは約２０％以上、より好ましくは約５０％以上上昇させる試験化合物をＴＧＲ５アゴニストとして選択することができる。
【０１３５】
一方、上記のスクリーニング方法（１）〜（３）で選択された試験化合物の中で、上記スクリーニング方法（４）〜（５）において上記した細胞刺激活性（特に細胞内ｃＡＭＰ産生活性、ＭＡＰキナーゼのリン酸化または活性化、ＧＬＰ−１分泌活性）を上昇させない試験化合物をＴＧＲ５アンタゴニストとして選択することができる。
【０１３６】
また、上記のスクリーニング方法（１）〜（３）で選択された試験化合物の中で、上記スクリーニング方法（４）〜（５）において上記した細胞刺激活性（特に細胞内ｃＡＭＰ産生活性、ＭＡＰキナーゼのリン酸化または活性化、ＧＬＰ−１分泌活性）を示さない試験化合物または上記スクリーニング方法（６）〜（７）において、上記した細胞刺激活性（特に細胞内ｃＡＭＰ産生活性、ＭＡＰキナーゼのリン酸化または活性化、ＧＬＰ−１分泌活性）を約１０％、好ましくは約２０％以上、より好ましくは約５０％以上減少させる試験化合物をＴＧＲ５アンタゴニストとして選択することができる。
【０１３７】
本発明のＴＧＲ５アゴニストまたはアンタゴニストのスクリーニング用キットは、ＴＧＲ５、ＴＧＲ５を含有する細胞またはＴＧＲ５を含有する細胞膜画分を含有するものなどである。
【０１３８】
本発明のスクリーニング用キットの例としては、次のものが挙げられる。
【０１３９】
１．スクリーニング用試薬  
（１）測定用緩衝液および洗浄用緩衝液
Hanks' Balanced Salt Solution（ギブコ社製）に、０.０５％のウシ血清アルブミン（シグマ社製）を加えたもの。
【０１４０】
孔径０.４５μｍのフィルターで濾過滅菌し、４℃で保存するか、あるいは用時調製しても良い。
【０１４１】
（２）ＴＧＲ５標品
ＴＧＲ５を発現させたＣＨＯ細胞を、１２穴プレートに５×１０5個／穴で継代し、３７℃、５％ＣＯ2、９５％ａｉｒで２日間培養したもの。
【０１４２】
（３）標識合成リガンド
市販の〔3Ｈ〕、〔125Ｉ〕、〔14Ｃ〕、〔35Ｓ〕などで標識した合成リガンド
水溶液の状態のものを４℃あるいは−２０℃にて保存し、用時に測定用緩衝液にて１μＭに希釈する。
【０１４３】
（４）合成リガンド標準液
合成リガンドを０.１％ウシ血清アルブミン（シグマ社製）を含むＰＢＳで１ｍＭとなるように溶解し、−２０℃で保存する。
【０１４４】
２．測定法
（１）１２穴組織培養用プレートにて培養したＴＧＲ５発現ＣＨＯ細胞を、測定用緩衝液１ｍｌで２回洗浄した後、４９０μｌの測定用緩衝液を各穴に加える。
【０１４５】
（２）１０-3〜１０-10Ｍの試験化合物溶液を５μｌ加えた後、標識合成リガンドを５μｌ加え、室温にて１時間反応させる。非特異的結合量を知るためには試験化合物の代わりに１０-3Ｍの合成リガンドを５μｌ加えておく。
【０１４６】
（３）反応液を除去し、１ｍｌの洗浄用緩衝液で３回洗浄する。細胞に結合した標識リガンドを０.２Ｎ  ＮａＯＨ−１％ＳＤＳで溶解し、４ｍｌの液体シンチレーターＡ（和光純薬製）と混合する。
【０１４７】
（４）液体シンチレーションカウンター（ベックマン社製）を用いて放射活性を測定し、Percent Maximum Binding（ＰＭＢ）を次の式で求める。
【０１４８】
ＰＭＢ＝［（Ｂ−ＮＳＢ）／（Ｂ0−ＮＳＢ）］×１００
ＰＭＢ：Percent Maximum Binding
Ｂ    ：検体を加えた時の値
ＮＳＢ：Non-specific Binding（非特異的結合量）
Ｂ0   ：最大結合量
本発明のスクリーニング方法の特徴は、天然リガンドとＴＧＲ５を用いてスクリーニングされた合成リガンドを用いて、ＴＧＲ５アゴニストまたはＴＧＲ５アンタゴニストをスクリーニングすることにある。合成リガンドを用いることによって、リガンドへの標識が容易であり、効率良くスクリーニングを行うことができるという点で、天然物である内因性リガンドを用いたスクリーニングと比較して有利である。
【０１４９】
なお、ＴＧＲ５として、配列番号：３６で表わされるアミノ酸配列からなるＴＧＲ５（モルモットＴＧＲ５）を使用する場合は、合成リガンドに代えて、天然リガンドであるコレステロール代謝関連物質またはその塩を用いて、ＴＧＲ５アゴニストまたはＴＧＲ５アンタゴニストをスクリーニングしてもよい。
【０１５０】
また、ＧＬＰ−１分泌促進薬（ＴＧＲ５アゴニスト）またはＧＬＰ−１分泌抑制薬（ＴＧＲ５アンタゴニスト）をスクリーニングする場合も、合成リガンドに代えて、天然リガンドであるコレステロール代謝関連物質またはその塩を用いてもよい。
【０１５１】
コレステロール代謝関連物質としては、例えば、胆汁酸（例、タウロリトコール酸、グリコリトコール酸、タウロデオキシコール酸、グリコデオキシコール酸、ノルデオキシコール酸、７−ケトリトコール酸、５β−プレグナン−３，２０−オン、コール酸、リトコール酸、デオキシコール酸、タウロコール酸、グリココール酸、ケノデオキシコール酸、ウルソデオキシコール酸、タウロケノデキシコール酸、グリコケノデオキシコール酸）、エピアンドロステロン、（＋）−４−アンドロステン−３，１７−ジオン、シス−アンドロステロン、１１β−ヒドロキシプロゲステロン、１７α−ヒドロキシプロゲステロン、１１−デオキシコルチコステロン、１１−デオキシコルチゾール、デヒドロイソアンドロステロン、３α−ヒドロキシ−５α−プレグナン−２０−オン、４−プレグネン−２０α−オール−３−オン、５α−デヒドロテストステロン、テストステロン、プロゲステロンなどが用いられる。胆汁酸はグリシン包合体やタウリン包合体などの包合体の形態であってもよく、また胆汁酸はエステル（−ＣＯＯＲ）またはアミド誘導体（−ＣＯＮＲ（Ｒ））であってもよい。
【０１５２】
コレステロール代謝関連物質の塩としては、薬理学的に許容される塩が好ましく、例えば無機塩基との塩、有機塩基との塩、無機酸との塩、有機酸との塩、塩基性または酸性アミノ酸との塩などが挙げられる。とりわけ、無機塩基との塩、有機塩基との塩、塩基性アミノ酸との塩が用いられる。
【０１５３】
無機塩基との塩の好適な例としては、例えばナトリウム塩、カリウム塩、リチウム塩などのアルカリ金属塩；カルシウム塩、マグネシウム塩などのアルカリ土類金属塩；アルミニウム塩、アンモニウム塩などが挙げられる。
【０１５４】
有機塩基との塩の好適な例としては、例えばトリメチルアミン、トリエチルアミン、ピリジン、ピコリン、エタノールアミン、ジエタノールアミン、トリエタノールアミン、ジシクロヘキシルアミン、Ｎ，Ｎ−ジベンジルエチレンジアミンなどとの塩が挙げられる。
【０１５５】
無機酸との塩の好適な例としては、例えば塩酸、臭化水素酸、硝酸、硫酸、リン酸などとの塩が挙げられる。
【０１５６】
有機酸との塩の好適な例としては、例えばギ酸、酢酸、トリフルオロ酢酸、フマル酸、シュウ酸、酒石酸、マレイン酸、クエン酸、コハク酸、リンゴ酸、メタンスルホン酸、ベンゼンスルホン酸、ｐ−トルエンスルホン酸などとの塩が挙げられる。
【０１５７】
塩基性アミノ酸との塩の好適な例としては、例えばアルギニン、リジン、オルニチンなどとの塩が挙げられる。
【０１５８】
酸性アミノ酸との塩の好適な例としては、例えばアスパラギン酸、グルタミン酸などとの塩が挙げられる。
【０１５９】
本発明のスクリーニング方法またはスクリーニング用キットを用いて得られる化合物またはその塩は、ＴＧＲ５アゴニストまたはＴＧＲ５アンタゴニストである。
【０１６０】
ＴＧＲ５アゴニストまたはＴＧＲ５アンタゴニストは塩を形成していてもよく、そのような塩としては、薬理学的に許容される塩が好ましく、例えば無機塩基との塩、有機塩基との塩、無機酸との塩、有機酸との塩、塩基性または酸性アミノ酸との塩などが挙げられる。
【０１６１】
無機塩基との塩の好適な例としては、例えばナトリウム塩、カリウム塩、リチウム塩などのアルカリ金属塩；カルシウム塩、マグネシウム塩などのアルカリ土類金属塩；アルミニウム塩、アンモニウム塩などが挙げられる。
【０１６２】
有機塩基との塩の好適な例としては、例えばトリメチルアミン、トリエチルアミン、ピリジン、ピコリン、エタノールアミン、ジエタノールアミン、トリエタノールアミン、ジシクロヘキシルアミン、Ｎ，Ｎ−ジベンジルエチレンジアミンなどとの塩が挙げられる。
【０１６３】
無機酸との塩の好適な例としては、例えば塩酸、臭化水素酸、硝酸、硫酸、リン酸などとの塩が挙げられる。
【０１６４】
有機酸との塩の好適な例としては、例えばギ酸、酢酸、トリフルオロ酢酸、フマル酸、シュウ酸、酒石酸、マレイン酸、クエン酸、コハク酸、リンゴ酸、メタンスルホン酸、ベンゼンスルホン酸、ｐ−トルエンスルホン酸などとの塩が挙げられる。
【０１６５】
塩基性アミノ酸との塩の好適な例としては、例えばアルギニン、リジン、オルニチンなどとの塩が挙げられる。
【０１６６】
酸性アミノ酸との塩の好適な例としては、例えばアスパラギン酸、グルタミン酸などとの塩が挙げられる。
【０１６７】
ＴＧＲ５アゴニストは、ＴＧＲ５に対するコレステロール代謝関連物質またはその塩が有する生理活性と同様の作用を有しているので、該コレステロール代謝関連物質活性に応じて安全で低毒性な医薬として有用である。
【０１６８】
ＴＧＲ５アンタゴニストは、ＴＧＲ５に対するコレステロール代謝関連物質またはその塩が有する生理活性を抑制することができるので、該コレステロール代謝関連物質活性を抑制する安全で低毒性な医薬として有用である。
【０１６９】
コレステロール代謝関連物質またはその塩とＴＧＲ５との結合力を増強する化合物またはその塩は、ＴＧＲ５に対するコレステロール代謝関連物質またはその塩が有する生理活性を増強するための安全で低毒性な医薬として有用である。
【０１７０】
コレステロール代謝関連物質またはその塩とＴＧＲ５との結合力を減少させる化合物またはその塩は、ＴＧＲ５に対するコレステロール代謝関連物質またはその塩が有する生理活性を減少させるための安全で低毒性な医薬として有用である。
【０１７１】
ＴＧＲ５アゴニストまたはＴＧＲ５アンタゴニストは、例えば、中枢疾患（例えば、アルツハイマー病、痴呆、摂食障害など）、炎症性疾患（例えば、アレルギー、リュウマチ、変形性関節症、エリテマトーデスなど）、循環器疾患（例えば、高血圧症、心肥大、狭心症、動脈硬化症等）、癌（例えば、非小細胞肺癌、卵巣癌、前立腺癌、胃癌、膀胱癌、乳癌、子宮頸部癌、結腸癌、直腸癌等）、呼吸器疾患（例えば、肺炎、気管支炎、喘息、肺繊維症など）、糖尿病、免疫系疾患（例えば、クローン病、アトピー性皮膚炎、自己免疫疾患、免疫不全、白血病等）、肝臓・胆のう疾患（例えば、肝硬変、肝炎、肝不全、胆汁うっ滞症、結石等）、消化管疾患（例えば、潰瘍、腸炎、吸収不良、炎症性腸疾患等）、感染症、肥満、移植医療後の過剰免疫反応、インスリン分泌不全、膵疲弊、低血糖などの疾患の予防・治療剤として有用である。
【０１７２】
これらの疾患のうち、免疫機能、マクロファージ機能などが亢進することに起因する疾患（例えば、炎症性疾患、移植医療後の過剰免疫反応など）の予防・治療には、特にＴＧＲ５アゴニストが有効である。さらに、ＴＧＲ５アゴニストは、Ｇｌｕｃａｇｏｎ−ｌｉｋｅ  ｐｅｐｔｉｄｅ−１（ＧＬＰ−１）分泌促進剤、食欲抑制剤、膵臓の再生剤、膵β細胞分化促進剤、膵β細胞増殖促進剤などとしても有効であり、例えば、糖尿病、インスリン分泌不全、膵疲弊、肥満の予防・治療剤として使用することができる。
【０１７３】
一方、免疫機能、マクロファージ機能などが抑制されることに起因する疾患（例えば、免疫不全、感染症など）の予防・治療には、特にＴＧＲ５アンタゴニストが有効である。さらに、ＴＧＲ５アンタゴニストは、Ｇｌｕｃａｇｏｎ−ｌｉｋｅ  ｐｅｐｔｉｄｅ−１（ＧＬＰ−１）分泌抑制剤、膵β細胞分化抑制剤、膵β細胞増殖抑制剤として有効であり、例えば、低血糖の予防・治療剤として使用することができる。
【０１７４】
また、ＴＧＲ５アゴニスト、ＴＧＲ５アンタゴニスト、コレステロール代謝関連物質またはその塩とＴＧＲ５との結合力を増強する化合物またはその塩、またはコレステロール代謝関連物質またはその塩とＴＧＲ５との結合力を減少させる化合物またはその塩は、例えば、ソマトスタチン、コレシストキニン、Ｇｌｕｃａｇｏｎ−ｌｉｋｅ  ｐｅｐｔｉｄｅ−２（ＧＬＰ−２）、Ｇａｓｔｏｒｉｃ  ｉｎｈｉｂｉｔｏｒｙ  ｐｏｌｙｐｅｐｔｉｄｅ（＝Ｇｌｕｃｏｓｅ  ｄｅｐｅｎｄｅｎｔ  ｉｎｓｕｌｉｎｏｔｒｏｐｉｃ  ｐｅｐｔｉｄｅ）、Ｇａｓｔｒｉｎ、Ｇａｓｔｒｉｎ  ｒｅｌｅａｓｉｎｇ  ｐｅｐｔｉｄｅ、グレリン、グリセンチンなどの分泌調節剤として使用することができる。
【０１７５】
本発明のスクリーニング方法またはスクリーニング用キットを用いて得られるＴＧＲ５アゴニストまたはＴＧＲ５アンタゴニストを上記の医薬（組成物）として使用する場合、常套手段に従って実施することができる。
【０１７６】
例えば、該化合物またはその塩を、必要に応じて糖衣を施した錠剤、カプセル剤、エリキシル剤、マイクロカプセル剤などとして経口的に、あるいは水もしくはそれ以外の薬学的に許容し得る液との無菌性溶液、または懸濁液剤などの注射剤の形で非経口的に使用できる。例えば、該化合物またはその塩を、生理学的に認められる公知の担体、香味剤、賦形剤、ベヒクル、防腐剤、安定剤、結合剤などとともに一般に認められた製剤実施に要求される単位用量形態で混和することによって製造することができる。これら製剤における有効成分量は指示された範囲の適当な容量が得られるようにするものである。
【０１７７】
錠剤、カプセル剤などに混和することができる添加剤としては、例えば、ゼラチン、コーンスターチ、トラガント、アラビアゴムのような結合剤、結晶性セルロースのような賦形剤、コーンスターチ、ゼラチン、アルギン酸などのような膨化剤、ステアリン酸マグネシウムのような潤滑剤、ショ糖、乳糖またはサッカリンのような甘味剤、ペパーミント、アカモノ油またはチェリーのような香味剤などが用いられる。調剤単位形態がカプセルである場合には、上記タイプの材料にさらに油脂のような液状担体を含有することができる。注射のための無菌組成物は注射用水のようなベヒクル中の活性物質、胡麻油、椰子油などのような天然産出植物油などを溶解または懸濁させるなどの通常の製剤実施に従って処方することができる。注射用の水性液としては、例えば、生理食塩水、ブドウ糖やその他の補助薬を含む等張液（例えば、Ｄ−ソルビトール、Ｄ−マンニトール、塩化ナトリウムなど）などが用いられ、適当な溶解補助剤、例えば、アルコール（例、エタノール）、ポリアルコール（例、プロピレングリコール、ポリエチレングリコール）、非イオン性界面活性剤（例、ポリソルベート８０TM、ＨＣＯ−５０）などと併用してもよい。油性液としては、例えば、ゴマ油、大豆油などが用いられ、溶解補助剤である安息香酸ベンジル、ベンジルアルコールなどと併用してもよい。
【０１７８】
また、該化合物またはその塩は、例えば、緩衝剤（例えば、リン酸塩緩衝液、酢酸ナトリウム緩衝液）、無痛化剤（例えば、塩化ベンザルコニウム、塩酸プロカインなど）、安定剤（例えば、ヒト血清アルブミン、ポリエチレングリコールなど）、保存剤（例えば、ベンジルアルコール、フェノールなど）、酸化防止剤などと配合してもよい。調製された注射液は通常、適当なアンプルに充填される。
【０１７９】
このようにして得られる製剤は安全で低毒性であるので、例えば、ヒトやその他の哺乳動物（例えば、ラット、マウス、モルモット、ウサギ、ヒツジ、ブタ、ウシ、ネコ、イヌ、サルなど）に対して投与することができる。
【０１８０】
ＴＧＲ５アゴニストの投与量は、投与対象、対象臓器、症状、投与方法などにより差異はあるが、経口投与の場合、一般的に例えば、炎症性疾患患者（体重６０ｋｇとして）においては、一日につき約０.１〜１００ｍｇ、好ましくは約１．０〜５０ｍｇ、より好ましくは約１．０〜２０ｍｇである。非経口的に投与する場合は、その１回投与量は投与対象、対象臓器、症状、投与方法などによっても異なるが、例えば、注射剤の形では通常例えば、炎症性疾患患者（体重６０ｋｇとして）においては、一日につき約０．０１〜３０ｍｇ程度、好ましくは約０．１〜２０ｍｇ程度、より好ましくは約０．１〜１０ｍｇ程度を静脈注射により投与するのが好都合である。他の動物の場合も、体重６０ｋｇ当たりに換算した量を投与することができる。
【０１８１】
一方、ＴＧＲ５アンタゴニストの投与量は、投与対象、対象臓器、症状、投与方法などにより差異はあるが、経口投与の場合、一般的に例えば、免疫不全患者（体重６０ｋｇとして）においては、一日につき約０.１〜１００ｍｇ、好ましくは約１．０〜５０ｍｇ、より好ましくは約１．０〜２０ｍｇである。非経口的に投与する場合は、その１回投与量は投与対象、対象臓器、症状、投与方法などによっても異なるが、例えば、注射剤の形では通常例えば、免疫不全患者（体重６０ｋｇとして）においては、一日につき約０．０１〜３０ｍｇ程度、好ましくは約０．１〜２０ｍｇ程度、より好ましくは約０．１〜１０ｍｇ程度を静脈注射により投与するのが好都合である。他の動物の場合も、体重６０ｋｇ当たりに換算した量を投与することができる。
【０１８２】
モルモットＴＧＲ５もしくはその部分ペプチドまたはその塩に対する抗体は、モルモットＴＧＲ５もしくはその部分ペプチドまたはその塩を認識し得る抗体であれば、ポリクローナル抗体、モノクローナル抗体の何れであってもよい。
【０１８３】
モルモットＴＧＲ５もしくはその部分ペプチドまたはその塩（以下、モルモットＴＧＲ５と略記する場合がある）に対する抗体は、モルモットＴＧＲ５を抗原として用い、公知の抗体または抗血清の製造法に従って製造することができる。
【０１８４】
〔モノクローナル抗体の作製〕
（ａ）モノクローナル抗体産生細胞の作製
モルモットＴＧＲ５は、哺乳動物に対して投与により抗体産生が可能な部位にそれ自体あるいは担体、希釈剤とともに投与される。投与に際して抗体産生能を高めるため、完全フロイントアジュバントや不完全フロイントアジュバントを投与してもよい。投与は通常２〜６週毎に１回ずつ、計２〜１０回程度行なわれる。用いられる哺乳動物としては、例えば、サル、ウサギ、イヌ、モルモット、マウス、ラット、ヒツジ、ヤギが挙げられるが、マウスおよびラットが好ましく用いられる。
【０１８５】
モノクローナル抗体産生細胞の作製に際しては、抗原を免疫された温血動物、例えば、マウスから抗体価の認められた個体を選択し最終免疫の２〜５日後に脾臓またはリンパ節を採取し、それらに含まれる抗体産生細胞を骨髄腫細胞と融合させることにより、モノクローナル抗体産生ハイブリドーマを調製することができる。抗血清中の抗体価の測定は、例えば、後記の標識化レセプター蛋白質等と抗血清とを反応させたのち、抗体に結合した標識剤の活性を測定することにより行なうことができる。融合操作は既知の方法、例えば、ケーラーとミルスタインの方法〔ネイチャー（Nature）、２５６巻、４９５頁（１９７５年）〕に従い実施することができる。融合促進剤としては、例えば、ポリエチレングリコール（ＰＥＧ）やセンダイウイルスなどが挙げられるが、好ましくはＰＥＧが用いられる。
【０１８６】
骨髄腫細胞としては、例えば、ＮＳ−１、Ｐ３Ｕ１、ＳＰ２／０などが挙げられるが、Ｐ３Ｕ１が好ましく用いられる。用いられる抗体産生細胞（脾臓細胞）数と骨髄腫細胞数との好ましい比率は１：１〜２０：１程度であり、ＰＥＧ（好ましくは、ＰＥＧ１０００〜ＰＥＧ６０００）が１０〜８０％程度の濃度で添加され、約２０〜４０℃、好ましくは約３０〜３７℃で約１〜１０分間インキュベートすることにより効率よく細胞融合を実施できる。
【０１８７】
モノクローナル抗体産生ハイブリドーマのスクリーニングには種々の方法が使用できるが、例えば、レセプター蛋白質等の抗原を直接あるいは担体とともに吸着させた固相（例、マイクロプレート）にハイブリドーマ培養上清を添加し、次に放射性物質や酵素などで標識した抗免疫グロブリン抗体（細胞融合に用いられる細胞がマウスの場合、抗マウス免疫グロブリン抗体が用いられる）またはプロテインＡを加え、固相に結合したモノクローナル抗体を検出する方法、抗免疫グロブリン抗体またはプロテインＡを吸着させた固相にハイブリドーマ培養上清を添加し、放射性物質や酵素などで標識したレセプター蛋白質等を加え、固相に結合したモノクローナル抗体を検出する方法などが挙げられる。
【０１８８】
モノクローナル抗体の選別は、公知あるいはそれに準じる方法に従って行なうことができるが、通常はＨＡＴ（ヒポキサンチン、アミノプテリン、チミジン）を添加した動物細胞用培地などで行なうことができる。選別および育種用培地としては、ハイブリドーマが生育できるものならばどのような培地を用いても良い。例えば、１〜２０％、好ましくは１０〜２０％の牛胎児血清を含むＲＰＭＩ １６４０培地、１〜１０％の牛胎児血清を含むＧＩＴ培地（和光純薬工業（株））またはハイブリドーマ培養用無血清培地（ＳＦＭ−１０１、日水製薬（株））などを用いることができる。培養温度は、通常２０〜４０℃、好ましくは約３７℃である。培養時間は、通常５日〜３週間、好ましくは１週間〜２週間である。培養は、通常５％炭酸ガス下で行なうことができる。ハイブリドーマ培養上清の抗体価は、上記の抗血清中の抗体価の測定と同様にして測定できる。
【０１８９】
（ｂ）モノクローナル抗体の精製
モノクローナル抗体の分離精製は、通常のポリクローナル抗体の分離精製と同様に免疫グロブリンの分離精製法〔例、塩析法、アルコール沈殿法、等電点沈殿法、電気泳動法、イオン交換体（例、ＤＥＡＥ）による吸脱着法、超遠心法、ゲルろ過法、抗原結合固相またはプロテインＡあるいはプロテインＧなどの活性吸着剤により抗体のみを採取し、結合を解離させて抗体を得る特異的精製法〕に従って行なうことができる。
【０１９０】
〔ポリクローナル抗体の作製〕
本発明のポリクローナル抗体は、公知あるいはそれに準じる方法にしたがって製造することができる。例えば、免疫抗原（レセプター蛋白質等の抗原）とキャリアー蛋白質との複合体をつくり、上記のモノクローナル抗体の製造法と同様に哺乳動物に免疫を行ない、該免疫動物からモルモットＴＧＲ５に対する抗体含有物を採取して、抗体の分離精製を行なうことにより製造できる。
【０１９１】
哺乳動物を免疫するために用いられる免疫抗原とキャリアー蛋白質との複合体に関し、キャリアー蛋白質の種類およびキャリアーとハプテンとの混合比は、キャリアーに架橋させて免疫したハプテンに対して抗体が効率良くできれば、どの様なものをどの様な比率で架橋させてもよいが、例えば、ウシ血清アルブミン、ウシサイログロブリン、キーホール・リンペット・ヘモシアニン等を重量比でハプテン１に対し、約０.１〜２０、好ましくは約１〜５の割合でカプルさせる方法が用いられる。
【０１９２】
また、ハプテンとキャリアーのカプリングには、種々の縮合剤を用いることができるが、グルタルアルデヒドやカルボジイミド、マレイミド活性エステル、チオール基、ジチオビリジル基を含有する活性エステル試薬等が用いられる。
【０１９３】
縮合生成物は、温血動物に対して、抗体産生が可能な部位にそれ自体あるいは担体、希釈剤とともに投与される。投与に際して抗体産生能を高めるため、完全フロイントアジュバントや不完全フロイントアジュバントを投与してもよい。投与は、通常約２〜６週毎に１回ずつ、計約３〜１０回程度行なうことができる。
【０１９４】
ポリクローナル抗体は、上記の方法で免疫された哺乳動物の血液、腹水など、好ましくは血液から採取することができる。
【０１９５】
抗血清中のポリクローナル抗体価の測定は、上記の血清中の抗体価の測定と同様にして測定できる。ポリクローナル抗体の分離精製は、上記のモノクローナル抗体の分離精製と同様の免疫グロブリンの分離精製法に従って行なうことができる。
【０１９６】
本発明に従えば、モルモットＴＧＲ５遺伝子の複製または発現を阻害することのできるアンチセンス・ポリヌクレオチド（核酸）を、クローン化した、あるいは決定されたモルモットＴＧＲ５をコードするＤＮＡの塩基配列情報に基づき設計し、合成しうる。そうしたポリヌクレオチド（核酸）は、モルモットＴＧＲ５遺伝子のＲＮＡとハイブリダイズすることができ、該ＲＮＡの合成または機能を阻害することができるか、あるいはモルモットＴＧＲ５関連ＲＮＡとの相互作用を介してモルモットＴＧＲ５遺伝子の発現を調節・制御することができる。モルモットＴＧＲ５関連ＲＮＡの選択された配列に相補的なポリヌクレオチド、およびモルモットＴＧＲ５関連ＲＮＡと特異的にハイブリダイズすることができるポリヌクレオチドは、生体内および生体外でモルモットＴＧＲ５遺伝子の発現を調節・制御するのに有用であり、また病気などの治療または診断に有用である。用語「対応する」とは、遺伝子を含めたヌクレオチド、塩基配列または核酸の特定の配列に相同性を有するあるいは相補的であることを意味する。ヌクレオチド、塩基配列または核酸とペプチド（蛋白質）との間で「対応する」とは、ヌクレオチド（核酸）の配列またはその相補体から誘導される指令にあるペプチド（蛋白質）のアミノ酸を通常指している。モルモットＴＧＲ５遺伝子の５’端ヘアピンループ、５’端６−ベースペア・リピート、５’端非翻訳領域、ポリペプチド翻訳開始コドン、蛋白質コード領域、ＯＲＦ翻訳開始コドン、３’端非翻訳領域、３’端パリンドローム領域、および３’端ヘアピンループは好ましい対象領域として選択しうるが、モルモットＴＧＲ５遺伝子内の如何なる領域も対象として選択しうる。
【０１９７】
目的核酸と、対象領域の少なくとも一部に相補的でハイブリダイズすることができるポリヌクレオチドとの関係は、対象物と「アンチセンス」であるということができる。アンチセンス・ポリヌクレオチドは、２−デオキシ−Ｄ−リボースを含有しているポリデオキシリボヌクレオチド、Ｄ−リボースを含有しているポリリボヌクレオチド、プリンまたはピリミジン塩基のＮ−グリコシドであるその他のタイプのポリヌクレオチド、あるいは非ヌクレオチド骨格を有するその他のポリマー（例えば、市販の蛋白質核酸および合成配列特異的な核酸ポリマー）または特殊な結合を含有するその他のポリマー（但し、該ポリマーはＤＮＡやＲＮＡ中に見出されるような塩基のペアリングや塩基の付着を許容する配置をもつヌクレオチドを含有する）などが挙げられる。それらは、２本鎖ＤＮＡ、１本鎖ＤＮＡ、２本鎖ＲＮＡ、１本鎖ＲＮＡ、さらにＤＮＡ：ＲＮＡハイブリッドであることができ、さらに非修飾ポリヌクレオチド（または非修飾オリゴヌクレオチド）、さらには公知の修飾の付加されたもの、例えば当該分野で知られた標識のあるもの、キャップの付いたもの、メチル化されたもの、１個以上の天然のヌクレオチドを類縁物で置換したもの、分子内ヌクレオチド修飾のされたもの、例えば非荷電結合（例えば、メチルホスホネート、ホスホトリエステル、ホスホルアミデート、カルバメートなど）を持つもの、電荷を有する結合または硫黄含有結合（例えば、ホスホロチオエート、ホスホロジチオエートなど）を持つもの、例えば蛋白質（ヌクレアーゼ、ヌクレアーゼ・インヒビター、トキシン、抗体、シグナルペプチド、ポリ−Ｌ−リジンなど）や糖（例えば、モノサッカライドなど）などの側鎖基を有しているもの、インターカレント化合物（例えば、アクリジン、プソラレンなど）を持つもの、キレート化合物（例えば、金属、放射活性をもつ金属、ホウ素、酸化性の金属など）を含有するもの、アルキル化剤を含有するもの、修飾された結合を持つもの（例えば、αアノマー型の核酸など）であってもよい。ここで「ヌクレオシド」、「ヌクレオチド」および「核酸」とは、プリンおよびピリミジン塩基を含有するのみでなく、修飾されたその他の複素環型塩基をもつようなものを含んでいて良い。こうした修飾物は、メチル化されたプリンおよびピリミジン、アシル化されたプリンおよびピリミジン、あるいはその他の複素環を含むものであってよい。修飾されたヌクレオチドおよび修飾されたヌクレオチドはまた糖部分が修飾されていてよく、例えば、１個以上の水酸基がハロゲンとか、脂肪族基などで置換されていたり、あるいはエーテル、アミンなどの官能基に変換されていてよい。
【０１９８】
本発明のアンチセンス・ポリヌクレオチド（核酸）は、ＲＮＡ、ＤＮＡ、あるいは修飾された核酸（ＲＮＡ、ＤＮＡ）である。修飾された核酸の具体例としては核酸の硫黄誘導体やチオホスフェート誘導体、そしてポリヌクレオシドアミドやオリゴヌクレオシドアミドの分解に抵抗性のものが挙げられるが、それに限定されるものではない。本発明のアンチセンス核酸は次のような方針で好ましく設計されうる。すなわち、細胞内でのアンチセンス核酸をより安定なものにする、アンチセンス核酸の細胞透過性をより高める、目標とするセンス鎖に対する親和性をより大きなものにする、そしてもし毒性があるならアンチセンス核酸の毒性をより小さなものにする。
【０１９９】
こうした修飾は当該分野で数多く知られており、例えばJ. Kawakami et al., Pharm Tech Japan, Vol. 8, pp.247, 1992; Vol. 8, pp.395, 1992; S. T. Crooke et al. ed., Antisense Research and Applications, CRC Press, 1993 などに開示がある。
【０２００】
本発明のアンチセンス核酸は、変化せしめられたり、修飾された糖、塩基、結合を含有していて良く、リポゾーム、ミクロスフェアのような特殊な形態で供与されたり、遺伝子治療により適用されたり、付加された形態で与えられることができうる。こうして付加形態で用いられるものとしては、リン酸基骨格の電荷を中和するように働くポリリジンのようなポリカチオン体、細胞膜との相互作用を高めたり、核酸の取込みを増大せしめるような脂質（例えば、ホスホリピド、コレステロールなど）といった疎水性のものが挙げられる。付加するに好ましい脂質としては、コレステロールやその誘導体（例えば、コレステリルクロロホルメート、コール酸など）が挙げられる。こうしたものは、核酸の３’端あるいは５’端に付着させることができ、塩基、糖、分子内ヌクレオシド結合を介して付着させることができうる。その他の基としては、核酸の３’端あるいは５’端に特異的に配置されたキャップ用の基で、エキソヌクレアーゼ、ＲＮａｓｅなどのヌクレアーゼによる分解を阻止するためのものが挙げられる。こうしたキャップ用の基としては、ポリエチレングリコール、テトラエチレングリコールなどのグリコールをはじめとした当該分野で知られた水酸基の保護基が挙げられるが、それに限定されるものではない。
【０２０１】
アンチセンス核酸の阻害活性は、本発明の形質転換体、本発明の生体内や生体外の遺伝子発現系、あるいはＧ蛋白質共役型レセプター蛋白質の生体内や生体外の翻訳系を用いて調べることができる。該核酸それ自体公知の各種の方法で細胞に適用できる。
【０２０２】
本発明のポリヌクレオチドに対するｓｉＲＮＡは、モルモットＴＧＲ５をコードするＲＮＡの一部とそれに相補的なＲＮＡを含有する二重鎖ＲＮＡである。
【０２０３】
ｓｉＲＮＡは、公知の方法（例、Nature, 411巻, 494頁, 2001年）に準じて、本発明のポリヌクレオチドの配列を基に設計して製造することができる。
【０２０４】
モルモットＴＧＲ５をコードするＲＮＡの一部を含有するリボザイムは、公知の方法（例、TRENDS in Molecular Medicine, 7巻, 221頁, 2001年）に準じて、本発明のポリヌクレオチドの配列を基に設計して製造することができる。例えば、公知のリボザイムの配列の一部をモルモットＴＧＲ５をコードするＲＮＡの一部に置換することによって製造することができる。モルモットＴＧＲ５をコードするＲＮＡの一部としては、公知のリボザイムによって切断され得るコンセンサス配列ＮＵＸ（式中、Ｎはすべての塩基を、ＸはＧ以外の塩基を示す）の近傍の配列などが挙げられる。
【０２０５】
モルモットＴＧＲ５、その部分ペプチドまたはその塩、およびモルモットＴＧＲ５またはその部分ペプチドをコードするＤＮＡは新規物質である。モルモットＴＧＲ５もしくは部分ペプチドまたはその塩（以下、モルモットＴＧＲ５と略記する場合がある）、モルモットＴＧＲ５をコードするＤＮＡ（以下、本発明のＤＮＡと略記する場合がある）、モルモットＴＧＲ５に対する抗体（以下、本発明の抗体と略記する場合がある）、モルモットＴＧＲ５をコードするＤＮＡに対するアンチセンスＤＮＡの用途について、以下に具体的に説明する。
（１）モルモットＴＧＲ５の機能不全に関連する疾患の予防・治療剤
モルモットＴＧＲ５に対するリガンドが有する作用に応じて、1)モルモットＴＧＲ５または2)モルモットＴＧＲ５をコードするＤＮＡを、モルモットＴＧＲ５の機能不全に関連する疾患の予防および／または治療剤などの医薬として使用することができる。
【０２０６】
例えば、生体内においてモルモットＴＧＲ５が減少しているためにリガンドの生理作用が期待できない（モルモットＴＧＲ５の欠乏症）患者がいる場合に、1)モルモットＴＧＲ５を該患者に投与しモルモットＴＧＲ５の量を補充したり、2)（イ）モルモットＴＧＲ５をコードするＤＮＡを該患者に投与し発現させることによって、あるいは（ロ）対象となる細胞にモルモットＴＧＲ５をコードするＤＮＡを挿入し発現させた後に、該細胞を該患者に移植することなどによって、患者の体内におけるレセプター蛋白質の量を増加させ、リガンドの作用を充分に発揮させることができる。すなわち、モルモットＴＧＲ５をコードするＤＮＡは、安全で低毒性なモルモットＴＧＲ５の機能不全に関連する疾患の予防・治療剤として有用である。
【０２０７】
モルモットＴＧＲ５は、例えば、中枢疾患（例えば、アルツハイマー病、痴呆、摂食障害など）、炎症性疾患（例えば、アレルギー、リュウマチ、変形性関節症、エリテマトーデスなど）、循環器疾患（例えば、高血圧症、心肥大、狭心症、動脈硬化症等）、癌（例えば、非小細胞肺癌、卵巣癌、前立腺癌、胃癌、膀胱癌、乳癌、子宮頸部癌、結腸癌、直腸癌等）、呼吸器疾患（例えば、肺炎、気管支炎、喘息、肺繊維症など）、糖尿病、免疫系疾患（例えば、クローン病、アトピー性皮膚炎、自己免疫疾患、免疫不全、白血病等）、肝臓・胆のう疾患（例えば、肝硬変、肝炎、肝不全、胆汁うっ滞症、結石等）、消化管疾患（例えば、潰瘍、腸炎、吸収不良、炎症性腸疾患等）、感染症、肥満、移植医療後の過剰免疫反応、インスリン分泌不全、膵疲弊、低血糖などの疾患、特に免疫機能、マクロファージ機能などが亢進することに起因する疾患（例えば、炎症性疾患、移植医療後の過剰免疫反応など）の予防・治療剤として有用である。
【０２０８】
さらに、モルモットＴＧＲ５は、Ｇｌｕｃａｇｏｎ−ｌｉｋｅ  ｐｅｐｔｉｄｅ−１（ＧＬＰ−１）分泌促進剤、食欲抑制剤、膵臓の再生剤、膵β細胞分化促進剤、膵β細胞増殖促進剤などとしても有効であり、例えば、糖尿病、インスリン分泌不全、膵疲弊、肥満の予防・治療剤として使用することができる。
【０２０９】
また、モルモットＴＧＲ５は、例えば、ソマトスタチン、コレシストキニン、Ｇｌｕｃａｇｏｎ−ｌｉｋｅ  ｐｅｐｔｉｄｅ−２（ＧＬＰ−２）、Ｇａｓｔｏｒｉｃ  ｉｎｈｉｂｉｔｏｒｙ  ｐｏｌｙｐｅｐｔｉｄｅ（＝Ｇｌｕｃｏｓｅ  ｄｅｐｅｎｄｅｎｔ  ｉｎｓｕｌｉｎｏｔｒｏｐｉｃ  ｐｅｐｔｉｄｅ）、Ｇａｓｔｒｉｎ、Ｇａｓｔｒｉｎ  ｒｅｌｅａｓｉｎｇ  ｐｅｐｔｉｄｅ、グレリン、グリセンチンなどの分泌調節剤として使用することができる。
【０２１０】
モルモットＴＧＲ５を上記予防および／または治療剤として使用する場合は、常套手段に従って製剤化することができる。
【０２１１】
一方、モルモットＴＧＲ５をコードするＤＮＡ（以下、本発明のＤＮＡと略記する場合がある）を上記予防および／または治療剤として使用する場合は、本発明のＤＮＡを単独あるいはレトロウイルスベクター、アデノウイルスベクター、アデノウイルスアソシエーテッドウイルスベクターなどの適当なベクターに挿入した後、常套手段に従って実施することができる。本発明のＤＮＡは、そのままで、あるいは摂取促進のための補助剤とともに、遺伝子銃やハイドロゲルカテーテルのようなカテーテルによって投与できる。
【０２１２】
例えば、1)モルモットＴＧＲ５または2)モルモットＴＧＲ５をコードするＤＮＡは、必要に応じて糖衣を施した錠剤、カプセル剤、エリキシル剤、マイクロカプセル剤などとして経口的に、あるいは水もしくはそれ以外の薬学的に許容し得る液との無菌性溶液、または懸濁液剤などの注射剤の形で非経口的に使用できる。例えば、1)モルモットＴＧＲ５または2)モルモットＴＧＲ５をコードするＤＮＡを生理学的に認められる公知の担体、香味剤、賦形剤、ベヒクル、防腐剤、安定剤、結合剤などとともに一般に認められた製剤実施に要求される単位用量形態で混和することによって製造することができる。これら製剤における有効成分量は指示された範囲の適当な容量が得られるようにするものである。
【０２１３】
錠剤、カプセル剤などに混和することができる添加剤としては、例えば、ゼラチン、コーンスターチ、トラガント、アラビアゴムのような結合剤、結晶性セルロースのような賦形剤、コーンスターチ、ゼラチン、アルギン酸などのような膨化剤、ステアリン酸マグネシウムのような潤滑剤、ショ糖、乳糖またはサッカリンのような甘味剤、ペパーミント、アカモノ油またはチェリーのような香味剤などが用いられる。調剤単位形態がカプセルである場合には、上記タイプの材料にさらに油脂のような液状担体を含有することができる。注射のための無菌組成物は注射用水のようなベヒクル中の活性物質、胡麻油、椰子油などのような天然産出植物油などを溶解または懸濁させるなどの通常の製剤実施に従って処方することができる。注射用の水性液としては、例えば、生理食塩水、ブドウ糖やその他の補助薬を含む等張液（例えば、Ｄ−ソルビトール、Ｄ−マンニトール、塩化ナトリウムなど）などが用いられ、適当な溶解補助剤、例えば、アルコール（例、エタノール）、ポリアルコール（例、プロピレングリコール、ポリエチレングリコール）、非イオン性界面活性剤（例、ポリソルベート８０TM、ＨＣＯ−５０）などと併用してもよい。油性液としては、例えば、ゴマ油、大豆油などが用いられ、溶解補助剤である安息香酸ベンジル、ベンジルアルコールなどと併用してもよい。
【０２１４】
また、上記予防および／または治療剤は、例えば、緩衝剤（例えば、リン酸塩緩衝液、酢酸ナトリウム緩衝液）、無痛化剤（例えば、塩化ベンザルコニウム、塩酸プロカインなど）、安定剤（例えば、ヒト血清アルブミン、ポリエチレングリコールなど）、保存剤（例えば、ベンジルアルコール、フェノールなど）、酸化防止剤などと配合してもよい。調製された注射液は通常、適当なアンプルに充填される。
【０２１５】
このようにして得られる製剤は安全で低毒性であるので、例えば、ヒトやその他の哺乳動物（例えば、ラット、マウス、モルモット、ウサギ、ヒツジ、ブタ、ウシ、ネコ、イヌ、サルなど）に対して投与することができる。
【０２１６】
モルモットＴＧＲ５の投与量は、投与対象、対象臓器、症状、投与方法などにより差異はあるが、経口投与の場合、一般的に例えば、炎症性疾患患者（体重６０ｋｇとして）においては、一日につき約０.１〜１００ｍｇ、好ましくは約１．０〜５０ｍｇ、より好ましくは約１．０〜２０ｍｇである。非経口的に投与する場合は、その１回投与量は投与対象、対象臓器、症状、投与方法などによっても異なるが、例えば、注射剤の形では通常例えば、炎症性疾患患者（体重６０ｋｇとして）においては、一日につき約０．０１〜３０ｍｇ程度、好ましくは約０．１〜２０ｍｇ程度、より好ましくは約０．１〜１０ｍｇ程度を静脈注射により投与するのが好都合である。他の動物の場合も、体重６０ｋｇ当たりに換算した量を投与することができる。
【０２１７】
本発明のＤＮＡの投与量は、投与対象、対象臓器、症状、投与方法などにより差異はあるが、経口投与の場合、一般的に例えば、炎症性疾患患者（体重６０ｋｇとして）においては、一日につき約０.１〜１００ｍｇ、好ましくは約１．０〜５０ｍｇ、より好ましくは約１．０〜２０ｍｇである。非経口的に投与する場合は、その１回投与量は投与対象、対象臓器、症状、投与方法などによっても異なるが、例えば、注射剤の形では通常例えば、炎症性疾患患者（体重６０ｋｇとして）においては、一日につき約０．０１〜３０ｍｇ程度、好ましくは約０．１〜２０ｍｇ程度、より好ましくは約０．１〜１０ｍｇ程度を静脈注射により投与するのが好都合である。他の動物の場合も、体重６０ｋｇ当たりに換算した量を投与することができる。
（２）遺伝子診断剤
本発明のＤＮＡは、プローブとして使用することにより、ヒトまたはその他の哺乳動物（例えば、ラット、マウス、モルモット、ウサギ、ヒツジ、ブタ、ウシ、ネコ、イヌ、サルなど）におけるモルモットＴＧＲ５またはその部分ペプチドをコードするＤＮＡまたはｍＲＮＡの異常（遺伝子異常）を検出することができるので、例えば、該ＤＮＡまたはｍＲＮＡの損傷、突然変異あるいは発現低下や、該ＤＮＡまたはｍＲＮＡの増加あるいは発現過多などの遺伝子診断剤として有用である。より具体的には、中枢疾患（例えば、アルツハイマー病、痴呆、摂食障害など）、炎症性疾患(例えば、アレルギー、喘息、リュウマチなど)、循環器疾患(例えば、高血圧症、心肥大、狭心症、動脈硬化症等)、癌（例えば、非小細胞肺癌、卵巣癌、前立腺癌、胃癌、膀胱癌、乳癌、子宮頸部癌、結腸癌、直腸癌等）、糖尿病、免疫系疾患（例えば、自己免疫疾患、免疫不全、白血病等）、肝臓・胆のう疾患（例えば、肝硬変、肝炎、肝不全、胆汁うっ滞症、結石等）、消化管疾患（例えば、潰瘍、腸炎、吸収不良、炎症性腸疾患等）、肥満、移植医療後の過剰免疫反応、インスリン分泌不全、膵疲弊、低血糖などの疾患の遺伝子診断診断剤として有用である。
【０２１８】
さらに具体的には、本発明のＤＮＡをプローブとして用いて、該ＤＮＡまたはｍＲＮＡの損傷、突然変異あるいは発現低下が検出された場合、例えば、免疫不全、感染症、糖尿病、インスリン分泌不全、膵疲弊、肥満などに罹患している可能性が高い、または将来罹患する可能性が高いと診断することができる。
【０２１９】
一方、本発明のＤＮＡをプローブとして用いて、該ＤＮＡまたはｍＲＮＡの増加あるいは発現過多が検出された場合、例えば、モルモットＴＧＲ５の機能不全に関連する疾患、例えば、炎症性疾患、移植医療後の過剰免疫反応、低血糖などに罹患している可能性が高い、または将来罹患する可能性が高いと診断することができる。
【０２２０】
本発明のＤＮＡを用いる上記の遺伝子診断は、例えば、公知のノーザンハイブリダイゼーションやＰＣＲ−ＳＳＣＰ法（ゲノミックス（Genomics），第５巻，８７４〜８７９頁（１９８９年）、プロシージングズ・オブ・ザ・ナショナル・アカデミー・オブ・サイエンシイズ・オブ・ユーエスエー（Proceedings of theNational Academy of Sciences of the United States of America），第８６巻，２７６６〜２７７０頁（１９８９年））などにより実施することができる。
（３）モルモットＴＧＲ５またはその部分ペプチドの発現量を変化させる化合物またはその塩を含有する医薬
本発明のＤＮＡは、プローブとして用いることにより、モルモットＴＧＲ５の発現量を変化させる化合物またはその塩のスクリーニングに用いることができる。
【０２２１】
すなわち、本発明は、例えば、（ｉ）非ヒト哺乳動物のａ）血液、ｂ）特定の臓器、ｃ）臓器から単離した組織もしくは細胞、または（ii）形質転換体等に含まれるモルモットＴＧＲ５のｍＲＮＡ量を測定することによる、モルモットＴＧＲ５の発現量を変化させる化合物またはその塩のスクリーニング方法を提供する。
【０２２２】
モルモットＴＧＲ５のｍＲＮＡ量の測定は具体的には以下のようにして行なう。
【０２２３】
（ｉ）正常あるいは疾患モデル非ヒト哺乳動物（例えば、マウス、ラット、モルモット、ウサギ、ヒツジ、ブタ、ウシ、ネコ、イヌ、サルなど、より具体的には痴呆ラット、肥満マウス、動脈硬化ウサギ、担癌マウスなど）に対して、薬剤（例えば、抗痴呆薬、血圧低下薬、抗癌剤、抗肥満薬など）あるいは物理的ストレス（例えば、浸水ストレス、電気ショック、明暗、低温など）などを与え、一定時間経過した後に、血液、あるいは特定の臓器（例えば、脳、肝臓、腎臓など）、または臓器から単離した組織、あるいは細胞を得る。
【０２２４】
得られた細胞に含まれるモルモットＴＧＲ５のｍＲＮＡは、例えば、通常の方法により細胞等からｍＲＮＡを抽出し、例えば、ＴａｑＭａｎ  ＰＣＲなどの手法を用いることにより定量することができ、自体公知の手段によりノーザンブロットを行うことにより解析することもできる。
【０２２５】
（ii）モルモットＴＧＲ５を発現する形質転換体を上記の方法に従い作製し、該形質転換体に含まれるモルモットＴＧＲ５のｍＲＮＡを同様にして定量、解析することができる。
【０２２６】
モルモットＴＧＲ５の発現量を変化させる化合物またはその塩のスクリーニングは、
（ｉ）正常あるいは疾患モデル非ヒト哺乳動物に対して、薬剤あるいは物理的ストレスなどを与える一定時間前（３０分前〜２４時間前、好ましくは３０分前〜１２時間前、より好ましくは１時間前〜６時間前）もしくは一定時間後（３０分後〜３日後、好ましくは１時間後〜２日後、より好ましくは１時間後〜２４時間後）、または薬剤あるいは物理的ストレスと同時に試験化合物を投与し、投与後一定時間経過後（３０分後〜３日後、好ましくは１時間後〜２日後、より好ましくは１時間後〜２４時間後）、細胞に含まれるモルモットＴＧＲ５のｍＲＮＡ量を定量、解析することにより行なうことができ、
（ii）形質転換体を常法に従い培養する際に試験化合物を培地中に混合させ、一定時間培養後（１日後〜７日後、好ましくは１日後〜３日後、より好ましくは２日後〜３日後）、該形質転換体に含まれるモルモットＴＧＲ５のｍＲＮＡ量を定量、解析することにより行なうことができる。
【０２２７】
試験化合物としては、例えば、ペプチド、蛋白質、非ペプチド性化合物、合成化合物、発酵生産物、細胞抽出液、植物抽出液、動物組織抽出液などが用いられ、これら化合物は新規な化合物であってもよいし、公知の化合物であってもよい。
【０２２８】
試験化合物は塩を形成していてもよく、試験化合物の塩としては、薬理学的に許容される塩が好ましく、例えば無機塩基との塩、有機塩基との塩、無機酸との塩、有機酸との塩、塩基性または酸性アミノ酸との塩などが挙げられる。
【０２２９】
無機塩基との塩の好適な例としては、例えばナトリウム塩、カリウム塩、リチウム塩などのアルカリ金属塩；カルシウム塩、マグネシウム塩などのアルカリ土類金属塩；アルミニウム塩、アンモニウム塩などが挙げられる。
【０２３０】
有機塩基との塩の好適な例としては、例えばトリメチルアミン、トリエチルアミン、ピリジン、ピコリン、エタノールアミン、ジエタノールアミン、トリエタノールアミン、ジシクロヘキシルアミン、Ｎ，Ｎ−ジベンジルエチレンジアミンなどとの塩が挙げられる。
【０２３１】
無機酸との塩の好適な例としては、例えば塩酸、臭化水素酸、硝酸、硫酸、リン酸などとの塩が挙げられる。
【０２３２】
有機酸との塩の好適な例としては、例えばギ酸、酢酸、トリフルオロ酢酸、フマル酸、シュウ酸、酒石酸、マレイン酸、クエン酸、コハク酸、リンゴ酸、メタンスルホン酸、ベンゼンスルホン酸、ｐ−トルエンスルホン酸などとの塩が挙げられる。
【０２３３】
塩基性アミノ酸との塩の好適な例としては、例えばアルギニン、リジン、オルニチンなどとの塩が挙げられる。
【０２３４】
酸性アミノ酸との塩の好適な例としては、例えばアスパラギン酸、グルタミン酸などとの塩が挙げられる。
【０２３５】
本発明のスクリーニング方法を用いて得られる化合物またはその塩は、モルモットＴＧＲ５の発現量を変化させる作用を有する化合物またはその塩であり、具体的には、（イ）モルモットＴＧＲ５の発現量を増加させることにより、モルモットＴＧＲ５を介する細胞刺激活性を増強させる化合物またはその塩、（ロ）モルモットＴＧＲ５の発現量を減少させることにより、該細胞刺激活性を減弱させる化合物またはその塩である。
【０２３６】
本発明のスクリーニング方法を用いて得られる化合物としては、ペプチド、蛋白質、非ペプチド性化合物、合成化合物、発酵生産物などが挙げられ、これら化合物は新規な化合物であってもよいし、公知の化合物であってもよい。
【０２３７】
本発明のスクリーニング方法を用いて得られる化合物の塩としては、薬理学的に許容される塩が好ましく、例えば無機塩基との塩、有機塩基との塩、無機酸との塩、有機酸との塩、塩基性または酸性アミノ酸との塩などが挙げられる。
【０２３８】
無機塩基との塩の好適な例としては、例えばナトリウム塩、カリウム塩、リチウム塩などのアルカリ金属塩；カルシウム塩、マグネシウム塩などのアルカリ土類金属塩；アルミニウム塩、アンモニウム塩などが挙げられる。
【０２３９】
有機塩基との塩の好適な例としては、例えばトリメチルアミン、トリエチルアミン、ピリジン、ピコリン、エタノールアミン、ジエタノールアミン、トリエタノールアミン、ジシクロヘキシルアミン、Ｎ，Ｎ−ジベンジルエチレンジアミンなどとの塩が挙げられる。
【０２４０】
無機酸との塩の好適な例としては、例えば塩酸、臭化水素酸、硝酸、硫酸、リン酸などとの塩が挙げられる。
【０２４１】
有機酸との塩の好適な例としては、例えばギ酸、酢酸、トリフルオロ酢酸、フマル酸、シュウ酸、酒石酸、マレイン酸、クエン酸、コハク酸、リンゴ酸、メタンスルホン酸、ベンゼンスルホン酸、ｐ−トルエンスルホン酸などとの塩が挙げられる。
【０２４２】
塩基性アミノ酸との塩の好適な例としては、例えばアルギニン、リジン、オルニチンなどとの塩が挙げられる。
【０２４３】
酸性アミノ酸との塩の好適な例としては、例えばアスパラギン酸、グルタミン酸などとの塩が挙げられる。
【０２４４】
モルモットＴＧＲ５は上記のとおり、例えば、中枢機能など生体内で何らかの重要な役割を果たしていると考えられる。したがって、モルモットＴＧＲ５またはその部分ペプチドの発現量を変化させる化合物またはその塩は、モルモットＴＧＲ５の機能不全などに関連する疾患、例えば、中枢疾患（例えば、アルツハイマー病、痴呆、摂食障害など）、炎症性疾患（例えば、アレルギー、リュウマチ、変形性関節症、エリテマトーデスなど）、循環器疾患（例えば、高血圧症、心肥大、狭心症、動脈硬化症等）、癌（例えば、非小細胞肺癌、卵巣癌、前立腺癌、胃癌、膀胱癌、乳癌、子宮頸部癌、結腸癌、直腸癌等）、呼吸器疾患（例えば、肺炎、気管支炎、喘息、肺繊維症など）、糖尿病、免疫系疾患（例えば、クローン病、アトピー性皮膚炎、自己免疫疾患、免疫不全、白血病等）、肝臓・胆のう疾患（例えば、肝硬変、肝炎、肝不全、胆汁うっ滞症、結石等）、消化管疾患（例えば、潰瘍、腸炎、吸収不良、炎症性腸疾患等）、感染症、肥満、移植医療後の過剰免疫反応、インスリン分泌不全、膵疲弊、低血糖などの疾患の予防・治療剤として有用である。
【０２４５】
これらの疾患のうち、免疫機能、マクロファージ機能などが亢進することに起因する疾患（例えば、炎症性疾患、移植医療後の過剰免疫反応など）には、特にモルモットＴＧＲ５の発現を促進する化合物またはその塩が有効である。さらに、モルモットＴＧＲ５の発現を促進する化合物またはその塩は、Ｇｌｕｃａｇｏｎ−ｌｉｋｅ  ｐｅｐｔｉｄｅ−１（ＧＬＰ−１）分泌促進剤、食欲抑制剤、膵臓の再生剤、膵β細胞分化促進剤、膵β細胞増殖促進剤などとしても有効であり、例えば、糖尿病、インスリン分泌不全、膵疲弊、肥満の予防・治療剤として使用することができる。
【０２４６】
一方、免疫機能、マクロファージ機能などが抑制されることに起因する疾患（例えば、免疫不全、感染症など）には、特にモルモットＴＧＲ５の発現を阻害する化合物またはその塩が有効である。さらに、モルモットＴＧＲ５の発現を阻害する化合物またはその塩は、Ｇｌｕｃａｇｏｎ−ｌｉｋｅ  ｐｅｐｔｉｄｅ−１（ＧＬＰ−１）分泌抑制剤、膵β細胞分化抑制剤、膵β細胞増殖抑制剤として有効であり、例えば、低血糖の予防・治療剤として使用することができる。
【０２４７】
また、モルモットＴＧＲ５の発現を促進または阻害する化合物またはその塩は、例えば、ソマトスタチン、コレシストキニン、Ｇｌｕｃａｇｏｎ−ｌｉｋｅ  ｐｅｐｔｉｄｅ−２（ＧＬＰ−２）、Ｇａｓｔｏｒｉｃ  ｉｎｈｉｂｉｔｏｒｙ  ｐｏｌｙｐｅｐｔｉｄｅ（＝Ｇｌｕｃｏｓｅ  ｄｅｐｅｎｄｅｎｔ  ｉｎｓｕｌｉｎｏｔｒｏｐｉｃ  ｐｅｐｔｉｄｅ）、Ｇａｓｔｒｉｎ、Ｇａｓｔｒｉｎ  ｒｅｌｅａｓｉｎｇ  ｐｅｐｔｉｄｅ、グレリン、グリセンチンなどの分泌調節剤として使用することができる。
【０２４８】
該化合物またはその塩をモルモットＴＧＲ５の機能不全などに関連する疾患の予防・治療剤として使用する場合は、常套手段に従って製剤化することができる。
【０２４９】
例えば、該化合物またはその塩は、必要に応じて糖衣を施した錠剤、カプセル剤、エリキシル剤、マイクロカプセル剤などとして経口的に、あるいは水もしくはそれ以外の薬学的に許容し得る液との無菌性溶液、または懸濁液剤などの注射剤の形で非経口的に使用できる。例えば、該化合物またはその塩を生理学的に認められる公知の担体、香味剤、賦形剤、ベヒクル、防腐剤、安定剤、結合剤などとともに一般に認められた製剤実施に要求される単位用量形態で混和することによって製造することができる。これら製剤における有効成分量は指示された範囲の適当な容量が得られるようにするものである。
【０２５０】
錠剤、カプセル剤などに混和することができる添加剤としては、例えば、ゼラチン、コーンスターチ、トラガント、アラビアゴムのような結合剤、結晶性セルロースのような賦形剤、コーンスターチ、ゼラチン、アルギン酸などのような膨化剤、ステアリン酸マグネシウムのような潤滑剤、ショ糖、乳糖またはサッカリンのような甘味剤、ペパーミント、アカモノ油またはチェリーのような香味剤などが用いられる。調剤単位形態がカプセルである場合には、上記タイプの材料にさらに油脂のような液状担体を含有することができる。注射のための無菌組成物は注射用水のようなベヒクル中の活性物質、胡麻油、椰子油などのような天然産出植物油などを溶解または懸濁させるなどの通常の製剤実施に従って処方することができる。注射用の水性液としては、例えば、生理食塩水、ブドウ糖やその他の補助薬を含む等張液（例えば、Ｄ−ソルビトール、Ｄ−マンニトール、塩化ナトリウムなど）などが用いられ、適当な溶解補助剤、例えば、アルコール（例、エタノール）、ポリアルコール（例、プロピレングリコール、ポリエチレングリコール）、非イオン性界面活性剤（例、ポリソルベート８０TM、ＨＣＯ−５０）などと併用してもよい。油性液としては、例えば、ゴマ油、大豆油などが用いられ、溶解補助剤である安息香酸ベンジル、ベンジルアルコールなどと併用してもよい。
【０２５１】
また、上記予防・治療剤は、例えば、緩衝剤（例えば、リン酸塩緩衝液、酢酸ナトリウム緩衝液）、無痛化剤（例えば、塩化ベンザルコニウム、塩酸プロカインなど）、安定剤（例えば、ヒト血清アルブミン、ポリエチレングリコールなど）、保存剤（例えば、ベンジルアルコール、フェノールなど）、酸化防止剤などと配合してもよい。調製された注射液は通常、適当なアンプルに充填される。
【０２５２】
このようにして得られる製剤は安全で低毒性であるので、例えば、ヒトやその他の哺乳動物（例えば、ラット、マウス、モルモット、ウサギ、ヒツジ、ブタ、ウシ、ネコ、イヌ、サルなど）に対して投与することができる。
【０２５３】
該化合物またはその塩の投与量は、投与対象、対象臓器、症状、投与方法などにより差異はあるが、経口投与の場合、一般的に例えば、炎症性疾患患者（体重６０ｋｇとして）においては、一日につきモルモットＴＧＲ５の発現を促進する化合物またはその塩を約０.１〜１００ｍｇ、好ましくは約１．０〜５０ｍｇ、より好ましくは約１．０〜２０ｍｇである。非経口的に投与する場合は、その１回投与量は投与対象、対象臓器、症状、投与方法などによっても異なるが、例えば、注射剤の形では通常例えば、炎症性疾患患者（体重６０ｋｇとして）においては、一日につきモルモットＴＧＲ５の発現を促進する化合物またはその塩を約０．０１〜３０ｍｇ程度、好ましくは約０．１〜２０ｍｇ程度、より好ましくは約０．１〜１０ｍｇ程度を静脈注射により投与するのが好都合である。他の動物の場合も、体重６０ｋｇ当たりに換算した量を投与することができる。
（４）モルモットＴＧＲ５もしくはその部分ペプチドまたはその塩の定量法および診断方法
本発明の抗体は、モルモットＴＧＲ５を特異的に認識することができるので、被検液中のモルモットＴＧＲ５の定量、特にサンドイッチ免疫測定法による定量などに使用することができる。
【０２５４】
すなわち、本発明は、
（ｉ）本発明の抗体と、被検液および標識化されたモルモットＴＧＲ５とを競合的に反応させ、該抗体に結合した標識化されたモルモットＴＧＲ５の割合を測定することを特徴とする被検液中のモルモットＴＧＲ５の定量法、および
（ii）被検液と担体上に不溶化した本発明の抗体および標識化された本発明の別の抗体とを同時あるいは連続的に反応させたのち、不溶化担体上の標識剤の活性を測定することを特徴とする被検液中のモルモットＴＧＲ５の定量法を提供する。
【０２５５】
上記（ii）の定量法においては、一方の抗体がモルモットＴＧＲ５のＮ端部を認識する抗体で、他方の抗体がモルモットＴＧＲ５のＣ端部に反応する抗体であることが望ましい。
【０２５６】
また、モルモットＴＧＲ５に対するモノクローナル抗体を用いてモルモットＴＧＲ５の定量を行うことができるほか、組織染色等による検出を行なうこともできる。これらの目的には、抗体分子そのものを用いてもよく、また、抗体分子のＦ(ａｂ')２、Ｆａｂ'、あるいはＦａｂ画分を用いてもよい。
【０２５７】
本発明の抗体を用いるモルモットＴＧＲ５の定量法は、 特に制限されるべきものではなく、被測定液中の抗原量（例えば、モルモットＴＧＲ５量）に対応した抗体、抗原もしくは抗体−抗原複合体の量を化学的または物理的手段により検出し、これを既知量の抗原を含む標準液を用いて作製した標準曲線より算出する測定法であれば、いずれの測定法を用いてもよい。例えば、ネフロメトリー、競合法、イムノメトリック法およびサンドイッチ法が好適に用いられるが、感度、特異性の点で、後述するサンドイッチ法を用いるのが特に好ましい。
【０２５８】
標識物質を用いる測定法に用いられる標識剤としては、例えば、放射性同位元素、酵素、蛍光物質、発光物質などが用いられる。放射性同位元素としては、例えば、〔１２５Ｉ〕、〔１３１Ｉ〕、〔３Ｈ〕、〔１４Ｃ〕などが用いられる。上記酵素としては、安定で比活性の大きなものが好ましく、例えば、β−ガラクトシダーゼ、β−グルコシダーゼ、アルカリフォスファターゼ、パーオキシダーゼ、リンゴ酸脱水素酵素などが用いられる。蛍光物質としては、例えば、フルオレスカミン、フルオレッセンイソチオシアネートなどが用いられる。発光物質としては、例えば、ルミノール、ルミノール誘導体、ルシフェリン、ルシゲニンなどが用いられる。さらに、抗体あるいは抗原と標識剤との結合にビオチン−アビジン系を用いることもできる。
【０２５９】
抗原あるいは抗体の不溶化に当っては、物理吸着を用いてもよく、また通常モルモットＴＧＲ５あるいは酵素等を不溶化、固定化するのに用いられる化学結合を用いる方法でもよい。担体としては、アガロース、デキストラン、セルロースなどの不溶性多糖類、ポリスチレン、ポリアクリルアミド、シリコン等の合成樹脂、あるいはガラス等があげられる。
【０２６０】
サンドイッチ法においては不溶化した本発明のモノクローナル抗体に被検液を反応させ（１次反応）、さらに標識化した別の本発明のモノクローナル抗体を反応させ（２次反応）たのち、不溶化担体上の標識剤の活性を測定することにより被検液中のモルモットＴＧＲ５量を定量することができる。１次反応と２次反応は逆の順序に行っても、また、同時に行なってもよいし時間をずらして行なってもよい。標識化剤および不溶化の方法は前記のそれらに準じることができる。また、サンドイッチ法による免疫測定法において、固相用抗体あるいは標識用抗体に用いられる抗体は必ずしも１種類である必要はなく、測定感度を向上させる等の目的で２種類以上の抗体の混合物を用いてもよい。
【０２６１】
本発明のサンドイッチ法によるモルモットＴＧＲ５の測定法においては、１次反応と２次反応に用いられる本発明のモノクローナル抗体は、モルモットＴＧＲ５の結合する部位が相異なる抗体が好ましく用いられる。すなわち、１次反応および２次反応に用いられる抗体は、例えば、２次反応で用いられる抗体が、モルモットＴＧＲ５のＣ端部を認識する場合、１次反応で用いられる抗体は、好ましくはＣ端部以外、例えばＮ端部を認識する抗体が用いられる。
【０２６２】
本発明のモノクローナル抗体をサンドイッチ法以外の測定システム、例えば、競合法、イムノメトリック法あるいはネフロメトリーなどに用いることができる。
【０２６３】
競合法では、被検液中の抗原と標識抗原とを抗体に対して競合的に反応させたのち、未反応の標識抗原(Ｆ）と、抗体と結合した標識抗原（Ｂ）とを分離し（Ｂ／Ｆ分離）、Ｂ，Ｆいずれかの標識量を測定し、被検液中の抗原量を定量する。本反応法には、抗体として可溶性抗体を用い、Ｂ／Ｆ分離をポリエチレングリコール、前記抗体に対する第２抗体などを用いる液相法、および、第１抗体として固相化抗体を用いるか、あるいは、第１抗体は可溶性のものを用い第２抗体として固相化抗体を用いる固相化法とが用いられる。
【０２６４】
イムノメトリック法では、被検液中の抗原と固相化抗原とを一定量の標識化抗体に対して競合反応させた後固相と液相を分離するか、あるいは、被検液中の抗原と過剰量の標識化抗体とを反応させ、次に固相化抗原を加え未反応の標識化抗体を固相に結合させたのち、固相と液相を分離する。次に、いずれかの相の標識量を測定し被検液中の抗原量を定量する。
【０２６５】
また、ネフロメトリーでは、ゲル内あるいは溶液中で抗原抗体反応の結果生じた不溶性の沈降物の量を測定する。被検液中の抗原量が僅かであり、少量の沈降物しか得られない場合にもレーザーの散乱を利用するレーザーネフロメトリーなどが好適に用いられる。
【０２６６】
これら個々の免疫学的測定法を本発明の定量方法に適用するにあたっては、特別の条件、操作等の設定は必要とされない。それぞれの方法における通常の条件、操作法に当業者の通常の技術的配慮を加えてモルモットＴＧＲ５の測定系を構築すればよい。これらの一般的な技術手段の詳細については、総説、成書などを参照することができる。
【０２６７】
例えば、入江  寛編「ラジオイムノアッセイ」（講談社、昭和４９年発行）、入江  寛編「続ラジオイムノアッセイ」（講談社、昭和５４年発行）、石川栄治ら編「酵素免疫測定法」（医学書院、昭和５３年発行）、石川栄治ら編「酵素免疫測定法」（第２版）（医学書院、昭和５７年発行）、石川栄治ら編「酵素免疫測定法」（第３版）（医学書院、昭和６２年発行）、「Methods in ENZYMOLOGY」 Vol. 70(Immunochemical Techniques(Part A))、 同書 Vol. 73(Immunochemical Techniques(Part B))、 同書 Vol. 74(Immunochemical Techniques(Part C))、 同書 Vol. 84(Immunochemical Techniques(Part D : Selected Immunoassays))、 同書 Vol. 92(Immunochemical Techniques(Part E : Monoclonal Antibodies and General Immunoassay Methods))、 同書 Vol. 121(Immunochemical Techniques(Part I : Hybridoma Technology and Monoclonal Antibodies))(以上、アカデミックプレス社発行)などを参照することができる。
【０２６８】
以上のようにして、本発明の抗体を用いることによって、モルモットＴＧＲ５を感度良く定量することができる。
【０２６９】
さらには、本発明の抗体を用いてモルモットＴＧＲ５の濃度を定量することによって、モルモットＴＧＲ５の濃度の増加または減少が検出された場合、例えば、中枢疾患（例えば、アルツハイマー病、痴呆、摂食障害など）、炎症性疾患（例えば、アレルギー、リュウマチ、変形性関節症、エリテマトーデスなど）、循環器疾患（例えば、高血圧症、心肥大、狭心症、動脈硬化症等）、癌（例えば、非小細胞肺癌、卵巣癌、前立腺癌、胃癌、膀胱癌、乳癌、子宮頸部癌、結腸癌、直腸癌等）、呼吸器疾患（例えば、肺炎、気管支炎、喘息、肺繊維症など）、糖尿病、免疫系疾患（例えば、クローン病、アトピー性皮膚炎、自己免疫疾患、免疫不全、白血病等）、肝臓・胆のう疾患（例えば、肝硬変、肝炎、肝不全、胆汁うっ滞症、結石等）、消化管疾患（例えば、潰瘍、腸炎、吸収不良、炎症性腸疾患等）、感染症、肥満、移植医療後の過剰免疫反応、インスリン分泌不全、膵疲弊、低血糖などに罹患している可能性が高い、または将来罹患する可能性が高いと診断することができる。
【０２７０】
特に、モルモットＴＧＲ５の濃度の増加が検出された場合には、例えば、モルモットＴＧＲ５の過剰発現に起因する疾患、例えば、例えば、免疫不全、感染症、インスリン分泌不全、膵疲弊などに罹患している可能性が高い、または将来罹患する可能性が高いと診断することができる。
【０２７１】
また、本発明の抗体を用いてモルモットＴＧＲ５の濃度を定量することによって、モルモットＴＧＲ５の濃度の減少が検出された場合、例えば、モルモットＴＧＲ５の機能不全に関連する疾患、例えば、炎症性疾患、移植医療後の過剰免疫反応、低血糖などに罹患している可能性が高い、または将来罹患する可能性が高いと診断することができる。
（５）細胞膜におけるモルモットＴＧＲ５またはその部分ペプチドの量を変化させる化合物またはその塩を含有する医薬
本発明の抗体は、モルモットＴＧＲ５を特異的に認識することができるので、細胞膜におけるモルモットＴＧＲ５の量を変化させる化合物またはその塩のスクリーニングに用いることができる。
【０２７２】
すなわち本発明は、例えば、
（ｉ）非ヒト哺乳動物のａ）血液、ｂ）特定の臓器、ｃ）臓器から単離した組織もしくは細胞等を破壊した後、細胞膜画分を単離し、細胞膜画分に含まれるモルモットＴＧＲ５を定量することによる、細胞膜におけるモルモットＴＧＲ５の量を変化させる化合物またはその塩のスクリーニング方法、
（ii）モルモットＴＧＲ５を発現する形質転換体等を破壊した後、細胞膜画分を単離し、細胞膜画分に含まれるモルモットＴＧＲ５を定量することによる、細胞膜におけるモルモットＴＧＲ５の量を変化させる化合物またはその塩のスクリーニング方法、
（iii）非ヒト哺乳動物のａ）血液、ｂ）特定の臓器、ｃ）臓器から単離した組織もしくは細胞等を切片とした後、免疫染色法を用いることにより、細胞表層での該受容体蛋白質の染色度合いを定量化することにより、細胞膜上の該蛋白質を確認することによる、細胞膜におけるモルモットＴＧＲ５の量を変化させる化合物またはその塩のスクリーニング方法を提供する。
【０２７３】
（iv）モルモットＴＧＲ５を発現する形質転換体等を切片とした後、免疫染色法を用いることにより、細胞表層での該受容体蛋白質の染色度合いを定量化することにより、細胞膜上の該蛋白質を確認することによる、細胞膜におけるモルモットＴＧＲ５の量を変化させる化合物またはその塩のスクリーニング方法を提供する。
【０２７４】
細胞膜画分に含まれるモルモットＴＧＲ５の定量は具体的には以下のようにして行なう。
【０２７５】
（ｉ）正常あるいは疾患モデル非ヒト哺乳動物（例えば、マウス、ラット、モルモット、ウサギ、ヒツジ、ブタ、ウシ、ネコ、イヌ、サルなど、より具体的には痴呆ラット、肥満マウス、動脈硬化ウサギ、担癌マウスなど）に対して、薬剤（例えば、抗痴呆薬、血圧低下薬、抗癌剤、抗肥満薬など）あるいは物理的ストレス（例えば、浸水ストレス、電気ショック、明暗、低温など）などを与え、一定時間経過した後に、血液、あるいは特定の臓器（例えば、脳、肝臓、腎臓など）、または臓器から単離した組織、あるいは細胞を得る。得られた臓器、組織または細胞等を、例えば、適当な緩衝液（例えば、トリス塩酸緩衝液、リン酸緩衝液、ヘペス緩衝液など）等に懸濁し、臓器、組織あるいは細胞を破壊し、界面活性剤（例えば、トリトンＸ１００ＴＭ、ツイーン２０ＴＭなど）などを用い、さらに遠心分離や濾過、カラム分画などの手法を用いて細胞膜画分を得る。
【０２７６】
細胞膜画分としては、細胞を破砕した後、それ自体公知の方法で得られる細胞膜が多く含まれる画分のことをいう。細胞の破砕方法としては、Potter−Elvehjem型ホモジナイザーで細胞を押し潰す方法、ワーリングブレンダーやポリトロン（Kinematica社製）による破砕、超音波による破砕、フレンチプレスなどで加圧しながら細胞を細いノズルから噴出させることによる破砕などが挙げられる。細胞膜の分画には、分画遠心分離法や密度勾配遠心分離法などの遠心力による分画法が主として用いられる。例えば、細胞破砕液を低速（５００〜３０００ｒｐｍ）で短時間（通常、約１〜１０分）遠心し、上清をさらに高速（１５０００〜３００００ｒｐｍ）で通常３０分〜２時間遠心し、得られる沈澱を膜画分とする。該膜画分中には、発現したモルモットＴＧＲ５と細胞由来のリン脂質や膜蛋白質などの膜成分が多く含まれる。
【０２７７】
細胞膜画分に含まれるモルモットＴＧＲ５は、例えば、本発明の抗体を用いたサンドイッチ免疫測定法、ウエスタンブロット解析などにより定量することができる。
【０２７８】
かかるサンドイッチ免疫測定法は上記の方法と同様にして行なうことができ、ウエスタンブロットは自体公知の手段により行なうことができる。
【０２７９】
（ii）モルモットＴＧＲ５を発現する形質転換体を上記の方法に従い作製し、細胞膜画分に含まれるモルモットＴＧＲ５を定量することができる。
【０２８０】
細胞膜におけるモルモットＴＧＲ５の量を変化させる化合物またはその塩のスクリーニングは、
（ｉ）正常あるいは疾患モデル非ヒト哺乳動物に対して、薬剤あるいは物理的ストレスなどを与える一定時間前（３０分前〜２４時間前、好ましくは３０分前〜１２時間前、より好ましくは１時間前〜６時間前）もしくは一定時間後（３０分後〜３日後、好ましくは１時間後〜２日後、より好ましくは１時間後〜２４時間後）、または薬剤あるいは物理的ストレスと同時に試験化合物を投与し、投与後一定時間経過後（３０分後〜３日後、好ましくは１時間後〜２日後、より好ましくは１時間後〜２４時間後）、細胞膜におけるモルモットＴＧＲ５の量を定量することにより行なうことができ、
（ii）形質転換体を常法に従い培養する際に試験化合物を培地中に混合させ、一定時間培養後（１日後〜７日後、好ましくは１日後〜３日後、より好ましくは２日後〜３日後）、細胞膜におけるモルモットＴＧＲ５の量を定量することにより行なうことができる。
【０２８１】
細胞膜画分に含まれるモルモットＴＧＲ５の確認は具体的には以下のようにして行なう。
【０２８２】
（iii）正常あるいは疾患モデル非ヒト哺乳動物（例えば、マウス、ラット、モルモット、ウサギ、ヒツジ、ブタ、ウシ、ネコ、イヌ、サルなど、より具体的には痴呆ラット、肥満マウス、動脈硬化ウサギ、担癌マウスなど）に対して、薬剤（例えば、抗痴呆薬、血圧低下薬、抗癌剤、抗肥満薬など）あるいは物理的ストレス（例えば、浸水ストレス、電気ショック、明暗、低温など）などを与え、一定時間経過した後に、血液、あるいは特定の臓器（例えば、脳、肝臓、腎臓など）、または臓器から単離した組織、あるいは細胞を得る。得られた臓器、組織または細胞等を、常法に従い組織切片とし、本発明の抗体を用いて免疫染色を行う。細胞表層での該受容体蛋白質の染色度合いを定量化することにより、細胞膜上の該蛋白質を確認することにより、定量的または定性的に、細胞膜におけるモルモットＴＧＲ５の量を確認することができる。
【０２８３】
（iv）モルモットＴＧＲ５を発現する形質転換体等を用いて同様の手段をとることにより確認することもできる。
【０２８４】
試験化合物としては、例えば、ペプチド、蛋白質、非ペプチド性化合物、合成化合物、発酵生産物、細胞抽出液、植物抽出液、動物組織抽出液などが用いられ、これら化合物は新規な化合物であってもよいし、公知の化合物であってもよい。
【０２８５】
試験化合物は塩を形成していてもよく、試験化合物の塩としては、薬理学的に許容される塩が好ましく、例えば無機塩基との塩、有機塩基との塩、無機酸との塩、有機酸との塩、塩基性または酸性アミノ酸との塩などが挙げられる。
【０２８６】
無機塩基との塩の好適な例としては、例えばナトリウム塩、カリウム塩、リチウム塩などのアルカリ金属塩；カルシウム塩、マグネシウム塩などのアルカリ土類金属塩；アルミニウム塩、アンモニウム塩などが挙げられる。
【０２８７】
有機塩基との塩の好適な例としては、例えばトリメチルアミン、トリエチルアミン、ピリジン、ピコリン、エタノールアミン、ジエタノールアミン、トリエタノールアミン、ジシクロヘキシルアミン、Ｎ，Ｎ−ジベンジルエチレンジアミンなどとの塩が挙げられる。
【０２８８】
無機酸との塩の好適な例としては、例えば塩酸、臭化水素酸、硝酸、硫酸、リン酸などとの塩が挙げられる。
【０２８９】
有機酸との塩の好適な例としては、例えばギ酸、酢酸、トリフルオロ酢酸、フマル酸、シュウ酸、酒石酸、マレイン酸、クエン酸、コハク酸、リンゴ酸、メタンスルホン酸、ベンゼンスルホン酸、ｐ−トルエンスルホン酸などとの塩が挙げられる。
【０２９０】
塩基性アミノ酸との塩の好適な例としては、例えばアルギニン、リジン、オルニチンなどとの塩が挙げられる。
【０２９１】
酸性アミノ酸との塩の好適な例としては、例えばアスパラギン酸、グルタミン酸などとの塩が挙げられる。
【０２９２】
本発明のスクリーニング方法を用いて得られる化合物またはその塩は、細胞膜におけるモルモットＴＧＲ５の量を変化させる作用を有する化合物またはその塩であり、具体的には、（イ）細胞膜におけるモルモットＴＧＲ５の量を増加させることにより、モルモットＴＧＲ５を介する細胞刺激活性を増強させる化合物またはその塩、（ロ）細胞膜におけるモルモットＴＧＲ５の量を減少させることにより、該細胞刺激活性を減弱させる化合物またはその塩である。
【０２９３】
本発明のスクリーニング方法を用いて得られる化合物としては、ペプチド、蛋白質、非ペプチド性化合物、合成化合物、発酵生産物などが挙げられ、これら化合物は新規な化合物であってもよいし、公知の化合物であってもよい。
【０２９４】
本発明のスクリーニング方法を用いて得られる化合物の塩としては、薬理学的に許容される塩が好ましく、例えば無機塩基との塩、有機塩基との塩、無機酸との塩、有機酸との塩、塩基性または酸性アミノ酸との塩などが挙げられる。
【０２９５】
無機塩基との塩の好適な例としては、例えばナトリウム塩、カリウム塩、リチウム塩などのアルカリ金属塩；カルシウム塩、マグネシウム塩などのアルカリ土類金属塩；アルミニウム塩、アンモニウム塩などが挙げられる。
【０２９６】
有機塩基との塩の好適な例としては、例えばトリメチルアミン、トリエチルアミン、ピリジン、ピコリン、エタノールアミン、ジエタノールアミン、トリエタノールアミン、ジシクロヘキシルアミン、Ｎ，Ｎ−ジベンジルエチレンジアミンなどとの塩が挙げられる。
【０２９７】
無機酸との塩の好適な例としては、例えば塩酸、臭化水素酸、硝酸、硫酸、リン酸などとの塩が挙げられる。
【０２９８】
有機酸との塩の好適な例としては、例えばギ酸、酢酸、トリフルオロ酢酸、フマル酸、シュウ酸、酒石酸、マレイン酸、クエン酸、コハク酸、リンゴ酸、メタンスルホン酸、ベンゼンスルホン酸、ｐ−トルエンスルホン酸などとの塩が挙げられる。
【０２９９】
塩基性アミノ酸との塩の好適な例としては、例えばアルギニン、リジン、オルニチンなどとの塩が挙げられる。
【０３００】
酸性アミノ酸との塩の好適な例としては、例えばアスパラギン酸、グルタミン酸などとの塩が挙げられる。
【０３０１】
モルモットＴＧＲ５は上記のとおり、例えば、中枢機能など生体内で何らかの重要な役割を果たしていると考えられる。したがって、細胞膜におけるモルモットＴＧＲ５またはその部分ペプチドの量を変化させる化合物またはその塩は、モルモットＴＧＲ５の機能不全などに関連する疾患、例えば、中枢疾患（例えば、アルツハイマー病、痴呆、摂食障害など）、炎症性疾患（例えば、アレルギー、リュウマチ、変形性関節症、エリテマトーデスなど）、循環器疾患（例えば、高血圧症、心肥大、狭心症、動脈硬化症等）、癌（例えば、非小細胞肺癌、卵巣癌、前立腺癌、胃癌、膀胱癌、乳癌、子宮頸部癌、結腸癌、直腸癌等）、呼吸器疾患（例えば、肺炎、気管支炎、喘息、肺繊維症など）、糖尿病、免疫系疾患（例えば、クローン病、アトピー性皮膚炎、自己免疫疾患、免疫不全、白血病等）、肝臓・胆のう疾患（例えば、肝硬変、肝炎、肝不全、胆汁うっ滞症、結石等）、消化管疾患（例えば、潰瘍、腸炎、吸収不良、炎症性腸疾患等）、感染症、肥満、移植医療後の過剰免疫反応、インスリン分泌不全、膵疲弊、低血糖などの疾患の予防・治療剤として有用である。
【０３０２】
これらの疾患のうち、免疫機能、マクロファージ機能などが亢進することに起因する疾患（例えば、炎症性疾患、移植医療後の過剰免疫反応など）には、特に細胞膜におけるモルモットＴＧＲ５の量を増加させる化合物またはその塩が有効である。さらに、細胞膜におけるモルモットＴＧＲ５の量を増加させる化合物またはその塩は、Ｇｌｕｃａｇｏｎ−ｌｉｋｅ  ｐｅｐｔｉｄｅ−１（ＧＬＰ−１）分泌促進剤、食欲抑制剤、膵臓の再生剤、膵β細胞分化促進剤、膵β細胞増殖促進剤などとしても有効であり、例えば、糖尿病、インスリン分泌不全、膵疲弊、肥満の予防・治療剤として使用することができる。
【０３０３】
一方、免疫機能、マクロファージ機能などが抑制されることに起因する疾患（例えば、免疫不全、感染症など）には、特に細胞膜におけるモルモットＴＧＲ５の量を減少させる化合物またはその塩が有効である。さらに、細胞膜におけるモルモットＴＧＲ５の量を減少させる化合物またはその塩は、Ｇｌｕｃａｇｏｎ−ｌｉｋｅ  ｐｅｐｔｉｄｅ−１（ＧＬＰ−１）分泌抑制剤、膵β細胞分化抑制剤、膵β細胞増殖抑制剤として有効であり、例えば、低血糖の予防・治療剤として使用することができる。
【０３０４】
また、細胞膜におけるモルモットＴＧＲ５またはその部分ペプチドの量を変化させる化合物またはその塩は、例えば、ソマトスタチン、コレシストキニン、Ｇｌｕｃａｇｏｎ−ｌｉｋｅ  ｐｅｐｔｉｄｅ−２（ＧＬＰ−２）、Ｇａｓｔｏｒｉｃ  ｉｎｈｉｂｉｔｏｒｙ  ｐｏｌｙｐｅｐｔｉｄｅ（＝Ｇｌｕｃｏｓｅ  ｄｅｐｅｎｄｅｎｔ  ｉｎｓｕｌｉｎｏｔｒｏｐｉｃ  ｐｅｐｔｉｄｅ）、Ｇａｓｔｒｉｎ、Ｇａｓｔｒｉｎ  ｒｅｌｅａｓｉｎｇ  ｐｅｐｔｉｄｅ、グレリン、グリセンチンなどの分泌調節剤として使用することができる。
【０３０５】
細胞膜におけるモルモットＴＧＲ５またはその部分ペプチドの量を変化させる化合物またはその塩をモルモットＴＧＲ５の機能不全に関連する疾患の予防および／または治療剤として使用する場合は、常套手段に従って製剤化することができる。
【０３０６】
例えば、該化合物は、必要に応じて糖衣を施した錠剤、カプセル剤、エリキシル剤、マイクロカプセル剤などとして経口的に、あるいは水もしくはそれ以外の薬学的に許容し得る液との無菌性溶液、または懸濁液剤などの注射剤の形で非経口的に使用できる。例えば、該化合物を生理学的に認められる公知の担体、香味剤、賦形剤、ベヒクル、防腐剤、安定剤、結合剤などとともに一般に認められた製剤実施に要求される単位用量形態で混和することによって製造することができる。これら製剤における有効成分量は指示された範囲の適当な容量が得られるようにするものである。
【０３０７】
錠剤、カプセル剤などに混和することができる添加剤としては、例えば、ゼラチン、コーンスターチ、トラガント、アラビアゴムのような結合剤、結晶性セルロースのような賦形剤、コーンスターチ、ゼラチン、アルギン酸などのような膨化剤、ステアリン酸マグネシウムのような潤滑剤、ショ糖、乳糖またはサッカリンのような甘味剤、ペパーミント、アカモノ油またはチェリーのような香味剤などが用いられる。調剤単位形態がカプセルである場合には、上記タイプの材料にさらに油脂のような液状担体を含有することができる。注射のための無菌組成物は注射用水のようなベヒクル中の活性物質、胡麻油、椰子油などのような天然産出植物油などを溶解または懸濁させるなどの通常の製剤実施に従って処方することができる。注射用の水性液としては、例えば、生理食塩水、ブドウ糖やその他の補助薬を含む等張液（例えば、Ｄ−ソルビトール、Ｄ−マンニトール、塩化ナトリウムなど）などが用いられ、適当な溶解補助剤、例えば、アルコール（例、エタノール）、ポリアルコール（例、プロピレングリコール、ポリエチレングリコール）、非イオン性界面活性剤（例、ポリソルベート８０TM、ＨＣＯ−５０）などと併用してもよい。油性液としては、例えば、ゴマ油、大豆油などが用いられ、溶解補助剤である安息香酸ベンジル、ベンジルアルコールなどと併用してもよい。
【０３０８】
また、上記予防・治療剤は、例えば、緩衝剤（例えば、リン酸塩緩衝液、酢酸ナトリウム緩衝液）、無痛化剤（例えば、塩化ベンザルコニウム、塩酸プロカインなど）、安定剤（例えば、ヒト血清アルブミン、ポリエチレングリコールなど）、保存剤（例えば、ベンジルアルコール、フェノールなど）、酸化防止剤などと配合してもよい。調製された注射液は通常、適当なアンプルに充填される。
【０３０９】
このようにして得られる製剤は安全で低毒性であるので、例えば、ヒトやその他の哺乳動物（例えば、ラット、マウス、モルモット、ウサギ、ヒツジ、ブタ、ウシ、ネコ、イヌ、サルなど）に対して投与することができる。
【０３１０】
該化合物またはその塩の投与量は、投与対象、対象臓器、症状、投与方法などにより差異はあるが、経口投与の場合、一般的に例えば、炎症性疾患患者（体重６０ｋｇとして）においては、一日につき細胞膜におけるモルモットＴＧＲ５またはその部分ペプチドの量を増加させる化合物またはその塩を約０.１〜１００ｍｇ、好ましくは約１．０〜５０ｍｇ、より好ましくは約１．０〜２０ｍｇである。非経口的に投与する場合は、その１回投与量は投与対象、対象臓器、症状、投与方法などによっても異なるが、例えば、注射剤の形では通常例えば、炎症性疾患患者（体重６０ｋｇとして）においては、一日につき細胞膜におけるモルモットＴＧＲ５またはその部分ペプチドの量を増加させる化合物またはその塩を約０．０１〜３０ｍｇ程度、好ましくは約０．１〜２０ｍｇ程度、より好ましくは約０．１〜１０ｍｇ程度を静脈注射により投与するのが好都合である。他の動物の場合も、体重６０ｋｇ当たりに換算した量を投与することができる。
（６）本発明の抗体を含有してなる医薬
モルモットＴＧＲ５もしくはその部分ペプチドまたはその塩に対する抗体の、それらレセプター蛋白質などに対する中和活性とは、すなわち、モルモットＴＧＲ５の関与するシグナル伝達機能を不活性化する活性を意味する。従って、該抗体が中和活性を有する場合は、モルモットＴＧＲ５の関与するシグナル伝達、例えば、モルモットＴＧＲ５を介する細胞刺激活性（例えば、アラキドン酸遊離、アセチルコリン遊離、細胞内Ｃａ2+遊離、細胞内ｃＡＭＰ産生、細胞内ｃＧＭＰ生成、イノシトールリン酸産生、細胞膜電位変動、細胞内蛋白質（例、ＭＡＰキナーゼ）のリン酸化または活性化、ｃ−ｆｏｓの活性化、ｐＨの低下、ＧＬＰ−１分泌活性などを促進する活性または抑制する活性など、特に細胞内ｃＡＭＰ産生上昇活性、ＭＡＰキナーゼのリン酸化または活性化、ＧＬＰ−１分泌促進活性）を不活性化することができる。
【０３１１】
したがって、モルモットＴＧＲ５もしくはその部分ペプチドまたはその塩に対する抗体（例、中和抗体）は、モルモットＴＧＲ５の過剰発現などに起因する疾患（例えば、免疫不全、感染症、低血糖など）の予防・治療剤、Ｇｌｕｃａｇｏｎ−ｌｉｋｅ  ｐｅｐｔｉｄｅ−１（ＧＬＰ−１）分泌抑制剤、膵β細胞分化抑制剤、膵β細胞増殖抑制剤として用いることができる。
【０３１２】
また、モルモットＴＧＲ５もしくはその部分ペプチドまたはその塩に対する抗体（例、中和抗体）は、例えば、ソマトスタチン、コレシストキニン、Ｇｌｕｃａｇｏｎ−ｌｉｋｅ  ｐｅｐｔｉｄｅ−２（ＧＬＰ−２）、Ｇａｓｔｏｒｉｃ  ｉｎｈｉｂｉｔｏｒｙ  ｐｏｌｙｐｅｐｔｉｄｅ（＝Ｇｌｕｃｏｓｅ  ｄｅｐｅｎｄｅｎｔ  ｉｎｓｕｌｉｎｏｔｒｏｐｉｃ  ｐｅｐｔｉｄｅ）、Ｇａｓｔｒｉｎ、Ｇａｓｔｒｉｎ  ｒｅｌｅａｓｉｎｇ  ｐｅｐｔｉｄｅ、グレリン、グリセンチンなどの分泌調節剤として使用することができる。
（７）本発明のアンチセンスＤＮＡまたはｓｉＲＮＡを含有してなる医薬
本発明のアンチセンスＤＮＡまたはｓｉＲＮＡは、モルモットＴＧＲ５の過剰発現などに起因する疾患（例えば、免疫不全、感染症、低血糖など）の疾患の予防・治療剤、Ｇｌｕｃａｇｏｎ−ｌｉｋｅ  ｐｅｐｔｉｄｅ−１（ＧＬＰ−１）分泌抑制剤、膵β細胞分化抑制剤、膵β細胞増殖抑制剤として用いることができる。
【０３１３】
また、本発明のアンチセンスＤＮＡまたはｓｉＲＮＡは、例えば、ソマトスタチン、コレシストキニン、Ｇｌｕｃａｇｏｎ−ｌｉｋｅ  ｐｅｐｔｉｄｅ−２（ＧＬＰ−２）、Ｇａｓｔｏｒｉｃ  ｉｎｈｉｂｉｔｏｒｙ  ｐｏｌｙｐｅｐｔｉｄｅ（＝Ｇｌｕｃｏｓｅ  ｄｅｐｅｎｄｅｎｔ  ｉｎｓｕｌｉｎｏｔｒｏｐｉｃ  ｐｅｐｔｉｄｅ）、Ｇａｓｔｒｉｎ、Ｇａｓｔｒｉｎ  ｒｅｌｅａｓｉｎｇ  ｐｅｐｔｉｄｅ、グレリン、グリセンチンなどの分泌調節剤として使用することができる。
【０３１４】
例えば、該アンチセンスＤＮＡまたはｓｉＲＮＡを用いる場合、該アンチセンスＤＮＡを単独あるいはレトロウイルスベクター、アデノウイルスベクター、アデノウイルスアソシエーテッドウイルスベクターなどの適当なベクターに挿入した後、常套手段に従って実施することができる。該アンチセンスＤＮＡまたはｓｉＲＮＡは、そのままで、あるいは摂取促進のために補助剤などの生理学的に認められる担体とともに製剤化し、遺伝子銃やハイドロゲルカテーテルのようなカテーテルによって投与できる。
【０３１５】
さらに、該アンチセンスＤＮＡまたはｓｉＲＮＡは、組織や細胞における本発明のＤＮＡの存在やその発現状況を調べるための診断用オリゴヌクレオチドプローブとして使用することもできる。
（８）ＴＧＲ５に対するアゴニストのスクリーニング方法
コレステロール代謝関連物質またはその塩がＴＧＲ５に結合することによって、細胞内ｃＡＭＰ産生の上昇が見られることから、ＴＧＲ５はこの細胞内シグナルを指標としてＴＧＲ５に対するコレステロール代謝関連物質またはその塩以外のアゴニスト（天然リガンドを含む）を探索し、または決定するための試薬として有用である。
【０３１６】
すなわち、本発明は、試験化合物をＴＧＲ５を含有する細胞に接触させた場合における、ＴＧＲ５を介した細胞内ｃＡＭＰ産生上昇活性、ＭＡＰキナーゼのリン酸化または活性化、ＧＬＰ−１分泌促進活性などの活性を測定することを特徴とするＴＧＲ５に対するアゴニストの決定方法を提供する。
【０３１７】
試験化合物としては、公知のリガンド（例えば、アンギオテンシン、ボンベシン、カナビノイド、コレシストキニン、グルタミン、セロトニン、メラトニン、ニューロペプチドＹ、オピオイド、プリン、バソプレッシン、オキシトシン、ＰＡＣＡＰ（例、ＰＡＣＡＰ２７，ＰＡＣＡＰ３８）、セクレチン、グルカゴン、カルシトニン、アドレノメジュリン、ソマトスタチン、ＧＨＲＨ、ＣＲＦ、ＡＣＴＨ、ＧＲＰ、ＰＴＨ、ＶＩＰ（バソアクティブ  インテスティナル  アンド  リレイテッド  ポリペプチド）、ソマトスタチン、ドーパミン、モチリン、アミリン、ブラジキニン、ＣＧＲＰ（カルシトニンジーンリレーティッドペプチド）、ロイコトリエン、パンクレアスタチン、プロスタグランジン、トロンボキサン、アデノシン、アドレナリン、ケモカインスーパーファミリー（例、ＩＬ−８，ＧＲＯα，ＧＲＯβ，ＧＲＯγ，ＮＡＰ−２，ＥＮＡ−７８，ＧＣＰ−２，ＰＦ４，ＩＰ−１０，Ｍｉｇ，ＰＢＳＦ／ＳＤＦ−１などのＣＸＣケモカインサブファミリー；ＭＣＡＦ／ＭＣＰ−１，ＭＣＰ−２，ＭＣＰ−３，ＭＣＰ−４，ｅｏｔａｘｉｎ，ＲＡＮＴＥＳ，ＭＩＰ−１α、ＭＩＰ−１β，ＨＣＣ−１，ＭＩＰ−３α／ＬＡＲＣ、ＭＩＰ−３β／ＥＬＣ，Ｉ−３０９，ＴＡＲＣ，ＭＩＰＦ−１，ＭＩＰＦ−２／ｅｏｔａｘｉｎ−２，ＭＤＣ，ＤＣ−ＣＫ１／ＰＡＲＣ，ＳＬＣなどのＣＣケモカインサブファミリー；ｌｙｍｐｈｏｔａｃｔｉｎなどのＣケモカインサブファミリー；ｆｒａｃｔａｌｋｉｎｅなどのＣＸ３Ｃケモカインサブファミリー等）、エンドセリン、エンテロガストリン、ヒスタミン、ニューロテンシン、ＴＲＨ、パンクレアティックポリペプタイド、ガラニン、リゾホスファチジン酸（ＬＰＡ）、スフィンゴシン１−リン酸など）の他に、例えば、ヒトまたは哺乳動物（例えば、マウス、ラット、ブタ、ウシ、ヒツジ、サルなど）の組織抽出物、細胞培養上清、低分子合成化合物などが用いられる。例えば、該組織抽出物、細胞培養上清などをＴＧＲ５に添加し、細胞刺激活性などを測定しながら分画し、最終的に単一のリガンドを得ることができる。
【０３１８】
具体的には、本発明のアゴニスト決定方法は、本発明の組換え型ＴＧＲ５の発現系を構築し、該発現系を用いたレセプター結合アッセイ系を用いることによって、ＴＧＲ５を介する細胞内ｃＡＭＰ産生上昇活性、ＭＡＰキナーゼのリン酸化または活性化、ＧＬＰ−１分泌促進活性、サイトカイン産生抑制活性などの活性を有する化合物またはその塩を決定する方法である。
【０３１９】
より具体的には、本発明は、次のような決定方法を提供する。
（１）試験化合物をＴＧＲ５を含有する細胞（例、ＣＨＯ細胞、ＮＣＩ−Ｈ７１６）に接触させた場合における細胞内ｃＡＭＰ産生上昇活性、ＭＡＰキナーゼのリン酸化もしくは活性化、ＧＬＰ−１分泌促進活性またはサイトカイン産生抑制活性を測定することを特徴とするＴＧＲ５に対するアゴニストの決定方法、および
（２）試験化合物をＴＧＲ５ＤＮＡを含有する形質転換体を培養することによって細胞膜上に発現したＴＧＲ５に接触させた場合におけるＴＧＲ５を介する細胞内ｃＡＭＰ産生上昇活性、ＭＡＰキナーゼのリン酸化もしくは活性化、ＧＬＰ−１分泌促進活性またはサイトカイン産生抑制活性を測定することを特徴とするＴＧＲ５に対するアゴニストの決定方法を提供する。
【０３２０】
特に、試験化合物がＴＧＲ５に結合することを確認した後に、上記の試験を行なうことが好ましい。
【０３２１】
本発明のアゴニスト決定方法において、ＴＧＲ５を含有する細胞を用いる場合、該細胞をグルタルアルデヒド、ホルマリンなどで固定化してもよい。固定化方法は公知の方法に従って行なうことができる。
【０３２２】
ＴＧＲ５を含有する細胞の膜画分としては、細胞を破砕した後、公知の方法で得られる細胞膜が多く含まれる画分のことをいう。細胞の破砕方法としては、Potter−Elvehjem型ホモジナイザーで細胞を押し潰す方法、ワーリングブレンダーやポリトロン（Kinematica社製）による破砕、超音波による破砕、フレンチプレスなどで加圧しながら細胞を細いノズルから噴出させることによる破砕などが挙げられる。細胞膜の分画には、分画遠心分離法や密度勾配遠心分離法などの遠心力による分画法が主として用いられる。例えば、細胞破砕液を低速（５００〜３０００ｒｐｍ）で短時間（通常、約１〜１０分）遠心し、上清をさらに高速（１５０００〜３００００ｒｐｍ）で通常３０分〜２時間遠心し、得られる沈澱を膜画分とする。該膜画分中には、発現したＴＧＲ５と細胞由来のリン脂質や膜蛋白質などの膜成分が多く含まれる。
【０３２３】
ＴＧＲ５を含有する細胞やその細胞膜画分中のＴＧＲ５の量は、１細胞当たり１０３〜１０８分子であるのが好ましく、１０５〜１０７分子であるのが好適である。なお、発現量が多いほど膜画分当たりのリガンド結合活性（比活性）が高くなり、高感度なスクリーニング系の構築が可能になるばかりでなく、同一ロットで大量の試料を測定できるようになる。
【０３２４】
本発明のアゴニスト決定方法を実施するためには、ＴＧＲ５を介する細胞内ｃＡＭＰ産生上昇活性を公知の方法または市販の測定用キットを用いて測定することができる。具体的には、まず、ＴＧＲ５を含有する細胞をマルチウェルプレート等に培養する。アゴニスト決定を行なうにあたっては前もって新鮮な培地あるいは細胞に毒性を示さない適当なバッファーに交換し、試験化合物などを添加して一定時間インキュベートした後、細胞を抽出あるいは上清液を回収して、生成した産物をそれぞれの方法に従って定量する。細胞刺激活性の指標とする物質（例えば、ｃＡＭＰなど）の生成が、細胞が含有する分解酵素によって検定困難な場合は、該分解酵素に対する阻害剤を添加してアッセイを行なってもよい。
【０３２５】
本発明のアゴニスト決定用キットは、ＴＧＲ５を含有する細胞またはその細胞膜画分を含有するものである。
【０３２６】
このようにして決定されるＴＧＲ５に対するアゴニストは、例えば、中枢疾患（例えば、アルツハイマー病、痴呆、摂食障害など）、炎症性疾患（例えば、アレルギー、リュウマチ、変形性関節症、エリテマトーデスなど）、循環器疾患（例えば、高血圧症、心肥大、狭心症、動脈硬化症等）、癌（例えば、非小細胞肺癌、卵巣癌、前立腺癌、胃癌、膀胱癌、乳癌、子宮頸部癌、結腸癌、直腸癌等）、呼吸器疾患（例えば、肺炎、気管支炎、喘息、肺繊維症など）、糖尿病、免疫系疾患（例えば、クローン病、アトピー性皮膚炎、自己免疫疾患、免疫不全、白血病等）、肝臓・胆のう疾患（例えば、肝硬変、肝炎、肝不全、胆汁うっ滞症、結石等）、消化管疾患（例えば、潰瘍、腸炎、吸収不良、炎症性腸疾患等）、感染症、肥満、移植医療後の過剰免疫反応などの疾患、特に免疫機能、マクロファージ機能などが亢進することに起因する疾患（例えば、炎症性疾患、移植医療後の過剰免疫反応など）の予防および／または治療剤として有用である。さらに、ＴＧＲ５に対するアゴニストは、Ｇｌｕｃａｇｏｎ−ｌｉｋｅ  ｐｅｐｔｉｄｅ−１（ＧＬＰ−１）分泌促進剤、食欲抑制剤、膵臓の再生剤、膵β細胞分化促進剤、膵β細胞増殖促進剤などとしても有効であり、例えば、糖尿病、インスリン分泌不全、膵疲弊、肥満の予防・治療剤として使用することができる。
【０３２７】
また、ＴＧＲ５に対するアゴニストは、例えば、ソマトスタチン、コレシストキニン、Ｇｌｕｃａｇｏｎ−ｌｉｋｅ  ｐｅｐｔｉｄｅ−２（ＧＬＰ−２）、Ｇａｓｔｏｒｉｃ  ｉｎｈｉｂｉｔｏｒｙ  ｐｏｌｙｐｅｐｔｉｄｅ（＝Ｇｌｕｃｏｓｅ  ｄｅｐｅｎｄｅｎｔ  ｉｎｓｕｌｉｎｏｔｒｏｐｉｃ  ｐｅｐｔｉｄｅ）、Ｇａｓｔｒｉｎ、Ｇａｓｔｒｉｎ  ｒｅｌｅａｓｉｎｇ  ｐｅｐｔｉｄｅ、グレリン、グリセンチンなどの分泌調節剤として使用することができる。
（９）各種薬物の作用メカニズムの解明方法
ＴＧＲ５を用いることによって、各種薬物がＴＧＲ５を介して薬理効果を発揮しているか否かを確認することができる。
【０３２８】
すなわち、本発明は、
（１）ＴＧＲ５を用いることを特徴とする、中枢疾患（例えば、アルツハイマー病、痴呆、摂食障害など）、炎症性疾患（例えば、アレルギー、リュウマチ、変形性関節症、エリテマトーデスなど）、循環器疾患（例えば、高血圧症、心肥大、狭心症、動脈硬化症等）、癌（例えば、非小細胞肺癌、卵巣癌、前立腺癌、胃癌、膀胱癌、乳癌、子宮頸部癌、結腸癌、直腸癌等）、呼吸器疾患（例えば、肺炎、気管支炎、喘息、肺繊維症など）、糖尿病、免疫系疾患（例えば、クローン病、アトピー性皮膚炎、自己免疫疾患、免疫不全、白血病等）、肝臓・胆のう疾患（例えば、肝硬変、肝炎、肝不全、胆汁うっ滞症、結石等）、消化管疾患（例えば、潰瘍、腸炎、吸収不良、炎症性腸疾患等）、感染症、肥満、移植医療後の過剰免疫反応、インスリン分泌不全、膵疲弊、低血糖などの疾患の予防・治療薬、Ｇｌｕｃａｇｏｎ−ｌｉｋｅ  ｐｅｐｔｉｄｅ−１（ＧＬＰ−１）分泌調節薬（促進薬、抑制薬）、食欲抑制薬、膵臓の再生薬、膵β細胞分化促進薬、膵β細胞増殖促進薬、またはソマトスタチン、コレシストキニン、Ｇｌｕｃａｇｏｎ−ｌｉｋｅ  ｐｅｐｔｉｄｅ−２（ＧＬＰ−２）、Ｇａｓｔｏｒｉｃ  ｉｎｈｉｂｉｔｏｒｙ  ｐｏｌｙｐｅｐｔｉｄｅ（＝Ｇｌｕｃｏｓｅ  ｄｅｐｅｎｄｅｎｔ  ｉｎｓｕｌｉｎｏｔｒｏｐｉｃ  ｐｅｐｔｉｄｅ）、Ｇａｓｔｒｉｎ、Ｇａｓｔｒｉｎ  ｒｅｌｅａｓｉｎｇ  ｐｅｐｔｉｄｅ、グレリン、グリセンチンなどの分泌調節薬が該レセプター蛋白質またはその塩に結合することを確認する方法、
（２）ＴＧＲ５を用いることを特徴とする、免疫機能、マクロファージ機能などが亢進することに起因する疾患（例えば、炎症性疾患、移植医療後の過剰免疫反応など）、インスリン分泌不全、膵疲弊の予防・治療薬、Ｇｌｕｃａｇｏｎ−ｌｉｋｅ  ｐｅｐｔｉｄｅ−１（ＧＬＰ−１）分泌促進薬、食欲抑制薬、膵臓の再生薬、膵β細胞分化促進薬、膵β細胞増殖促進薬、またはソマトスタチン、コレシストキニン、Ｇｌｕｃａｇｏｎ−ｌｉｋｅ  ｐｅｐｔｉｄｅ−２（ＧＬＰ−２）、Ｇａｓｔｏｒｉｃ  ｉｎｈｉｂｉｔｏｒｙ  ｐｏｌｙｐｅｐｔｉｄｅ（＝Ｇｌｕｃｏｓｅ  ｄｅｐｅｎｄｅｎｔ  ｉｎｓｕｌｉｎｏｔｒｏｐｉｃ  ｐｅｐｔｉｄｅ）、Ｇａｓｔｒｉｎ、Ｇａｓｔｒｉｎ  ｒｅｌｅａｓｉｎｇ  ｐｅｐｔｉｄｅ、グレリン、グリセンチンなどの分泌調節薬が該レセプター蛋白質またはその塩に対するアゴニストであることを確認する方法、
（３）ＴＧＲ５を用いることを特徴とする、免疫機能、マクロファージ機能などが抑制されることに起因する疾患（例えば、免疫不全、感染症など）、低血糖の予防・治療薬、Ｇｌｕｃａｇｏｎ−ｌｉｋｅ  ｐｅｐｔｉｄｅ−１（ＧＬＰ−１）分泌抑制薬、膵β細胞分化抑制薬、膵β細胞増殖抑制薬、またはソマトスタチン、コレシストキニン、Ｇｌｕｃａｇｏｎ−ｌｉｋｅ  ｐｅｐｔｉｄｅ−２（ＧＬＰ−２）、Ｇａｓｔｏｒｉｃ  ｉｎｈｉｂｉｔｏｒｙ  ｐｏｌｙｐｅｐｔｉｄｅ（＝Ｇｌｕｃｏｓｅ  ｄｅｐｅｎｄｅｎｔ  ｉｎｓｕｌｉｎｏｔｒｏｐｉｃ  ｐｅｐｔｉｄｅ）、Ｇａｓｔｒｉｎ、Ｇａｓｔｒｉｎ  ｒｅｌｅａｓｉｎｇ  ｐｅｐｔｉｄｅ、グレリン、グリセンチンなどの分泌調節薬が該レセプター蛋白質またはその塩に対するアンタゴニストであることを確認する方法、
（４）各薬をＴＧＲ５に接触させた場合における、各薬とＴＧＲ５との結合量を測定することを特徴とする上記（１）〜（３）記載のスクリーニング方法を提供する。
【０３２９】
この確認方法は、前記した合成リガンドとＴＧＲ５との結合性を変化させる化合物のスクリーニング方法において、試験化合物に代えて、上記の薬物を使用することによって実施することができる。
【０３３０】
また、本発明の確認方法用キットは、前記したリガンドとＴＧＲ５との結合性を変化させる化合物のスクリーニング用キットにおいて、試験化合物に代えて、上記の薬物を含有するものである。
【０３３１】
このように、本発明の確認方法を用いることによって、市販または開発途中の各種薬物がＴＧＲ５を介して薬理効果を発揮していることを確認することができる。
（１０）本発明のＤＮＡ導入動物の作製
本発明は、外来性の本発明のＤＮＡ（以下、本発明の外来性ＤＮＡと略記する）またはその変異ＤＮＡ（本発明の外来性変異ＤＮＡと略記する場合がある）を有する非ヒト哺乳動物を提供する。
【０３３２】
すなわち、本発明は、
〔１〕本発明の外来性ＤＮＡまたはその変異ＤＮＡを有する非ヒト哺乳動物、
〔２〕非ヒト哺乳動物がゲッ歯動物である第〔１〕記載の動物、
〔３〕ゲッ歯動物がマウスまたはラットである第〔２〕記載の動物、および
〔４〕本発明の外来性ＤＮＡまたはその変異ＤＮＡを含有し、哺乳動物において発現しうる組換えベクターを提供するものである。
【０３３３】
本発明の外来性ＤＮＡまたはその変異ＤＮＡを有する非ヒト哺乳動物（以下、本発明のＤＮＡ転移動物と略記する）は、未受精卵、受精卵、精子およびその始原細胞を含む胚芽細胞などに対して、好ましくは、非ヒト哺乳動物の発生における胚発生の段階（さらに好ましくは、単細胞または受精卵細胞の段階でかつ一般に８細胞期以前）に、リン酸カルシウム法、電気パルス法、リポフェクション法、凝集法、マイクロインジェクション法、パーティクルガン法、ＤＥＡＥ−デキストラン法などにより目的とするＤＮＡを転移することによって作出することができる。また、該ＤＮＡ転移方法により、体細胞、生体の臓器、組織細胞などに目的とする本発明の外来性ＤＮＡを転移し、細胞培養、組織培養などに利用することもでき、さらに、これら細胞を上述の胚芽細胞と自体公知の細胞融合法により融合させることにより本発明のＤＮＡ転移動物を作出することもできる。
【０３３４】
非ヒト哺乳動物としては、例えば、ウシ、ブタ、ヒツジ、ヤギ、ウサギ、イヌ、ネコ、モルモット、ハムスター、マウス、ラットなどが用いられる。なかでも、病体動物モデル系の作成の面から個体発生および生物サイクルが比較的短く、また、繁殖が容易なゲッ歯動物、とりわけマウス（例えば、純系として、Ｃ５７ＢＬ／６系統，ＤＢＡ２系統など、交雑系として、Ｂ６Ｃ３Ｆ１系統，ＢＤＦ１系統，Ｂ６Ｄ２Ｆ１系統，ＢＡＬＢ／ｃ系統，ＩＣＲ系統など）またはラット（例えば、Ｗｉｓｔａｒ，ＳＤなど）などが好ましい。
【０３３５】
哺乳動物において発現しうる組換えベクターにおける「哺乳動物」としては、上記の非ヒト哺乳動物の他にヒトなどがあげられる。
【０３３６】
本発明の外来性ＤＮＡとは、非ヒト哺乳動物が本来有している本発明のＤＮＡではなく、いったん哺乳動物から単離・抽出された本発明のＤＮＡをいう。
【０３３７】
本発明の変異ＤＮＡとしては、元の本発明のＤＮＡの塩基配列に変異（例えば、突然変異など）が生じたもの、具体的には、塩基の付加、欠損、他の塩基への置換などが生じたＤＮＡなどが用いられ、また、異常ＤＮＡも含まれる。
【０３３８】
該異常ＤＮＡとしては、異常なモルモットＴＧＲ５を発現させるＤＮＡを意味し、例えば、正常なモルモットＴＧＲ５の機能を抑制するモルモットＴＧＲ５を発現させるＤＮＡなどが用いられる。
【０３３９】
本発明の外来性ＤＮＡは、対象とする動物と同種あるいは異種のどちらの哺乳動物由来のものであってもよい。本発明のＤＮＡを対象動物に転移させるにあたっては、該ＤＮＡを動物細胞で発現させうるプロモーターの下流に結合したＤＮＡコンストラクトとして用いるのが一般に有利である。例えば、本発明のヒトＤＮＡを転移させる場合、これと相同性が高い本発明のＤＮＡを有する各種哺乳動物（例えば、ウサギ、イヌ、ネコ、モルモット、ハムスター、ラット、マウスなど）由来のＤＮＡを発現させうる各種プロモーターの下流に、本発明のヒトＤＮＡを結合したＤＮＡコンストラクト（例、ベクターなど）を対象哺乳動物の受精卵、例えば、マウス受精卵へマイクロインジェクションすることによって本発明のＤＮＡを高発現するＤＮＡ転移哺乳動物を作出することができる。
【０３４０】
モルモットＴＧＲ５の発現ベクターとしては、大腸菌由来のプラスミド、枯草菌由来のプラスミド、酵母由来のプラスミド、λファージなどのバクテリオファージ、モロニー白血病ウイルスなどのレトロウイルス、ワクシニアウイルスまたはバキュロウイルスなどの動物ウイルスなどが用いられる。なかでも、大腸菌由来のプラスミド、枯草菌由来のプラスミドまたは酵母由来のプラスミドなどが好ましく用いられる。
【０３４１】
上記のＤＮＡ発現調節を行なうプロモーターとしては、例えば、1)ウイルス（例、シミアンウイルス、サイトメガロウイルス、モロニー白血病ウイルス、ＪＣウイルス、乳癌ウイルス、ポリオウイルスなど）に由来するＤＮＡのプロモーター、2)各種哺乳動物（ヒト、ウサギ、イヌ、ネコ、モルモット、ハムスター、ラット、マウスなど）由来のプロモーター、例えば、アルブミン、インスリンＩＩ、ウロプラキンＩＩ、エラスターゼ、エリスロポエチン、エンドセリン、筋クレアチンキナーゼ、グリア線維性酸性蛋白質、グルタチオンＳ−トランスフェラーゼ、血小板由来成長因子β、ケラチンＫ１，Ｋ１０およびＫ１４、コラーゲンＩ型およびＩＩ型、サイクリックＡＭＰ依存蛋白質キナーゼβＩサブユニット、ジストロフィン、酒石酸抵抗性アルカリフォスファターゼ、心房ナトリウム利尿性因子、内皮レセプターチロシンキナーゼ（一般にＴｉｅ２と略される）、ナトリウムカリウムアデノシン３リン酸化酵素（Ｎａ，Ｋ−ＡＴＰａｓｅ）、ニューロフィラメント軽鎖、メタロチオネインＩおよびＩＩＡ、メタロプロティナーゼ１組織インヒビター、ＭＨＣクラスＩ抗原（Ｈ−２Ｌ）、Ｈ−ｒａｓ、レニン、ドーパミンβ−水酸化酵素、甲状腺ペルオキシダーゼ（ＴＰＯ）、ペプチド鎖延長因子1α（ＥＦ−１α）、βアクチン、αおよびβミオシン重鎖、ミオシン軽鎖１および２、ミエリン基礎蛋白質、チログロブリン、Ｔｈｙ−１、免疫グロブリン、Ｈ鎖可変部（ＶＮＰ）、血清アミロイドＰコンポーネント、ミオグロビン、トロポニンＣ、平滑筋αアクチン、プレプロエンケファリンＡ、バソプレシンなどのプロモーターなどが用いられる。なかでも、全身で高発現することが可能なサイトメガロウイルスプロモーター、ヒトペプチド鎖延長因子１α（ＥＦ−１α）のプロモーター、ヒトおよびニワトリβアクチンプロモーターなどが好適である。
【０３４２】
上記ベクターは、ＤＮＡ転移哺乳動物において目的とするメッセンジャーＲＮＡの転写を終結する配列（一般にターミネーターと呼ばれる）を有していることが好ましく、例えば、ウイルス由来および各種哺乳動物由来の各ＤＮＡの配列を用いることができ、好ましくは、シミアンウイルスのＳＶ４０ターミネーターなどが用いられる。
【０３４３】
その他、目的とする外来性ＤＮＡをさらに高発現させる目的で各ＤＮＡのスプライシングシグナル、エンハンサー領域、真核ＤＮＡのイントロンの一部などをプロモーター領域の５’上流、プロモーター領域と翻訳領域間あるいは翻訳領域の３’下流 に連結することも目的により可能である。
【０３４４】
正常なモルモットＴＧＲ５の翻訳領域は、ヒトまたは各種哺乳動物（例えば、ウサギ、イヌ、ネコ、モルモット、ハムスター、ラット、マウス、サルなど）由来の肝臓、腎臓、甲状腺細胞、線維芽細胞由来ＤＮＡおよび市販の各種ゲノムＤＮＡライブラリーよりゲノムＤＮＡの全てあるいは一部として、または肝臓、腎臓、甲状腺細胞、線維芽細胞由来ＲＮＡより公知の方法により調製された相補ＤＮＡを原料として取得することが出来る。また、外来性の異常ＤＮＡは、上記の細胞または組織より得られた正常なモルモットＴＧＲ５の翻訳領域を点突然変異誘発法により変異した翻訳領域を作製することができる。
【０３４５】
該翻訳領域は転移動物において発現しうるＤＮＡコンストラクトとして、前記のプロモーターの下流および所望により転写終結部位の上流に連結させる通常のＤＮＡ工学的手法により作製することができる。
【０３４６】
受精卵細胞段階における本発明の外来性ＤＮＡの転移は、対象哺乳動物の胚芽細胞および体細胞のすべてに存在するように確保される。ＤＮＡ転移後の作出動物の胚芽細胞において、本発明の外来性ＤＮＡが存在することは、作出動物の後代がすべて、その胚芽細胞および体細胞のすべてに本発明の外来性ＤＮＡを保持することを意味する。本発明の外来性ＤＮＡを受け継いだこの種の動物の子孫はその胚芽細胞および体細胞のすべてに本発明の外来性ＤＮＡを有する。
【０３４７】
本発明の外来性正常ＤＮＡを転移させた非ヒト哺乳動物は、交配により外来性ＤＮＡを安定に保持することを確認して、該ＤＮＡ保有動物として通常の飼育環境で継代飼育することが出来る。
【０３４８】
受精卵細胞段階における本発明の外来性ＤＮＡの転移は、対象哺乳動物の胚芽細胞および体細胞の全てに過剰に存在するように確保される。ＤＮＡ転移後の作出動物の胚芽細胞において本発明の外来性ＤＮＡが過剰に存在することは、作出動物の子孫が全てその胚芽細胞および体細胞の全てに本発明の外来性ＤＮＡを過剰に有することを意味する。本発明の外来性ＤＮＡを受け継いだこの種の動物の子孫はその胚芽細胞および体細胞の全てに本発明の外来性ＤＮＡを過剰に有する。
【０３４９】
導入ＤＮＡを相同染色体の両方に持つホモザイゴート動物を取得し、この雌雄の動物を交配することによりすべての子孫が該ＤＮＡを過剰に有するように繁殖継代することができる。
【０３５０】
本発明の正常ＤＮＡを有する非ヒト哺乳動物は、本発明の正常ＤＮＡが高発現させられており、内在性の正常ＤＮＡの機能を促進することにより最終的にモルモットＴＧＲ５の機能亢進症を発症することがあり、その病態モデル動物として利用することができる。例えば、本発明の正常ＤＮＡ転移動物を用いて、モルモットＴＧＲ５の機能亢進症や、モルモットＴＧＲ５が関連する疾患の病態機序の解明およびこれらの疾患の治療方法の検討を行なうことが可能である。
【０３５１】
また、本発明の外来性正常ＤＮＡを転移させた哺乳動物は、遊離したモルモットＴＧＲ５の増加症状を有することから、モルモットＴＧＲ５に関連する疾患に対する治療薬のスクリーニング試験にも利用可能である。
【０３５２】
一方、本発明の外来性異常ＤＮＡを有する非ヒト哺乳動物は、交配により外来性ＤＮＡを安定に保持することを確認して該ＤＮＡ保有動物として通常の飼育環境で継代飼育することが出来る。さらに、目的とする外来ＤＮＡを前述のプラスミドに組み込んで原料として用いることができる。プロモーターとのＤＮＡコンストラク卜は、通常のＤＮＡ工学的手法によって作製することができる。受精卵細胞段階における本発明の異常ＤＮＡの転移は、対象哺乳動物の胚芽細胞および体細胞の全てに存在するように確保される。ＤＮＡ転移後の作出動物の胚芽細胞において本発明の異常ＤＮＡが存在することは、作出動物の子孫が全てその胚芽細胞および体細胞の全てに本発明の異常ＤＮＡを有することを意味する。本発明の外来性ＤＮＡを受け継いだこの種の動物の子孫は、その胚芽細胞および体細胞の全てに本発明の異常ＤＮＡを有する。導入ＤＮＡを相同染色体の両方に持つホモザイゴート動物を取得し、この雌雄の動物を交配することによりすべての子孫が該ＤＮＡを有するように繁殖継代することができる。
【０３５３】
本発明の異常ＤＮＡを有する非ヒト哺乳動物は、本発明の異常ＤＮＡが高発現させられており、内在性の正常ＤＮＡの機能を阻害することにより最終的にモルモットＴＧＲ５の機能不活性型不応症となることがあり、その病態モデル動物として利用することができる。例えば、本発明の異常ＤＮＡ転移動物を用いて、モルモットＴＧＲ５の機能不活性型不応症の病態機序の解明およびこの疾患を治療方法の検討を行なうことが可能である。
【０３５４】
また、具体的な利用可能性としては、本発明の異常ＤＮＡ高発現動物は、モルモットＴＧＲ５の機能不活性型不応症における本発明の異常モルモットＴＧＲ５による正常モルモットＴＧＲ５の機能阻害（dominant negative作用）を解明するモデルとなる。
【０３５５】
また、本発明の外来異常ＤＮＡを転移させた哺乳動物は、遊離したモルモットＴＧＲ５の増加症状を有することから、モルモットＴＧＲ５の機能不活性型不応症に対する治療薬スクリーニング試験にも利用可能である。
【０３５６】
また、上記２種類の本発明のＤＮＡ転移動物のその他の利用可能性として、例えば、
1)組織培養のための細胞源としての使用、
2)本発明のＤＮＡ転移動物の組織中のＤＮＡもしくはＲＮＡを直接分析するか、またはＤＮＡにより発現されたモルモットＴＧＲ５を分析することによる、モルモットＴＧＲ５により特異的に発現あるいは活性化するモルモットＴＧＲ５との関連性についての解析、
3)ＤＮＡを有する組織の細胞を標準組織培養技術により培養し、これらを使用して、一般に培養困難な組織からの細胞の機能の研究、
4)上記3)記載の細胞を用いることによる細胞の機能を高めるような薬剤のスクリーニング、および
5)本発明の変異モルモットＴＧＲ５を単離精製およびその抗体作製などが考えられる。
【０３５７】
さらに、本発明のＤＮＡ転移動物を用いて、モルモットＴＧＲ５の機能不活性型不応症などを含む、モルモットＴＧＲ５に関連する疾患の臨床症状を調べることができ、また、モルモットＴＧＲ５に関連する疾患モデルの各臓器におけるより詳細な病理学的所見が得られ、新しい治療方法の開発、さらには、該疾患による二次的疾患の研究および治療に貢献することができる。
【０３５８】
また、本発明のＤＮＡ転移動物から各臓器を取り出し、細切後、トリプシンなどの蛋白質分解酵素により、遊離したＤＮＡ転移細胞の取得、その培養またはその培養細胞の系統化を行なうことが可能である。さらに、モルモットＴＧＲ５産生細胞の特定化、アポトーシス、分化あるいは増殖との関連性、またはそれらにおけるシグナル伝達機構を調べ、それらの異常を調べることなどができ、モルモットＴＧＲ５およびその作用解明のための有効な研究材料となる。
【０３５９】
さらに、本発明のＤＮＡ転移動物を用いて、モルモットＴＧＲ５の機能不活性型不応症を含む、モルモットＴＧＲ５に関連する疾患の治療薬の開発を行なうために、上述の検査法および定量法などを用いて、有効で迅速な該疾患治療薬のスクリーニング法を提供することが可能となる。また、本発明のＤＮＡ転移動物または本発明の外来性ＤＮＡ発現ベクターを用いて、モルモットＴＧＲ５が関連する疾患のＤＮＡ治療法を検討、開発することが可能である。
（１１）ノックアウト動物
本発明は、本発明のＤＮＡが不活性化された非ヒト哺乳動物胚幹細胞および本発明のＤＮＡ発現不全非ヒト哺乳動物を提供する。
【０３６０】
すなわち、本発明は、
〔１〕本発明のＤＮＡが不活性化された非ヒト哺乳動物胚幹細胞、
〔２〕該ＤＮＡがレポーター遺伝子（例、大腸菌由来のβ−ガラクトシダーゼ遺伝子）を導入することにより不活性化された第〔１〕項記載の胚幹細胞、
〔３〕ネオマイシン耐性である第〔１〕項記載の胚幹細胞、
〔４〕非ヒト哺乳動物がゲッ歯動物である第〔１〕項記載の胚幹細胞、
〔５〕ゲッ歯動物がマウスである第〔４〕項記載の胚幹細胞、
〔６〕本発明のＤＮＡが不活性化された該ＤＮＡ発現不全非ヒト哺乳動物、
〔７〕該ＤＮＡがレポーター遺伝子（例、大腸菌由来のβ−ガラクトシダーゼ遺伝子）を導入することにより不活性化され、該レポーター遺伝子が本発明のＤＮＡに対するプロモーターの制御下で発現しうる第〔６〕項記載の非ヒト哺乳動物、
〔８〕非ヒト哺乳動物がゲッ歯動物である第〔６〕項記載の非ヒト哺乳動物、
〔９〕ゲッ歯動物がマウスである第〔８〕項記載の非ヒト哺乳動物、および
〔１０〕第〔７〕項記載の動物に、試験化合物を投与し、レポーター遺伝子の発現を検出することを特徴とする本発明のＤＮＡに対するプロモーター活性を促進または阻害する化合物またはその塩のスクリーニング方法を提供する。
【０３６１】
本発明のＤＮＡが不活性化された非ヒト哺乳動物胚幹細胞とは、該非ヒト哺乳動物が有する本発明のＤＮＡに人為的に変異を加えることにより、ＤＮＡの発現能を抑制するか、もしくは該ＤＮＡがコードしているモルモットＴＧＲ５の活性を実質的に喪失させることにより、ＤＮＡが実質的にモルモットＴＧＲ５の発現能を有さない（以下、本発明のノックアウトＤＮＡと称することがある）非ヒト哺乳動物の胚幹細胞（以下、ＥＳ細胞と略記する）をいう。
【０３６２】
非ヒト哺乳動物としては、前記と同様のものが用いられる。
【０３６３】
本発明のＤＮＡに人為的に変異を加える方法としては、例えば、遺伝子工学的手法により該ＤＮＡ配列の一部又は全部の削除、他ＤＮＡを挿入または置換させることによって行なうことができる。これらの変異により、例えば、コドンの読み取り枠をずらしたり、プロモーターあるいはエキソンの機能を破壊することにより本発明のノックアウトＤＮＡを作製すればよい。
【０３６４】
本発明のＤＮＡが不活性化された非ヒト哺乳動物胚幹細胞（以下、本発明のＤＮＡ不活性化ＥＳ細胞または本発明のノックアウトＥＳ細胞と略記する）の具体例としては、例えば、目的とする非ヒト哺乳動物が有する本発明のＤＮＡを単離し、そのエキソン部分にネオマイシン耐性遺伝子、ハイグロマイシン耐性遺伝子を代表とする薬剤耐性遺伝子、あるいはｌａｃＺ（β−ガラクトシダーゼ遺伝子）、ｃａｔ（クロラムフェニコールアセチルトランスフェラーゼ遺伝子）を代表とするレポーター遺伝子等を挿入することによりエキソンの機能を破壊するか、あるいはエキソン間のイントロン部分に遺伝子の転写を終結させるＤＮＡ配列（例えば、polyＡ付加シグナルなど）を挿入し、完全なメッセンジャーＲＮＡを合成できなくすることによって、結果的に遺伝子を破壊するように構築したＤＮＡ配列を有するＤＮＡ鎖（以下、ターゲッティングベクターと略記する）を、例えば相同組換え法により該動物の染色体に導入し、得られたＥＳ細胞について本発明のＤＮＡ上あるいはその近傍のＤＮＡ配列をプローブとしたサザンハイブリダイゼーション解析あるいはターゲッティングベクター上のＤＮＡ配列とターゲッティングベクター作製に使用した本発明のＤＮＡ以外の近傍領域のＤＮＡ配列をプライマーとしたＰＣＲ法により解析し、本発明のノックアウトＥＳ細胞を選別することにより得ることができる。
【０３６５】
また、相同組換え法等により本発明のＤＮＡを不活化させる元のＥＳ細胞としては、例えば、前述のような既に樹立されたものを用いてもよく、また公知 EvansとKaufmaの方法に準じて新しく樹立したものでもよい。例えば、マウスのＥＳ細胞の場合、現在、一般的には１２９系のＥＳ細胞が使用されているが、免疫学的背景がはっきりしていないので、これに代わる純系で免疫学的に遺伝的背景が明らかなＥＳ細胞を取得するなどの目的で、例えば、Ｃ５７ＢＬ／６マウスやＣ５７ＢＬ／６の採卵数の少なさをＤＢＡ／２との交雑により改善したＢＤＦ１マウス（Ｃ５７ＢＬ／６とＤＢＡ／２とのＦ１）を用いて樹立したものなども良好に用いうる。ＢＤＦ１マウスは、採卵数が多く、かつ、卵が丈夫であるという利点に加えて、Ｃ５７ＢＬ／６マウスを背景に持つので、これを用いて得られたＥＳ細胞は病態モデルマウスを作出したとき、Ｃ５７ＢＬ／６マウスとバッククロスすることでその遺伝的背景をＣ５７ＢＬ／６マウスに代えることが可能である点で有利に用い得る。
【０３６６】
また、ＥＳ細胞を樹立する場合、一般には受精後３.５日目の胚盤胞を使用するが、これ以外に８細胞期胚を採卵し胚盤胞まで培養して用いることにより効率よく多数の初期胚を取得することができる。
【０３６７】
また、雌雄いずれのＥＳ細胞を用いてもよいが、通常雄のＥＳ細胞の方が生殖系列キメラを作出するのに都合が良い。また、煩雑な培養の手間を削減するためにもできるだけ早く雌雄の判別を行なうことが望ましい。
【０３６８】
ＥＳ細胞の雌雄の判定方法としては、例えば、ＰＣＲ法によりＹ染色体上の性決定領域の遺伝子を増幅、検出する方法が、その１例としてあげることができる。この方法を使用すれば、従来、核型分析をするのに約１０６個の細胞数を要していたのに対して、１コロニー程度のＥＳ細胞数（約５０個）で済むので、培養初期におけるＥＳ細胞の第一次セレクションを雌雄の判別で行なうことが可能であり、早期に雄細胞の選定を可能にしたことにより培養初期の手間は大幅に削減できる。
【０３６９】
また、第二次セレクションとしては、例えば、Ｇ−バンディング法による染色体数の確認等により行うことができる。得られるＥＳ細胞の染色体数は正常数の１００％が望ましいが、樹立の際の物理的操作等の関係上困難な場合は、ＥＳ細胞の遺伝子をノックアウトした後、正常細胞（例えば、マウスでは染色体数が２ｎ＝４０である細胞）に再びクローニングすることが望ましい。
【０３７０】
このようにして得られた胚幹細胞株は、通常その増殖性は大変良いが、個体発生できる能力を失いやすいので、注意深く継代培養することが必要である。例えば、ＳＴＯ繊維芽細胞のような適当なフィーダー細胞上でＬＩＦ（１〜１００００U/ml）存在下に炭酸ガス培養器内（好ましくは、５％炭酸ガス、９５％空気または５％酸素、５％炭酸ガス、９０％空気）で約３７℃で培養するなどの方法で培養し、継代時には、例えば、トリプシン／ＥＤＴＡ溶液（通常０.００１〜０.５％トリプシン／０.１〜５ｍＭ ＥＤＴＡ、好ましくは約０.１％トリプシン／１ｍＭ ＥＤＴＡ）処理により単細胞化し、新たに用意したフィーダー細胞上に播種する方法などがとられる。このような継代は、通常１〜３日毎に行なうが、この際に細胞の観察を行い、形態的に異常な細胞が見受けられた場合はその培養細胞は放棄することが望まれる。
【０３７１】
ＥＳ細胞は、適当な条件により、高密度に至るまで単層培養するか、または細胞集塊を形成するまで浮遊培養することにより、頭頂筋、内臓筋、心筋などの種々のタイプの細胞に分化させることが可能であり〔M. J. Evans及びM. H. Kaufman, ネイチャー（Nature）第292巻、154頁、1981年；G. R. Martin  プロシーディングス・オブ・ナショナル・アカデミー・オブ・サイエンス・ユーエスエー（Proc. Natl. Acad. Sci. U.S.A.）第78巻、7634頁、1981年；T. C. Doetschman ら、ジャーナル・オブ・エンブリオロジー・アンド・エクスペリメンタル・モルフォロジー、第87巻、27頁、1985年〕、本発明のＥＳ細胞を分化させて得られる本発明のＤＮＡ発現不全細胞は、インビトロにおけるモルモットＴＧＲ５またはモルモットＴＧＲ５の細胞生物学的検討において有用である。
【０３７２】
本発明のＤＮＡ発現不全非ヒト哺乳動物は、該動物のｍＲＮＡ量を公知方法を用いて測定して間接的にその発現量を比較することにより、正常動物と区別することが可能である。
【０３７３】
該非ヒト哺乳動物としては、前記と同様のものが用いられる。
【０３７４】
本発明のＤＮＡ発現不全非ヒト哺乳動物は、例えば、前述のようにして作製したターゲッティングベクターをマウス胚幹細胞またはマウス卵細胞に導入し、導入によりターゲッティングベクターの本発明のＤＮＡが不活性化されたＤＮＡ配列が遺伝子相同組換えにより、マウス胚幹細胞またはマウス卵細胞の染色体上の本発明のＤＮＡと入れ換わる相同組換えをさせることにより、本発明のＤＮＡをノックアウトさせることができる。
【０３７５】
本発明のＤＮＡがノックアウトされた細胞は、本発明のＤＮＡ上またはその近傍のＤＮＡ配列をプローブとしたサザンハイブリダイゼーション解析またはターゲッティングベクター上のＤＮＡ配列と、ターゲッティングベクターに使用したマウス由来の本発明のＤＮＡ以外の近傍領域のＤＮＡ配列とをプライマーとしたＰＣＲ法による解析で判定することができる。非ヒト哺乳動物胚幹細胞を用いた場合は、遺伝子相同組換えにより、本発明のＤＮＡが不活性化された細胞株をクローニングし、その細胞を適当な時期、例えば、８細胞期の非ヒト哺乳動物胚または胚盤胞に注入し、作製したキメラ胚を偽妊娠させた該非ヒト哺乳動物の子宮に移植する。作出された動物は正常な本発明のＤＮＡ座をもつ細胞と人為的に変異した本発明のＤＮＡ座をもつ細胞との両者から構成されるキメラ動物である。
【０３７６】
該キメラ動物の生殖細胞の一部が変異した本発明のＤＮＡ座をもつ場合、このようなキメラ個体と正常個体を交配することにより得られた個体群より、全ての組織が人為的に変異を加えた本発明のＤＮＡ座をもつ細胞で構成された個体を、例えば、コートカラーの判定等により選別することにより得られる。このようにして得られた個体は、通常、モルモットＴＧＲ５のヘテロ発現不全個体であり、モルモットＴＧＲ５のヘテロ発現不全個体同志を交配し、それらの産仔からモルモットＴＧＲ５のホモ発現不全個体を得ることができる。
【０３７７】
卵細胞を使用する場合は、例えば、卵細胞核内にマイクロインジェクション法でＤＮＡ溶液を注入することによりターゲッティングベクターを染色体内に導入したトランスジェニック非ヒト哺乳動物を得ることができ、これらのトランスジェニック非ヒト哺乳動物に比べて、遺伝子相同組換えにより本発明のＤＮＡ座に変異のあるものを選択することにより得られる。
【０３７８】
このようにして本発明のＤＮＡがノックアウトされている個体は、交配により得られた動物個体も該ＤＮＡがノックアウトされていることを確認して通常の飼育環境で飼育継代を行なうことができる。
【０３７９】
さらに、生殖系列の取得および保持についても常法に従えばよい。すなわち、該不活化ＤＮＡの保有する雌雄の動物を交配することにより、該不活化ＤＮＡを相同染色体の両方に持つホモザイゴート動物を取得しうる。得られたホモザイゴート動物は、母親動物に対して、正常個体１，ホモザイゴート複数になるような状態で飼育することにより効率的に得ることができる。ヘテロザイゴート動物の雌雄を交配することにより、該不活化ＤＮＡを有するホモザイゴートおよびヘテロザイゴート動物を繁殖継代する。
【０３８０】
本発明のＤＮＡが不活性化された非ヒト哺乳動物胚幹細胞は、本発明のＤＮＡ発現不全非ヒト哺乳動物を作出する上で、非常に有用である。
【０３８１】
また、本発明のＤＮＡ発現不全非ヒト哺乳動物は、モルモットＴＧＲ５により誘導され得る種々の生物活性を欠失するため、モルモットＴＧＲ５の生物活性の不活性化を原因とする疾病のモデルとなり得るので、これらの疾病の原因究明及び治療法の検討に有用である。
（１１ａ）本発明のＤＮＡの欠損や損傷などに起因する疾病に対して治療・予防効果を有する化合物のスクリーニング方法
本発明のＤＮＡ発現不全非ヒト哺乳動物は、本発明のＤＮＡの欠損や損傷などに起因する疾病に対して治療・予防効果を有する化合物のスクリーニングに用いることができる。
【０３８２】
すなわち、本発明は、本発明のＤＮＡ発現不全非ヒト哺乳動物に試験化合物を投与し、該動物の変化を観察・測定することを特徴とする、本発明のＤＮＡの欠損や損傷などに起因する疾病に対して治療・予防効果を有する化合物またはその塩のスクリーニング方法を提供する。
【０３８３】
該スクリーニング方法において用いられる本発明のＤＮＡ発現不全非ヒト哺乳動物としては、前記と同様のものがあげられる。
【０３８４】
試験化合物としては、例えば、ペプチド、蛋白質、非ペプチド性化合物、合成化合物、発酵生産物、細胞抽出液、植物抽出液、動物組織抽出液、血漿などがあげられ、これら化合物は新規な化合物であってもよいし、公知の化合物であってもよい。
【０３８５】
試験化合物は塩を形成していてもよく、試験化合物の塩としては、薬理学的に許容される塩が好ましく、例えば無機塩基との塩、有機塩基との塩、無機酸との塩、有機酸との塩、塩基性または酸性アミノ酸との塩などが挙げられる。
【０３８６】
無機塩基との塩の好適な例としては、例えばナトリウム塩、カリウム塩、リチウム塩などのアルカリ金属塩；カルシウム塩、マグネシウム塩などのアルカリ土類金属塩；アルミニウム塩、アンモニウム塩などが挙げられる。
【０３８７】
有機塩基との塩の好適な例としては、例えばトリメチルアミン、トリエチルアミン、ピリジン、ピコリン、エタノールアミン、ジエタノールアミン、トリエタノールアミン、ジシクロヘキシルアミン、Ｎ，Ｎ−ジベンジルエチレンジアミンなどとの塩が挙げられる。
【０３８８】
無機酸との塩の好適な例としては、例えば塩酸、臭化水素酸、硝酸、硫酸、リン酸などとの塩が挙げられる。
【０３８９】
有機酸との塩の好適な例としては、例えばギ酸、酢酸、トリフルオロ酢酸、フマル酸、シュウ酸、酒石酸、マレイン酸、クエン酸、コハク酸、リンゴ酸、メタンスルホン酸、ベンゼンスルホン酸、ｐ−トルエンスルホン酸などとの塩が挙げられる。
【０３９０】
塩基性アミノ酸との塩の好適な例としては、例えばアルギニン、リジン、オルニチンなどとの塩が挙げられる。
【０３９１】
酸性アミノ酸との塩の好適な例としては、例えばアスパラギン酸、グルタミン酸などとの塩が挙げられる。
【０３９２】
具体的には、本発明のＤＮＡ発現不全非ヒト哺乳動物を、試験化合物で処理し、無処理の対照動物と比較し、該動物の各器官、組織、疾病の症状などの変化を指標として試験化合物の治療・予防効果を試験することができる。
【０３９３】
試験動物を試験化合物で処理する方法としては、例えば、経口投与、静脈注射などが用いられ、試験動物の症状、試験化合物の性質などにあわせて適宜選択することができる。また、試験化合物の投与量は、投与方法、試験化合物の性質などにあわせて適宜選択することができる。
【０３９４】
該スクリーニング方法において、試験動物に試験化合物を投与した場合、該試験動物の血糖値や上記疾患症状が約１０％以上、好ましくは約３０％以上、より好ましくは約５０％以上低下した場合、該試験化合物を上記の疾患に対して治療・予防効果を有する化合物として選択することができる。
【０３９５】
該スクリーニング方法を用いて得られる化合物またはその塩は、上記した試験化合物から選ばれた化合物であり、モルモットＴＧＲ５の欠損や損傷などによって引き起こされる疾患、例えば、免疫機能、マクロファージ機能などが亢進することに起因する疾患（例えば、炎症性疾患、移植医療後の過剰免疫反応など）に対する安全で低毒性な治療・予防剤などの医薬として使用することができる。
【０３９６】
さらに、該スクリーニング方法を用いて得られる化合物またはその塩は、Ｇｌｕｃａｇｏｎ−ｌｉｋｅ  ｐｅｐｔｉｄｅ−１（ＧＬＰ−１）分泌促進剤、食欲抑制剤、膵臓の再生剤、膵β細胞分化剤、膵β細胞増殖促進剤などとしても有効であり、例えば、糖尿病、インスリン分泌不全、膵疲弊、肥満の予防・治療剤として使用することができる。
【０３９７】
また、該スクリーニング方法を用いて得られる化合物またはその塩は、例えば、ソマトスタチン、コレシストキニン、Ｇｌｕｃａｇｏｎ−ｌｉｋｅ  ｐｅｐｔｉｄｅ−２（ＧＬＰ−２）、Ｇａｓｔｏｒｉｃ  ｉｎｈｉｂｉｔｏｒｙ  ｐｏｌｙｐｅｐｔｉｄｅ（＝Ｇｌｕｃｏｓｅ  ｄｅｐｅｎｄｅｎｔ  ｉｎｓｕｌｉｎｏｔｒｏｐｉｃ  ｐｅｐｔｉｄｅ）、Ｇａｓｔｒｉｎ、Ｇａｓｔｒｉｎ  ｒｅｌｅａｓｉｎｇ  ｐｅｐｔｉｄｅ、グレリン、グリセンチンなどの分泌調節剤として使用することができる。
【０３９８】
また、上記スクリーニングで得られた化合物から誘導される化合物も同様に用いることができる。
【０３９９】
該スクリーニング方法で得られた化合物の塩としては、薬理学的に許容される塩が好ましく、例えば無機塩基との塩、有機塩基との塩、無機酸との塩、有機酸との塩、塩基性または酸性アミノ酸との塩などが挙げられる。
【０４００】
無機塩基との塩の好適な例としては、例えばナトリウム塩、カリウム塩、リチウム塩などのアルカリ金属塩；カルシウム塩、マグネシウム塩などのアルカリ土類金属塩；アルミニウム塩、アンモニウム塩などが挙げられる。
【０４０１】
有機塩基との塩の好適な例としては、例えばトリメチルアミン、トリエチルアミン、ピリジン、ピコリン、エタノールアミン、ジエタノールアミン、トリエタノールアミン、ジシクロヘキシルアミン、Ｎ，Ｎ−ジベンジルエチレンジアミンなどとの塩が挙げられる。
【０４０２】
無機酸との塩の好適な例としては、例えば塩酸、臭化水素酸、硝酸、硫酸、リン酸などとの塩が挙げられる。
【０４０３】
有機酸との塩の好適な例としては、例えばギ酸、酢酸、トリフルオロ酢酸、フマル酸、シュウ酸、酒石酸、マレイン酸、クエン酸、コハク酸、リンゴ酸、メタンスルホン酸、ベンゼンスルホン酸、ｐ−トルエンスルホン酸などとの塩が挙げられる。
【０４０４】
塩基性アミノ酸との塩の好適な例としては、例えばアルギニン、リジン、オルニチンなどとの塩が挙げられる。
【０４０５】
酸性アミノ酸との塩の好適な例としては、例えばアスパラギン酸、グルタミン酸などとの塩が挙げられる。
【０４０６】
該スクリーニング方法で得られた化合物またはその塩を含有する医薬は、前記したモルモットＴＧＲ５とリガンドとの結合性を変化させる化合物を含有する医薬と同様にして製造することができる。
【０４０７】
このようにして得られる製剤は、安全で低毒性であるので、例えば、ヒトまたは哺乳動物（例えば、ラット、マウス、モルモット、ウサギ、ヒツジ、ブタ、ウシ、ウマ、ネコ、イヌ、サルなど）に対して投与することができる。
【０４０８】
該化合物またはその塩の投与量は、対象疾患、投与対象、投与ルートなどにより差異はあるが、例えば、該化合物またはその塩を経口投与する場合、一般的に例えば、炎症性疾患患者（体重６０ｋｇとして）においては、一日につき約０.１〜１００ｍｇ、好ましくは約１．０〜５０ｍｇ、より好ましくは約１．０〜２０ｍｇである。非経口的に投与する場合は、その１回投与量は投与対象、対象臓器、症状、投与方法などによっても異なるが、例えば、注射剤の形では通常例えば、炎症性疾患患者（体重６０ｋｇとして）においては、一日につき約０．０１〜３０ｍｇ程度、好ましくは約０．１〜２０ｍｇ程度、より好ましくは約０．１〜１０ｍｇ程度を静脈注射により投与するのが好都合である。他の動物の場合も、体重６０ｋｇ当たりに換算した量を投与することができる。
（１１ｂ）本発明のＤＮＡに対するプロモーターの活性を促進または阻害する化合物またはその塩をスクリーニング方法
本発明は、本発明のＤＮＡ発現不全非ヒト哺乳動物に、試験化合物を投与し、レポーター遺伝子の発現を検出することを特徴とする本発明のＤＮＡに対するプロモーターの活性を促進または阻害する化合物またはその塩のスクリーニング方法を提供する。
【０４０９】
上記スクリーニング方法において、本発明のＤＮＡ発現不全非ヒト哺乳動物としては、前記した本発明のＤＮＡ発現不全非ヒト哺乳動物の中でも、本発明のＤＮＡがレポーター遺伝子を導入することにより不活性化され、該レポーター遺伝子が本発明のＤＮＡに対するプロモーターの制御下で発現しうるものが用いられる。
【０４１０】
試験化合物としては、前記と同様のものがあげられる。
【０４１１】
レポーター遺伝子としては、前記と同様のものが用いられ、β−ガラクトシダーゼ遺伝子（ｌａｃＺ）、可溶性アルカリフォスファターゼ遺伝子またはルシフェラーゼ遺伝子などが好適である。
【０４１２】
本発明のＤＮＡをレポーター遺伝子で置換された本発明のＤＮＡ発現不全非ヒト哺乳動物では、レポーター遺伝子が本発明のＤＮＡに対するプロモーターの支配下に存在するので、レポーター遺伝子がコードする物質の発現をトレースすることにより、プロモーターの活性を検出することができる。
【０４１３】
例えば、モルモットＴＧＲ５をコードするＤＮＡ領域の一部を大腸菌由来のβ−ガラクトシダーゼ遺伝子（ｌａｃＺ）で置換している場合、本来、モルモットＴＧＲ５の発現する組織で、モルモットＴＧＲ５の代わりにβ−ガラクトシダーゼが発現する。従って、例えば、５−ブロモ−４−クロロ−３−インドリル−β−ガラクトピラノシド（Ｘ−ｇａｌ）のようなβ−ガラクトシダーゼの基質となる試薬を用いて染色することにより、簡便にモルモットＴＧＲ５の動物生体内における発現状態を観察することができる。具体的には、モルモットＴＧＲ５欠損マウスまたはその組織切片をグルタルアルデヒドなどで固定し、リン酸緩衝生理食塩液（ＰＢＳ）で洗浄後、Ｘ−ｇａｌを含む染色液で、室温または３７℃付近で、約３０分ないし１時間反応させた後、組織標本を１ｍＭ ＥＤＴＡ／ＰＢＳ溶液で洗浄することによって、β−ガラクトシダーゼ反応を停止させ、呈色を観察すればよい。また、常法に従い、ｌａｃＺをコードするｍＲＮＡを検出してもよい。
【０４１４】
上記スクリーニング方法を用いて得られる化合物またはその塩は、上記した試験化合物から選ばれた化合物またはその塩であり、本発明のＤＮＡに対するプロモーター活性を促進または阻害する化合物またはその塩である。
【０４１５】
該スクリーニング方法で得られた化合物の塩としては、薬理学的に許容される塩が好ましく、例えば無機塩基との塩、有機塩基との塩、無機酸との塩、有機酸との塩、塩基性または酸性アミノ酸との塩などが挙げられる。
【０４１６】
無機塩基との塩の好適な例としては、例えばナトリウム塩、カリウム塩、リチウム塩などのアルカリ金属塩；カルシウム塩、マグネシウム塩などのアルカリ土類金属塩；アルミニウム塩、アンモニウム塩などが挙げられる。
【０４１７】
有機塩基との塩の好適な例としては、例えばトリメチルアミン、トリエチルアミン、ピリジン、ピコリン、エタノールアミン、ジエタノールアミン、トリエタノールアミン、ジシクロヘキシルアミン、Ｎ，Ｎ−ジベンジルエチレンジアミンなどとの塩が挙げられる。
【０４１８】
無機酸との塩の好適な例としては、例えば塩酸、臭化水素酸、硝酸、硫酸、リン酸などとの塩が挙げられる。
【０４１９】
有機酸との塩の好適な例としては、例えばギ酸、酢酸、トリフルオロ酢酸、フマル酸、シュウ酸、酒石酸、マレイン酸、クエン酸、コハク酸、リンゴ酸、メタンスルホン酸、ベンゼンスルホン酸、ｐ−トルエンスルホン酸などとの塩が挙げられる。
【０４２０】
塩基性アミノ酸との塩の好適な例としては、例えばアルギニン、リジン、オルニチンなどとの塩が挙げられる。
【０４２１】
酸性アミノ酸との塩の好適な例としては、例えばアスパラギン酸、グルタミン酸などとの塩が挙げられる。
【０４２２】
本発明のＤＮＡに対するプロモーター活性を促進する化合物またはその塩は、中枢または末梢神経機能調節薬として有用である。
【０４２３】
本発明のＤＮＡに対するプロモーター活性を促進する化合物またはその塩は、モルモットＴＧＲ５の発現を促進し、モルモットＴＧＲ５の機能を促進することができるので、例えば、モルモットＴＧＲ５の機能不全に関連する疾患などの予防・治療薬などの医薬として有用である。
【０４２４】
本発明のＤＮＡに対するプロモーター活性を阻害する化合物またはその塩は、モルモットＴＧＲ５の発現を阻害し、モルモットＴＧＲ５の機能を阻害することができるので、例えば、モルモットＴＧＲ５の発現過多に関連する疾患などの予防・治療薬などの医薬として有用である。
【０４２５】
モルモットＴＧＲ５の機能不全に関連する疾患としては、例えば、免疫機能、マクロファージ機能などが亢進することに起因する疾患（例えば、炎症性疾患、移植医療後の過剰免疫反応など）などが挙げられる。
【０４２６】
モルモットＴＧＲ５の過剰発現に起因する疾患としては、例えば、免疫機能、マクロファージ機能などが抑制されることに起因する疾患（例えば、免疫不全、感染症など）などが挙げられる。
【０４２７】
また、本発明のＤＮＡに対するプロモーター活性を促進する化合物またはその塩は、Ｇｌｕｃａｇｏｎ−ｌｉｋｅ  ｐｅｐｔｉｄｅ−１（ＧＬＰ−１）分泌促進剤、食欲抑制剤、膵臓の再生剤、膵β細胞分化剤、膵β細胞増殖促進剤などとしても有効であり、例えば、糖尿病、インスリン分泌不全、膵疲弊、肥満の予防・治療剤として使用することができる。
【０４２８】
本発明のＤＮＡに対するプロモーター活性を阻害する化合物またはその塩は、Ｇｌｕｃａｇｏｎ−ｌｉｋｅ  ｐｅｐｔｉｄｅ−１（ＧＬＰ−１）分泌抑制剤、膵β細胞分化抑制剤、膵β細胞増殖抑制剤として有効であり、例えば、低血糖の予防・治療剤として使用することができる。
【０４２９】
また、本発明のＤＮＡに対するプロモーター活性を促進または阻害する化合物またはその塩は、例えば、ソマトスタチン、コレシストキニン、Ｇｌｕｃａｇｏｎ−ｌｉｋｅ  ｐｅｐｔｉｄｅ−２（ＧＬＰ−２）、Ｇａｓｔｏｒｉｃ  ｉｎｈｉｂｉｔｏｒｙ  ｐｏｌｙｐｅｐｔｉｄｅ（＝Ｇｌｕｃｏｓｅ  ｄｅｐｅｎｄｅｎｔ  ｉｎｓｕｌｉｎｏｔｒｏｐｉｃ  ｐｅｐｔｉｄｅ）、Ｇａｓｔｒｉｎ、Ｇａｓｔｒｉｎ  ｒｅｌｅａｓｉｎｇ  ｐｅｐｔｉｄｅ、グレリン、グリセンチンなどの分泌調節剤として使用することができる。
【０４３０】
さらに、上記スクリーニングで得られた化合物から誘導される化合物も同様に用いることができる。
【０４３１】
該スクリーニング方法で得られた化合物またはその塩を含有する医薬は、前記したモルモットＴＧＲ５またはその塩とリガンドとの結合性を変化させる化合物またはその塩を含有する医薬と同様にして製造することができる。
【０４３２】
このようにして得られる製剤は、安全で低毒性であるので、例えば、ヒトまたは哺乳動物（例えば、ラット、マウス、モルモット、ウサギ、ヒツジ、ブタ、ウシ、ウマ、ネコ、イヌ、サルなど）に対して投与することができる。
【０４３３】
該化合物またはその塩の投与量は、対象疾患、投与対象、投与ルートなどにより差異はあるが、例えば、本発明のＤＮＡに対するプロモーター活性を促進する化合物またはその塩を経口投与する場合、一般的に例えば、炎症性疾患患者（体重６０ｋｇとして）においては、一日につき約０.１〜１００ｍｇ、好ましくは約１．０〜５０ｍｇ、より好ましくは約１．０〜２０ｍｇである。非経口的に投与する場合は、その１回投与量は投与対象、対象臓器、症状、投与方法などによっても異なるが、例えば、注射剤の形では通常例えば、炎症性疾患患者（体重６０ｋｇとして）においては、一日につき約０．０１〜３０ｍｇ程度、好ましくは約０．１〜２０ｍｇ程度、より好ましくは約０．１〜１０ｍｇ程度を静脈注射により投与するのが好都合である。他の動物の場合も、体重６０ｋｇ当たりに換算した量を投与することができる。
【０４３４】
このように、本発明のＤＮＡ発現不全非ヒト哺乳動物は、本発明のＤＮＡに対するプロモーターの活性を促進または阻害する化合物またはその塩をスクリーニングする上で極めて有用であり、本発明のＤＮＡ発現不全に起因する各種疾患の原因究明または予防・治療薬の開発に大きく貢献することができる。
【０４３５】
また、モルモットＴＧＲ５のプロモーター領域を含有するＤＮＡを使って、その下流に種々の蛋白質をコードする遺伝子を連結し、これを動物の卵細胞に注入していわゆるトランスジェニック動物（遺伝子移入動物）を作成すれば、特異的にそのモルモットＴＧＲ５を合成させ、その生体での作用を検討することも可能となる。さらに上記プロモーター部分に適当なレポーター遺伝子を結合させ、これが発現するような細胞株を樹立すれば、モルモットＴＧＲ５そのものの体内での産生能力を特異的に促進もしくは抑制する作用を持つ低分子化合物の探索系として使用できる。
【０４３６】
本発明化合物は、式
【０４３７】
【化７】
2005021151.tif 000005
【０４３８】
〔式中、Ｒ１、Ｒ２およびＲ３はそれぞれ水素原子またはハロゲン化されていてもよいＣ１−６アルキル基を、Ｘは結合手、−Ｏ−、−ＮＲ−（Ｒは水素原子または低級アルキル基を示す）または−Ｓ−を、Ｙは置換されていてもよいＣ１−５アルキレン基を、Ａｒ１およびＡｒ２はそれぞれ置換されていてもよい単環性芳香族基を示す。〕で表される化合物またはその塩あるいはそのプロドラッグ（以下、本発明化合物と略称する）である。
【０４３９】
Ｒ１、Ｒ２およびＲ３で示される「ハロゲン化されていてもよいＣ１−６アルキル基」の「Ｃ１−６アルキル基」としては、例えば、メチル、エチル、プロピル、イソプロピル、ブチル、イソブチル、sec−ブチル、tert−ブチル、ペンチル、ヘキシルなどの直鎖状または分枝状のＣ１−６アルキル基などが用いられ、なかでもメチル、エチル、プロピル、イソプロピルなどのＣ１−３アルキル基が好ましく、特にメチル基が好ましい。
【０４４０】
該Ｃ１−６アルキル基に置換していてもよいハロゲン原子としては、例えば、フッ素原子、塩素原子、臭素原子、ヨウ素原子などが用いられ、特にフッ素原子が好ましい。
【０４４１】
Ｒ１、Ｒ２およびＲ３としては、水素原子またはＣ１−６アルキル基が好ましく、特に、水素原子またはメチル基が好ましい。
【０４４２】
Ｒで示される低級アルキル基としては、例えば、メチル、エチル、プロピル、イソプロピル、ブチル、イソブチル、sec−ブチル、tert−ブチル、ペンチル、ヘキシルなどの直鎖状または分枝状のＣ１−６アルキル基などが用いられ、なかでもメチル、エチル、プロピルなどＣ１−３アルキル基が好ましい。
【０４４３】
Ｙで示される「置換されていてもよいＣ１−５アルキレン基」の「Ｃ１−５アルキレン基」としては、例えば、メチレン、エチレン、プロピレン、ブチレン、ペンチレンが用いられ、なかでもメチレン、エチレン、プロピレンなどのＣ１−３アルキレン基が好ましい。
【０４４４】
該「Ｃ１−５アルキレン基」が有していてもよい置換基としては、例えば、(i)ニトロ基、(ii)ヒドロキシ基、オキソ基、(iii)シアノ基、(iv)カルバモイル基、(v)モノ−またはジ−Ｃ１−６アルキル−カルバモイル基（例えば、Ｎ−メチルカルバモイル、Ｎ−エチルカルバモイル、Ｎ，Ｎ−ジメチルカルバモイル、Ｎ，Ｎ−ジエチルカルバモイルなど；該アルキル基はハロゲン原子、ヒドロキシ基、Ｃ１−６アルコキシ基などで置換されていてもよい）、モノ−またはジ−Ｃ２−４アルケニル−カルバモイル基（例えば、Ｎ−アリルカルバモイルなど；該アルケニル基はハロゲン原子、ヒドロキシ基、Ｃ１−６アルコキシ基などで置換されていてもよい）、モノ−またはジ−フェニル−カルバモイル基（該フェニル基はハロゲン原子、ハロゲン原子で置換されていてもよいＣ１−６アルキル、Ｃ１−６アルコキシ基などで置換されていてもよい）、モノ−またはジ−ベンジル−カルバモイル基（該ベンジル基はハロゲン原子、ハロゲン原子で置換されていてもよいＣ１−６アルキル、Ｃ１−６アルコキシ基などで置換されていてもよい）、Ｃ１−６アルコキシ−カルボニル−カルバモイル基、Ｃ１−６アルキルスルホニル−カルバモイル基、Ｃ１−６アルコキシ−カルバモイル基、アミノ−カルバモイル基、モノ−またはジ−Ｃ１−６アルキルアミノ−カルバモイル基、モノ−またはジ−フェニルアミノ−カルバモイル基、(vi)カルボキシル基、(vii)Ｃ１−６アルコキシ−カルボニル基（例えば、メトキシカルボニル、エトキシカルボニル、プロポキシカルボニル、イソプロポキシカルボニルなど）、(viii)ハロゲン原子（例えば、フッ素、塩素、臭素、ヨウ素など）、(ix)ハロゲン化されていてもよいＣ１−６アルコキシ基（例えば、メトキシ、エトキシ、プロポキシ、イソプロポキシなど）、ヒドロキシ基で置換されていてもよいＣ１−６アルコキシ基、カルボキシル基で置換されていてもよいＣ１−６アルコキシ基、Ｃ１−６アルコキシ−カルボニル基で置換されていてもよいＣ１−６アルコキシ基、Ｃ１−６アルコキシ−Ｃ１−６アルコキシ基、Ｃ１−６アルコキシ−Ｃ１−６アルコキシ−Ｃ１−６アルコキシ基、(x)フェノキシ−Ｃ１−６アルキル基、フェノキシ−Ｃ１−６アルコキシ基、Ｃ１−６アルキルカルボニル−オキシ基、カルバモイルオキシ基、モノ−またはジ−Ｃ１−６アルキル−カルバモイルオキシ基、(xi)ハロゲン化されていてもよいフェニル基、ハロゲン化されていてもよいフェニル−Ｃ１−６アルキル基、ハロゲン化されていてもよいフェニル−Ｃ２−４アルケニル基、ハロゲン化されていてもよいフェノキシ基（例えば、ｏ−，ｍ−またはｐ−クロロフェノキシ、ｏ−，ｍ−またはｐ−ブロモフェノキシなど）、ピリジルオキシ基、Ｃ３−１０シクロアルキル基、Ｃ３−１０シクロアルキル−Ｃ１−６アルコキシ基、Ｃ３−１０シクロアルキル−Ｃ１−６アルキル基、(xii)ハロゲン化されていてもよいＣ１−６アルキル基（例えば、メチル、エチル、プロピル、イソプロピル、ブチルなど）、ハロゲン化されていてもよいＣ２−６アルケニル基（例えば、ビニル、アリル、２−ブテニル、３−ブテニルなど）、ハロゲン化されていてもよいＣ１−６アルキルチオ基（例えば、メチルチオ、エチルチオ、ｎ−プロピル���オ、イソプロピルチオ、ｎ−ブチルチオなど）、ヒドロキシ基で置換されていてもよいＣ１−６アルキル基、ヒドロキシ基で置換されていてもよいＣ１−６アルキルチオ基、(xiii)メルカプト基、チオキソ基、(xiv)ハロゲン原子、カルボキシル基およびＣ１−６アルコキシ−カルボニル基から選ばれる置換基でそれぞれ置換されていてもよいベンジルオキシ基またはベンジルチオ基、(xv)ハロゲン化されていてもよいフェニルチオ基、ピリジルチオ基、フェニルチオ−Ｃ１−６アルキル基、ピリジルチオ−Ｃ１−６アルキル基、(xvi)ハロゲン化されていてもよいＣ１−６アルキルスルフィニル基（例えば、メチルスルフィニル、エチルスルフィニルなど）、フェニルスルフィニル基、フェニルスルフィニル−Ｃ１−６アルキル基、(xvii)ハロゲン化されていてもよいＣ１−６アルキルスルホニル基（例えば、メチルスルホニル、エチルスルホニルなど）、フェニルスルホニル基、フェニルスルホニル−Ｃ１−６アルキル基、(xviii)アミノ基、アミノスルホニル基、モノ−またはジ−Ｃ１−６アルキルアミノスルホニル基（例えば、メチルアミノスルホニル、エチルアミノスルホニル、Ｎ，Ｎ−ジメチルアミノスルホニル、Ｎ，Ｎ−ジエチルアミノスルホニルなど；該アルキル基はハロゲン原子、ヒドロキシ基、Ｃ１−６アルコキシ基などで置換されていてもよい）、(xix)Ｃ１−１０アシル−アミノ基（例えば、Ｃ１−６アルカノイルアミノ（例、ホルミルアミノ、アセチルアミノ、トリフルオロアセチルアミノ、プロピオニルアミノ、ピバロイルアミノ等）、ベンゾイルアミノ、Ｃ１−６アルキルスルホニルアミノ（例、メタンスルホニルアミノ、トリフルオロメタンスルホニルアミノ等）、Ｃ６−１０アリールスルホニルアミノ（例、ベンゼンスルホニルアミノ、トルエンスルホニルアミノ等）；Ｃ１−１０アシルはハロゲン原子、Ｃ１−６アルキル基、Ｃ１−６アルコキシ基、ヒドロキシ基、カルボキシル基などで置換されていてもよい）、ベンジルオキシカルボニルアミノ、ハロゲン化されていてもよいＣ１−６アルコキシカルボニルアミノ、カルバモイルアミノ基、モノ−またはジ−Ｃ１−６アルキルカルバモイルアミノ基、(xx)モノ−またはジ−Ｃ１−６アルキルアミノ基（例えば、メチルアミノ、エチルアミノ、ジメチルアミノ、ジエチルアミノなど；該アルキル基はハロゲン原子、ヒドロキシ基、Ｃ１−６アルコキシ基などで置換されていてもよい）、モノ−またはジ−Ｃ１−６アルカノイルアミノ基（例えば、ホルミルアミノ、アセチルアミノなど；該アルカノイル基はハロゲン原子、ヒドロキシ基、Ｃ１−６アルコキシ基などで置換されていてもよい）、フェニルアミノ、ベンジルアミノ、Ｃ１−６アルキル（ベンジル）アミノ、Ｃ１−６アルカノイル（ベンジル）アミノ、(xxi)４ないし８員環状アミノ基（例えば、１−アゼチジニル、１−ピロリジニル、ピペリジノ、モルホリノ、チオモルホリノ、１−ピペラジニルなど）、４ないし８員環状アミノ−カルボニル基（例えば、１−アゼチジニルカルボニル、１−ピロリジニルカルボニル、ピペリジノカルボニル、モルホリノカルボニル、チオモルホリノカルボニル、１−ピペラジニルカルボニルなど）、４ないし８員環状アミノ−カルボニル−オキシ基（例えば、１−ピ��リジニルカルボニルオキシ、ピペリジノカルボニルオキシ、モルホリノカルボニルオキシ、チオモルホリノカルボニルオキシ、１−ピペラジニルカルボニルオキシなど）、４ないし８員環状アミノ−カルボニル−アミノ基（例えば、１−ピロリジニルカルボニルアミノ、ピペリジノカルボニルアミノ、モルホリノカルボニルアミノ、チオモルホリノカルボニルアミノ、１−ピペラジニルカルボニルアミノなど）、４ないし８員環状アミノ−スルホニル基（例えば、１−ピロリジニルスルホニル、ピペリジノスルホニル、モルホリノスルホニル、チオモルホリノスルホニル、１−ピペラジニルスルホニルなど）、４ないし６員環状アミノ−Ｃ１−６アルキル基、(xxii)ハロゲン原子、Ｃ１−６アルキル基、Ｃ１−６アルコキシ基、カルボキシル基およびＣ１−６アルコキシ−カルボニル基から選ばれる置換基でそれぞれ置換されていてもよいＣ１−６アシル基（例えば、ホルミル、アセチルなどのハロゲン化されていてもよいＣ２−６アルカノイルなど）またはベンゾイル基、(xxiii)酸素原子、硫黄原子および窒素原子等から選ばれたヘテロ原子１ないし３種（好ましくは１ないし２種）を少なくとも１個（好ましくは１ないし４個、さらに好ましくは１ないし２個）含む４ないし１０員複素環基（例えば、２−または３−チエニル、２−または３−フリル、３−，４−または５−ピラゾリル、２−，４−または５−チアゾリル、３−，４−または５−イソチアゾリル、２−，４−または５−オキサゾリル、１，２，３−または１，２，４−トリアゾリル、１Ｈ−または２Ｈ−テトラゾリル、２−，３−または４−ピリジル、２−，４−または５−ピリミジル、３−または４−ピリダジニル、キノリル、イソキノリル、インドリルなど；該複素環基はＣ１−６アルキル基などで置換されていてもよい）、(xxiv)酸素原子、硫黄原子および窒素原子等から選ばれたヘテロ原子１ないし３種（好ましくは１ないし２種）を少なくとも１個（好ましくは１ないし４個、さらに好ましくは１ないし２個）含む５ないし１０員複素環−カルボニル基（例えば、２−または３−チエニルカルボニル、２−または３−フリルカルボニル、３−，４−または５−ピラゾリルカルボニル、２−，４−または５−チアゾリルカルボニル、３−，４−または５−イソチアゾリルカルボニル、２−，４−または５−オキサゾリルカルボニル、１，２，３−または１，２，４−トリアゾリルカルボニル、１Ｈ−または２Ｈ−テトラゾリルカルボニル、２−，３−または４−ピリジルカルボニル、２−，４−または５−ピリミジルカルボニル、３−または４−ピリダジニルカルボニル、キノリルカルボニル、イソキノリルカルボニル、インドリルカルボニルなど；該複素環基はＣ１−６アルキル基などで置換されていてもよい）、(xxv)ヒドロキシイミノ基、Ｃ１−６アルコキシイミノ基、Ｃ６−１４アリール基（例えば、１−または２−ナフチルなど）および(xxvi)ハロゲン化されていてもよい直鎖状または分枝状のＣ１−６アルキレンジオキシ基（例えば、メチレンジオキシ、エチレンジオキシ、プロピレンジオキシ、テトラフルオロエチレンジオキシなど）（以上、置換基Ａ群）などが用いられる。
【０４４５】
Ａｒ１またはＡｒ２で示される「置換されていてもよい単環性芳香族基」の「単環性芳香族基」としては、例えば、単環性芳香族炭化水素基または単環性芳香族複素環基が用いられる。
【０４４６】
単環性芳香族炭化水素基としては、フェニル基などの単環性Ｃ６−８アリール基などが用いられ、特にフェニル基が好ましい。
【０４４７】
単環性芳香族複素環基としては、例えば、環系を構成する原子（環原子）として、酸素原子、硫黄原子および窒素原子等から選ばれたヘテロ原子１ないし３種（好ましくは１ないし２種）を少なくとも１個（好ましくは１ないし４個、さらに好ましくは１ないし２個）含む５ないし８員の単環性芳香族複素環基などが用いられ、具体的には、フリル、チエニル、ピロリル、オキサゾリル、イソオキサゾリル、チアゾリル、イソチアゾリル、イミダゾリル、ピラゾリル、１,２,３−オキサジアゾリル、１,２,４−オキサジアゾリル、１,３,４−オキサジアゾリル、フラザニル、１,２,３−チアジアゾリル、１,２,４−チアジアゾリル、１,３,４−チアジアゾリル、１,２,３−トリアゾリル、１,２,４−トリアゾリル、テトラゾリル、ピリジル、ピリダジニル、ピリミジニル、ピラジニル、トリアジニルなどの５または６員の単環性芳香族複素環基が好ましく用いられる。特に、チエニル基が好ましい。
【０４４８】
Ａｒ１またはＡｒ２で示される「単環性芳香族基」が有していてもよい置換基としては、例えば、ハロゲン原子（例えば、フッ素、塩素、臭素、ヨウ素など）、ニトロ基、シアノ基、置換されていてもよい炭化水素基、置換されていてもよい複素環基、置換されていてもよいヒドロキシ基、置換されていてもよいチオール基、置換スルフィニル基、置換スルホニル基、置換されていてもよいアミノ基、アシル基、置換されていてもよいカルバモイル基、エステル化されていてもよいカルボキシル基またはＣ１−３アルキレンジオキシ基（以上、置換基Ｂ群）などが挙げられる。
【０４４９】
「単環性芳香族基」が有していてもよい置換基としての「置換されていてもよい炭化水素基」の「炭化水素基」としては、例えばアルキル基、シクロアルキル基、アルケニル基、シクロアルケニル基、アルキニル基、アラルキル基、アリール基などが挙げられる。
【０４５０】
該「アルキル基」としては、例えばメチル、エチル、プロピル、イソプロピル、ブチル、イソブチル、sec−ブチル、tert−ブチル、ペンチル、ヘキシル、ヘプチル、オクチル、ノニル、デシル、ウンデシル、トリデシル、テトラデシル、ペンタデシルなどの「直鎖状または分枝状のＣ１−１５アルキル基」など、好ましくはＣ１−８アルキル基が用いられ、より好ましくはＣ１−６アルキル基が用いられ、さらに好ましくはＣ１−４アルキル基が用いられる。
【０４５１】
該「シクロアルキル基」としては、例えばシクロプロピル、シクロブチル、シクロペンチル、シクロヘキシル、シクロヘプチル、シクロオクチル、アダマンチルなどの「Ｃ３−１０シクロアルキル基」などが用いられ、より好ましくはＣ３−８シクロアルキル基が用いられ、さらに好ましくはＣ５−７シクロアルキル基が用いられる。
【０４５２】
該「アルケニル基」としては、例えばビニル、アリル、イソプロペニル、３−ブテニル、３−オクテニル、９−オクタデセニルなどの「Ｃ２−１８アルケニル基」などが用いられ、より好ましくはＣ２−６アルケニル基が用いられ、さらに好ましくはＣ２−４アルケニル基が用いられる。
【０４５３】
該「シクロアルケニル基」としては、例えばシクロプロペニル、シクロブテニル、シクロペンテニル、シクロヘキセニル、シクロヘプテニル、シクロオクテニルなどの「Ｃ３−１０シクロアルケニル基」などが用いられ、より好ましくはＣ３−８シクロアルケニル基が用いられ、さらに好ましくはＣ５−７シクロアルケニル基が用いられる。
【０４５４】
該「アルキニル基」としては、例えば、エチニル、１−プロピニル、プロパルギル、１−ブチニル、２−ブチニル、１−ペンチニル、２−ペンチニル、３−ペンチニルなどの「Ｃ２−８アルキニル基」などが用いられ、より好ましくはＣ２−６アルキニル基が用いられ、さらに好ましくはＣ２−４アルキニル基が用いられる。
【０４５５】
該「アラルキル基」としては、Ｃ７−１６アラルキル基などが用いられ、具体的には、例えばベンジル、フェネチル、３−フェニルプロピル、４−フェニルブチルなどのフェニル−Ｃ１−６アルキル基および、例えば（１−ナフチル）メチル、２−（１−ナフチル）エチル、２−（２−ナフチル）エチルなどのナフチル−Ｃ１−６アルキル基などが用いられる。
【０４５６】
該「アリール基」としては、例えばフェニル、１−ナフチル、２−ナフチル、フェナントリル、アントリル(anthryl)などの芳香族単環式、２環式または３環式のＣ６−１４アリール基、ビフェニル基、トリル基などが用いられ、好ましくは、フェニル、ナフチルなどのＣ６−１０アリール基、より好ましくはフェニルが用いられる。
【０４５７】
「単環性芳香族基」が有していてもよい置換基としての「置換されていてもよい炭化水素基」における「炭化水素基」が有していてもよい置換基としては、例えば、(i)ヒドロキシ基、(ii)オキソ基、(iii)シアノ基、(iv)カルバモイル基、(v)モノ−またはジ−Ｃ１−６アルキル−カルバモイル基（例えば、Ｎ−メチルカルバモイル、Ｎ−エチルカルバモイル、Ｎ，Ｎ−ジメチルカルバモイル、Ｎ，Ｎ−ジエチルカルバモイルなど；該アルキル基はハロゲン原子、ヒドロキシ基、Ｃ１−６アルコキシ基などで置換されていてもよい）、モノ−またはジ−Ｃ２−４アルケニル−カルバモイル基（例えば、Ｎ−アリルカルバモイルなど；該アルケニル基はハロゲン原子、ヒドロキシ基、Ｃ１−６アルコキシ基などで置換されていてもよい）、モノ−またはジ−フェニル−カルバモイル基（該フェニル基はハロゲン原子、ハロゲン原子で置換されていてもよいＣ１−６アルキル、Ｃ１−６アルコキシ基などで置換されていてもよい）、モノ−またはジ−ベンジル−カルバモイル基（該ベンジル基はハロゲン原子、ハロゲン原子で置換されていてもよいＣ１−６アルキル、Ｃ１−６アルコキシ基などで置換されていてもよい）、Ｃ１−６アルコキシ−カルボニル−カルバモイル基、Ｃ１−６アルキルスルホニル−カルバモイル基、Ｃ１−６アルコキシ−カルバモイル基、アミノ−カルバモイル基、モノ−またはジ−Ｃ１−６アルキルアミノ−カルバモイル基、モノ−またはジ−フェニルアミノ−カルバモイル基、(vi)カルボキシル基、(vii)Ｃ１−６アルコキシ−カルボニル基（例えば、メトキシカルボニル、エトキシカルボニル、プロポキシカルボニル、イソプロポキシカルボニルなど）、(viii)ハロゲン原子（例えば、フッ素、塩素、臭素、ヨウ素など）、(ix)ハロゲン化されていてもよいＣ１−６アルコキシ基（例えば、メトキシ、エトキシ、プロポキシ、イソプロポキシなど）、ヒドロキシ基で置換されていてもよいＣ１−６アルコキシ基、カルボキシル基で置換されていてもよいＣ１−６アルコキシ基、Ｃ１−６アルコキシ−カルボニル基で置換されていてもよいＣ１−６アルコキシ基、Ｃ１−６アルコキシ−Ｃ１−６アルコキシ基、Ｃ１−６アルコキシ−Ｃ１−６アルコキシ−Ｃ１−６アルコキシ基、(x)フェノキシ−Ｃ１−６アルキル基、フェノキシ−Ｃ１−６アルコキシ基、Ｃ１−６アルキルカルボニル−オキシ基、カルバモイルオキシ基、モノ−またはジ−Ｃ１−６アルキル−カルバモイルオキシ基、(xi)ハロゲン化されていてもよいフェニル基、ハロゲン化されていてもよいフェニル−Ｃ１−６アルキル基、ハロゲン化されていてもよいフェニル−Ｃ２−４アルケニル基、ハロゲン化されていてもよいフェノキシ基（例えば、ｏ−，ｍ−またはｐ−クロロフェノキシ、ｏ−，ｍ−またはｐ−ブロモフェノキシなど）、ピリジルオキシ基、Ｃ３−１０シクロアルキル基、Ｃ３−１０シクロアルキル−Ｃ１−６アルコキシ基、Ｃ３−１０シクロアルキル−Ｃ１−６アルキル基、(xii)ハロゲン化されていてもよいＣ１−６アルキル基（例えば、メチル、エチル、プロピル、イソプロピル、ブチルなど）、ハロゲン化されていてもよいＣ２−６アルケニル基（例えば、ビニル、アリル、２−ブテニル、３−ブテニルなど）、ハロゲン化されていてもよ���Ｃ１−６アルキルチオ基（例えば、メチルチオ、エチルチオ、ｎ−プロピルチオ、イソプロピルチオ、ｎ−ブチルチオなど）、ヒドロキシ基で置換されていてもよいＣ１−６アルキル基、ヒドロキシ基で置換されていてもよいＣ１−６アルキルチオ基、(xiii)メルカプト基、（xiv）チオキソ基、(xv)ハロゲン原子、カルボキシル基およびＣ１−６アルコキシ−カルボニル基から選ばれる置換基でそれぞれ置換されていてもよいベンジルオキシ基またはベンジルチオ基、(xvi)ハロゲン化されていてもよいフェニルチオ基、ピリジルチオ基、フェニルチオ−Ｃ１−６アルキル基、ピリジルチオ−Ｃ１−６アルキル基、(xvii)ハロゲン化されていてもよいＣ１−６アルキルスルフィニル基（例えば、メチルスルフィニル、エチルスルフィニルなど）、フェニルスルフィニル基、フェニルスルフィニル−Ｃ１−６アルキル基、(xviii)ハロゲン化されていてもよいＣ１−６アルキルスルホニル基（例えば、メチルスルホニル、エチルスルホニルなど）、フェニルスルホニル基、フェニルスルホニル−Ｃ１−６アルキル基、(xix)アミノ基、アミノスルホニル基、モノ−またはジ−Ｃ１−６アルキルアミノスルホニル基（例えば、メチルアミノスルホニル、エチルアミノスルホニル、Ｎ，Ｎ−ジメチルアミノスルホニル、Ｎ，Ｎ−ジエチルアミノスルホニルなど；該アルキル基はハロゲン原子、ヒドロキシ基、Ｃ１−６アルコキシ基などで置換されていてもよい）、(xx)Ｃ１−１０アシル−アミノ基（例えば、Ｃ１−６アルカノイルアミノ（例、ホルミルアミノ、アセチルアミノ、トリフルオロアセチルアミノ、プロピオニルアミノ、ピバロイルアミノ等）、ベンゾイルアミノ、Ｃ１−６アルキルスルホニルアミノ（例、メタンスルホニルアミノ、トリフルオロメタンスルホニルアミノ等）、Ｃ６−１０アリールスルホニルアミノ（例、ベンゼンスルホニルアミノ、トルエンスルホニルアミノ等）；Ｃ１−１０アシルはハロゲン原子、Ｃ１−６アルキル基、Ｃ１−６アルコキシ基、ヒドロキシ基、カルボキシル基などで置換されていてもよい）、ベンジルオキシカルボニルアミノ、ハロゲン化されていてもよいＣ１−６アルコキシカルボニルアミノ、カルバモイルアミノ基、モノ−またはジ−Ｃ１−６アルキルカルバモイルアミノ基、(xxi)モノ−またはジ−Ｃ１−６アルキルアミノ基（例えば、メチルアミノ、エチルアミノ、ジメチルアミノ、ジエチルアミノなど；該アルキル基はハロゲン原子、ヒドロキシ基、Ｃ１−６アルコキシ基などで置換されていてもよい）、モノ−またはジ−Ｃ１−６アルカノイルアミノ基（例えば、ホルミルアミノ、アセチルアミノなど；該アルカノイル基はハロゲン原子、ヒドロキシ基、Ｃ１−６アルコキシ基などで置換されていてもよい）、フェニルアミノ、ベンジルアミノ、Ｃ１−６アルキル（ベンジル）アミノ、Ｃ１−６アルカノイル（ベンジル）アミノ、(xxii)４ないし８員環状アミノ基（例えば、１−アゼチジニル、１−ピロリジニル、ピペリジノ、モルホリノ、チオモルホリノ、１−ピペラジニルなど）、４ないし８員環状アミノ−カルボニル基（例えば、１−アゼチジニルカルボニル、１−ピロリジニルカルボニル、ピペリジノカルボニル、モルホリノカルボニル、チオモルホリノカルボニル、１−ピペラジニルカ���ボニルなど）、４ないし８員環状アミノ−カルボニル−オキシ基（例えば、１−ピロリジニルカルボニルオキシ、ピペリジノカルボニルオキシ、モルホリノカルボニルオキシ、チオモルホリノカルボニルオキシ、１−ピペラジニルカルボニルオキシなど）、４ないし８員環状アミノ−カルボニル−アミノ基（例えば、１−ピロリジニルカルボニルアミノ、ピペリジノカルボニルアミノ、モルホリノカルボニルアミノ、チオモルホリノカルボニルアミノ、１−ピペラジニルカルボニルアミノなど）、４ないし８員環状アミノ−スルホニル基（例えば、１−ピロリジニルスルホニル、ピペリジノスルホニル、モルホリノスルホニル、チオモルホリノスルホニル、１−ピペラジニルスルホニルなど）、４ないし８員環状アミノ−Ｃ１−６アルキル基、(xxiii)ハロゲン原子、Ｃ１−６アルキル基、Ｃ１−６アルコキシ基、カルボキシル基およびＣ１−６アルコキシ−カルボニル基から選ばれる置換基でそれぞれ置換されていてもよいＣ１−６アシル基（例えば、ホルミル、アセチルなどのハロゲン化されていてもよいＣ２−６アルカノイルなど）またはベンゾイル基、(xxiv)酸素原子、硫黄原子および窒素原子等から選ばれたヘテロ原子１ないし３種（好ましくは１ないし２種）を少なくとも１個（好ましくは１ないし４個、さらに好ましくは１ないし２個）含む４ないし１０員複素環基（例えば、２−または３−チエニル、２−または３−フリル、３−，４−または５−ピラゾリル、２−，４−または５−チアゾリル、３−，４−または５−イソチアゾリル、２−，４−または５−オキサゾリル、１，２，３−または１，２，４−トリアゾリル、１Ｈ−または２Ｈ−テトラゾリル、２−，３−または４−ピリジル、２−，４−または５−ピリミジル、３−または４−ピリダジニル、キノリル、イソキノリル、インドリルなど；該複素環基はＣ１−６アルキル基などで置換されていてもよい）、(xxv)酸素原子、硫黄原子および窒素原子等から選ばれたヘテロ原子１ないし３種（好ましくは１ないし２種）を少なくとも１個（好ましくは１ないし４個、さらに好ましくは１ないし２個）含む４ないし１０員複素環−カルボニル基（例えば、２−または３−チエニルカルボニル、２−または３−フリルカルボニル、３−，４−または５−ピラゾリルカルボニル、２−，４−または５−チアゾリルカルボニル、３−，４−または５−イソチアゾリルカルボニル、２−，４−または５−オキサゾリルカルボニル、１，２，３−または１，２，４−トリアゾリルカルボニル、１Ｈ−または２Ｈ−テトラゾリルカルボニル、２−，３−または４−ピリジルカルボニル、２−，４−または５−ピリミジルカルボニル、３−または４−ピリダジニルカルボニル、キノリルカルボニル、イソキノリルカルボニル、インドリルカルボニルなど；該複素環基はＣ１−６アルキル基などで置換されていてもよい）、(xxvi)ヒドロキシイミノ基、Ｃ１−６アルコキシイミノ基、Ｃ６−１４アリール基（例えば、１−または２−ナフチルなど）および(xxvii)ハロゲン化されていてもよい直鎖状または分枝状のＣ１−６アルキレンジオキシ基（例えば、メチレンジオキシ、エチレンジオキシ、プロピレンジオキシ、テトラフルオロエチレンジオキシなど）（以上、置換基Ｃ群）などが用いられる。該「炭化水素基」は、置換可能な位置に、これらの置換基を１ないし５個有していてもよく、２以上を有する場合、置換基は同一でも異なっていてもよい。
【０４５８】
「単環性芳香族基」が有していてもよい置換基としての「置換されていてもよい複素環基」の「複素環基」としては、例えば、環系を構成する原子（環原子）として、酸素原子、硫黄原子および窒素原子等から選ばれたヘテロ原子１ないし３種（好ましくは１ないし２種）を少なくとも１個（好ましくは１ないし４個、さらに好ましくは１ないし２個）含む４〜１６員の１ないし３環性の芳香族複素環基、飽和あるいは不飽和の非芳香族複素環基（脂肪族複素環基）等が挙げられる。
【０４５９】
該「芳香族複素環基」としては、例えばフリル、チエニル、ピロリル、オキサゾリル、イソオキサゾリル、チアゾリル、イソチアゾリル、イミダゾリル、ピラゾリル、１,２,３−オキサジアゾリル、１,２,４−オキサジアゾリル、１,３,４−オキサジアゾリル、フラザニル、１,２,３−チアジアゾリル、１,２,４−チアジアゾリル、１,３,４−チアジアゾリル、１,２,３−トリアゾリル、１,２,４−トリアゾリル、テトラゾリル、ピリジル、ピリダジニル、ピリミジニル、ピラジニル、トリアジニル等の５または６員の芳香族単環式複素環基、および例えばベンゾフラニル、イソベンゾフラニル、ベンゾ〔ｂ〕チエニル、インドリル、イソインドリル、１Ｈ−インダゾリル、ベンズイミダゾリル、ベンゾオキサゾリル、１,２−ベンゾイソオキサゾリル、ベンゾチアゾリル、ベンゾピラニル、１,２−ベンゾイソチアゾリル、１Ｈ−ベンゾトリアゾリル、キノリル、イソキノリル、シンノリニル、キナゾリニル、キノキサリニル、フタラジニル、ナフチリジニル、プリニル、ブテリジニル、カルバゾリル、α−カルボリニル、β−カルボリニル、γ−カルボリニル、アクリジニル、フェノキサジニル、フェノチアジニル、フェナジニル、フェノキサチイニル、チアントレニル、フェナトリジニル、フェナトロリニル、インドリジニル、ピロロ〔１,２−ｂ〕ピリダジニル、ピラゾロ〔１,５−ａ〕ピリジル、イミダゾ〔１,２−ａ〕ピリジル、イミダゾ〔１,５−ａ〕ピリジル、イミダゾ〔１,２−ｂ〕ピリダジニル、イミダゾ〔１,２−ａ〕ピリミジニル、１,２,４−トリアゾロ〔４,３−ａ〕ピリジル、１,２,４−トリアゾロ〔４,３−ｂ〕ピリダジニル、ベンゾ〔１,２,５〕チアジアゾリル、ベンゾ〔１,２,５〕オキサジアゾリル等の８〜１６員（好ましくは、８〜１２員）の芳香族縮合複素環基（好ましくは、前記した５または６員の芳香族単環式複素環基１〜２個（好ましくは、１個）がベンゼン環１〜２個（好ましくは、１個）と縮合した複素環または前記した５または６員の芳香族単環式複素環基の同一または異なった複素環２〜３個（好ましくは、２個）が縮合した複素環、より好ましくは前記した５または６員の芳香族単環式複素環基がベンゼン環と縮合した複素環）等が挙げられる。
【０４６０】
該「非芳香族複素環基」としては、例えばオキシラニル、アゼチジニル、オキセタニル、チエタニル、ピロリジニル（好ましくは、1−ピロリジニル）、テトラヒドロフリル、チオラニル、ピペリジニル（好ましくは、１−ピペリジニルまたは４−ピペリジニル）、テトラヒドロピラニル、モルホリニル、チオモルホリニル、ピペラジニル等の３〜８員（好ましくは５〜６員）の飽和あるいは不飽和（好ましくは飽和）の非芳香族単環式複素環基（脂肪族単環式複素環基）、２,３−ジヒドロインドリル、１，３−ジヒドロイソインドリル等のように前記した非芳香族単環式複素環基１〜２個（好ましくは１個）がベンゼン環１〜２個（好ましくは１個）と縮合した複素環基、前記した非芳香族単環式複素環基１〜２個（好ましくは１個）が前記した５ないし６員の芳香族単環式複素環基の複素環１〜２個（好ましくは１個）と縮合した複素環基、あるいは１,２,３,４−テトラヒドロキノリル、１,２,３,４−テトラヒドロイソキノリルなどのように前記した芳香族単環式複素環基または芳香族縮合複素環基の一部または全部の二重結合が飽和した非芳香族複素環基等が挙げられる。
【０４６１】
該「置換されていてもよい複素環基」における「複素環基」としては、５または６員の芳香族単環式複素環基などが好ましい。
【０４６２】
該「複素環基」が有していてもよい置換基としては、「単環性芳香族基」が有していてもよい置換基としての「置換されていてもよい炭化水素基」における「炭化水素基」が有していてもよい置換基と同様の数の同様の基などが用いられる。
【０４６３】
「単環性芳香族基」が有していてもよい置換基としての「置換されていてもよいアミノ基」、「置換されていてもよいヒドロキシ基」および「置換されていてもよいチオール基」としては、それぞれ、置換されていてもよい炭化水素基、アシル基、エステル化されていてもよいカルボキシル基、置換されていてもよいカルバモイル基または置換されていてもよい複素環基などの置換基を有していてもよいアミノ基、ヒドロキシ基およびチオール基などが挙げられる。該「置換されていてもよい炭化水素基」における「炭化水素基」および「置換されていてもよい複素環基」における「複素環基」としては、それぞれ、「単環性芳香族基」が有していてもよい置換基としての「置換されていてもよい炭化水素基」における「炭化水素基」および「置換されていてもよい複素環基」における「複素環基」と同様の基などが用いられる。
【０４６４】
また、置換基としての「アシル基」および「エステル化されていてもよいカルボキシル基」としては、それぞれ、後述の「単環性芳香族基」が有していてもよい置換基としての「エステル化されていてもよいカルボキシル基」および「アシル基」と同様の基などが用いられる。
【０４６５】
該「置換されていてもよいカルバモイル基」としては、後述の「単環性芳香族基」が有していてもよい置換基としての「置換されていてもよいカルバモイル基」と同様の基などが用いられる。
【０４６６】
また、該「置換されていてもよい炭化水素基」および該「置換されていてもよい複素環基」における置換基としては、それぞれ、「単環性芳香族基」が有していてもよい置換基としての「置換されていてもよい炭化水素基」および「置換されていてもよい複素環基」における置換基と同様の数の同様な基などが用いられる。なかでも、ハロゲン原子（例えばフッ素、塩素、臭素、ヨウ素等）、ハロゲン化されていてもよいＣ１−６アルコキシ（例えばメトキシ、エトキシ、トリフルオロメトキシ、２，２，２−トリフルオロエトキシ、トリクロロメトキシ、２，２，２−トリクロロエトキシ等）、置換されていてもよいフェニル（好ましくは、ハロゲン化されていてもよいＣ１−６アルキル基、ハロゲン化されていてもよいＣ１−６アルコキシ基、カルボキシル基およびハロゲン原子から選ばれる置換基で置換されていてもよいフェニルなど）および酸素原子、硫黄原子および窒素原子等から選ばれたヘテロ原子１ないし３種（好ましくは１ないし２種）を少なくとも１個（好ましくは１ないし４個、さらに好ましくは１ないし２個）含む５ないし１０員複素環基（例、２−または３−チエニル、２−または３−フリル、３−，４−または５−ピラゾリル、２−，４−または５−チアゾリル、３−，４−または５−イソチアゾリル、２−，４−または５−オキサゾリル、１，２，３−または１，２，４−トリアゾリル、１Ｈ−または２Ｈ−テトラゾリル、２−，３−または４−ピリジル、２−，４−または５−ピリミジル、３−または４−ピリダジニル、キノリル、イソキノリル、インドリルなど；該複素環基はＣ１−４アルキル基などで置換されていてもよい）から選ばれた置換基で置換されていてもよい低級アルキル（例、メチル、エチル、プロピル、イソプロピル、ブチル、イソブチル、tert−ブチル、ペンチル、ヘキシル等のＣ１−６アルキル等）、アシル（Ｃ１−６アルカノイル（例、ホルミル、アセチル、プロピオニル、ピバロイル等）、ベンゾイル、Ｃ１−６アルキルスルホニル（例、メタンスルホニル等）、ベンゼンスルホニル等）、ハロゲン化されていてもよいＣ１−６アルコキシカルボニル（例、メトキシカルボニル、エトキシカルボニル、トリフルオロメトキシカルボニル、２，２，２−トリフルオロエトキシカルボニル、トリクロロメトキシカルボニル、２，２，２−トリクロロエトキシカルボニル等）、フェニルで置換されていてもよいＣ１−６アルコキシカルボニル（例、ベンジルオキシカルボニル等）、置換されていてもよいカルバモイル基（例えば、カルバモイル、Ｎ−メチルカルバモイル、Ｎ,Ｎ−ジメチルカルバモイル、フェニルカルバモイル等の低級（Ｃ１−６）アルキル基、フェニル基などの置換基１〜２個で置換されていてもよいカルバモイル基など）、複素環基（「単環性芳香族基」が有していてもよい置換基としての「置換されていてもよい複素環基」における「複素環基」と同様の基など）等の置換基を有していてもよい「アミノ基」、「ヒドロキシ基」および「チオール基」などが好ましい例として挙げられる。また、Ｎ,Ｎ−ジ置換アミノにおける２個の置換基が窒素原子と一緒になって「環状アミノ基」を形成してもよく、該「環状アミノ基」としては、例えば１−アゼチジニル、１−ピロリジニル、ピペリジノ、モルホリノ、チオモルホリノ（硫黄原子は酸化されていてもよい）、１−ピペラジニルおよび４位に低級アルキル（例、メチル、エチル、プロピル、イソプロピル、ブチル、tert−ブチル、ペンチル、ヘキシル等のＣ１−６アルキル等）、アラルキル（例、ベンジル、フェネチル等のＣ７−１０アラルキル等）、アリール（例、フェニル、１−ナフチル、２−ナフチル等のＣ６−１０アリール等）等を有していてもよい１−ピペラジニル等の３〜８員（好ましくは５〜６員）の環状アミノ基などが用いられる。
【０４６７】
「単環性芳香族基」が有していてもよい置換基としての「置換スルフィニル基」および「置換スルホニル基」は、それぞれ「置換されていてもよいヒドロキシ基」、「置換されていてもよいアミノ基」、「置換されていてもよい炭化水素基」または「置換されていてもよい複素環基」などの置換基で置換されたスルフィニル基またはスルホニル基を表す。
【０４６８】
該「置換されていてもよい炭化水素基」における「炭化水素基」としては、「単環性芳香族基」が有していてもよい置換基としての「置換されていてもよい炭化水素基」における「炭化水素基」と同様な基などが用いられる。該「置換されていてもよい複素環基」における「複素環基」としては、「単環性芳香族基」が有していてもよい置換基としての「置換されていてもよい複素環基」における「複素環基」と同様な基などが用いられる。また「置換スルフィニル基」および「置換スルホニル基」の置換基であるヒドロキシ基およびアミノ基に置換していてもよい置換基としては、それぞれ、「単環性芳香族基」が有していてもよい置換基としての「置換されていてもよいヒドロキシ基」における「ヒドロキシ基」および「置換されていてもよいアミノ基」における「アミノ基」が有していてもよい置換基と同様の基などが用いられ、好ましくは、例えば、Ｃ１−６アルキル基、Ｃ３−８シクロアルキル基、Ｃ２−４アルケニル基、Ｃ６−１０アリール基、アシル基、アミノ基、複素環基（「単環性芳香族基」が有していてもよい置換基としての「置換されていてもよい複素環基」における「複素環基」と同様の基など）などが挙げられる。
【０４６９】
また、「置換スルフィニル基」および「置換スルホニル基」の置換基である「置換されていてもよい炭化水素基」および「置換されていてもよい複素環基」における置換基としては、「単環性芳香族基」が有していてもよい置換基としての「置換されていてもよい炭化水素基」および「置換されていてもよい複素環基」における置換基と同様の基などが同様の数用いられる。
【０４７０】
「単環性芳香族基」が有していてもよい置換基としての「アシル基」としては、例えばＲＡＣＯＯＨなどのカルボン酸、例えばＲＡＳＯ３Ｈなどのスルホン酸、例えばＲＡＳＯ２Ｈなどのスルフィン酸、または、例えばＲＡＯＰＯ（ＯＲＢ）ＯＨなどのリン酸（ＲＡは水素原子、置換されていてもよい炭化水素基または置換されていてもよい複素環基を示し、ＲＢは水素原子または置換されていてもよい炭化水素基を示す）などからＯＨ基を除いて得られるアシル基が用いられ、具体的にはＲＡＣＯ、ＲＡＳＯ２、ＲＡＳＯ、ＲＡＯＰＯ（ＯＲＢ）（式中の記号は前記と同意義を示す）などが用いられる。
【０４７１】
ＲＡ（およびＲＢ）で示される「置換されていてもよい炭化水素基」における「炭化水素基」ならびに「置換されていてもよい複素環基」における「複素環基」としては、それぞれ、環Ａが有していてもよい置換基としての「置換されていてもよい炭化水素基」における「炭化水素基」および「置換されていてもよい複素環基」における「複素環基」と同様の基などが用いられる。また、該「置換されていてもよい炭化水素基」および「置換されていてもよい複素環基」における置換基としては、それぞれ、Ａｒ１またはＡｒ２が有していてもよい置換基としての「置換されていてもよい炭化水素基」および「置換されていてもよい複素環基」における置換基と同様の基などが同様の数用いられる。
【０４７２】
ＲＡＣＯとしては、例えばホルミル、アセチル、プロピオニル、ブチリル、イソブチリル、バレリル、イソバレリル、ピバロイル、ヘキサノイル、シクロブタンカルボニル、シクロペンタンカルボニル、シクロヘキサンカルボニル、クロトニル、ベンゾイル、ニコチノイル、イソニコチノイル、トリフルオロアセチルなどが挙げられ、なかでも、アセチル、プロピオニル、ブチリル、バレリルなどのＲＡが低級（Ｃ１−６）アルキル基であるＲＡＣＯなどがより好ましい。
【０４７３】
「単環性芳香族基」が有していてもよい置換基としての「置換されていてもよいカルバモイル基」としては、無置換のカルバモイルのほか、Ｎ−モノ置換カルバモイルおよびＮ,Ｎ−ジ置換カルバモイルが挙げられる。
【０４７４】
該「置換されていてもよいカルバモイル基」における「カルバモイル基」が有していてもよい置換基としては、「単環性芳香族基」が有していてもよい置換基としての「置換されていてもよいアミノ基」の「アミノ基」の置換基として例示した「置換されていてもよい炭化水素基」、「アシル基」、「エステル化されていてもよいカルボキシル基」、「置換されていてもよい複素環基」の他、「低級（Ｃ１−６）アルキル基、フェニル基などの置換基１〜２個で置換されていてもよいカルバモイル基（例えば、カルバモイル、Ｎ−メチルカルバモイル、Ｎ,Ｎ−ジメチルカルバモイル、フェニルカルバモイルなど）」などが挙げられるが、前記「（置換されていてもよい炭化水素基、アシル基、エステル化されていてもよいカルボキシル基または置換されていてもよい複素環基で）置換されていてもよいアミノ基」を有する「カルバモイル基」（すなわち、「置換されていてもよいカルバゾイル基」）、前記「（置換されていてもよい炭化水素基、アシル基、エステル化されていてもよいカルボキシル基または置換されていてもよい複素環基で）置換されていてもよいヒドロキシ基」を有する「カルバモイル基」（すなわち、「置換されていてもよいＮ−ヒドロキシカルバモイル基」）などであってもよい。また、Ｎ,Ｎ−ジ置換カルバモイルにおける２個の置換基が窒素原子と一緒になって環状アミノを形成してもよく、この様な場合の環状アミノカルボニルとしては、例えば１−アゼチジニルカルボニル、１−ピロリジニルカルボニル、ピペリジノカルボニル、モルホリノカルボニル、チオモルホリノカルボニル（硫黄原子は酸化されていてもよい）、１−ピペラジニルカルボニル、１−ホモピペラジニルカルボニル、および４位に低級アルキル（例、メチル、エチル、プロピル、イソプロピル、ブチル、tert−ブチル、ペンチル、ヘキシル等のＣ１−６アルキル等）、アラルキル（例、ベンジル、フェネチル等のＣ７−１０アラルキル等）、アリール（例、フェニル、１−ナフチル、２−ナフチル等のＣ６−１０アリール等）、Ｃ１−１０アシル基（例、ホルミル、アセチル、ベンゾイル、メトキシカルボニル、ベンジルオキシカルボニル、メチルスルホニル等）等を有していてもよい１−ピペラジニルカルボニル等の３〜８員（好ましくは５〜６員）の環状アミノカルボニルなどが用いられる。
【０４７５】
具体的には、置換されていてもよいカルバモイル基としては、例えば、低級（Ｃ１−６）アルキル基、フェニル基などの置換基１〜２個で置換されていてもよいカルバモイル基などが用いられ、具体的にはカルバモイル、Ｎ−メチルカルバモイル、Ｎ,Ｎ−ジメチルカルバモイル、フェニルカルバモイルなどが好ましく用いられる。
【０４７６】
「単環性芳香族基」が有していてもよい置換基としての「エステル化されていてもよいカルボキシル基」としては、式−ＣＯＯＲＣ（ＲＣは水素原子または置換されていてもよい炭化水素基または置換されていてもよい複素環基を示す）で表される基などが挙げられるが、なかでも、遊離のカルボキシル、低級アルコキシカルボニル、アリールオキシカルボニル、アラルキルオキシカルボニル、複素環オキシカルボニル、複素環メチルオキシカルボニル等が好ましく用いられる。
【０４７７】
ＲＣで示される「置換されていてもよい炭化水素基」における「炭化水素基」ならびに「置換されていてもよい複素環基」における「複素環基」としては、それぞれ、「単環性芳香族基」が有していてもよい置換基としての「置換されていてもよい炭化水素基」における「炭化水素基」および「置換されていてもよい複素環基」における「複素環基」と同様の基などが用いられる。また、該「炭化水素基」、「複素環基」が置換していてもよい置換基としては、それぞれ、「単環性芳香族基」が有していてもよい置換基としての「置換されていてもよい炭化水素基」における「炭化水素基」および「置換されていてもよい複素環基」における「複素環基」が有していてもよい置換基と同様の基などが同様の数用いられる。
【０４７８】
「低級アルコキシカルボニル」としては、例えばメトキシカルボニル、エトキシカルボニル、プロポキシカルボニル、イソプロポキシカルボニル、ブトキシカルボニル、イソブトキシカルボニル、sec−ブトキシカルボニル、tert−ブトキシカルボニル、ペンチルオキシカルボニル、イソペンチルオキシカルボニル、ネオペンチルオキシカルボニル等のＣ１−６アルコキシカルボニル等が挙げられ、中でもメトキシカルボニル、エトキシカルボニル、プロポキシカルボニル等のＣ１−３アルコキシカルボニル等が好ましい。
【０４７９】
該「低級アルコキシカルボニル」は「低級アルコキシ」の「低級アルキル」部分に置換基を有していてもよく、その置換基としては、「単環性芳香族基」が有していてもよい置換基としての「置換されていてもよい炭化水素基」における「炭化水素基」が有していてもよい置換基として挙げた基と同様の基などが同様な数用いられる。
【０４８０】
「アリールオキシカルボニル」としては、例えばフェノキシカルボニル、１−ナフトキシカルボニル、２−ナフトキシカルボニル等のＣ７−１２アリールオキシカルボニル等が好ましい。
【０４８１】
「アラルキルオキシカルボニル」としては、例えばベンジルオキシカルボニル、フェネチルオキシカルボニル等のＣ７−１５アラルキルオキシカルボニル等（好ましくは、Ｃ６−１０アリール−Ｃ１−６アルコキシ−カルボニルなど）が好ましい。
【０４８２】
「複素環オキシカルボニル」および「複素環メチルオキシカルボニル」における複素環としては、「単環性芳香族基」が有していてもよい置換基としての「置換されていてもよい複素環基」における「複素環」と同様のものなどが用いられ、例えば、ピリジル、キノリル、インドリル、ピペリジニル、テトラヒドロピラニル等が好ましく用いられる。
【０４８３】
該「アリールオキシカルボニル」、「アラルキルオキシカルボニル」および「複素環オキシカルボニル」はそれぞれ置換基を有していてもよく、それらの置換基としては、「単環性芳香族基」が有していてもよい置換基としての「置換されていてもよい炭化水素基」における「炭化水素基」が有していてもよい置換基として挙げた基と同様の基などが同様な数用いられる。
【０４８４】
「単環性芳香族基」が有していてもよい置換基として「Ｃ１−３アルキレンジオキシ基」としては、メチレンジオキシ、エチレンジオキシなどが用いられる。
【０４８５】
上記した中でも、Ａｒ１としては、置換されていてもよいフェニル基または置換されていてもよいチエニル基が好ましく、特に（１）無置換のフェニル基または（２）Ｃ１−６アルキル（例、メチル、エチル、プロピルなど、特にメチルなどのＣ１−３アルキル）あるいはハロゲン原子（例、フッ素原子、塩素原子、臭素原子、ヨウ素原子など）で置換されていてもよいチエニル基（例、２−チエニル基、３−チエニル基）が好ましい。
【０４８６】
Ａｒ２としては、置換されていてもよいフェニル基が好ましく、特に無置換のフェニル基が好ましい。
【０４８７】
Ｒ１としては、水素原子またはハロゲン化されていてもよいＣ１−３アルキル基（例、メチル、エチル、プロピル、イソプロピル）が好ましく、なかでも水素原子またはＣ１−３アルキル基が好ましい。具体的には、Ｒ１としては、水素原子またはメチル基が好ましく、特にメチル基が好ましい。
【０４８８】
Ｒ２としては、水素原子またはハロゲン化されていてもよいＣ１−３アルキル基（例、メチル、エチル、プロピル、イソプロピル）が好ましく、なかでもハロゲン化されていてもよいＣ１−３アルキル基が好ましい。具体的には、Ｒ２としては、水素原子またはメチル基が好ましく、特にメチル基が好ましい。
【０４８９】
Ｒ３としては、水素原子またはハロゲン化されていてもよいＣ１−３アルキル基（例、メチル、エチル、プロピル、イソプロピル）が好ましく、なかでもハロゲン化されていてもよいＣ１−３アルキル基が好ましく、特にメチル基が好ましい。
【０４９０】
Ｘとしては、−Ｏ−が好ましい。
【０４９１】
Ｙとしては、Ｃ１−３アルキレン基（例、メチレン、エチレン、プロピレン）が好ましく、メチレン基が好ましい。
【０４９２】
ＸとＹの組み合わせとしては、Ｘが−Ｏ−であり、Ｙがメチレン基の場合が好ましい。
【０４９３】
本発明化合物としては、例えば、
（ｉ）1,3,6-トリメチル-2-オキソ-4-フェニル-1,2,3,4-テトラヒドロピリミジン-5-カルボン酸ベンジルエステル（化合物１）、
（ii）4-(5-ブロモチオフェン-2-イル)-1,6-ジメチル-2-オキソ-1,2,3,4-テトラヒドロピリミジン-5-カルボン酸ベンジルエステル（化合物２）、
（iii）6-メチル-2-オキソ-4-(チオフェン-2-イル)-1,2,3,4-テトラヒドロピリミジン-5-カルボン酸ベンジルエステル（化合物３）、
（iv）1,6-ジメチル-2-オキソ-4-(チオフェン-3-イル)-1,2,3,4-テトラヒドロピリミジン-5-カルボン酸ベンジルエステル（化合物４）、
（ｖ）1,6-ジメチル-2-オキソ-4-(チオフェン-2-イル)-1,2,3,4-テトラヒドロピリミジン-5-カルボン酸 2-フェネチルエステル（化合物５）、
（vi）1,6-ジメチル-2-オキソ-4-(チオフェン-2-イル)-1,2,3,4-テトラヒドロピリミジン-5-カルボン酸 3-フェニルプロピルエステル（化合物６）、
（vii）1,6-ジメチル-4-(5-メチルチオフェン-2-イル)-2-オキソ-1,2,3,4-テトラヒドロピリミジン-5-カルボン酸 2-フェネチルエステル（化合物７）またはその塩などが好ましく、特に、
（ｉ）1,3,6-トリメチル-2-オキソ-4-フェニル-1,2,3,4-テトラヒドロピリミジン-5-カルボン酸ベンジルエステル（化合物１）、
（ii）4-(5-ブロモチオフェン-2-イル)-1,6-ジメチル-2-オキソ-1,2,3,4-テトラヒドロピリミジン-5-カルボン酸ベンジルエステル（化合物２）、
（iii）1,6-ジメチル-2-オキソ-4-(チオフェン-3-イル)-1,2,3,4-テトラヒドロピリミジン-5-カルボン酸ベンジルエステル（化合物４）またはその塩などが好ましい。
【０４９４】
本発明化合物（I）はジヒドロピリミジノン誘導体であり、例えばBiginelli反応として知られている古典的な縮合反応を用いることにより製造することができる。すなわち、芳香族アルデヒド（II）、ウレア誘導体（III）およびβ-ジカルボニル化合物（IV）の３成分を酸触媒存在下に縮合させることで容易にＲ１が水素原子であるジヒドロピリミジノン誘導体（Ia）を製造することができる（１８９３年発行Ｇａｚｚ．Ｃｈｉｍ．Ｉｔａｌ．２３巻６９３７頁、１９９２年発行Ｔｅｔｒａｈｅｄｒｏｎ２６巻５４７３頁、２０００年発行Ｊ．Ｏｒｇ．Ｃｈｅｍ．６５巻３８６４頁、２０００年発行Ｊ．Ｏｒｇ．Ｃｈｅｍ．６５巻６２７０頁など）。本縮合反応は、通常無溶媒または溶媒中で行う。溶媒としては例えば、エーテル系溶媒（例えば、ジエチルエーテル、テトラヒドロフラン、ジオキサン等）、ハロゲン系溶媒（例えば、ジクロロメタン、ジクロロエタン、クロロホルム、四塩化炭素等）、炭化水素系溶媒（例えば、ベンゼン、トルエン、ヘキサン、ヘプタン等）、ジメチルホルムアミド、ジメチルアセトアミド、アセトニトリル、アルコール系溶媒（メタノール、エタノール等）、エステル系溶媒（酢酸メチル、酢酸エチル等）、水等の単一または混合溶媒が用いられる。酸触媒としては例えば、有機カルボン酸（例えば、酢酸、トリフルオロ酢酸、酒石酸等）、有機スルホン酸（例えば、メタンスルホン酸、ｐ−トルエンスルホン酸、トリフルオロメタンスルホン酸等）、鉱酸（例えば、塩酸、硫酸、硝酸等）、ルイス酸（例えば、ボロントリフルオリド、イッテルビウムトリフラート、スカンジウムトリフラート、塩化イッテルビウム（III）、塩化インジウム（III）等）を用いることができる。このとき、芳香族アルデヒド（II）およびβ-ジカルボニル化合物（IV）１モルに対して、ウレア誘導体（III）は１〜２モル当量、好ましくは１.５モル当量程度、酸触媒は０．０１〜１.５当量程度用いられる。このときの反応温度は、室温〜１５０℃、好ましくは５０〜１００℃であり、反応時間は０．１〜４８時間、好ましくは２〜２０時間程度である。
2005021151.tif 000006
【０４９５】
〔式中の記号は前記と同意義を示す。〕
Ｒ２がハロゲン化されていてもよいＣ１−６アルキル基で置換されたジヒドロピリミジノン誘導体（Ib）である場合、アルキル化反応により化合物（Ic）を製造することができる。本アルキル化反応は、通常溶媒中塩基存在下アルキル化剤を用いて行う。溶媒としては例えば、エーテル系溶媒（例えば、ジエチルエーテル、テトラヒドロフラン、ジオキサン等）、炭化水素系溶媒（例えば、ベンゼン、トルエン、ヘキサン、ヘプタン等）、アルコール系溶媒（メタノール、エタノール、tert−ブタノール等）、エステル系溶媒（酢酸メチル、酢酸エチル等）、ジメチルホルムアミド、ジメチルアセトアミド、アセトン、ジメチルスルホキシド、水等の単一または混合溶媒が用いられる。塩基としては例えば、水素化アルカリ金属類（例えば、水素化ナトリウム、水素化カリウム等）、無機塩基類（例えば、炭酸カリウム、炭酸ナトリウム、炭酸水素ナトリウム等）、水酸化アルカリ金属類（例えば、水酸化ナトリウム、水酸化リチウム、水酸化カリウム等）、アルカリ金属アルコキシド類（例えば、ナトリウムメトキシド、ナトリウムエトキシド、tert−ブトキシカリウム等）を用いることができる。アルキル化剤としては、例えば、アルキルハライド類（例えば、ヨウ化メチル、臭化メチル、よう化エチル、臭化エチル、ヨウ化トリフルオロエチル、臭化トリフルオロエチル等）、スルホン酸エステル類（例えば、ｐ−トルエンスルホン酸メチル、ｐ−トルエンスルホン酸エチル、メタンスルホン酸エチル、ジメチル硫酸、ジエチル硫酸等）が用いられる。このとき、化合物（Ib）およびその塩１モルに対して、アルキル化剤は１〜２モル当量、好ましくは１.５モル当量程度、塩基は１〜１.５当量程度用いられる。このときの反応温度は、−７８〜１００℃、好ましくは０〜６０℃であり、反応時間は０．１〜４８時間、好ましくは１〜２０時間程度である。
2005021151.tif 000007
【０４９６】
〔式中、Ｒ1ａおよびＲ２ａはハロゲン化されていてもよいＣ１−６アルキル基、その他の記号は前記と同意義を示す。〕
本発明化合物が、光学異性体、立体異性体、位置異性体、回転異性体を含有する場合には、これらも本発明化合物として含有されるとともに、自体公知の合成手法、分離手法によりそれぞれを単品として得ることができる。例えば、本発明化合物に光学異性体が存在する場合には、該化合物から分割された光学異性体も本発明化合物に包含される。
【０４９７】
光学異性体は自体公知の方法により製造することができる。具体的には、光学活性な合成中間体を用いる、または、最終物のラセミ体を常法に従って光学分割することにより光学異性体を得る。
【０４９８】
光学分割法としては、自体公知の方法、例えば、分別再結晶法、キラルカラム法、ジアステレオマー法等が用いられる。
【０４９９】
１）分別再結晶法
ラセミ体と光学活性な化合物（例えば、（＋）−マンデル酸、（−）−マンデル酸、（＋）−酒石酸、（−）−酒石酸、（＋）−１−フェネチルアミン、（−）−１−フェネチルアミン、シンコニン、（−）−シンコニジン、ブルシンなど）と塩を形成させ、これを分別再結晶法によって分離し、所望により、中和工程を経てフリーの光学異性体を得る方法。
【０５００】
２）キラルカラム法
ラセミ体またはその塩を光学異性体分離用カラム（キラルカラム）にかけて分離する方法。例えば液体クロマトグラフィーの場合、ＥＮＡＮＴＩＯ−ＯＶＭ（トーソー社製）あるいは、ダイセル社製  ＣＨＩＲＡＬシリーズなどのキラルカラムに光学異性体の混合物を添加し、水、種々の緩衝液（例、リン酸緩衝液）、有機溶媒（例、エタノール、メタノール、イソプロパノール、アセトニトリル、トリフルオロ酢酸、ジエチルアミンなど）を単独あるいは混合した溶液として展開させることにより、光学異性体を分離する。また、例えばガスクロマトグラフィーの場合、ＣＰ−Ｃｈｉｒａｓｉｌ−ＤｅＸ  ＣＢ（ジーエルサイエンス社製）などのキラルカラムを使用して分離する。
【０５０１】
３）ジアステレオマー法
ラセミ体の混合物を光学活性な試薬と化学反応によってジアステレオマーの混合物とし、これを通常の分離手段（例えば、分別再結晶、クロマトグラフィー法等）などを経て単一物質とした後、加水分解反応などの化学的な処理により光学活性な試薬部位を切り離すことにより光学異性体を得る方法。例えば、本発明化合物が分子内にヒドロキシまたは１，２級アミノを有する場合、該化合物と光学活性な有機酸（例えば、ＭＴＰＡ〔α−メトキシ−α−（トリフルオロメチル）フェニル酢酸〕、（−）−メントキシ酢酸等）などとを縮合反応に付すことにより、それぞれエステル体またはアミド体のジアステレオマーが得られる。一方、本発明化合物がカルボン酸基を有する場合、該化合物と光学活性アミンまたはアルコール試薬とを縮合反応に付すことにより、それぞれアミド体またはエステル体のジアステレオマーが得られる。分離されたジアステレオマーは、酸加水分解あるいは塩基性加水分解反応に付すことにより、元の化合物の光学異性体に変換される。
【０５０２】
化合物（Ｉ）の塩としては、薬理学的に許容される塩が好ましく、例えば無機塩基との塩、有機塩基との塩、無機酸との塩、有機酸との塩、塩基性または酸性アミノ酸との塩などが挙げられる。
【０５０３】
無機塩基との塩の好適な例としては、例えばナトリウム塩、カリウム塩、リチウム塩などのアルカリ金属塩；カルシウム塩、マグネシウム塩などのアルカリ土類金属塩；アルミニウム塩、アンモニウム塩などが挙げられる。
【０５０４】
有機塩基との塩の好適な例としては、例えばトリメチルアミン、トリエチルアミン、ピリジン、ピコリン、エタノールアミン、ジエタノールアミン、トリエタノールアミン、ジシクロヘキシルアミン、Ｎ，Ｎ−ジベンジルエチレンジアミンなどとの塩が挙げられる。
【０５０５】
無機酸との塩の好適な例としては、例えば塩酸、臭化水素酸、硝酸、硫酸、リン酸などとの塩が挙げられる。
【０５０６】
有機酸との塩の好適な例としては、例えばギ酸、酢酸、トリフルオロ酢酸、フマル酸、シュウ酸、酒石酸、マレイン酸、クエン酸、コハク酸、リンゴ酸、メタンスルホン酸、ベンゼンスルホン酸、ｐ−トルエンスルホン酸などとの塩が挙げられる。
【０５０７】
塩基性アミノ酸との塩の好適な例としては、例えばアルギニン、リジン、オルニチンなどとの塩が挙げられる。
【０５０８】
酸性アミノ酸との塩の好適な例としては、例えばアスパラギン酸、グルタミン酸などとの塩が挙げられる。
【０５０９】
化合物（Ｉ）のプロドラッグは、生体内における生理条件下で酵素や胃酸等による反応により化合物（Ｉ）に変換する化合物、すなわち酵素的に酸化、還元、加水分解等を起こして化合物（Ｉ）に変化する化合物、胃酸等により加水分解などを起こして化合物（Ｉ）に変化する化合物をいう。化合物（Ｉ）のプロドラッグとしては、化合物（Ｉ）のアミノ基がアシル化、アルキル化、りん酸化された化合物（例、化合物（Ｉ）のアミノ基がエイコサノイル化、アラニル化、ペンチルアミノカルボニル化、（５−メチル−２−オキソ−１，３−ジオキソレン−４−イル）メトキシカルボニル化、テトラヒドロフラニル化、テトラヒドロピラニル化、ピロリジルメチル化、ピバロイルオキシメチル化、ｔｅｒｔ−ブチル化された化合物など）；化合物（Ｉ）の水酸基がアシル化、アルキル化、りん酸化、ほう酸化された化合物（例、化合物（Ｉ）の水酸基がアセチル化、パルミトイル化、プロパノイル化、ピバロイル化、サクシニル化、フマリル化、アラニル化、ジメチルアミノメチルカルボニル化、テトラヒドロピラニル化された化合物など）；化合物（Ｉ）のカルボキシル基がエステル化、アミド化された化合物（例、化合物（Ｉ）のカルボキシル基がエチルエステル化、フェニルエステル化、カルボキシメチルエステル化、ジメチルアミノメチルエステル化、ピバロイルオキシメチルエステル化、エトキシカルボニルオキシエチルエステル化、フタリジルエステル化、（５−メチル−２−オキソ−１，３−ジオキソレン−４−イル）メチルエステル化、シクロヘキシルオキシカルボニルエチルエステル化、メチルアミド化された化合物など）；等が挙げられる。これらの化合物は自体公知の方法によって化合物（Ｉ）から製造することができる。
【０５１０】
また、化合物（Ｉ）のプロドラッグは、広川書店１９９０年刊「医薬品の開発」第７巻分子設計１６３頁から１９８頁に記載されているような、生理的条件で化合物（Ｉ）に変化するものであってもよい。
【０５１１】
また、化合物（Ｉ）は、同位元素（例、3H, 14C, 35S,125Iなど）などで標識されていてもよい。
【０５１２】
さらに、化合物（Ｉ）は、無水物であっても、水和物であってもよい。
【０５１３】
本発明化合物は、毒性が低く、そのまま、または薬理学的に許容し得る担体などと混合して医薬組成物とした後に、ＴＧＲ５受容体作動剤として安全に用いることができる。
【０５１４】
ここにおいて、薬理学的に許容される担体としては、製剤素材として慣用の各種有機あるいは無機担体物質が用いられ、固形製剤における賦形剤、滑沢剤、結合剤、崩壊剤；液状製剤における溶剤、溶解補助剤、懸濁化剤、等張化剤、緩衝剤、無痛化剤などとして配合される。また必要に応じて、防腐剤、抗酸化剤、着色剤、甘味剤などの製剤添加物を用いることもできる。
【０５１５】
賦形剤の好適な例としては、例えば乳糖、白糖、Ｄ−マンニトール、Ｄ−ソルビトール、デンプン、α化デンプン、デキストリン、結晶セルロース、低置換度ヒドロキシプロピルセルロース、カルボキシメチルセルロースナトリウム、アラビアゴム、デキストリン、プルラン、軽質無水ケイ酸、合成ケイ酸アルミニウム、メタケイ酸アルミン酸マグネシウムなどが挙げられる。
【０５１６】
滑沢剤の好適な例としては、例えばステアリン酸マグネシウム、ステアリン酸カルシウム、タルク、コロイドシリカなどが挙げられる。
【０５１７】
結合剤の好適な例としては、例えばα化デンプン、ショ糖、ゼラチン、アラビアゴム、メチルセルロース、カルボキシメチルセルロース、カルボキシメチルセルロースナトリウム、結晶セルロース、白糖、Ｄ−マンニトール、トレハロース、デキストリン、プルラン、ヒドロキシプロピルセルロース、ヒドロキシプロピルメチルセルロース、ポリビニルピロリドンなどが挙げられる。
【０５１８】
崩壊剤の好適な例としては、例えば乳糖、白糖、デンプン、カルボキシメチルセルロース、カルボキシメチルセルロースカルシウム、クロスカルメロースナトリウム、カルボキシメチルスターチナトリウム、軽質無水ケイ酸、低置換度ヒドロキシプロピルセルロースなどが挙げられる。
【０５１９】
溶剤の好適な例としては、例えば注射用水、生理的食塩水、リンゲル液、アルコール、プロピレングリコール、ポリエチレングリコール、ゴマ油、トウモロコシ油、オリーブ油、綿実油などが挙げられる。
【０５２０】
溶解補助剤の好適な例としては、例えばポリエチレングリコール、プロピレングリコール、Ｄ−マンニトール、トレハロース、安息香酸ベンジル、エタノール、トリスアミノメタン、コレステロール、トリエタノールアミン、炭酸ナトリウム、クエン酸ナトリウム、サリチル酸ナトリウム、酢酸ナトリウムなどが挙げられる。
【０５２１】
懸濁化剤の好適な例としては、例えばステアリルトリエタノールアミン、ラウリル硫酸ナトリウム、ラウリルアミノプロピオン酸、レシチン、塩化ベンザルコニウム、塩化ベンゼトニウム、モノステアリン酸グリセリンなどの界面活性剤；例えばポリビニルアルコール、ポリビニルピロリドン、カルボキシメチルセルロースナトリウム、メチルセルロース、ヒドロキシメチルセルロース、ヒドロキシエチルセルロース、ヒドロキシプロピルセルロースなどの親水性高分子；ポリソルベート類、ポリオキシエチレン硬化ヒマシ油などが挙げられる。
【０５２２】
等張化剤の好適な例としては、例えば塩化ナトリウム、グリセリン、Ｄ−マンニトール、Ｄ−ソルビトール、ブドウ糖などが挙げられる。
【０５２３】
緩衝剤の好適な例としては、例えばリン酸塩、酢酸塩、炭酸塩、クエン酸塩などの緩衝液などが挙げられる。
【０５２４】
無痛化剤の好適な例としては、例えばベンジルアルコールなどが挙げられる。  防腐剤の好適な例としては、例えばパラオキシ安息香酸エステル類、クロロブタノール、ベンジルアルコール、フェネチルアルコール、デヒドロ酢酸、ソルビン酸などが挙げられる。
【０５２５】
抗酸化剤の好適な例としては、例えば亜硫酸塩、アスコルビン酸塩などが挙げられる。
【０５２６】
着色剤の好適な例としては、例えば水溶性食用タール色素（例、食用赤色２号および３号、食用黄色４号および５号、食用青色１号および２号などの食用色素、水不溶性レーキ色素（例、前記水溶性食用タール色素のアルミニウム塩など）、天然色素（例、β−カロチン、クロロフィル、ベンガラなど）などが挙げられる。
【０５２７】
甘味剤の好適な例としては、例えばサッカリンナトリウム、グリチルリチン酸二カリウム、アスパルテーム、ステビアなどが挙げられる。
【０５２８】
上記医薬組成物は、製剤技術分野において慣用の方法、例えば日本薬局方（例えば第１３改正）に記載の方法にしたがって製造することができる。該医薬組成物中の本発明化合物の含量は、例えば組成物全体の０．１〜１００重量％である。
【０５２９】
医薬組成物の剤型としては、例えば錠剤（舌下錠、口腔内崩壊錠を含む）、カプセル剤（ソフトカプセル、マイクロカプセルを含む）、散剤、顆粒剤、トローチ剤、シロップ剤等の経口剤；および注射剤（例、皮下注射剤，静脈内注射剤，筋肉内注射剤，腹腔内注射剤、点滴剤等）、外用剤（例、経皮製剤，軟膏剤等）、坐剤（例、直腸坐剤，膣坐剤等）、ペレット、経鼻剤、経肺剤（吸入剤）、点眼剤等の非経口剤が挙げられる。これらの製剤は、速放性製剤または徐放性製剤などの放出制御製剤（例、徐放性マイクロカプセルなど）であってもよい。
【０５３０】
本発明のＴＧＲ５受容体作動剤は、ＴＧＲ５が関与する生理機能の調節剤、ＴＧＲ５が関与する病態または疾患の予防・治療剤などとして有用である。
【０５３１】
ここで、「ＴＧＲ５が関与する生理機能の調節剤」における生理機能としては、サイトカイン産生、免疫反応などが挙げられ、該生理機能の調節剤（亢進または抑制剤）としては、例えばサイトカイン産生抑制剤、免疫抑制剤などが挙げられる。
【０５３２】
また、「ＴＧＲ５が関与する病態または疾患」としては、例えば心不全、心筋梗塞、急性腎不全、狭心症、不整脈、気管支喘息、慢性閉塞性肺疾患、動脈硬化症、慢性関節リウマチ、糖尿病、胃潰瘍、潰瘍性大腸炎、アレルギー、変形性関節症、エリテマトーデス、移植医療後の過剰免疫反応、感染症などが挙げられる。
【０５３３】
さらに、「ＴＧＲ５が関与する病態または疾患」としては、例えばアルツハイマー病、痴呆、摂食障害、高血圧症、心肥大、非小細胞肺癌、卵巣癌、前立腺癌、胃癌、膀胱癌、乳癌、子宮頸部癌、結腸癌、直腸癌、肺炎、気管支炎、肺線維症、クローン病、アトピー性皮膚炎、免疫不全、白血病、肝硬変、肝炎、肝不全、胆汁うっ滞症、結石、消化管潰瘍、腸炎、肥満なども挙げられる。
【０５３４】
さらに、本発明のＴＧＲ５受容体作動剤は、例えば、Ｇｌｕｃａｇｏｎ−ｌｉｋｅ  ｐｅｐｔｉｄｅ−１（ＧＬＰ−１）分泌促進剤、食欲抑制剤、膵臓の再生剤、膵β細胞分化剤、膵β細胞増殖促進剤などとしても有効であり、例えば、糖尿病、インスリン分泌不全、膵疲弊、肥満などの予防・治療剤として使用することができる。
【０５３５】
糖尿病の判定基準については、１９９９年に日本糖尿病学会から新たな判定基準が報告されている。
【０５３６】
この報告によれば、糖尿病とは、空腹時血糖値（静脈血漿におけるグルコース濃度）が１２６ｍｇ／ｄｌ以上、７５ｇ経口ブドウ糖負荷試験（７５ｇＯＧＴＴ）２時間値（静脈血漿におけるグルコース濃度）が２００ｍｇ／ｄｌ以上、随時血糖値（静脈血漿におけるグルコース濃度）が２００ｍｇ／ｄｌ以上のいずれかを示す状態である。また、上記糖尿病に該当せず、かつ、「空腹時血糖値（静脈血漿におけるグルコース濃度）が１１０ｍｇ／ｄｌ未満または７５ｇ経口ブドウ糖負荷試験（７５ｇＯＧＴＴ）２時間値（静脈血漿におけるグルコース濃度）が１４０ｍｇ／ｄｌ未満を示す状態」（正常型）でない状態を、「境界型」と呼ぶ。
【０５３７】
また、糖尿病の判定基準については、１９９７年にＡＤＡ（米国糖尿病学会）から、１９９８年にＷＨＯから、新たな判定基準が報告されている。
【０５３８】
これらの報告によれば、糖尿病とは、空腹時血糖値（静脈血漿におけるグルコース濃度）が１２６ｍｇ／ｄｌ以上であり、かつ、７５ｇ経口ブドウ糖負荷試験２時間値（静脈血漿におけるグルコース濃度）が２００ｍｇ／ｄｌ以上を示す状態である。
【０５３９】
また、上記報告によれば、耐糖能不全とは、空腹時血糖値（静脈血漿におけるグルコース濃度）が１２６ｍｇ／ｄｌ未満であり、かつ、７５ｇ経口ブドウ糖負荷試験２時間値（静脈血漿におけるグルコース濃度）が１４０ｍｇ／ｄｌ以上２００ｍｇ／ｄｌ未満を示す状態である。さらに、ＡＤＡの報告によれば、空腹時血糖値（静脈血漿におけるグルコース濃度）が１１０ｍｇ／ｄｌ以上１２６ｍｇ／ｄｌ未満の状態をＩＦＧ（Ｉｍｐａｉｒｅｄ  Ｆａｓｔｉｎｇ  Ｇｌｕｃｏｓｅ）と呼ぶ。一方、ＷＨＯの報告によれば、該ＩＦＧ（Ｉｍｐａｉｒｅｄ  Ｆａｓｔｉｎｇ  Ｇｌｕｃｏｓｅ）のうち、７５ｇ経口ブドウ糖負荷試験２時間値（静脈血漿におけるグルコース濃度）が１４０ｍｇ／ｄｌ未満である状態をＩＦＧ（Ｉｍｐａｉｒｅｄ  Ｆａｓｔｉｎｇ  Ｇｌｙｃｅｍｉａ）と呼ぶ。
【０５４０】
本発明化合物は、上記した新たな判定基準により決定される糖尿病、境界型、耐糖能異常、ＩＦＧ（Ｉｍｐａｉｒｅｄ  Ｆａｓｔｉｎｇ  Ｇｌｕｃｏｓｅ）およびＩＦＧ（Ｉｍｐａｉｒｅｄ  Ｆａｓｔｉｎｇ  Ｇｌｙｃｅｍｉａ）の予防・治療剤としても用いられる。さらに、本発明化合物は、境界型、耐糖能異常、ＩＦＧ（Ｉｍｐａｉｒｅｄ  Ｆａｓｔｉｎｇ  Ｇｌｕｃｏｓｅ）またはＩＦＧ（Ｉｍｐａｉｒｅｄ  Ｆａｓｔｉｎｇ  Ｇｌｙｃｅｍｉａ）から糖尿病への進展を防止することもできる。
【０５４１】
本発明のＴＧＲ５受容体作動剤は、哺乳動物（例、ヒト、マウス、ラット、ウサギ、モルモット、イヌ、ネコ、ウシ、ウマ、ブタ、サル等）に対し、安全に投与することができる。
【０５４２】
本発明のＴＧＲ５受容体作動剤の投与量は、投与対象、投与ルート、対象疾患などにより異なるが、例えば、該作動剤を糖尿病治療剤として成人（約６０ｋｇ）に経口投与する場合の投与量は、有効成分である本発明化合物として、一日あたり、約０.１〜１００ｍｇ、好ましくは約１．０〜５０ｍｇ、より好ましくは約１．０〜２０ｍｇである。これらの量は１〜数回に分けて投与することができる。また、本発明のＴＧＲ５受容体作動剤を糖尿病治療剤として成人（約６０ｋｇ）に非経口投与（例えば静脈注射）する場合の投与量は、有効成分である本発明化合物として、一日あたり、約０．０１〜３０ｍｇ、好ましくは約０．１〜２０ｍｇ、より好ましくは約０．１〜１０ｍｇである。これらの量は１〜数回に分けて投与することができる。
【０５４３】
さらに、本発明化合物は、本発明化合物以外の薬物と併用して使用することができる。
【０５４４】
本発明化合物と併用し得る薬物（以下、併用薬物と略記する場合がある）としては、例えば、上記疾患に対する他の薬剤（他の糖尿病治療剤、糖尿病性合併症治療剤、高脂血症治療剤、抗肥満剤）、化学療法剤、免疫療法剤、免疫調節薬、抗炎症薬、抗菌薬、抗真菌薬、抗原虫薬、抗生物質、鎮咳・去たん薬、鎮静薬、麻酔薬、抗潰瘍薬、不整脈治療薬、降圧利尿薬、抗凝血薬、精神安定薬、抗精神病薬、抗腫瘍薬、筋弛緩薬、抗てんかん薬、抗うつ薬、抗アレルギー薬、強心薬、不整脈治療薬、血管拡張薬、血管収縮薬、降圧剤、利尿薬、麻薬拮抗薬、ビタミン薬、ビタミン誘導体、抗喘息薬、頻尿・尿失禁治療薬、アトピー性皮膚炎治療薬、アレルギー性鼻炎治療薬、昇圧薬、エンドトキシン拮抗薬あるいは抗体、シグナル伝達阻害薬、炎症性メディエーター作用抑制薬、炎症性メディエーター作用抑制抗体、抗炎症性メディエーター作用抑制薬、抗炎症性メディエーター作用抑制抗体などが挙げられる。具体的には、以下のものが挙げられる。
【０５４５】
具体的には、他の糖尿病治療剤としては、インスリン製剤（例、ウシ、ブタの膵臓から抽出された動物インスリン製剤；大腸菌、イーストを用い、遺伝子工学的に合成したヒトインスリン製剤；インスリン亜鉛；プロタミンインスリン亜鉛；インスリンのフラグメントまたは誘導体（例、ＩＮＳ−１等）など）、インスリン感受性増強剤（例、塩酸ピオグリタゾン、トログリタゾン、ロジグリタゾンまたはそのマレイン酸塩、ＪＴＴ−５０１、ＭＣＣ−５５５、ＹＭ−４４０、ＧＩ−２６２５７０、ＫＲＰ−２９７、ＦＫ−６１４、ＣＳ−０１１、(γE)-γ-[[[4-[(5-メチル-2-フェニル-4-オキサゾリル)メトキシ]フェニル]メトキシ]イミノ]ベンゼンブタン酸等）、α−グルコシダーゼ阻害剤（例、ボグリボース、アカルボース、ミグリトール、エミグリテート等）、ビグアナイド剤（例、フェンホルミン、メトホルミン、ブホルミン等）、スルホニルウレア剤（例、トルブタミド、グリベンクラミド、グリクラジド、クロルプロパミド、トラザミド、アセトヘキサミド、グリクロピラミド、グリメピリド等）やその他のインスリン分泌促進剤（例、レパグリニド、セナグリニド、ミチグリニドまたはそのカルシウム塩水和物、ＧＬＰ−１、ナテグリニド等）、ジペプチジルペプチダーゼＩＶ阻害剤（例、ＮＶＰ−ＤＰＰ−２７８、ＰＴ−１００、Ｐ３２／９８等）、β３アゴニスト（例、ＣＬ−３１６２４３、ＳＲ−５８６１１−Ａ、ＵＬ−ＴＧ−３０７、ＡＪ−９６７７、ＡＺ４０１４０等）、アミリンアゴニスト（例、プラムリンチド等）、ホスホチロシンホスファターゼ阻害剤（例、バナジン酸等）、糖新生阻害剤（例、グリコーゲンホスホリラーゼ阻害剤、グルコース−６−ホスファターゼ阻害剤、グルカゴン拮抗剤等）、ＳＧＬＴ（sodium-glucose  cotransporter）阻害剤（例、Ｔ−１０９５等）等が挙げられる。
【０５４６】
糖尿病性合併症治療剤としては、アルドース還元酵素阻害剤（例、トルレスタット、エパルレスタット、ゼナレスタット、ゾポルレスタット、フィダレスタット（ＳＮＫ−８６０）、ミナルレスタット（ＡＲＩ−５０９）、ＣＴ−１１２等）、神経栄養因子（例、ＮＧＦ、ＮＴ−３等）、プロテインキナーゼＣ（ＰＫＣ）阻害薬（例、ＬＹ−３３３５３１等）、ＡＧＥ阻害剤（例、ＡＬＴ−９４５、ピマゲジン、ピラトキサチン、Ｎ−フェナシルチアゾリウムブロミド（ＡＬＴ−７６６）、ＥＸＯ−２２６等）、活性酸素消去薬（例、チオクト酸等）、脳血管拡張剤（例、チオプリド等）等が挙げられる。
【０５４７】
抗高脂血剤としては、コレステロール合成阻害剤であるスタチン系化合物（例、プラバスタチン、シンバスタチン、ロバスタチン、アトルバスタチン、フルバスタチン、セリバスタチンまたはそれらの塩（例、ナトリウム塩等）等）、スクアレン合成酵素阻害剤あるいはトリグリセリド低下作用を有するフィブラート系化合物（例、ベザフィブラート、クロフィブラート、シムフィブラート、クリノフィブラート等）等が挙げられる。
【０５４８】
降圧剤としては、アンジオテンシン変換酵素阻害剤（例、カプトプリル、エナラプリル、デラプリル等）、アンジオテンシンII拮抗剤（例、ロサルタン、カンデサルタン、シレキセチル等）、カルシウム拮抗剤（例、マニジピン、ニフェジピン、アムロジピン、エホニジピン、ニカルジピン等）、クロニジン等が挙げられる。
【０５４９】
抗肥満剤としては、例えば中枢性抗肥満薬（例、デキスフェンフルアミン、フェンフルラミン、フェンテルミン、シブトラミン、アンフェプラモン、デキサンフェタミン、マジンドール、フェニルプロパノールアミン、クロベンゾレックス等）、膵リパーゼ阻害薬（例、オルリスタット、ＡＴＬ−９６２等）、β３アゴニスト（例、ＣＬ−３１６２４３、ＳＲ−５８６１１−Ａ、ＵＬ−ＴＧ−３０７、ＡＪ−９６７７、ＡＺ４０１４０等）、ペプチド性食欲抑制薬（例、レプチン、ＣＮＴＦ（毛様体神経栄養因子）等）、コレシストキニンアゴニスト（例、リンチトリプト、ＦＰＬ−１５８４９等）等が挙げられる。
【０５５０】
利尿剤としては、例えばキサンチン誘導体（例、サリチル酸ナトリウムテオブロミン、サリチル酸カルシウムテオブロミン等）、チアジド系製剤（例、エチアジド、シクロペンチアジド、トリクロルメチアジド、ヒドロクロロチアジド、ヒドロフルメチアジド、ベンジルヒドロクロロチアジド、ペンフルチジド、ポリチアジド、メチクロチアジド等）、抗アルドステロン製剤（例、スピロノラクトン、トリアムテレン等）、炭酸脱水酵素阻害剤（例、アセタゾラミド等）、クロルベンゼンスルホンアミド系製剤（例、クロルタリドン、メフルシド、インダパミド等）、アゾセミド、イソソルビド、エタクリン酸、ピレタニド、ブメタニド、フロセミド等が挙げられる。
【０５５１】
化学療法剤としては、例えばアルキル化剤（例、サイクロフォスファミド、イフォスファミド等）、代謝拮抗剤（例、メソトレキセート、５−フルオロウラシル等）、抗癌性抗生物質（例、マイトマイシン、アドリアマイシン等）、植物由来抗癌剤（例、ビンクリスチン、ビンデシン、タキソール等）、シスプラチン、カルボプラチン、エトポキシドなどが挙げられる。なかでも５−フルオロウラシル誘導体であるフルツロンあるいはネオフルツロンなどが好ましい。
【０５５２】
免疫療法剤としては、例えば微生物または細菌成分（例、ムラミルジペプチド誘導体、ピシバニール等）、免疫増強活性のある多糖類（例、レンチナン、シゾフィラン、クレスチン等）、遺伝子工学的手法で得られるサイトカイン（例、インターフェロン、インターロイキン（ＩＬ）等）、コロニー刺激因子（例、顆粒球コロニー刺激因子、エリスロポエチン等）などが挙げられ、なかでもＩＬ−１、ＩＬ−２、ＩＬ−１２などが好ましい。
【０５５３】
さらに、動物モデルや臨床で悪液質改善作用が認められている薬剤、すなわち、シクロオキシゲナーゼ阻害剤（例、インドメタシン等）〔キャンサー・リサーチ（Cancer Research）、第４９巻、５９３５〜５９３９頁、１９８９年〕、プロゲステロン誘導体（例、メゲステロールアセテート）〔ジャーナル・オブ・クリニカル・オンコロジー（Journal of Clinical Oncology）、第１２巻、２１３〜２２５頁、１９９４年〕、糖質ステロイド（例、デキサメサゾン等）、メトクロプラミド系薬剤、テトラヒドロカンナビノール系薬剤（文献はいずれも上記と同様）、脂肪代謝改善剤（例、エイコサペンタエン酸等）〔ブリティシュ・ジャーナル・オブ・キャンサー（British Journal of Cancer）、第６８巻、３１４〜３１８頁、１９９３年〕、成長ホルモン、ＩＧＦ−１、あるいは悪液質を誘導する因子であるＴＮＦ−α、ＬＩＦ、ＩＬ−６、オンコスタチンＭに対する抗体なども本発明製剤と併用することができる。
【０５５４】
さらに、糖化阻害剤(例、ALT-711等)、神経再生促進薬(例、Y-128、VX853、prosaptide等)、抗うつ薬(例、デシプラミン、アミトリプチリン、イミプラミン)、抗てんかん薬（例、ラモトリジン）、抗不整脈薬（例、メキシレチン）、アセチルコリン受容体リガンド(例、ABT-594)、エンドセリン受容体拮抗薬（例、ABT-627）、モノアミン取り込み阻害薬(例、トラマドル)、麻薬性鎮痛薬(例、モルヒネ)、GABA受容体作動薬（例、ギャバペンチン）、α2受容体作動薬（例、クロニジン）、局所鎮痛薬（例、カプサイシン）、抗不安薬（例、ベンゾチアゼピン）、ホスホジエステラーゼ阻害薬（例、シルデナフィル）、ドーパミン受容体作動薬（例、アポモルフィン）なども本発明製剤と併用することができる。
【０５５５】
本発明化合物と併用薬物とを組み合わせることにより、
（１）本発明化合物または併用薬物を単独で投与する場合に比べて、その投与量を軽減することができる、
（２）患者の症状（軽症、重症など）に応じて、本発明化合物と併用する薬物を選択することができる、
（３）本発明化合物と作用機序が異なる併用薬物を選択することにより、治療期間を長く設定することができる、
（４）本発明化合物と作用機序が異なる併用薬物を選択することにより、治療効果の持続を図ることができる、
（５）本発明化合物と併用薬物とを併用することにより、相乗効果が得られる、などの優れた効果を得ることができる。
【０５５６】
以下、本発明化合物（Ｉ）と併用薬物を併用して使用することを「本発明の併用剤」と称する。
【０５５７】
本発明の併用剤の使用に際しては、本発明化合物と併用薬物の投与時期は限定されず、本発明化合物またはその医薬組成物と併用薬物またはその医薬組成物とを、投与対象に対し、同時に投与してもよいし、時間差をおいて投与してもよい。併用薬物の投与量は、臨床上用いられている投与量に準ずればよく、投与対象、投与ルート、疾患、組み合わせ等により適宜選択することができる。
【０５５８】
本発明の併用剤の投与形態は、特に限定されず、投与時に、本発明化合物と併用薬物とが組み合わされていればよい。このような投与形態としては、例えば、（１）本発明化合物と併用薬物とを同時に製剤化して得られる単一の製剤の投与、（２）本発明化合物と併用薬物とを別々に製剤化して得られる２種の製剤の同一投与経路での同時投与、（３）本発明化合物と併用薬物とを別々に製剤化して得られる２種の製剤の同一投与経路での時間差をおいての投与、（４）本発明化合物と併用薬物とを別々に製剤化して得られる２種の製剤の異なる投与経路での同時投与、（５）本発明化合物と併用薬物とを別々に製剤化して得られる２種の製剤の異なる投与経路での時間差をおいての投与（例えば、本発明化合物；併用薬物の順序での投与、あるいは逆の順序での投与）などが挙げられる。
【０５５９】
本発明の併用剤は、毒性が低く、例えば、本発明化合物または（および）上記併用薬物を自体公知の方法に従って、薬理学的に許容される担体と混合して医薬組成物、例えば錠剤（糖衣錠、フィルムコーティング錠を含む）、散剤、顆粒剤、カプセル剤、（ソフトカプセルを含む）、液剤、注射剤、坐剤、徐放剤等として、経口的又は非経口的（例、局所、直腸、静脈投与等）に安全に投与することができる。注射剤は、静脈内、筋肉内、皮下または臓器内投与あるいは直接病巣に投与することができる。
【０５６０】
本発明の併用剤の製造に用いられてもよい薬理学的に許容される担体としては、製剤素材として慣用の各種有機あるいは無機担体物質があげられ、例えば固形製剤における賦形剤、滑沢剤、結合剤及び崩壊剤、あるいは液状製剤における溶剤、溶解補助剤、懸濁化剤、等張化剤、緩衝剤及び無痛化剤等があげられる。更に必要に応じ、通常の防腐剤、抗酸化剤、着色剤、甘味剤、吸着剤、湿潤剤等の添加物を適宜、適量用いることもできる。
【０５６１】
賦形剤としては、例えば乳糖、白糖、Ｄ−マンニトール、デンプン、コーンスターチ、結晶セルロース、軽質無水ケイ酸等が挙げられる。
【０５６２】
滑沢剤としては、例えばステアリン酸マグネシウム、ステアリン酸カルシウム、タルク、コロイドシリカ等が挙げられる。
【０５６３】
結合剤としては、例えば結晶セルロース、白糖、Ｄ−マンニトール、デキストリン、ヒドロキシプロピルセルロース、ヒドロキシプロピルメチルセルロース、ポリビニルピロリドン、デンプン、ショ糖、ゼラチン、メチルセルロース、カルボキシメチルセルロースナトリウム等が挙げられる。
【０５６４】
崩壊剤としては、例えばデンプン、カルボキシメチルセルロース、カルボキシメチルセルロースカルシウム、カルボキシメチルスターチナトリウム、Ｌ−ヒドロキシプロピルセルロース等が挙げられる。
【０５６５】
溶剤としては、例えば注射用水、アルコール、プロピレングリコール、マクロゴール、ゴマ油、トウモロコシ油、オリーブ油等が挙げられる。
【０５６６】
溶解補助剤としては、例えばポリエチレングリコール、プロピレングリコール、Ｄ−マンニトール、安息香酸ベンジル、エタノール、トリスアミノメタン、コレステロール、トリエタノールアミン、炭酸ナトリウム、クエン酸ナトリウム等が挙げられる。
【０５６７】
懸濁化剤としては、例えばステアリルトリエタノールアミン、ラウリル硫酸ナトリウム、ラウリルアミノプロピオン酸、レシチン、塩化ベンザルコニウム、塩化ベンゼトニウム、モノステアリン酸グリセリン等の界面活性剤；例えばポリビニルアルコール、ポリビニルピロリドン、カルボキシメチルセルロースナトリウム、メチルセルロース、ヒドロキシメチルセルロース、ヒドロキシエチルセルロース、ヒドロキシプロピルセルロース等の親水性高分子等が挙げられる。
【０５６８】
等張化剤としては、例えばブドウ糖、 Ｄ−ソルビトール、塩化ナトリウム、グリセリン、Ｄ−マンニトール等が挙げられる。
【０５６９】
緩衝剤としては、例えばリン酸塩、酢酸塩、炭酸塩、クエン酸塩等の緩衝液等が挙げられる。
【０５７０】
無痛化剤としては、例えばベンジルアルコール等が挙げられる。
【０５７１】
防腐剤としては、例えばパラオキシ安息香酸エステル類、クロロブタノール、ベンジルアルコール、フェネチルアルコール、デヒドロ酢酸、ソルビン酸等が挙げられる。
【０５７２】
抗酸化剤としては、例えば亜硫酸塩、アスコルビン酸、α−トコフェロール等が挙げられる。
【０５７３】
本発明の併用剤における本発明化合物と併用薬物との配合比は、投与対象、投与ルート、疾患等により適宜選択することができる。
【０５７４】
例えば、本発明の併用剤における本発明化合物の含有量は、製剤の形態によって相違するが、通常製剤全体に対して約０．０１ないし１００重量％、好ましくは約０．１ないし５０重量％、さらに好ましくは約０．５ないし２０重量％程度である。
【０５７５】
本発明の併用剤における併用薬物の含有量は、製剤の形態によって相違するが、通常製剤全体に対して約０．０１ないし１００重量％、好ましくは約０．１ないし５０重量％、さらに好ましくは約０．５ないし２０重量％程度である。
【０５７６】
本発明の併用剤における担体等の添加剤の含有量は、製剤の形態によって相違するが、通常製剤全体に対して約１ないし９９．９９重量％、好ましくは約１０ないし９０重量％程度である。
【０５７７】
また、本発明化合物および併用薬物をそれぞれ別々に製剤化する場合も同様の含有量でよい。
【０５７８】
これらの製剤は、製剤工程において通常一般に用いられる自体公知の方法により製造することができる。
【０５７９】
例えば、本発明化合物または併用薬物は、分散剤（例、ツイーン（Tween）８０（アトラスパウダー社製、米国）、HCO 60（日光ケミカルズ製）、ポリエチレングリコール、カルボキシメチルセルロース、アルギン酸ナトリウム、ヒドロキシプロピルメチルセルロース、デキストリンなど）、安定化剤（例、アスコルビン酸、ピロ亜硫酸ナトリウム等）、界面活性剤（例、ポリソルベート８０、マクロゴール等）、可溶剤（例、グリセリン、エタノール等）、緩衝剤（例、リン酸及びそのアルカリ金属塩、クエン酸及びそのアルカリ金属塩等）、等張化剤（例、塩化ナトリウム、塩化カリウム、マンニトール、ソルビトール、ブドウ糖等）、ｐＨ調節剤（例、塩酸、水酸化ナトリウム等）、保存剤（例、パラオキシ安息香酸エチル、安息香酸、メチルパラベン、プロピルパラベン、ベンジルアルコール等）、溶解剤（例、濃グリセリン、メグルミン等）、溶解補助剤（例、プロピレングリコール、白糖等）、無痛化剤（例、ブドウ糖、ベンジルアルコール等）などと共に水性注射剤に、あるいはオリーブ油、ゴマ油、綿実油、コーン油などの植物油、プロピレングリコールなどの溶解補助剤に溶解、懸濁あるいは乳化して油性注射剤に成形し、注射剤とすることができる。
【０５８０】
経口投与用製剤とするには、自体公知の方法に従い、本発明化合物または併用薬物を例えば、賦形剤（例、乳糖、白糖、デンプンなど）、崩壊剤（例、デンプン、炭酸カルシウムなど）、結合剤（例、デンプン、アラビアゴム、カルボキシメチルセルロース、ポリビニールピロリドン、ヒドロキシプロピルセルロースなど）又は滑沢剤（例、タルク、ステアリン酸マグネシウム、ポリエチレングリコール  ６０００など）などを添加して圧縮成形し、次いで必要により、味のマスキング、腸溶性あるいは持続性の目的のため自体公知の方法でコーティングすることにより経口投与製剤とすることができる。そのコーティング剤としては、例えば、ヒドロキシプロピルメチルセルロース、エチルセルロース、ヒドロキシメチルセルロース、ヒドロキシプロピルセルロース、ポリオキシエチレングリコール、ツイーン  ８０、プルロニック  Ｆ６８、セルロースアセテートフタレート、ヒドロキシプロピルメチルセルロースフタレート、ヒドロキシメチルセルロースアセテートサクシネート、オイドラギット（ローム社製、ドイツ，メタアクリル酸・アクリル酸共重合）および色素（例、ベンガラ，二酸化チタン等）などが用いられる。経口投与用製剤は速放性製剤、徐放性製剤のいずれであってもよい。
【０５８１】
例えば、坐剤とするには、自体公知の方法に従い、本発明化合物または併用薬物を油性又は水性の固状、半固状あるいは液状の坐剤とすることができる。上記組成物に用いる油性基剤としては、例えば、高級脂肪酸のグリセリド〔例、カカオ脂、ウイテプゾル類（ダイナマイトノーベル社製，ドイツ）など〕、中級脂肪酸〔例、ミグリオール類（ダイナマイトノーベル社製，ドイツ）など〕、あるいは植物油（例、ゴマ油、大豆油、綿実油など）などが挙げられる。また、水性基剤としては、例えばポリエチレングリコール類、プロピレングリコール、水性ゲル基剤としては、例えば天然ガム類、セルロース誘導体、ビニール重合体、アクリル酸重合体などが挙げられる。
【０５８２】
上記徐放性製剤としては、徐放性マイクロカプセル剤などが挙げられる。
【０５８３】
徐放型マイクロカプセルとするには、自体公知の方法を採用できるが、例えば、下記〔２〕に示す徐放性製剤に成型して投与するのが好ましい。
【０５８４】
本発明化合物は、固形製剤（例、散剤、顆粒剤、錠剤、カプセル剤）などの経口投与用製剤に成型するか、坐剤などの直腸投与用製剤に成型するのが好ましい。特に経口投与用製剤が好ましい。
【０５８５】
併用薬物は、薬物の種類に応じて上記した剤形とすることができる。
【０５８６】
以下に、〔１〕本発明化合物または併用薬物の注射剤およびその調製、〔２〕本発明化合物または併用薬物の徐放性製剤又は速放性製剤およびその調製、〔３〕本発明化合物または併用薬物の舌下錠、バッカル又は口腔内速崩壊剤およびその調製について具体的に示す。
〔１〕注射剤およびその調製
本発明化合物または併用薬物を水に溶解してなる注射剤が好ましい。該注射剤には安息香酸塩又は／およびサリチル酸塩を含有させてもよい。
【０５８７】
該注射剤は、本発明化合物または併用薬物と所望により安息香酸塩又は／およびサリチル酸塩の双方を水に溶解することにより得られる。
【０５８８】
上記安息香酸、サリチル酸の塩としては、例えばナトリウム，カリウムなどのアルカリ金属塩、カルシウム，マグネシウムなどのアルカリ土類金属塩、アンモニウム塩、メグルミン塩、その他トロメタモールなどの有機酸塩などが挙げられる。
【０５８９】
注射剤中の本発明化合物または併用薬物の濃度は０.５〜５０ｗ／ｖ％、好ましくは３〜２０ｗ／ｖ％程度である。また安息香酸塩又は／およびサリチル酸塩の濃度は０.５〜５０ｗ／ｖ％、好ましくは３〜２０ｗ／ｖ％が好ましい。
【０５９０】
また、本剤には一般に注射剤に使用される添加剤、例えば安定化剤（アスコルビン酸、ピロ亜硫酸ナトリウム等）、界面活性剤（ポリソルベート８０、マクロゴール等）、可溶剤（グリセリン、エタノール等）、緩衝剤（リン酸及びそのアルカリ金属塩、クエン酸及びそのアルカリ金属塩等）、等張化剤（塩化ナトリウム、塩化カリウム等）、分散剤（ヒドロキシプロピルメチルセルロース、デキストリン）、ｐＨ調節剤（塩酸、水酸化ナトリウム等）、保存剤（パラオキシ安息香酸エチル、安息香酸等）、溶解剤（濃グリセリン、メグルミン等）、溶解補助剤（プロピレングリコール、白糖等）、無痛化剤（ブドウ糖、ベンジルアルコール等）などを適宜配合することができる。これらの添加剤は一般に注射剤に通常用いられる割合で配合される。
【０５９１】
注射剤はｐＨ調節剤の添加により２〜１２好ましくは２.５〜８.０に調整するのがよい。
【０５９２】
注射剤は本発明化合物または併用薬物と所望により安息香酸塩又は／およびサリチル酸塩の双方を、また必要により上記添加剤を水に溶解することにより得られる。これらの溶解はどのような順序で行ってもよく、従来の注射剤の製法と同様に適宜行うことができる。
【０５９３】
注射用水溶液は加温するのがよく、また通常の注射剤と同様にたとえば濾過滅菌，高圧加熱滅菌などを行うことにより注射剤として供することができる。
【０５９４】
注射用水溶液は、例えば１００〜１２１℃の条件で５〜３０分高圧加熱滅菌するのがよい。
【０５９５】
さらに多回分割投与製剤として使用できるように、溶液の抗菌性を付与した製剤としてもよい。
〔２〕徐放性製剤又は速放性製剤およびその調製
本発明化合物または併用薬物を含んでなる核を所望により水不溶性物質や膨潤性ポリマーなどの被膜剤で被覆してなる徐放性製剤が好ましい。例えば、１日１回投与型の経口投与用徐放性製剤が好ましい。
【０５９６】
被膜剤に用いられる水不溶性物質としては、例えばエチルセルロース、ブチルセルロースなどのセルロースエーテル類、セルロースアセテート、セルロースプロピオネートなどのセルロースエステル類、ポリビニルアセテート、ポリビニルブチレートなどのポリビニルエステル類、アクリル酸／メタクリル酸共重合体、メチルメタクリレート共重合体、エトキシエチルメタクリレート／シンナモエチルメタクリレート／アミノアルキルメタクリレート共重合体、ポリアクリル酸、ポリメタクリル酸、メタクリル酸アルキルアミド共重合体、ポリ（メタクリル酸メチル）、ポリメタクリレート、ポリメタクリルアミド、アミノアルキルメタクリレート共重合体、ポリ（メタクリル酸アンヒドリド）、グリシジルメタクリレート共重合体、とりわけオイドラギットＲＳ−１００，ＲＬ−１００，ＲＳ−３０Ｄ，ＲＬ−３０Ｄ，ＲＬ−ＰＯ，ＲＳ−ＰＯ（アクリル酸エチル・メタアクリル酸メチル・メタアクリル酸塩化トリメチル・アンモニウムエチル共重合体）、オイドラギットＮＥ−３０Ｄ（メタアクリル酸メチル・アクリル酸エチル共重合体）などのオイドラギット類（ローム・ファーマ社）などのアクリル酸系ポリマー、硬化ヒマシ油（例、ラブリーワックス（フロイント産業）など）などの硬化油、カルナバワックス、脂肪酸グリセリンエステル、パラフィンなどのワックス類、ポリグリセリン脂肪酸エステル等が挙げられる。
【０５９７】
膨潤性ポリマーとしては、酸性の解離基を有し、ｐＨ依存性の膨潤を示すポリマーが好ましく、胃内のような酸性領域では膨潤が少なく、小腸や大腸などの中性領域で膨潤が大きくなる酸性の解離基を有するポリマーが好ましい。
【０５９８】
このような酸性の解離基を有し，ｐＨ依存性の膨潤を示すポリマーとしては、例えばカーボマー（Carbomer）９３４Ｐ、９４０、９４１、９７４Ｐ、９８０、１３４２等、ポリカーボフィル（polycarbophil）、カルシウムポリカボーフィル（carcium polycarbophil）（前記はいずれもＢＦグツドリッチ社製）、ハイビスワコー１０３、１０４、１０５、３０４（いずれも和光純薬（株）製）などの架橋型ポリアクリル酸重合体が挙げられる。
【０５９９】
徐放性製剤に用いられる被膜剤は親水性物質をさらに含んでいてもよい。
【０６００】
該親水性物質としては、例えばプルラン、デキストリン、アルギン酸アルカリ金属塩などの硫酸基を有していてもよい多糖類、ヒドロキシプロピルセルロース、ヒドロキシプロピルメチルセルロース、カルボキシメチルセルロースナトリウムなどのヒドロキシアルキル基又はカルボキシアルキル基を有する多糖類、メチルセルロース、ポリビニルピロリドン、ポリビニルアルコール、ポリエチレングリコールなどが挙げられる。
【０６０１】
徐放性製剤の被膜剤における水不溶性物質の含有率は約３０ないし約９０％（w/w）、好ましくは約３５ないし約８０％（w/w）、さらに好ましくは約４０ないし７５％（w/w）、膨潤性ポリマーの含有率は約３ないし約３０％（w/w）、好ましくは約３ないし約１５％(w/w)である。被膜剤は親水性物質をさらに含んでいてもよく、その場合被膜剤における親水性物質の含有率は約５０％(w/w)以下、好ましくは約５〜約４０％（w/w）、さらに好ましくは約５〜約３５％（w/w）である。ここで上記％（w/w）は被膜剤液から溶媒（例、水、メタノール、エタノール等の低級アルコール等）を除いた被膜剤組成物に対する重量％を示す。
【０６０２】
徐放性製剤は、以下に例示するように薬物を含む核を調製し、次いで得られた核を、水不溶性物質や膨潤性ポリマーなどを加熱溶解あるいは溶媒に溶解又は分散させた被膜剤液で被覆することにより製造される。
Ｉ．薬剤を含む核の調製。
【０６０３】
被膜剤で被覆される薬物を含む核（以下、単に核と称することがある）の形態は特に制限されないが、好ましくは顆粒あるいは細粒などの粒子状に形成される。
【０６０４】
核が顆粒又は細粒の場合、その平均粒子径は、好ましくは約１５０ないし２,０００μｍ、さらに好ましくは約５００ないし約１,４００μｍである。
【０６０５】
核の調製は通常の製造方法で実施することができる。例えば、薬物に適当な賦形剤、結合剤、崩壊剤、滑沢剤、安定化剤等を混合し、湿式押し出し造粒法、流動層造粒法などにより調製する。
【０６０６】
核の薬物含量は、約０.５ないし約９５％（w/w）、好ましくは約５.０ないし約８０％（w/w）、さらに好ましくは約３０ないし約７０％（w/w）である。
【０６０７】
核に含まれる賦形剤としては、例えば白糖、乳糖、マンニトール、グルコースなどの糖類、澱粉、結晶セルロース、リン酸カルシウム、コーンスターチなどが用いられる。中でも、結晶セルロース、コーンスターチが好ましい。
【０６０８】
結合剤としては、例えばポリビニルアルコール、ヒドロキシプロピルセルロース、ポリエチレングリコール、ポリビニルピロリドン、プルロニックＦ６８、アラビアゴム、ゼラチン、澱粉などが用いられる。崩壊剤としては、例えばカルボキシメチルセルロースカルシウム(ECG505)、クロスカルメロースナトリウム(Ac-Di-Sol)、架橋型ポリビニルピロリドン（クロスポビドン）、低置換度ヒドロキシプロピルセルロース（L-HPC）などが用いられる。中でも、ヒドロキシプロピルセルロース、ポリビニルピロリドン、低置換度ヒドロキシプロピルセルロースが好ましい。滑沢剤、凝集防止剤としては例えばタルク、ステアリン酸マグネシウムおよびその無機塩、また潤滑剤としてポリエチレングリコールなどが用いられる。安定化剤としては酒石酸、クエン酸、コハク酸、フマル酸、マレイン酸などの酸が用いられる。
【０６０９】
核は上記製造法以外にも、例えば核の中心となる不活性担体粒子上に水、低級アルコール（例、メタノール、エタノールなど）等の適当な溶媒に溶解した結合剤をスプレーしながら、薬物あるいはこれと賦形剤、滑沢剤などとの混合物を少量づつ添加して行なう転動造粒法、パンコーティング法、流動層コーティング法や溶融造粒法によっても調製することができる。不活性担体粒子としては、例えば白糖、乳糖、澱粉、結晶セルロース、ワックス類で製造されたものが使用でき、その平均粒子径は約１００μｍないし約１,５００μｍであるものが好ましい。
【０６１０】
核に含まれる薬物と被膜剤とを分離するために、防護剤で核の表面を被覆してもよい。防護剤としては、例えば前記親水性物質や、水不溶性物質等が用いられる。防護剤は、好ましくはポリエチレングリコールやヒドロキシアルキル基又はカルボキシアルキル基を有する多糖類、より好ましくはヒドロキシプロピルメチルセルロース、ヒドロキシプロピルセルロースが用いられる。該防護剤には安定化剤として酒石酸、クエン酸、コハク酸、フマル酸、マレイン酸等の酸や、タルクなどの滑沢剤を含んでいてもよい。防護剤を用いる場合、その被覆量は核に対して約１ないし約１５％（w/w）、好ましくは約１ないし約１０％（w/w）、さらに好ましくは約２ないし約８％（w/w）である。
【０６１１】
防護剤は通常のコーティング法により被覆することができ、具体的には、防護剤を例えば流動層コーティング法、パンコーティング法等により核にスプレーコーティングすることで被覆することができる。
【０６１２】
II．核の被膜剤による被覆
前記Ｉで得られた核を、前記水不溶性物質及び pＨ依存性の膨潤性ポリマー、および親水性物質を加熱溶解あるいは溶媒に溶解又は分散させた被膜剤液により被覆することにより徐放性製剤が製造される。
【０６１３】
核の被膜剤液による被覆方法として、例えば噴霧コーティングする方法などが挙げられる。
【０６１４】
被膜剤液中の水不溶性物質、膨潤性ポリマー又は親水性物質の組成比は、被膜中の各成分の含有率がそれぞれ前記含有率となるように適宜選ばれる。
【０６１５】
被膜剤の被覆量は、核（防護剤の被覆量を含まない）に対して約１ないし約９０％（w/w）、好ましくは約５ないし約５０％（w/w）、さらに好ましくは約５ないし３５％（w/w）である。
【０６１６】
被膜剤液の溶媒としては水又は有機溶媒を単独であるいは両者の混液を用いることができる。混液を用いる際の水と有機溶媒との混合比（水／有機溶媒：重量比）は、１ないし１００％の範囲で変化させることができ、好ましくは１ないし約３０％である。該有機溶媒としては、水不溶性物質を溶解するものであれば特に限定されないが、例えばメチルアルコール、エチルアルコール、イソプロピルアルコール、n-ブチルアルコール等の低級アルコール、アセトンなどの低級アルカノン、アセトニトリル、クロロホルム、メチレンクロライドなどが用いられる。このうち低級アルコールが好ましく、エチルアルコール、イソプロピルアルコールが特に好ましい。水及び水と有機溶媒との混液が被膜剤の溶媒として好ましく用いられる。この時、必要であれば被膜剤液中に被膜剤液安定化のために酒石酸、クエン酸、コハク酸、フマル酸、マレイン酸などの酸を加えてもよい。
【０６１７】
噴霧コーティングにより被覆する場合の操作は通常のコーティング法により実施することができ、具体的には、被膜剤液を例えば流動層コーティング法、パンコーティング法等により核にスプレーコーティングすることで実施することができる。この時必要であれば、タルク、酸化チタン、ステアリン酸マグネシウム、ステアリン酸カルシウム、軽質無水ケイ酸などを滑沢剤として、グリセリン脂肪酸エステル、硬化ヒマシ油、クエン酸トリエチル、セチルアルコール、ステアリルアルコールなどを可塑剤として添加してもよい。
【０６１８】
被膜剤による被膜後、必要に応じてタルクなどの帯電防止剤を混合してもよい。
【０６１９】
速放性製剤は、液状（溶液、懸濁液、乳化物など)であっても固形状（粒子状、丸剤、錠剤など）であってもよい。経口投与剤、注射剤など非経口投与剤が用いられるが、経口投与剤が好ましい。
【０６２０】
速放性製剤は、通常、活性成分である薬物に加えて、製剤分野で慣用される担体、添加剤や賦形剤（以下、賦形剤と略称することがある）を含んでいてもよい。用いられる製剤賦形剤は、製剤賦形剤として常用される賦形剤であれば特に限定されない。例えば経口固形製剤用の賦形剤としては、乳糖、デンプン、コーンスターチ、結晶セルロース（旭化成（株）製、アビセルＰＨ１０１など）、粉糖、グラニュウ糖、マンニトール、軽質無水ケイ酸、炭酸マグネシウム、炭酸カルシウム、Ｌ−システインなどが挙げられ、好ましくはコーンスターチおよびマンニトールなどが挙げられる。これらの賦形剤は一種又は二種以上を組み合わせて使用できる。賦形剤の含有量は速放性製剤全量に対して、例えば約４．５〜約９９．４ｗ/ｗ％、好ましくは約２０〜約９８．５ｗ/ｗ％、さらに好ましくは約３０〜約９７ｗ/ｗ％である。
【０６２１】
速放性製剤における薬物の含量は、速放性製剤全量に対して、約０．５〜約９５％、好ましくは約１〜約６０％の範囲から適宜選択することができる。
【０６２２】
速放性製剤が経口固型製剤の場合、通常上記成分に加えて、崩壊剤を含有する。このような崩壊剤としては、例えばカルボキシメチルセルロースカルシウム（五徳薬品製、ＥＣＧ−５０５)、クロスカルメロースナトリウム（例えば、旭化成（株）製、アクジゾル)、クロスポビドン（例えば、ＢＡＳＦ社製、コリドンＣＬ)、低置換度ヒドロキシプロピルセルロース（信越化学（株）)、カルボキシメチルスターチ（松谷化学（株）、カルボキシメチルスターチナトリウム（木村産業製、エキスプロタブ)、部分α化デンプン（旭化成（株）製、ＰＣＳ）などが用いられ、例えば水と接触して吸水、膨潤、あるいは核を構成している有効成分と賦形剤との間にチャネルを作るなどにより顆粒を崩壊させるものを用いることができる。これらの崩壊剤は、一種又は二種以上を組み合わせて使用できる。崩壊剤の配合量は、用いる薬物の種類や配合量、放出性の製剤設計などにより適宜選択されるが、速放性製剤全量に対して、例えば約０．０５〜約３０ｗ/ｗ％、好ましくは約０．５〜約１５ｗ/ｗ％である。
【０６２３】
速放性製剤が経口固型製剤である場合、経口固型製剤の場合には上記の組成に加えて、所望により固型製剤において慣用の添加剤をさらに含んでいてもよい。このような添加剤としては、例えば結合剤（例えば、ショ糖、ゼラチン、アラビアゴム末、メチルセルロース、ヒドロキシプロピルセルロース、ヒドロキシプロピルメチルセルロース、カルボキシメチルセルロース、ポリビニルピロリドン、プルラン、デキストリンなど)、滑沢剤（例えば、ポリエチレングリコール、ステアリン酸マグネシウム、タルク、軽質無水ケイ酸（例えば、アエロジル（日本アエロジル）)、界面活性剤（例えば、アルキル硫酸ナトリウムなどのアニオン系界面活性剤、ポリオキシエチレン脂肪酸エステルおよびポリオキシエチレンソルビタン脂肪酸エステル、ポリオキシエチレンヒマシ油誘導体等の非イオン系界面活性剤など)、着色剤（例えば、タール系色素、カラメル、ベンガラ、酸化チタン、リボフラビン類)、必要ならば、橋味剤（例えば、甘味剤、香料など)、吸着剤、防腐剤、湿潤剤、帯電防止剤などが用いられる。また、安定化剤として酒石酸、クエン酸、コハク酸、フマル酸などの有機酸を加えてもよい。
【０６２４】
上記結合剤としては、ヒドロキシプロピルセルロース、ポリエチレングリコールおよびポリビニルピロリドンなどが好ましく用いられる。
【０６２５】
速放性製剤は、通常の製剤の製造技術に基づき、前記各成分を混合し、必要により、さらに練合し、成型することにより調製することができる。上記混合は、一般に用いられる方法、例えば、混合、練合などにより行われる。具体的には、例えば速放性製剤を粒子状に形成する場合、前記徐放性製剤の核の調製法と同様の手法により、バーチカルグラニュレーター、万能練合機（畑鉄工所製)、流動層造粒機ＦＤ−５Ｓ（パウレック社製）等を用いて混合しその後、湿式押し出し造粒法、流動層造粒法などにより造粒することにより調製することができる。
【０６２６】
このようにして得られた速放性製剤と徐放性製剤とは、そのままあるいは適宜、製剤賦形剤等と共に常法により別々に製剤化後、同時あるいは任意の投与間隔を挟んで組み合わせて投与する製剤としてもよく、また両者をそのままあるいは適宜、製剤賦形剤等と共に一つの経口投与製剤（例、顆粒剤、細粒剤、錠剤、カプセル等)に製剤化してもよい。両製剤を顆粒あるいは細粒に製して、同一のカプセル等に充填して経口投与用製剤としてもよい。
〔３〕舌下錠、バッカル又は口腔内速崩壊剤およびその調製
舌下錠、バッカル製剤、口腔内速崩壊剤は錠剤などの固形製剤であってもよいし、口腔粘膜貼付錠（フィルム）であってもよい。
【０６２７】
舌下錠、バッカル又は口腔内速崩壊剤としては、本発明化合物または併用薬物と賦形剤とを含有する製剤が好ましい。また、滑沢剤、等張化剤、親水性担体、水分散性ポリマー、安定化剤などの補助剤を含有していてもよい。また、吸収を容易にし、生体内利用率を高めるためにβ−シクロデキストリン又はβ−シクロデキストリン誘導体（例、ヒドロキシプロピル−β−シクロデキストリンなど）などを含有していてもよい。
【０６２８】
上記賦形剤としては、乳糖、白糖、Ｄ−マンニトール、デンプン、結晶セルロース、軽質無水ケイ酸などが挙げられる。滑沢剤としてはステアリン酸マグネシウム、ステアリン酸カルシウム、タルク、コロイドシリカなどが挙げられ、特に、ステアリン酸マグネシウムやコロイドシリカが好ましい。等張化剤としては塩化ナトリウム、グルコース、フルクトース、マンニトール、ソルビトール、ラクトース、サッカロース、グリセリン、尿素などが挙げられ、特にマンニトールが好ましい。親水性担体としては結晶セルロース、エチルセルロース、架橋性ポリビニルピロリドン、軽質無水珪酸、珪酸、リン酸二カルシウム、炭酸カルシウムなどの膨潤性親水性担体が挙げられ、特に結晶セルロース（例、微結晶セルロースなど）が好ましい。水分散性ポリマーとしてはガム（例、トラガカントガム、アカシアガム、グアーガム）、アルギン酸塩（例、アルギン酸ナトリウム）、セルロース誘導体（例、メチルセルロース、カルボキシメチルセルロース、ヒドロキシメチルセルロース、ヒドロキシプロピルセルロース、ヒドロキシプロピルメチルセルロース）、ゼラチン、水溶性デンプン、ポリアクリル酸（例、カーボマー）、ポリメタクリル酸、ポリビニルアルコール、ポリエチレングリコール、ポリビニルピロリドン、ポリカーボフィル、アスコルビン酸パルミチン酸塩などが挙げられ、ヒドロキシプロピルメチルセルロース、ポリアクリル酸、アルギン酸塩、ゼラチン、カルボキシメチルセルロース、ポリビニルピロリドン、ポリエチレングリコールなどが好ましい。特にヒドロキシプロピルメチルセルロースが好ましい。安定化剤としては、システイン、チオソルビトール、酒石酸、クエン酸、炭酸ナトリウム、アスコルビン酸、グリシン、亜硫酸ナトリウムなどが挙げられ、特に、クエン酸やアスコルビン酸が好ましい。
【０６２９】
舌下錠、バッカル又は口腔内速崩壊剤は、本発明化合物または併用薬物と賦形剤とを自体公知の方法により混合することにより製造することができる。さらに、所望により上記した滑沢剤、等張化剤、親水性担体、水分散性ポリマー、安定化剤、着色剤、甘味剤、防腐剤などの補助剤を混合してもよい。上記成分を同時に若しくは時間差をおいて混合した後、加圧打錠成形することにより舌下錠、バッカル錠又は口腔内速崩壊錠が得られる。適度な硬度を得るため、打錠成形の過程の前後において必要に応じ水やアルコールなどの溶媒を用いて加湿・湿潤させ、成形後、乾燥させて製造してもよい。
【０６３０】
粘膜貼付錠（フィルム）に成型する場合は、本発明化合物または併用薬物および上記した水分散性ポリマー（好ましくは、ヒドロキシプロピルセルロース、ヒドロキシプロピルメチルセルロース）、賦形剤などを水などの溶媒に溶解させ、得られる溶液を流延させて(cast)フィルムとする。さらに、可塑剤、安定剤、酸化防止剤、保存剤、着色剤、緩衝剤、甘味剤などの添加物を加えてもよい。フィルムに適度の弾性を与えるためポリエチレングリコールやプロピレングリコールなどのグリコール類を含有させたり、口腔の粘膜ライニングへのフィルムの接着を高めるため生物接着性ポリマー（例、ポリカルボフィル、カルボポール）を含有させてもよい。流延は、非接着性表面に溶液を注ぎ、ドクターブレードなどの塗布用具で均一な厚さ（好ましくは１０〜１０００ミクロン程度）にそれを広げ、次いで溶液を乾燥してフィルムを形成することにより達成される。このように形成されたフィルムは室温若しくは加温下乾燥させ、所望の表面積に切断すればよい。
【０６３１】
好ましい口腔内速崩壊剤としては、本発明化合物または併用薬物と、本発明化合物または併用薬物とは不活性である水溶性若しくは水拡散性キャリヤーとの網状体からなる固体状の急速拡散投与剤が挙げられる。該網状体は、本発明化合物または併用薬物を適当な溶媒に溶解した溶液とから構成されている固体状の該組成物から溶媒を昇華することによって得られる。
【０６３２】
該口腔内速崩壊剤の組成物中には、本発明化合物または併用薬物に加えて、マトリックス形成剤と二次成分とを含んでいるのが好ましい。
【０６３３】
該マトリックス形成剤としてはゼラチン類、デキストリン類ならびに大豆、小麦ならびにオオバコ(psyllium)種子蛋白などの動物性蛋白類若しくは植物性タンパク類；アラビアゴム、ガーガム、寒天ならびにキサンタンなどのゴム質物質；多糖類；アルギン酸類；カルボキシメチルセルロース類；カラゲナン類；デキストラン類；ペクチン類；ポリビニルピロリドンなどの合成ポリマー類；ゼラチン−アラビアゴムコンプレックスなどから誘導される物質が含まれる。さらに、マンニトール、デキストロース、ラクトース、ガラクトースならびにトレハロースなどの糖類；シクロデキストリンなどの環状糖類；リン酸ナトリウム、塩化ナトリウムならびにケイ酸アルミニウムなどの無機塩類；グリシン、Ｌ−アラニン、Ｌ−アスパラギン酸、Ｌ−グルタミン酸、Ｌ−ヒドロシキプロリン、Ｌ−イソロイシン、Ｌ−ロイシンならびにＬ−フェニルアラニンなどの炭素原子数が２から１２までのアミノ酸などが含まれる。
【０６３４】
マトリックス形成剤は、その１種若しくはそれ以上を、固形化の前に、溶液又は懸濁液中に導入することができる。かかるマトリックス形成剤は、界面活性剤に加えて存在していてもよく、また界面活性剤が排除されて存在していてもよい。マトリックス形成剤はそのマトリックスを形成することに加えて、本発明化合物または併用薬物の拡散状態をその溶液又は懸濁液中に維持する助けをすることができる。
【０６３５】
保存剤、酸化防止剤、界面活性剤、増粘剤、着色剤、ｐＨ調整剤、香味料、甘味料若しくは食味マスキング剤などの二次成分を組成物中に含有していてよい。適当な着色剤としては、赤色、黒色ならびに黄色酸化鉄類およびエリス・アンド・エベラールド社のＦＤ＆Ｃブルー２号ならびにＦＤ＆Ｃレッド４０号などのＦＤ＆Ｃ染料が挙げられる。適当な香味料には、ミント、ラスベリー、甘草、オレンジ、レモン、グレープフルーツ、カラメル、バニラ、テェリーならびにグレープフレーバーおよびその組合せたものが含まれる。適当なｐＨ調整剤は、クエン酸、酒石酸、リン酸、塩酸およびマレイン酸が含まれる。適当な甘味料としてはアスパルテーム、アセスルフェームＫならびにタウマチンなどが含まれる。適当な食味マスキング剤としては、重炭酸ナトリウム、イオン交換樹脂、シクロデキストリン包接化合物、吸着質物質ならびにマイクロカプセル化アポモルフィンが含まれる。
【０６３６】
製剤には通常約０．１〜約５０重量％、好ましくは約０．１〜約３０重量％の本発明化合物または併用薬物を含み、約１分〜約６０分の間、好ましくは約１分〜約１５分の間、より好ましくは約２分〜約５分の間に（水に）本発明化合物または併用薬物の９０％以上を溶解させることが可能な製剤（上記、舌下錠、バッカルなど）や、口腔内に入れられて１ないし６０秒以内に、好ましくは１ないし３０秒以内に、さらに好ましくは１ないし１０秒以内に崩壊する口腔内速崩壊剤が好ましい。
【０６３７】
上記賦形剤の製剤全体に対する含有量は、約１０〜約９９重量％、好ましくは約３０〜約９０重量％である。β−シクロデキストリン又はβ−シクロデキストリン誘導体の製剤全体に対する含有量は０〜約３０重量％である。滑沢剤の製剤全体に対する含有量は、約０．０１〜約１０重量％、好ましくは約１〜約５重量％である。等張化剤の製剤全体に対する含有量は、約０．１〜約９０重量％、好ましくは、約１０〜約７０重量％である。親水性担体の製剤全体に対する含有量は約０．１〜約５０重量％、好ましくは約１０〜約３０重量％である。水分散性ポリマーの製剤全体に対する含有量は、約０．１〜約３０重量％、好ましくは約１０〜約２５重量％である。安定化剤の製剤全体に対する含有量は約０．１〜約１０重量％、好ましくは約１〜約５重量％である。上記製剤はさらに、着色剤、甘味剤、防腐剤などの添加剤を必要に応じ含有していてもよい。
【０６３８】
本発明の併用剤の投与量は、本発明化合物の種類、年齢、体重、症状、剤形、投与方法、投与期間などにより異なるが、例えば、糖尿病患者（成人、体重約６０ｋｇ）一人あたり、通常、本発明化合物および併用薬物として、それぞれ１日約０.０１〜約１０００mg／kg、好ましくは約０．０１〜約１００mg／kg、より好ましくは約０．１〜約１００ｍｇ／ｋｇ、とりわけ約０．１〜約５０ｍｇ／ｋｇを、なかでも約１．５〜約３０mg／kgを１日１回から数回に分けて静脈投与される。もちろん、前記したように投与量は種々の条件で変動するので、前記投与量より少ない量で十分な場合もあり、また範囲を超えて投与する必要のある場合もある。
【０６３９】
併用薬物は、副作用が問題とならない範囲でどのような量を設定することも可能である。併用薬物としての一日投与量は、症状の程度、投与対象の年齢、性別、体重、感受性差、投与の時期、間隔、医薬製剤の性質、調剤、種類、有効成分の種類などによって異なり、特に限定されないが、薬物の量として通常、たとえば経口投与で哺乳動物１ｋｇ体重あたり約０.００１〜２０００ｍｇ、好ましくは約０.０１〜５００ｍｇ、さらに好ましくは、約０.１〜１００ｍｇ程度であり、これを通常１日１〜４回に分けて投与する。
【０６４０】
本発明の医薬を投与するに際しては、同時期に投与してもよいが、併用薬物を先に投与した後、本発明化合物を投与してもよいし、本発明化合物を先に投与し、その後で併用薬物を投与してもよい。時間差をおいて投与する場合、時間差は投与する有効成分、剤形、投与方法により異なるが、例えば、併用薬物を先に投与する場合、併用薬物を投与した後１分〜３日以内、好ましくは１０分〜１日以内、より好ましくは１５分〜１時間以内に本発明化合物を投与する方法が挙げられる。本発明化合物を先に投与する場合、本発明化合物を投与した後、１分〜１日以内、好ましくは１０分〜６時間以内、より好ましくは１５分から１時間以内に併用薬物を投与する方法が挙げられる。
【０６４１】
好ましい投与方法としては、例えば、経口投与製剤に製形された併用薬物約０.００１〜２００ｍｇ／ｋｇを経口投与し、約１５分後に経口投与製剤に製形された本発明化合物 約０.００５〜１００ｍｇ／ｋｇを１日量として経口投与する。
【０６４２】
本明細書および図面において、塩基やアミノ酸などを略号で表示する場合、IUPAC-IUB Commission on Biochemical Nomenclature による略号あるいは当該分野における慣用略号に基づくものであり、その例を下記する。またアミノ酸に関し光学異性体があり得る場合は、特に明示しなければＬ体を示すものとする。
【０６４３】
ＤＮＡ          ：デオキシリボ核酸
ｃＤＮＡ        ：相補的デオキシリボ核酸
Ａ            ：アデニン
Ｔ            ：チミン
Ｇ            ：グアニン
Ｃ            ：シトシン
ＲＮＡ          ：リボ核酸
ｍＲＮＡ        ：メッセンジャーリボ核酸
ｄＡＴＰ        ：デオキシアデノシン三リン酸
ｄＴＴＰ        ：デオキシチミジン三リン酸
ｄＧＴＰ        ：デオキシグアノシン三リン酸
ｄＣＴＰ        ：デオキシシチジン三リン酸
ＡＴＰ          ：アデノシン三リン酸
ＥＤＴＡ        ：エチレンジアミン四酢酸
ＳＤＳ          ：ドデシル硫酸ナトリウム
Ｇｌｙ          ：グリシン
Ａｌａ          ：アラニン
Ｖａｌ          ：バリン
Ｌｅｕ          ：ロイシン
Ｉｌｅ          ：イソロイシン
Ｓｅｒ          ：セリン
Ｔｈｒ          ：スレオニン
Ｃｙｓ          ：システイン
Ｍｅｔ          ：メチオニン
Ｇｌｕ          ：グルタミン酸
Ａｓｐ          ：アスパラギン酸
Ｌｙｓ          ：リジン
Ａｒｇ          ：アルギニン
Ｈｉｓ          ：ヒスチジン
Ｐｈｅ          ：フェニルアラニン
Ｔｙｒ          ：チロシン
Ｔｒｐ          ：トリプトファン
Ｐｒｏ          ：プロリン
Ａｓｎ          ：アスパラギン
Ｇｌｎ          ：グルタミン
ｐＧｌｕ        ：ピログルタミン酸
また、本明細書中で繁用される置換基、保護基および試薬を下記の記号で表記する。
【０６４４】
Ｍｅ            ：メチル基
Ｅｔ            ：エチル基
Ｂｕ            ：ブチル基
Ｐｈ            ：フェニル基
ＴＣ            ：チアゾリジン−４（Ｒ）−カルボキサミド基
Ｔｏｓ          ：ｐ−トルエンスルフォニル
ＣＨＯ          ：ホルミル
Ｂｚｌ          ：ベンジル
Ｃｌ2Ｂｚｌ     ：２，６−ジクロロベンジル
Ｂｏｍ          ：ベンジルオキシメチル
Ｚ              ：ベンジルオキシカルボニル
Ｃｌ−Ｚ        ：２−クロロベンジルオキシカルボニル
Ｂｒ−Ｚ        ：２−ブロモベンジルオキシカルボニル
Ｂｏｃ          ：ｔ−ブトキシカルボニル
ＤＮＰ          ：ジニトロフェノール
Ｔｒｔ          ：トリチル
Ｂｕｍ          ：ｔ−ブトキシメチル
Ｆｍｏｃ        ：Ｎ−９−フルオレニルメトキシカルボニル
ＨＯＢｔ        ：１−ヒドロキシベンズトリアゾール
ＨＯＯＢｔ      ：３,４−ジヒドロ−３−ヒドロキシ−４−オキソ−
１,２,３−ベンゾトリアジン
ＨＯＮＢ        ：1-ヒドロキシ-5-ノルボルネン-2,3-ジカルボキシイミド
ＤＣＣ          ：Ｎ，Ｎ’−ジシクロヘキシルカルボジイミド
本明細書の配列表の配列番号は、以下の配列を示す。
配列番号：１
本発明で用いられるヒト由来の新規Ｇ蛋白質共役型レセプター蛋白質ＴＧＲ５のアミノ酸配列を示す。
配列番号：２
本発明で用いられるヒト由来の新規Ｇ蛋白質共役型レセプター蛋白質ＴＧＲ５をコードするｃＤＮＡの塩基配列を示す。
配列番号：３
以下の参考例１におけるＰＣＲ反応で使用したプライマー１の塩基配列を示す。
配列番号：４
以下の参考例１におけるＰＣＲ反応で使用したプライマー２の塩基配列を示す。
配列番号：５
本発明のマウス心臓由来の新規Ｇ蛋白質共役型レセプター蛋白質ｍＴＧＲ５のアミノ酸配列を示す。
配列番号：６
本発明のマウス心臓由来の新規Ｇ蛋白質共役型レセプター蛋白質ｍＴＧＲ５をコードするｃＤＮＡの塩基配列を示す。
配列番号：７
本発明のラット心臓由来の新規Ｇ蛋白質共役型レセプター蛋白質ｒＴＧＲ５アミノ酸配列を示す。
配列番号：８
本発明のラット心臓由来の新規Ｇ蛋白質共役型レセプター蛋白質ｒＴＧＲ５をコードするｃＤＮＡの塩基配列を示す。
配列番号：９
以下の実施例５におけるＰＣＲ反応で使用したプライマー１の塩基配列を示す。
配列番号：１０
以下の実施例５におけるＰＣＲ反応で使用したプライマー２の塩基配列を示す。
配列番号：１１
以下の実施例５におけるＰＣＲ反応で使用したプライマー３の塩基配列を示す。
配列番号：１２
以下の実施例５におけるＰＣＲ反応で使用したプライマー４の塩基配列を示す。
配列番号：１３
ウシ型ＴＧＲ５のＤＮＡ配列を示す。
配列番号：１４
ウシ型ＴＧＲ５のアミノ酸配列を示す。
配列番号：１５
ウサギ型ＴＧＲ５のＤＮＡ配列を示す。
配列番号：１６
ウサギ型ＴＧＲ５のアミノ酸配列を示す。
配列番号：１７
以下の実施例６におけるＰＣＲ反応で使用したｂＦプライマーの塩基配列を示す。
配列番号：１８
以下の実施例６におけるＰＣＲ反応で使用したｂＲプライマーの塩基配列を示す。
配列番号：１９
以下の実施例７におけるＰＣＲ反応で使用したｒａｂｂｉｔＦプライマーの塩基配列を示す。
配列番号：２０
以下の実施例７におけるＰＣＲ反応で使用したｒａｂｂｉｔＲプライマーの塩基配列を示す。
配列番号：２１
以下の実施例１１におけるＩＬ−１α ｍＲＮＡ発現量の定量に使用したプライマーの塩基配列を示す。
配列番号：２２
以下の実施例１１におけるＩＬ−１α ｍＲＮＡ発現量の定量に使用したプライマーの塩基配列を示す。
配列番号：２３
以下の実施例１１におけるＩＬ−１α ｍＲＮＡ発現量の定量に使用したプローブの塩基配列を示す。
配列番号：２４
以下の実施例１１におけるＩＬ−１β ｍＲＮＡ発現量の定量に使用したプライマーの塩基配列を示す。
配列番号：２５
以下の実施例１１におけるＩＬ−１β ｍＲＮＡ発現量の定量に使用したプライマーの塩基配列を示す。
配列番号：２６
以下の実施例１１におけるＩＬ−１β ｍＲＮＡ発現量の定量に使用したプローブの塩基配列を示す。
配列番号：２７
以下の実施例１１におけるＩＬ−６ ｍＲＮＡ発現量の定量に使用したプライマーの塩基配列を示す。
配列番号：２８
以下の実施例１１におけるＩＬ−６ ｍＲＮＡ発現量の定量に使用したプライマーの塩基配列を示す。
配列番号：２９
以下の実施例１１におけるＩＬ−６ ｍＲＮＡ発現量の定量に使用したプローブの塩基配列を示す。
配列番号：３０
以下の実施例１１におけるＩＬ−８ ｍＲＮＡ発現量の定量に使用したプライマーの塩基配列を示す。
配列番号：３１
以下の実施例１１におけるＩＬ−８ ｍＲＮＡ発現量の定量に使用したプライマーの塩基配列を示す。
配列番号：３２
以下の実施例１１におけるＩＬ−８ ｍＲＮＡ発現量の定量に使用したプローブの塩基配列を示す。
配列番号：３３
以下の実施例１１におけるＴＮＦα ｍＲＮＡ発現量の定量に使用したプライマーの塩基配列を示す。
配列番号：３４
以下の実施例１１におけるＴＮＦα ｍＲＮＡ発現量の定量に使用したプライマーの塩基配列を示す。
配列番号：３５
以下の実施例１１におけるＴＮＦα ｍＲＮＡ発現量の定量に使用したプローブの塩基配列を示す。
配列番号：３６
モルモット型ＴＧＲ５のアミノ酸配列を示す。
配列番号：３７
モルモット型ＴＧＲ５のＤＮＡ配列を示す。
配列番号：３８
以下の実施例２５におけるＰＣＲ反応で使用したプライマー１の塩基配列を示す。
配列番号：３９
以下の実施例２５におけるＰＣＲ反応で使用したプライマー２の塩基配列を示す。
【０６４５】
以下の参考例１で得られた形質転換体エシェリヒア・コリ（Escherichia coli）ＪＭ１０９／ｐＣＲ４−ｈＴＧＲ５は、平成１２（２０００）年４月３日から茨城県つくば市東１丁目１番地１  中央第６（郵便番号３０５−８５６６）の独立行政法人産業技術総合研究所  特許生物寄託センター（旧  通商産業省工業技術院生命工学工業技術研究所（ＮＩＢＨ））に寄託番号ＦＥＲＭ  ＢＰ−７１１４として、平成１２（２０００）年３月２３日から大阪府大阪市淀川区十三本町２丁目１７番８５号（郵便番号５３２−８６８６）の財団法人・発酵研究所（ＩＦＯ）に寄託番号ＩＦＯ  １６４１０として寄託されている。
【０６４６】
以下の実施例５で得られた形質転換体エシェリヒア・コリ（Escherichia coli）ＤＨ５α／ｐＡＫＫＯ１．１１Ｈ−ｒＴＧＲ５は、平成１４（２００２）年２月７日から茨城県つくば市東１丁目１番地１  中央第６（郵便番号３０５−８５６６）の独立行政法人産業技術総合研究所  特許生物寄託センターに寄託番号ＦＥＲＭ  ＢＰ−７８７７として、平成１４（２００２）年１月１０日から大阪府大阪市淀川区十三本町２丁目１７番８５号（郵便番号５３２−８６８６）の財団法人・発酵研究所（ＩＦＯ）に寄託番号ＩＦＯ  １６７４５として寄託されている。
【０６４７】
以下の実施例５で得られた形質転換体エシェリヒア・コリ（Escherichia coli）ＤＨ５α／ｐＣＲ２．１−ｍＴＧＲ５は、平成１４（２００２）年２月７日から茨城県つくば市東１丁目１番地１  中央第６（郵便番号３０５−８５６６）の独立行政法人産業技術総合研究所  特許生物寄託センターに寄託番号ＦＥＲＭ  ＢＰ−７８７８として、平成１４（２００２）年１月１０日から大阪府大阪市淀川区十三本町２丁目１７番８５号（郵便番号５３２−８６８６）の財団法人・発酵研究所（ＩＦＯ）に寄託番号ＩＦＯ  １６７４６として寄託されている。
【０６４８】
以下の実施例６で得られた形質転換体エシェリヒア・コリ（Escherichia coli）ＪＭ１０９／ｐＴＡｂＴＧＲ５−１は、平成１４（２００２）年２月７日から茨城県つくば市東１丁目１番地１  中央第６（郵便番号３０５−８５６６）の独立行政法人産業技術総合研究所  特許生物寄託センターに寄託番号ＦＥＲＭ  ＢＰ−７８７９として、平成１４（２００２）年１月１７日から大阪府大阪市淀川区十三本町２丁目１７番８５号（郵便番号５３２−８６８６）の財団法人・発酵研究所（ＩＦＯ）に寄託番号ＩＦＯ  １６７４７として寄託されている。
【０６４９】
以下の実施例７で得られた形質転換体エシェリヒア・コリ（Escherichia coli）ＪＭ１０９／ｐＴＡｒａｂｂｉｔＴＧＲ５−１は、平成１４（２００２）年２月７日から茨城県つくば市東１丁目１番地１  中央第６（郵便番号３０５−８５６６）の独立行政法人産業技術総合研究所  特許生物寄託センターに寄託番号ＦＥＲＭ  ＢＰ−７８８０として、平成１４（２００２）年１月１７日から大阪府大阪市淀川区十三本町２丁目１７番８５号（郵便番号５３２−８６８６）の財団法人・発酵研究所（ＩＦＯ）に寄託番号ＩＦＯ  １６７４８として寄託されている。
【０６５０】
以下の実施例２５で得られた形質転換体エシェリヒア・コリ（Escherichia coli）ＤＨ５ａｌｐｈａ／ｐＡＫＫＯｇｕｉｎｅａ  ｐｉｇＴＧＲ５は、平成１５（２００３）年３月２８日から茨城県つくば市東１丁目１番地１  中央第６（郵便番号３０５−８５６６）の独立行政法人産業技術総合研究所  特許生物寄託センターに寄託番号ＦＥＲＭ  ＢＰ−８３４８として寄託されている。
【実施例】
【０６５１】
以下に参考例、実施例、製剤例および試験例を示して、本発明をより詳細に説明するが、これらは本発明の範囲を限定するものではない。なお、大腸菌を用いての遺伝子操作は、モレキュラー・クローニング（Molecular cloning）に記載されている方法に従った。
【０６５２】
以下において、収率はｍｏｌ／ｍｏｌ％を示し、その他の％は特記しない限り重量パーセントを示す。また、室温とは、１〜３０℃の温度を示す。
参考例１  ヒト脾臓のＧ蛋白質共役型レセプター蛋白質（ＴＧＲ５）をコードするｃＤＮＡのクローニングと塩基配列の決定
ヒト脾臓ｃＤＮＡ（Clontech）を鋳型とし、２個のプライマー、プライマー１（配列番号：３）およびプライマー２（配列番号：４）を用いてＰＣＲ反応を行った。該反応における反応液の組成は上記ｃＤＮＡを１／１０量鋳型として使用し、Ａｄｖａｎｔａｇｅ−ＧＣ２ Ｐｏｌｙｍｅｒａｓｅ Ｍｉｘ（Clontech）１／５０量、プライマー１（配列番号：３）およびプライマー２（配列番号：４）を各０.５μＭ、ｄＮＴＰｓ２００μＭ、および酵素に添付のバッファーを１／５量、ＧＣ Ｍｅｌｔを１／５量加え、２０μｌの液量とした。ＰＣＲ反応は、９４℃・５分の後、９４℃・３０秒、６０℃・３０秒、６８℃・２分のサイクルを３０回繰り返し、最後に６８℃・５分の伸長反応を行った。該ＰＣＲ反応産物をＴＡクローニングキット（Invitrogen）の処方に従いプラスミドベクターｐＣＲ４（Invitrogen）へサブクローニングした。これを大腸菌ＪＭ１０９に導入し、ｃＤＮＡを持つクローンをアンピシリンを含むＬＢ寒天培地中で選択した。個々のクローンの配列を解析した結果、新規Ｇ蛋白質共役型レセプター蛋白質をコードするｃＤＮＡ配列（配列番号：２）を得た。このｃＤＮＡにより導き出されるアミノ酸配列（配列番号：１）を有する新規Ｇ蛋白質共役型レセプター蛋白質をＴＧＲ５と命名した。また配列番号：２で表わされるＤＮＡを含有する形質転換体を大腸菌（Escherichia coli）ＪＭ１０９／ｐＣＲ４−ｈＴＧＲ５と命名した。
実施例１  ＴＧＲ５を一過性に発現させたＨＥＫ２９３細胞における、コレステロール代謝関連物質による活性の検出
コレステロール代謝関連物質によるＴＧＲ５特異的な刺激活性の検出は、ＣＲＥプロモーターの発現誘導によって産生されるレポーター遺伝子産物（ルシフェラーゼ）の発現量を指標に行った。
【０６５３】
ＨＥＫ２９３細胞を増殖培地（ＤＭＥＭ（Dulbecco's Modified Eagle Medium）（GibcoBRL）に１０％ウシ胎児血清（GibcoBRL）を添加したもの）に懸濁し、１×１０5ｃｅｌｌｓ／ｗｅｌｌの濃度にてコラーゲンでコートされたＢｌａｃｋ ｗｅｌｌ ９６ウェルプレート（ベクトンディッキンソン社）にまいた。３７℃、５％ＣＯ2条件下で一晩培養した後、レポーター遺伝子を含むプラスミドであるｐＣＲＥ−Ｌｕｃ（Clontech）と同時に、公知の方法により動物細胞での発現用ベクターｐＡＫＫＯ−１１１Ｈ（Biochem. Biophys. Acta, Hinuma, S. et al., 1219, 251-259, 1994記載のｐＡＫＫＯ−１．１１１Ｈと同一のプラスミドベクター）にＴＧＲ５遺伝子を挿入して作製した発現ベクタープラスミド、または、ＴＧＲ５遺伝子を含まないもとのｐＡＫＫＯ−１１１Ｈを用いて細胞のトランスフェクションを以下のとおりに行った。
【０６５４】
ＯＰＴＩ−ＭＥＭ−Ｉ（GibcoBRL）とＬｉｐｏｆｅｃｔａｍｉｎｅTM２０００ Ｒｅａｇｅｎｔ（GibcoBRL）を２４：１にて混合することにより、リポフェクトアミン希釈液を調製した。また、ＯＰＴＩ−ＭＥＭ−Ｉ、ＴＧＲ５発現ベクタープラスミドまたはもとのベクタープラスミド（２４０ｎｇ／μｌ）およびｐＣＲＥ−Ｌｕｃ（２４０ｎｇ／μｌ）を２４：０．９：０．１にて混合することによりＤＮＡ希釈液を調製した。リポフェクトアミン希釈液とＤＮＡ希釈液を等量混合し、２０分間室温で静置することによりＤＮＡとリポフェクトアミンの複合体を形成させた後、上記のＨＥＫ２９３細胞を培養したプレートに２５μｌ添加し、さらに３７℃、５％ＣＯ2条件下で一晩培養した。
【０６５５】
トランスフェクトしたＨＥＫ２９３細胞をアッセイ用培地（ＤＭＥＭに０．１％ウシ血清アルブミンを添加したもの）にて洗浄した後、アッセイ用培地にて希釈したリトコール酸（和光純薬）およびプロゲステロン（和光純薬）を２×１０-5Ｍとなるよう添加し、３７℃、５％ＣＯ2条件下で４時間培養した。培養上清を捨てて、ルシフェラーゼ活性測定用の基質であるピッカジーンＬＴ２．０（東洋インキ製造株式会社）を５０μｌ添加し、プレートリーダー（ＡＲＶＯ ｓｘマルチラベルカウンター、Wallac社）を用いてルシフェラーゼの発光量を測定した。
【０６５６】
その結果、配列番号：２で表される塩基配列を有するＴＧＲ５遺伝子を導入したＨＥＫ２９３細胞特異的に、リトコール酸、プロゲステロンによるルシフェラーゼ活性の上昇が認められた（図６）。
実施例２  Ｇ蛋白質共役型レセプター蛋白質発現プラスミドおよびレポータープラスミドの宿主細胞への導入
公知の方法によって作製した各種Ｇ蛋白質共役型レセプター蛋白質ｃＤＮＡ、すなわち甲状腺ホルモン刺激因子レセプター（ＴＲＨＲ）、ニューロメジンＵレセプター（ＦＭ−３およびＴＧＲ−１）、プロラクチン放出因子レセプター（ｈＧＲ３）、アペリンレセプター（ＡＰＪ）などを挿入した動物細胞用発現プラスミドを用いて、大腸菌ＪＭ１０９を形質転換し、得られたコロニーを単離・培養後、QIAGEN Plasmid Maxi Kit（キアゲン）を用いてプラスミドの調製を行なった。また、ｃＡＭＰレスポンスエレメント（ＣＲＥ）の下流にレポーターとしてルシフェラーゼ遺伝子が連結されたｐＣＲＥ−Ｌｕｃ（Clontech）のレポータープラスミドを同様にして調製した。
【０６５７】
Ｇ蛋白質共役型レセプター蛋白質発現プラスミドおよびレポータープラスミドを導入する宿主細胞としては、ＨＥＫ２９３細胞をコラーゲンタイプＩでコートした９６−ｗｅｌｌ黒色プレート（ベクトンディッキンソン社）に１００，０００ｃｅｌｌｓ／ｗｅｌｌ、培養液量１００μｌで播種し、一晩培養した。同じくＣＨＯ（ｄｈｆｒ−）細胞をｐＡＫＫＯ−１１１Ｈで形質転換したＣＨＯ−ｍｏｃｋ細胞をコスター社の９６−ｗｅｌｌ黒色プレートに４０，０００  ｃｅｌｌｓ／ｗｅｌｌ、培養液量１００μｌで播種し、一晩培養した。いずれの細胞についても、プレートで培養するための培地はＤＭＥＭ（GibcoBRL社）に１０％のウシ胎児血清のみを添加したものを用いた。
【０６５８】
各プラスミドを２４０ｎｇ／μｌの濃度に希釈し、Ｇ蛋白質共役型レセプター蛋白質の発現プラスミド９μｌとレポータープラスミド１μｌの割合で２４０μｌのOpti-MEM-I（GibcoBRL社）に添加した。これを、同じく２４０μｌのOpti-MEM-Iに１０μｌのリポフェクトアミン2000（GibcoBRL社）を添加したものと等量混合して、リポフェクトアミン2000に添付のマニュアル記載の方法に従ってリポソームとプラスミドの複合体を形成させた。また、効率的なスクリーニングの実施のためには、２４０ｎｇ／μｌの濃度で３種類のレセプター発現プラスミドを５μｌずつ添加し、他の試薬の比率は前出と同じものを調製した。これらを２５μｌ／ｗｅｌｌずつＨＥＫ２９３あるいはＣＨＯ−ｍｏｃｋ細胞の培養液に添加し、３７℃で一晩培養してプラスミドの導入を行った。ＣＨＯ−ｍｏｃｋ細胞については、プラスミド添加後４時間以降に培養液をアッセイバッファー（０．１％のウシ血清アルブミンを添加したＤＭＥＭ）に交換し、無血清化をおこなった。
実施例３  レポーターアッセイによるリガンド活性の検出
ＨＥＫ２９３細胞についてはアッセイの１時間前に培養液を実施例２に記載のアッセイバッファーに交換し、プレインキュベーションを行なった。アッセイバッファーにリガンドあるいはリガンド候補化合物を溶解したものを用意し、実施例２で準備したＨＥＫ２９３細胞またはＣＨＯ−ｍｏｃｋ細胞に添加した。また、アッセイバッファーに終濃度２μＭのフォルスコリンを添加した条件でのアッセイも同様にして実施した。サンプルを添加後に４時間のインキュベーションを行ない、レセプターを介したリガンドのアゴニスト活性によって惹起される細胞内シグナル伝達に由来するレポーター遺伝子の転写・翻訳の促進あるいは抑制を誘導した。インキュベーション終了後に各ウェルのアッセイバッファーを除去し、ピッカジーンＬＴ２．０（東洋インキ社）発光基質を５０μｌずつ加えた。細胞が溶解し、基質と充分に混合した後、各ウェルのレポーター遺伝子の発現誘導量に由来する発光量を実施例１記載のプレートリーダーにて測定した。
【０６５９】
実施例２および３に記載の方法に従って各種のＧ蛋白質共役型レセプター蛋白質ｃＤＮＡを挿入した発現プラスミドを用い、ＨＥＫ２９３細胞においてリガンド刺激によるレポーター遺伝子の発現誘導を測定した。レセプターを介して細胞内へシグナルを伝達するＧ蛋白質αサブユニットの種類としてＧｓに共役するＣＲＦＲについては、フォルスコリン非添加、添加のいずれの条件においてもリガンド添加によるレポーター遺伝子の活性化が検出された。また、抑制性であるＧαｉに共役するＡＰＪについては、フォルスコリン添加条件において、リガンド添加によるレポーター遺伝子発現の抑制が検出された。また、Ｇｑに共役するレセプターＴＲＨＲ、ＦＭ−３、ＴＧＲ−１については、フォルスコリン添加条件においてレポーター遺伝子の発現の促進が検出された。ＧｑおよびＧｉの両方に共役するレセプターｈＧＲ３についても、同様にフォルスコリン添加条件においてレポーター遺伝子の発現の促進が検出された（図７）。
実施例４  抑制性Ｇ蛋白質αサブユニットＧｉ発現プラスミドを用いたレポーターアッセイ
実施例２に示したＧ蛋白質レセプター発現プラスミドと同様の方法によって抑制性Ｇ蛋白質αサブユニット(Ｇｉ)プラスミドを作製、調製した（ここで、Ｇｉついては、動物種を問わない）。これを３μｌ、レセプター発現プラスミドを７μｌ、レポータープラスミドを１μｌの割合で２４０μｌのOpti-MEM-Iに添加し、その他の条件は実施例２と同様の方法でＨＥＫ２９３あるいはＣＨＯ−ｍｏｃｋ細胞にＤＮＡを導入した。これら３種のプラスミドの混合比は全体の量を１１μｌとした場合、Ｇｉが１から６、好ましくは１から３が適当である。これらを実施例３の方法に従ってアッセイを行いリガンド活性を検出した。
【０６６０】
すなわち、Ｇｉを用いたＴＧＲ５のリトコール酸に対する反応を検出した結果、ＣＨＯ−ｍｏｃｋ細胞を用いたＴＧＲ５のアッセイにおいて、ＧｉをＴＧＲ５と同時に発現させることにより、リガンド非添加時（リガンド（−））のルシフェラーゼ活性を大幅に低下させることができ、その結果リガンド（リトコール酸、２×１０-5Ｍ、リガンド（＋））による活性の上昇を検出することが可能となった（図８）。
実施例５  マウスおよびラット型ＴＧＲ５をコードするｃＤＮＡのクローニングと塩基配列の決定
配列番号：９で表されるオリゴＤＮＡをセンス鎖プライマー１として、配列番号：１０で表されるオリゴＤＮＡをアンチセンス鎖プライマー２として、各々０．４μＭ、GC2 DNA Polymerase（CLONTECH社製）０．３μｌ、5x Buffer ６μｌ、GC-Melt ６μｌ、dNTP (TaKaRa社製)０．２ｍＭ、鋳型ＤＮＡとしてMarathon-Ready Mouse cDNA library (CLONTECH社製)の心臓ｃＤＮＡ溶液３μｌ、滅菌水９．９μｌからなる混合液３０μｌを調製し、サーマルサイクラー（GeneAmp PCR system model 9700 (Applied Biosystems社製)）を用いて、最初に９４℃で２０秒間置いた後、９４℃で３０秒、６４℃で３０秒、６８℃で２分を１サイクルとして５サイクル、続いて９４℃で３０秒、６２℃で３０秒、６８℃で２分を１サイクルとして５サイクル、続いて９４℃で３０秒、６０℃で３０秒、６８℃で２分を１サイクルとして３５サイクル、最後に６８℃で７分伸長反応させるタッチダウンＰＣＲのプログラムでＰＣＲ反応を行った。次に、反応終了液の一部をエチジウムブロマイドを含む１．５％アガロースゲルを用いて電気泳動後、ＵＶ照射のもと分子量マーカー換算で１ｋｂ付近の位置にＰＣＲ反応で増幅されたＤＮＡに対応するバンドを確認した。次に塩基配列を決定する為にｐＣＲ２．１−ＴＯＰＯ（Invitrogen社製）を用いてＴＡクローニングし、該プラスミドを大腸菌ＤＨ５α株のコンピテントセルに導入した。アンピシリン含有ＬＢ寒天培地上で出現するアンピシリン耐性形質転換株のコロニーの中から外来ＤＮＡ断片が挿入されていたプラスミドを保持していたクローンをコロニーＰＣＲにより選択し、挿入ＤＮＡの塩基配列を決定するためにABI PRISM BigDye Terminator Cycle Sequencing FS Ready Reaction Kit（Applied Biosystems社製）を用いたシーケンス反応を製品添付資料の条件にしたがって、サーマルサイクラー（GeneAmp PCR system model 9700 (Applied Biosystems社製)）で行った後、該反応試料をＤＮＡシーケンサーABI PRISM 3100 Genetic Analyzer(Applied Biosystems社製)で分析した。
【０６６１】
その結果、ＰＣＲ産物から配列番号：６で表される９９０塩基の塩基配列からなり、配列番号：５で表される新規の３２９個のアミノ酸、すなわちＴＧＲ５に相同性のある構造遺伝子配列を決定できた。配列番号：５を含有する新規Ｇ蛋白質共役型レセプター蛋白質をｍＴＧＲ５と命名した。さらに、この形質転換体をエシェリヒア・コリ（Escherichia coli）ＤＨ５α／ｐＣＲ２．１−ｍＴＧＲ５と命名した。
【０６６２】
配列番号：１１で表されるオリゴＤＮＡをセンス鎖プライマー３として、配列番号：１２で表されるオリゴＤＮＡをアンチセンス鎖プライマー４として、各々0.4 μＭ、Advantage2 DNA Polymerase (CLONTECH社製)0.3μｌ、10x Buffer 3μｌ、dNTP (TaKaRa社製)0.2 ｍＭ、鋳型ＤＮＡとしてMarathon-Ready Rat cDNA library (CLONTECH社製)の心臓ｃＤＮＡ溶液3μｌ、滅菌水18.9μｌからなる混合液30μｌを調製し、サーマルサイクラー（GeneAmp PCR system model 9700 (Applied Biosystems社製)）を用いて、最初に９４℃で２０秒間置いた後、９４℃で３０秒、６４℃で３０秒、６８℃で２分を１サイクルとして５サイクル、続いて９４℃で３０秒、６２℃で３０秒、６８℃で２分を１サイクルとして５サイクル、続いて９４℃で３０秒、６０℃で３０秒、６８℃で２分を１サイクルとして３５サイクル、最後に６８℃で７分伸長反応させるタッチダウンＰＣＲのプログラムでＰＣＲ反応を行った。次に、反応終了液の一部をエチジウムブロマイドを含む１．５％アガロースゲルを用いて電気泳動後、ＵＶ照射のもと分子量マーカー換算で１ｋｂ付近の位置にＰＣＲ反応で増幅されたＤＮＡに対応するバンドを確認した。次に塩基配列を決定する為にｐＣＲ２．１−ＴＯＰＯ（Invitrogen社製）を用いてＴＡクローニングし、該プラスミドを大腸菌ＤＨ５α株のコンピテントセルに導入した。アンピシリン含有ＬＢ寒天培地上で出現するアンピシリン耐性形質転換株のコロニーの中から外来ＤＮＡ断片が挿入されていたプラスミドを保持していたクローンをコロニーＰＣＲにより選択し、挿入ＤＮＡの塩基配列を決定するためにABI PRISM BigDye Terminator Cycle Sequencing FS Ready Reaction Kit（Applied Biosystems社製）を用いたシーケンス反応を製品添付資料の条件にしたがって、サーマルサイクラー（GeneAmp PCR system model 9700 (Applied Biosystems社製)）で行った後、該反応試料をＤＮＡシーケンサーABI PRISM 3100 Genetic Analyzer(Applied Biosystems社製)で分析した。
【０６６３】
その結果、ＰＣＲ産物から配列番号：８で表される９９０塩基の塩基配列からなり、配列番号：７で表される新規の３２９個のアミノ酸、すなわちＴＧＲ５に相同性のある構造遺伝子配列を決定できた。配列番号：７を含有する新規Ｇ蛋白質共役型レセプター蛋白質をrＴＧＲ５と命名した。
【０６６４】
次に、ｐＣＲ２．１−ＴＯＰＯに挿入したＤＮＡ断片を、プライマー３、プライマー４に付加された制限酵素ＳａｌＩ、ＳｐｅＩサイトで酵素消化し、切り出されたｒＴＧＲ５の配列を持つＤＮＡ断片を、発現プラスミドｐＡＫＫＯ１．１１Ｈ（Hinuma, S., Hosoya, M., Ogi., Tanaka, H., Nagai, Y., and Onda, H.（1994）Biochim. Biophys. Acta 1129, 251-259）のＳａｌＩ、ＳｐｅＩサイトに挿入し、該プラスミドを大腸菌ＤＨ５α株のコンピテントセルに導入した。アンピシリン含有ＬＢ寒天培地上で出現するアンピシリン耐性形質転換株のコロニーの中からｒＴＧＲ５断片が挿入されていたプラスミドを保持していたクローンをコロニーＰＣＲにより選択した。さらに、この形質転換体をエシェリヒア・コリ（Escherichia coli）ＤＨ５α／ｐＡＫＫＯ１．１１Ｈ−ｒＴＧＲ５と命名した。
実施例６  ウシ脾臓ｃＤＮＡからのＰＣＲ法によるＴＧＲ５をコードするｃＤＮＡのクローニングと塩基配列の決定の取得
ウシ脾臓ｃＤＮＡを鋳型として、配列番号：１７で表されるプライマーｂＦおよび配列番号：１８で表されるプライマーｂＲを用いて、ＰＣＲによる増幅を行った。
【０６６５】
ＰＣＲの反応液はｃＤＮＡ溶液１μｌ、０．５μｌ ｂＦ（１０μＭ）、０．５μｌ ｂＲ（１０μＭ）、２．５μｌ添付の１０×反応液、２．５μｌ ｄＮＴＰ（１０ｍＭ）、０．５μｌ Advantage2 DNA polymerase（クローンテック社）、１７．５μｌ蒸留水を加えて合計２５μｌにした。反応液を、Thermal Cycler 9600（ＡＢＩ社）を用いてＰＣＲ反応にかけた。ＰＣＲの条件は９５℃２分の変性の後、９８℃・１０秒、６３℃・２０秒、７２℃・６０秒のサイクルを３０回繰り返した。ＰＣＲ産物の一部を用いて電気泳動で約１０００ｂｐのＰＣＲ産物の増幅を確認した後、ＰＣＲ産物をQiagen PCR purification Kit（キアゲン社）を用いて精製し、直接配列決定を行ったところ配列番号：１３の配列が得られた。配列番号：１３のＤＮＡ配列から予測されるアミノ酸配列を配列番号：１４に示す。次に、ゲルから回収したＰＣＲ産物をＴＡクローニングキット（Invitrogen社）を用いて大腸菌ＪＭ１０９にサブクローニングし、大腸菌JM109/pTAbTGR5-1を取得した。サブクローニングで得られた大腸菌からプラスミドpTAbTGR5-1をプラスミド抽出機（クラボウ社）を用いて抽出し、挿入断片の塩基配列を決定し、その配列がウシ型ＴＧＲ５遺伝子であることを確認した。
実施例７  ウサギ脾臓ｃＤＮＡからのＰＣＲ法によるＴＧＲ５をコードするｃＤＮＡのクローニングと塩基配列の決定の取得
ウサギ脾臓ｃＤＮＡを鋳型として、配列番号：１９で表されるプライマーｒａｂｂｉｔＦおよび配列番号：２０で表されるプライマーｒａｂｂｉｔＲを用いて、ＰＣＲによる増幅を行った。
【０６６６】
ＰＣＲの反応液はｃＤＮＡ溶液１μｌ、０．５μｌ ｒａｂｂｉｔＦ（１０μＭ）、０．５μｌ ｒａｂｂｉｔＲ（１０μＭ）、２．５μｌ添付の１０×反応液、２．５μｌ ｄＮＴＰ（１０ｍＭ）、０．５μｌ Advantage2 DNA polymerase（クローンテック社）、１７．５μｌ蒸留水を加えて合計２５μｌにした。反応液を、ThermalCycler9600（ＡＢＩ社）を用いてＰＣＲ反応にかけた。ＰＣＲの条件は９５℃・２分の変性の後、９８℃・１０秒、６３℃・２０秒、７２℃・６０秒のサイクルを３０回繰り返した。ＰＣＲ産物の一部を用いて電気泳動で約１０００ｂｐのＰＣＲ産物の増幅を確認した後、ＰＣＲ産物をQiagen PCR purification Kit（キアゲン社）を用いて精製し、直接配列決定を行ったところ配列番号：１５で表される塩基配列がえられた。配列番号：１５で表されるＤＮＡ配列から予測されるアミノ酸配列を配列番号：１６で示す。次に、ゲルから回収したＰＣＲ産物をＴＡクローニングキット（Invitrogen社）を用いて大腸菌ＪＭ１０９にサブクローニングし、大腸菌JM109/pTArabbitTGR5-1を取得した。サブクローニングで得られた大腸菌からプラスミドpTArabbitTGR5-1をプラスミド抽出機（クラボウ社）を用いて抽出し、挿入断片の塩基配列を決定し、その配列がウサギ型ＴＧＲ５遺伝子であることを確認した。
実施例８  ヒト、ウサギ、ウシ、マウスおよびラット型ＴＧＲ５の胆汁酸刺激によるレポーター遺伝子の発現量上昇の検出
実施例１に示したのと同様の方法により、動物細胞での発現用ベクターpAKKO-111Hに、実施例５に示したマウスおよびラット型ＴＧＲ５遺伝子、実施例６に示したウシ型ＴＧＲ５遺伝子、および実施例７に示したウサギ型ＴＧＲ５遺伝子を挿入してそれぞれの遺伝子の発現ベクターを作製した。これらとインサートが挿入されていない元の発現ベクターおよび実施例１に示したヒト型ＴＧＲ５発現ベクターを実施例４に示した方法に従い、抑制性Ｇ蛋白質αサブユニット（Ｇｉ）、レポータープラスミドとともにＣＨＯ−Ｍｏｃｋ細胞に一過性に発現させた。これを実施例３の方法に従い胆汁酸の刺激によるレポーター遺伝子の発現量を検出した。胆汁酸としてはタウロリトコール酸（ＴＣＬＡ）、リトコール酸（ＬＣＡ）、デオキシコール酸（ＤＣＡ）、ケノデオキシコール酸（ＣＤＣＡ）をそれぞれ１０μＭで使用した。またレポーター遺伝子発現のポジティブコントロールとしてはフォルスコリン（ＦＳＫ、２μＭ）を用いた。その結果いずれの動物種由来のＴＧＲ５を発現させても、胆汁酸添加区で胆汁酸を添加しない区（Ｂａｓｅ）より高いルシフェラーゼ活性が検出された（図９）。このことからヒト型ＴＧＲ５と同様にウサギ、ウシ、マウスおよびラット型ＴＧＲ５も胆汁酸のレセプターとして作用することが示された。
実施例９  ウサギ肺胞マクロファージの貪食活性に対するタウロリトコール酸（ＴＬＣＡ）の抑制作用
ウサギ（ＮＺＷ、メス、体重２．５−３．０ｋｇ前後）から麻酔下にて血清および肺を採取した。ＰＢＳ（phosphate-buffered saline）を気管より注入して洗浄することにより、肺内の肺胞マクロファージ細胞を含む懸濁液を回収した。得られた細胞をさらにＰＢＳで洗浄後、培地（ＤＭＥＭに２％ＦＢＳ、０．１ｍＭ非必須アミノ酸、５０μｇ／ｍｌストレプトマイシン、５０Ｕ／ｍｌペニシリン、５０μｇ／ｍｌゲンタマイシンを添加したもの。いずれもGibcoBRL社）に懸濁し、単核細胞分離液であるＦｉｃｏｌｌ−Ｐａｑｕｅ Ｐｌｕｓ（アマシャムファルマシア社）上に重層・遠心処理し、赤血球を除いた。単核細胞を培地にて洗浄後、０．２５×１０6／ｗｅｌｌの濃度で２４ウェルプレートに播種し３７℃、５％ＣＯ2条件下で一晩培養した。培地を除き、ＴＬＣＡ１００μＭを加えた培地、あるいはコントロールの培地を０．５ｍｌ添加して、さらに１６時間培養した。同じウサギより採取した血清５０μｌ、加熱により殺菌処理した酵母懸濁液０．８×１０8／ｍｌを３０μｌ添加し３７℃、５％ＣＯ2条件下で４０分間培養した。０．１％フクシン液（和光純薬社）を６０μｌ添加した後、細胞をはがして遠心し、懸濁液を顕微鏡にて観察した。フクシンにより酵母は染色されるが肺胞マクロファージにより貪食された酵母は染色されないことを利用して、貪食活性を示したマクロファージの算定を行った。その結果、図１０に示すとおり、ＴＬＣＡを添加した場合において、マクロファージの免疫機能のひとつである貪食活性の著明な低下が認められた。
実施例１０  ウサギ肺胞マクロファージにおける、リポ多糖（ＬＰＳ）で誘導された腫瘍壊死因子（ＴＮＦ）αの分泌に対するＴＬＣＡの抑制効果
実施例９の方法で採取したウサギ肺胞マクロファージを０．２５×１０6／ｗｅｌｌの濃度に希釈し２４ウェルプレートで一晩培養後、ＬＰＳ刺激で誘導されるＴＮＦα分泌に対する影響を検討した。ＴＬＣＡ５０μＭを含む培地あるいはコントロール培地０．５ｍｌに交換して１時間培養後、同濃度のＴＬＣＡ含有培地あるいはコントロール培地にＬＰＳ（Ｅ．ｃｏｌｉ Ｏ１１１：Ｂ４ 和光純薬）を加えたもの（添加時の濃度１ｎｇ／ｍｌ）０．５ｍｌを添加し、３７℃、５％ＣＯ2条件下でさらに１２時間培養した。培養後、上清を回収し、ＴＮＦ感受性細胞株Ｌ９２９（理化学研究所）に対する増殖抑制作用を指標にＴＮＦα量を測定した。Ｌ９２９細胞を１．２×１０4／ｗｅｌｌにて９６ウェルプレートに播種し３７℃、５％ＣＯ2条件下で一晩培養後、肺胞マクロファージ培養上清を適当に希釈し、２μｇ／ｍｌアクチノマイシンＤ（和光純薬社）存在下で一晩培養した。標準サンプルとしてはヒト組み換え型ＴＮＦα（Ｇｅｎｚｙｍｅ社）を使用した。Ｌ９２９細胞の増殖はＣｅｌｌ Ｃｏｕｎｔｉｎｇ Ｋｉｔ−８（和光純薬社）によって測定した。その結果、図１１に示すように、ＴＬＣＡを添加することにより、顕著なＴＮＦα分泌量の低下が認められた。
実施例１１  ウサギ肺胞マクロファージの各種サイトカインｍＲＮＡ発現量に対するタウロリトコール酸（ＴＬＣＡ）の抑制作用
実施例９の方法で採取したウサギ肺胞マクロファージを０．２５×１０6／ｗｅｌｌの濃度に希釈し６ウェルプレートで一晩培養後、ＴＬＣＡ１００μＭを含む培地あるいはコントロール培地１．５ｍｌに交換して１時間培養後、同濃度のＴＬＣＡ含有培地あるいはコントロール培地にＬＰＳ（Ｅ．ｃｏｌｉ Ｏ１１１：Ｂ４、和光純薬社）を加えたもの（添加時の濃度１ｎｇ／ｍｌ）１．５ｍｌを添加し、３７℃、５％ＣＯ2条件下でさらに２時間培養した。培地を除去後、Ｉｓｏｇｅｎ（ニッポンジーン社）３ｍｌを加え、マニュアルにしたがい全ＲＮＡを調製した。１μｇの全ＲＮＡを、SuperScriptII逆転写酵素（Gibco BRL社）を用いてマニュアルに従いｃＤＮＡを合成し、２５ｎｇ 全ＲＮＡ／μｌに相当するｃＤＮＡ溶液を調製した。各種サイトカインのｍＲＮＡ発現量定量はABI prism 7700 Sequence Detector（ABI社）を用いて行った。各反応には配列番号：２１から３５で表されるそれぞれのサイトカインに特異的なプライマー、プローブを設計し使用した。ＰＣＲ反応液はUniversal PCR master mix（ABI社）１２．５μｌ、それぞれのプライマーを各々１００μＭのものを０．２２５μｌずつ、５μＭのプローブを１．２５μｌ、上記で調製したｃＤＮＡ溶液１μｌを加え、全量を蒸留水で２５μｌとした。それぞれのサンプルは５０℃で２分間、９５℃で１０分間置いた後、９５℃で１５秒、６０℃で１分のサイクルを４０回繰り返し定量のための反応を行った。その結果、ＴＮＦα、ＩＬ−１α、ＩＬ−１β、ＩＬ−６、ＩＬ−８のいずれのサイトカインにおいてもＴＬＣＡの添加により明らかに発現量が低下し、ウサギ肺胞マクロファージに対するＴＬＣＡによる各種のサイトカインのｍＲＮＡ発現抑制作用が見出された（図１２）。
実施例１２  ＴＧＲ５遺伝子導入ＴＨＰ−１細胞の作製
ヒトマクロファージ細胞株ＴＨＰ−１にＴＧＲ５遺伝子を導入することによりＴＧＲ５高発現細胞を樹立した。まず、定法に従いヒトＴＧＲ５のｃＤＮＡをｐｃＤＮＡ３．１（Invitrogen社）に組み込んだｐｃＤＮＡ−ＴＧＲ５を作製した。ＴＨＰ−１を培地（ＲＰＭＩ１６４０ １０％ＦＢＳ）にて培養し、定法に従い、リポフェクトアミン（GibcoBRL社）を用いてｐｃＤＮＡ−ＴＧＲ５を導入した。その後、Ｇ４１８（GibcoBRL社）を培地に添加して耐性株を選択し、安定的にＴＧＲ５を高発現する細胞株、ＴＨＰ−ＴＧＲ５を樹立した。
実施例１３  ＴＨＰ−ＴＧＲ５における、リポ多糖（ＬＰＳ）で誘導された腫瘍壊死因子（ＴＮＦ）αの分泌およびｍＲＮＡ発現量に対するＴＬＣＡの抑制効果
実施例１２で得たＴＨＰ−ＴＧＲ５あるいはもとのＴＨＰ−１細胞を０．５×１０6／ｗｅｌｌの濃度に希釈して１０-8Ｍのホルボールエステル（和光純薬）存在下で２４ウェルプレートで一晩培養後、ＬＰＳ刺激で誘導されるＴＮＦα分泌に対する影響を検討した。ＴＬＣＡ１００μＭを加えた培地あるいはコントロール培地０．５ｍｌにて１時間培養後、同濃度のＴＬＣＡ含有培地あるいはコントロール培地にＬＰＳを加えたもの（添加時の濃度５０ｎｇ／ｍｌ）０．５ｍｌを添加し、３７℃、５％ＣＯ2条件下で２４時間培養した。培養後、上清を回収し、実施例１０と同じようにＴＮＦα含量をＬ９２９の増殖抑制活性により定量した。またＴＨＰ−１とＴＨＰ−ＴＧＲ５の全ＲＮＡはＬＰＳ添加の２時間後に細胞から実施例１１と同様の方法で調製した。ヒト型ＴＮＦα ｍＲＮＡの発現量はTaqMan Cytokine Gene Expression plate I（ＡＢＩ社）を使用して求めた。定量値はＴＨＰ−１細胞のＬＰＳ、ＴＬＣＡをともに添加しなかった区値を１とした時の相対値で示した。その結果、図１３に示すように、ＴＨＰ−ＴＧＲ５ではＴＬＣＡ添加により顕著なＴＮＦα分泌量の低下が認められた、一方、もとのＴＨＰ−１では顕著なＴＮＦα分泌抑制作用は見られなかった。またｍＲＮＡも同様にＴＬＣＡ添加による顕著な発現量の低下が認められた。これらのことから、ウサギ肺胞マクロファージで認められたＴＮＦα分泌抑制効果は明らかにＴＧＲ５を介したものであることが確認され、生体内においてＴＧＲ５がこうした免疫機能の制御に関わることが示された。
実施例１４  ＣＨＯ細胞に発現させたＴＧＲ５−ＧＦＰ融合蛋白質のタウロリトコール酸添加による細胞内移行
ＴＧＲ５のＣ末端に翻訳のフレーム合わせてオワンクラゲより単離されたGreen Fluorescent Protein（ＧＦＰ）ｃＤＮＡをつないだ融合蛋白質を発現させるための発現プラスミドを構築した。その際ＧＦＰ ｃＤＮＡにはＧＦＰの発現ベクターｐＱＢＩ２５（宝酒造）から切り出した断片を用いた。ＴＧＲ５はＰＣＲ法によりその終止コドンを制限酵素ＮｈｅＩの認識配列に修正し、ここにＧＦＰ断片を連結して、実施例１に記載の発現ベクターｐＡＫＫＯ−１１１Ｈに挿入した。このようにして得たＴＧＲ５とＧＦＰの融合蛋白質（以下、ＴＧＲ５-ＧＦＰ融合蛋白質）発現ベクターのプラスミドを以下の方法でＣＨＯ-ｍｏｃｋ細胞にトランスフェクションした。ＣＨＯ-ｍｏｃｋ細胞は増殖培地［ＤＭＥＭ（Ｄｕｌｂｅｃｃｏ'ｓ Ｍｏｄｉｆｉｅｄ Ｅａｇｌｅ Ｍｅｄｉｕｍ）（ＧＩＢＣＯ ＢＲＬ社）に１０％ウシ胎児血清（ＧＩＢＣＯ ＢＲＬ社）を添加したもの］に懸濁し、０．６×１０5ｃｅｌｌｓ／チャンバーの濃度にてチェンバー数４つのＬａｂ−ＴｅｋIIカバーグラスチェンバー（Ｎａｌｇｅｎ Ｎｕｎｃ社）にまき、３７℃、５％ＣＯ2条件下で一晩培養した後にトランスフェクションした。トランスフェクションにはＬｉｐｏｆｅｃｔａｍｉｎｅTM２０００ Ｒｅａｇｅｎｔ（GIBCO BRL社）を用いた。まずＬｉｐｏｆｅｃｔａｍｉｎｅTM ２０００ Ｒｅａｇｅｎｔ ２μｌとＯＰＴＩ−ＭＥＭ−I（GIBCO BRL社）５０μｌを混合し、２０分間室温で静置することによりＤＮＡとリポフェクトアミンの複合体を形成させた後、上記のＣＨＯ細胞を培養したチェンバーに１００μｌ添加し、さらに３７℃、５％ＣＯ2条件下で一晩培養した。培地を共焦点顕微鏡観察用培地［Ｈａｎｋｓ' Ｂａｌａｎｃｅｄ Ｓａｌｔ Ｓｏｌｕｔｉｏｎ（ＧＩＢＣＯ ＢＲＬ社）に０．１％ウシ アルブミン（Ｅｓｓｅｎｔｉａｌｌｙ Ｆａｔｔｙ Ａｃｉｄ Ｆｒｅｅ、ＧＩＢＣＯ ＢＲＬ社）を懸濁したもの］に置き換え、共焦点顕微鏡（ライカ社）でＧＦＰの蛍光像を観察した。その際、ＧＦＰの励起は４８８ｎｍで行った。
【０６６７】
その結果、ＴＧＲ５−ＧＦＰ融合蛋白質は細胞膜に観察された。この細胞にタウロリトコール酸を１０-5Ｍとなるように培地に添加３０分後には、ＧＦＰの蛍光が細胞膜ではなく、細胞質に移動していることが見出された。このことはＴＧＲ５が細胞膜に発現するＧ蛋白質共役型のレセプターであるとともに、ＴＧＲ５がタウロリトコール酸に反応して細胞質へ移行、すなわちインタナリゼーションしたことを示していた。
実施例１５  タウロリトコール酸添加によるＴＧＲ５発現ＣＨＯ細胞でのＭＡＰキナーゼ活性化
実施例１で作製したＴＧＲ５発現ベクターを用いて公知の方法で作製した安定的なＴＧＲ５発現ＣＨＯ（ＣＨＯ−ＴＧＲ５）またはＣＨＯ−ｍｏｃｋ細胞を３×１０5／ｗｅｌｌの濃度で６ウェルプレートに撒いて、血清低濃度培地（核酸不含ＭＥＭα培地に０．５％の透析ウシ胎児血清を添加したもの）にて一晩培養し、さらに無血清培地（核酸不含ＭＥＭα培地に０．１％ウシ血清アルブミンを添加したもの）に交換して一晩培養した。新しい無血清培地に交換して３時間培養後、２μＭのタウロリトコール酸（ＴＬＣＡ）を添加した。０〜２０分インキュベーションしたのち、サンプルバッファー（TEFCO社）で細胞を溶解・抽出しＳＤＳ−ＰＡＧＥによって分離を行った。その後PhosphoPlus p44/42 MAP kinase（Thr202/Tyr204）Antibody Kit（Cell Signaling Technology, Inc）を用いたウエスタンブロッテイングを行った。その結果、図１４に示す通り、ＴＧＲ５発現ＣＨＯ細胞でのみ、ＴＬＣＡ添加後５分をピークにＭＡＰキナーゼのリン酸化によって示される当該蛋白質の活性化が起こることが分かった。
実施例１６  ＴＧＲ５発現ＣＨＯ細胞における各種胆汁酸のｃＡＭＰ産生上昇活性
ＣＨＯ−ＴＧＲ５を２×１０4／ｗｅｌｌの濃度で９６ウェルプレートに撒いて一晩培養後、ｃＡＭＰ産生量の測定に用いた。アッセイ用バッファー（ＤＭＥＭに０．１％ウシ血清アルブミン、0.2mM 3-Isobutyl-1-methylxanthine, IBMXを添加したもの）で細胞を２回洗浄し、３０分プレインキュベーションした。細胞を２回洗浄した後、アッセイ用バッファーに希釈したサンプルを細胞に添加して２０分間インキュベーションした。培養上清を捨てて、cAMP Screen System（ＡＢＩ）によってｃＡＭＰ産生量を測定した。ポジティブコントロールとして、リトコール酸（ＬＣＡ）１０μＭを用いた。ｃＡＭＰ産生量はポジティブコントロールを１００％とした場合の％値で表した。その結果、図１５に示す通りタウロリトコール酸（ＴＬＣＡ）、リトコール酸（ＬＣＡ）、デオキシコール酸（ＤＣＡ）、ケノデオキシコール酸（ＣＤＣＡ）、コール酸（ＣＡ）の順で濃度依存的なｃＡＭＰ産生の上昇が観察された。また、２μＭの濃度でその他の胆汁酸やコレステロール代謝化合物などによるＣＨＯ−ＴＧＲ５におけるｃＡＭＰ産生上昇活性を比較し、その結果を図１６に示した。ＬＣＡ、ＤＣＡ、ＣＤＣＡ、ＣＡのそれぞれにおいて、タウリン抱合体（Ｔ）、グリシン抱合体（Ｇ）、非抱合体（Ｆ）のいずれもｃＡＭＰ産生上昇活性を有することが分かった。
実施例１７  ヒトＴＧＲ５ ｍＲＮＡ発現分布解析
ｍＲＮＡの発現量の定量にはＡＢＩ ＰＲＩＳＭ ７７００ ＳｅｑｕｅｎｃｅＤｅｔｅｃｔｏｒ（アプライドバイオシステムズ社）を用いた。発現量の定量に用いるプライマーとプローブは、ヒト型ＴＧＲ５の塩基配列（配列番号：２）をもとにＡＢＩ ＰＲＩＳＭ ７７００ ＳｅｑｕｅｎｃｅＤｅｔｅｃｔｏｒ専用のソフトウエアＰｒｉｍｅｒＥｘｐｒｅｓｓ（アプライドバイオシステムズ社）を利用してデザインした。鋳型となるｃＤＮＡは、ヒト各種組織由来のｐｏｌｙＡ＋ＲＮＡ（クロンテック社）１μｇからランダムプライマーを用いて４２℃で合成した。逆転写反応にはＳｕｐｅｒＳｃｒｉｐｔＩＩ逆転写酵素（ＧＩＢＣＯ ＢＲＬ社）を用い、添付のマニュアルに従って反応を行い、反応終了後エタノール沈殿して１００μｌに溶解した。また分画したヒト血球由来のｃＤＮＡとしてはＭｕｌｔｉｐｌｅ Ｔｉｓｓｕｅ ｃＤＮＡ（ＭＹＴＣTM）ｐａｎｅｌｓ Ｈｕｍａｎ Ｂｌｏｏｄ Ｆｒａｃｔｉｏｎｓ (クロンテック社)を使用した。ＡＢＩ ＰＲＩＳＭ ７７００ Ｓｅｑｕｅｎｃｅ Ｄｅｔｅｃｔｏｒの反応液はＴａｑＭａｎ Ｕｎｉｖｅｒｓａｌ ＰＣＲ Ｍａｓｔｅｒ Ｍｉｘ（アプライドバイオシステムズ社）のマニュアルにしたがい、マスターミックスを１２．５μｌ、プライマーを０．９μＭ、プローブを０．２５μＭ、各サンプルのｃＤＮＡ溶液を１μｌで混ぜ合わせ、蒸留水で２５μlとして調製した。ＡＢＩ ＰＲＩＳＭ ７７００ ＳｅｑｕｅｎｃｅＤｅｔｅｃｔｏｒでの反応は、５０℃で２分、９５℃で１０分の後、９５℃ １５秒、６０℃ １分のサイクルを４０回繰り返して行った。
【０６６８】
ヒト各種組織でのＴＧＲ５ ｍＲＮＡの発現分布を図１７に示す。胎盤、脾臓、肺など免疫に関与する組織や腸管での高発現が見出された。またヒト血球でのＴＧＲ５ ｍＲＮＡの発現量を図１８に示す。ＣＤ１４を発現している血球、すなわち単球・マクロファージでの高発現が見出された。
実施例１８  ウサギＴＧＲ５ ｍＲＮＡ発現分布解析
実施例１７と同様の方法でウサギ型ＴＧＲ５ ｍＲＮＡの発現量を求めた。用いたプライマーとプローブはウサギＴＧＲ５（配列番号：１５）をもとにデザインした。ウサギの各種組織由来の全ＲＮＡは、北山ラベス社より購入したＮＺＷ 雌性 体重２．５〜３．０ｋｇ前後の個体より各組織を取得し、Ｉｓｏｇｅｎ（ニッポンジーン社）を用い、付属のマニュアルにしたがって調製した。ｃＤＮＡは調製した全ＲＮＡ １μｇから実施例１７と同様の方法で合成した。ただし逆転写反応後は４０μｌに溶解した。
【０６６９】
ウサギ型ＴＧＲ５ ｍＲＮＡの発現は図１９に示したように、免疫に関与する脾臓、肺胞マクロファージや胸腺、腸管で高発現していた。
実施例１９  ＴＬＣＡによるウサギ肺胞マクロファージのｃＡＭＰ産生上昇
実施例９の方法で調製したウサギ肺胞マクロファージを培地（ＤＭＥＭに２％ＦＢＳ、０．１ｍＭ非必須アミノ酸、５０μｇ／ｍｌストレプトマイシン、５０Ｕ／ｍｌペニシリン、５０μｇ／ｍｌゲンタマイシンを添加したもの）に懸濁し２×１０5／ｗｅｌｌの濃度で９６ウェルプレートに撒き一晩培養した。細胞をＤＭＥＭに０．１％ ＢＳＡ、１ｍＭ ＩＢＭＸを加えた培地で２回洗浄した後、同じ培地に希釈したＴＬＣＡ ２００μＭあるいは培地を添加して４分間インキュベーションした。cAMP Screen System（ＡＢＩ）によってｃＡＭＰ産生量を測定した結果、図２０に示す通りＴＬＣＡ添加によりｃＡＭＰ産生量の上昇が認められた。
実施例２０  ウサギ肺胞マクロファージの貪食活性におよぼす各種胆汁酸の抑制効果
実施例９の方法に従い、ウサギ肺胞マクロファージを調製し、各種胆汁酸による貪食能抑制効果を検討した。その結果、図２１に示すとおり、ＴＬＣＡの他、ＧＬＣＡ、ＬＣＡを１００μＭにて添加した場合において、マクロファージの免疫機能のひとつである貪食活性の著明な低下が認められた。
実施例２１  ウサギ肺胞マクロファージからのＴＮＦα分泌に対する胆汁酸の抑制効果
実施例９の方法で調製したウサギ肺胞マクロファージを培地（ＤＭＥＭに２％ＦＢＳ、０．１ｍＭ非必須アミノ酸、５０μｇ／ｍｌストレプトマイシン、５０Ｕ／ｍｌペニシリン、５０μｇ／ｍｌゲンタマイシンを添加したもの）に懸濁し０．２５×１０6／ｗｅｌｌの濃度で２４ウェルプレートに撒き一晩培養した。同じ培地を用いて胆汁酸を希釈してグラフに表示した濃度にて肺胞マクロファージに添加して１時間培養した。さらに、同じ濃度の胆汁酸サンプルにリポ多糖（ＬＰＳ、Ｅ．ｃｏｌｉ Ｏ１１１：Ｂ４  和光純薬）を添加したものを追加して加え、１２時間培養した。ＬＰＳの濃度は１ｎｇ／ｍｌにて加えた。培養後、培養上清を回収し、実施例１０と同様に上清中のＴＮＦαを定量した。その結果、図２２に示す通り、ＴＧＲ５にアゴニスト活性を示す胆汁酸の添加により濃度依存的にＴＮＦα分泌量の抑制活性が認められた。
実施例２２  ＴＧＲ５遺伝子を導入したＴＨＰ−１細胞におけるｃＡＭＰ産生上昇
ＴＨＰ−１あるいは実施例１２で得たＴＧＲ５高発現細胞株ＴＨＰ−ＴＧＲ５をアッセイ用培地（ＤＭＥＭに０．１％ ＢＳＡと１ｍＭ ＩＢＭＸを添加したもの）で洗浄後、１×１０5／ｗｅｌｌにて９６ウェルプレートに撒いた。上記アッセイ用培地にて希釈した胆汁酸を添加して２０分間インキュベーションした。その後cAMP Screen System（ＡＢＩ）によってｃＡＭＰ産生量を測定した結果、図２３に示す通りＴＨＰ−ＴＧＲ５においてＴＬＣＡ、ＬＣＡ、ＤＣＡ添加によるｃＡＭＰ産生量の上昇が認められた。一方ＴＨＰ−１ではＴＬＣＡによるｃＡＭＰ産生上昇は認められないことから、これらの胆汁酸によるｃＡＭＰ上昇はＴＧＲ５を介した反応であることが確かめられた。
実施例２３  ＬＰＳで刺激されたＴＨＰ−ＴＧＲ５からの腫瘍壊死因子（ＴＮＦ）α分泌に対する各種胆汁酸の抑制効果
実施例１３と同様にＴＨＰ−ＴＧＲ５あるいはＴＨＰ−１細胞を処理し、ＬＰＳで刺激されたＴＮＦα分泌に対する各種胆汁酸の抑制効果を検討した。ＬＰＳ刺激は１２時間とし、培養上清を回収後、実施例１３と同じく、バイオアッセイによるＴＮＦα含有量の測定を行った。その結果、図２４に示す通り、ＴＨＰ−ＴＧＲ５では胆汁酸の濃度依存性にＴＮＦα分泌量の低下が認められた。一方、ＴＨＰ−１では顕著なＴＮＦα分泌抑制作用は見られなかった（図２５）。これらのことから、ウサギ肺胞マクロファージで認められたＴＮＦα分泌抑制効果は明らかにＴＧＲ５を介したものであることが確認され、生体内においてＴＧＲ５がこうした免疫機能の制御に関わることが示された。
実施例２４  ＴＧＲ５発現ＣＨＯ細胞を用いたアゴニストスクリーニング方法
ヒトＴＧＲ５発現ＣＨＯ細胞（ウサギ、ウシ、ラット、マウスＴＧＲ５発現ＣＨＯ細胞も使用可能）を１〜２ｘ１０４／ｗｅｌｌの濃度で９６〜３８４ウェルプレートにまいて培養後にｃＡＭＰ産生アッセイに用いる。アッセイバッファーにはＨａｎｋ’ｓ  ｂａｌａｎｃｅｄ  ｓａｌｔ  ｓｏｌｕｔｉｏｎ（ＨＢＳＳ）またはＤＭＥＭに０．１％ウシ血清アルブミン（ＢＳＡ）および  ０．２〜０．５ｍＭ  ３−Ｉｓｏｂｕｔｙｌ−１−ｍｅｔｈｙｌｘａｎｔｈｉｎｅ（ＩＢＭＸ）を添加したものを用いる。培地をアッセイバッファーに置換し、３７℃で１０〜３０分間プレインキュベーションを行う。アッセイバッファーで細胞を１回洗浄した後アッセイバッファーで調製した胆汁酸（ポジティブコントロール）または低分子合成化合物サンプルを添加し、３７℃で２０〜３０分間インキュベーションする。アンタゴニストのスクリーニングにおいては胆汁酸（ポジティブコントロール）または低分子合成アゴニスト化合物を同時に添加することによりアッセイする。その後、市販のｃＡＭＰ定量キット（ｃＡＭＰ  Ｓｃｒｅｅｎ  Ｓｙｓｔｅｍ（ＡＢＩ社）またはＨｉｔ  Ｈｕｎｔｅｒ（ＡＢＩ社））を用いて細胞のｃＡＭＰ産生量を測定する。
実施例２５  モルモット由来のＴＧＲ５をコードするｃＤＮＡのクローニングとその塩基配列の決定
モルモット脾臓ｃＤＮＡを鋳型として、プライマー（配列番号：３８）およびプライマー２（配列番号：３９）を用いてＰＣＲを行なった。ＰＣＲにはＧＣ  ｍｅｌｔ  ＤＮＡ  Ｐｏｌｙｍｅｒａｓｅ（クローンテック）を用い、1)９５℃・２分、2)９８℃・１０秒、６３℃・２０秒、７２℃・１分を３５回の後、７２℃・７分の伸長反応を行なった。反応後、増幅産物を制限酵素ＳａｌＩ、ＳｐｅＩで切断しｐＡＫＫＯ１１１Ｈにクローニングした。これを大腸菌ＤＨ５ａｌｐｈａ（東洋紡）に導入して、プラスミドを持つクローンをアンピシリンを含むＬＢ寒天培地中で選択した。個々のクローンの塩基配列を解析した結果、新規Ｇ蛋白質共役型レセプター蛋白質をコードするｃＤＮＡ配列（配列番号：３７）を得た。このｃＤＮＡより導き出されるアミノ酸配列（配列番号：３６）を含有する新規蛋白質をモルモットＴＧＲ５と命名した。また形質転換体を大腸菌（Ｅｓｃｈｅｒｉｃｈｉａ  ｃｏｌｉ）ＤＨ５ａｌｐｈａ／ｐＡＫＫＯｇｕｉｎｅａ  ｐｉｇＴＧＲ５と命名した。
実施例２６  ＮＣＩ−Ｈ７１６におけるＴＧＲ５の発現
ＴＧＲ５の発現解析は、ＷＯ ０２／０８４２８６号の実施例１７の方法に準じて行った。
【０６７０】
ヒト大腸がん由来細胞株ＮＣＩ−Ｈ７１６（ＡＴＣＣ）を培地（Ｄｕｌｂｅｃｃｏ’ｓ  Ｍｏｄｉｆｉｅｄ  Ｅａｇｌｅ  Ｍｅｄｉｕｍ  （ＤＭＥＭ、インビトロゲン社）に１０％ウシ胎児血清（Ｉｎｖｉｔｒｏｇｅｎ社）、１００Ｕ／ｍｌペニシリン、１００μｇ／ｍｌストレプトマイシンを添加したもの）にて培養後、細胞を回収し、Ｉｓｏｇｅｎ（ニッポンジーン）にてｔｏｔａｌ  ＲＮＡを抽出した。ｍＲＮＡの発現量の定量にはＡＢＩ  ＰＲＩＳＭ  ７７００  ＳｅｑｕｅｎｃｅＤｅｔｅｃｔｏｒ（アプライドバイオシステムズ社）を用いた。発現量の定量に用いるプライマーとプローブは、ヒト型ＴＧＲ５（配列番号：１）の塩基配列をもとにＡＢＩ  ＰＲＩＳＭ  ７７００  ＳｅｑｕｅｎｃｅＤｅｔｅｃｔｏｒ専用のソフトウエアＰｒｉｍｅｒＥｘｐｒｅｓｓ（アプライドバイオシステムズ社）を利用してデザインした。鋳型となるｃＤＮＡは、ヒト各種組織由来のｐｏｌｙＡ＋ＲＮＡ（クロンテック社）１μｇからランダムプライマーを用いて４２℃で合成した。逆転写反応にはＳｕｐｅｒＳｃｒｉｐｔＩＩ逆転写酵素（ＧＩＢＣＯ  ＢＲＬ社）を用い、添付のマニュアルに従って反応をった。ＡＢＩ  ＰＲＩＳＭ  ７７００  ＳｅｑｕｅｎｃｅＤｅｔｅｃｔｏｒの反応液はＴａｑＭａｎ  Ｕｎｉｖｅｒｓａｌ  ＰＣＲ  Ｍａｓｔｅｒ  Ｍｉｘ（アプライドバイオシステムズ社）のマニュアルにしたがい、マスターミックスを１２．５μｌ、プライマーを０．９μＭ、プローブを０．２５μＭ、各サンプルのｃＤＮＡ溶液を１μｌで混ぜ合わせ、蒸留水で２５μｌとして調製した。ＡＢＩ  ＰＲＩＳＭ  ７７００  ＳｅｑｕｅｎｃｅＤｅｔｅｃｔｏｒでの反応は、５０℃で２分、９５℃で１０分の後、９５℃・１５秒、６０℃・１分のサイクルを４０回繰り返して行った。その結果、ＮＣＩ−Ｈ７１６細胞のｔｏｔａｌ  ＲＮＡ２５ｎｇあたり６５０８コピーの発現が認められた。
実施例２７  ＮＣＩ−Ｈ７１６における胆汁酸による細胞内ｃＡＭＰ産生上昇
ＮＣＩ−Ｈ７１６を培地（Ｄｕｌｂｅｃｃｏ’ｓ  Ｍｏｄｉｆｉｅｄ  Ｅａｇｌｅ  Ｍｅｄｉｕｍ  （ＤＭＥＭ、インビトロゲン社）に１０％ウシ胎児血清（Ｉｎｖｉｔｒｏｇｅｎ社）、１００Ｕ／ｍｌぺニシリン、１００μｇ／ｍｌストレプトマイシンを添加したもの）に懸濁して９６ウェルプレートに撒いて２日培養した後、ｃＡＭＰ産生アッセイに用いた。ｃＡＭＰアッセイ用バッファーには、改変したＫｒｅｂｓ−Ｒｉｎｇｅｒ  ｂｉｃａｒｂｏｎａｔｅ  ｂｕｆｆｅｒ  （ＫＲＢＨ、１１６ｍＭ  ＮａＣｌ、４．７ｍＭ  ＫＣｌ、１．２ｍＭ  ＫＨ２ＰＯ４、１．２ｍＭ  ＭｇＳＯ４、２．５ｍＭ  ＣａＣｌ２、２５ｍＭ  ＮａＨＣＯ３、２４ｍＭ  ＨＥＰＥＳ  ｐＨ７．３）にグルコースを５．５ｍＭ、ウシ血清アルブミン（ＢＳＡ）を０．１％、および３−Ｉｓｏｂｕｔｙｌ−１−ｍｅｔｈｙｌｘａｎｔｈｉｎｅ（ＩＢＭＸ，  Ｓｉｇｍａ社）を１ｍＭになるよう添加したものを用いた。ｃＡＭＰアッセイ用バッファーで１回細胞を洗浄した後、ｃＡＭＰアッセイバッファーにて希釈したサンプル５０μＭを細胞に添加して２時間インキュベーションした。培養上清を捨てて、ｃＡＭＰ  Ｓｃｒｅｅｎ  Ｓｙｓｔｅｍ（ＡＢＩ）によってｃＡＭＰ産生量を測定した。その結果、図２６に示す通り、ＴＧＲ５に強いアゴニスト活性を示す胆汁酸であるＴＬＣＡ（タウロリトコール酸）、ＬＣＡ（リトコール酸）でｃＡＭＰ産生上昇が見られた。このことから、ＮＣＩ−Ｈ７１６細胞においてＴＧＲ５を介してＴＧＲ５アゴニスト、胆汁酸がｃＡＭＰ産生を上昇させることが示された。
実施例２８  胆汁酸によるＮＣＩ−Ｈ７１６からのＧＬＰ−１分泌上昇作用
ＮＣＩ−Ｈ７１６細胞はＧｌｕｃａｇｏｎ−ｌｉｋｅ  ｐｅｐｔｉｄｅ−１（ＧＬＰ−１）を分泌する細胞である。ＧＬＰ−１は膵臓に作用してインスリンを分泌させるなど血糖値コントロールに有用なペプチドである。実施例２７と同様にＮＣＩ−Ｈ７１６を９６ウェルプレートに撒いて２日培養後以下の分泌実験に使用した。分泌実験バッファーには改変したＫｒｅｂｓ−Ｒｉｎｇｅｒ  ｂｉｃａｒｂｏｎａｔｅ  ｂｕｆｆｅｒ（ＫＲＢＨ、１１６ｍＭ  ＮａＣｌ、４．７ｍＭ  ＫＣｌ、１．２ｍＭ  ＫＨ２ＰＯ４、１．２ｍＭ  ＭｇＳＯ４、２．５ｍＭ  ＣａＣｌ２、２５ｍＭ  ＮａＨＣＯ３、２４ｍＭ  ＨＥＰＥＳ  ｐＨ７．３）にグルコースを５．５ｍＭ、ＢＳＡを０．１％になるよう添加したものを用いた。分泌実験バッファーにて細胞を１回洗浄した後、３７℃５％ＣＯ２条件下でプレインキュベーションしたのち分泌実験バッファーにて希釈した胆汁酸を添加し、３７℃５％ＣＯ２条件下で２時間培養した。細胞の培養上清を回収し、凍結保存したのち、ＧＬＰ−１測定用ＥＩＡキット（Ｌｉｎｃｏ社）にて上清中のＧＬＰ−１含量を測定した。その結果、図２７に示す通り、ＴＧＲ５に強いアゴニスト活性を示す胆汁酸であるＴＬＣＡ（タウロリトコール酸）、ＬＣＡ（リトコール酸）でＧＬＰ−１分泌上昇が見られた。このことから、ＮＣＩ−Ｈ７１６細胞においてＴＧＲ５を介してＴＧＲ５アゴニスト、胆汁酸がＧＬＰ−１を上昇させることが示された。
実施例２９  ラットＴＧＲ５ｍＲＮＡ発現分布解析
ｍＲＮＡの発現量の定量にはＡＢＩ  ＰＲＩＳＭ  ７７００  ＳｅｑｕｅｎｃｅＤｅｔｅｃｔｏｒ（アプライドバイオシステムズ社）を用いた。発現量の定量に用いるプライマーとプローブは、ラット型ＴＧＲ５の塩基配列（配列番号：８）をもとにＡＢＩ  ＰＲＩＳＭ  ７７００  ＳｅｑｕｅｎｃｅＤｅｔｅｃｔｏｒ専用のソフトウエアＰｒｉｍｅｒＥｘｐｒｅｓｓ（アプライドバイオシステムズ社）を利用してデザインした。ラットの各種組織由来の全ＲＮＡは、チャールズリバー社より購入したＷｉｓｔａｒ雄性８週齢の個体より各組織を取得し、Ｉｓｏｇｅｎ（ニッポンジーン社）を用い、付属のマニュアルにしたがって調製した。鋳型となるｃＤＮＡは、ラット各種組織由来の全ＲＮＡ１μｇからランダムプライマーを用いて４２℃で合成した。逆転写反応にはＳｕｐｅｒＳｃｒｉｐｔＩＩ逆転写酵素（ＧＩＢＣＯ  ＢＲＬ社）を用い、添付のマニュアルに従って反応を行い、反応終了後エタノール沈殿して４０μｌに溶解した。ＡＢＩ  ＰＲＩＳＭ  ７７００  ＳｅｑｕｅｎｃｅＤｅｔｅｃｔｏｒの反応液はＴａｑＭａｎ  Ｕｎｉｖｅｒｓａｌ  ＰＣＲ  Ｍａｓｔｅｒ  Ｍｉｘ（アプライドバイオシステムズ社）のマニュアルにしたがい、マスターミックスを１２．５μｌ、各プライマーを０．９μＭ、プローブを０．２５μＭ、各サンプルのｃＤＮＡ溶液を１μｌで混ぜ合わせ、蒸留水で２５μｌとして調製した。ＡＢＩ  ＰＲＩＳＭ  ７７００  ＳｅｑｕｅｎｃｅＤｅｔｅｃｔｏｒでの反応は、５０℃で２分、９５℃で１０分の後、９５℃・１５秒、６０℃・１分のサイクルを４０回繰り返して行った。
【０６７１】
ラット各種組織でのＴＧＲ５  ｍＲＮＡの発現分布を図２８に示す。中枢神経系、脾臓、肺、腸などの組織で高発現が見出された。
実施例３０  ラット腸管初代培養細胞におけるＴＧＲ５ｍＲＮＡ発現
腸管より初代培養細胞を調製し、Ｉｓｏｇｅｎ（ニッポンジーン社）を用い、付属のマニュアルにしたがって全ＲＮＡを取得した。実施例２９と同一の方法によりｍＲＮＡの発現量の定量を行ったところ、ラット腸管より調製した初代培養細胞においても約４４００コピー／２５ｎｇ全ＲＮＡのＴＧＲ５ｍＲＮＡ発現が確認された。
実施例３１  ラット型ＴＧＲ５の胆汁酸刺激によるｃＡＭＰ産生活性
１５０ｃｍ２フラスコ一本にラット型ＴＧＲ５発現ＣＨＯ細胞を１ｘ１０７ｃｅｌｌｓ撒いて、一晩３７℃、５％ＣＯ２で培養した。培養後、０．５ｍＭ  ＥＤＴＡ／ＰＢＳにて細胞をはがし、ＰＢＳで細胞を洗浄後、１ｘ１０７ｃｅｌｌｓ／ｍｌの密度でＢｕｆｆｅｒ１（ＨＢＳＳ  ＋  ０．１％ＢＳＡ、２５ｍＭ  ＨＥＰＥＳ  ｐＨ７．３、０．５ｍＭ  ＩＢＭＸ）に懸濁した。この細胞懸濁液４６０μｌとアルファスクリーンｃＡＭＰ  ａｓｓａｙ  ｋｉｔ（Ｐａｒｋｉｎ  Ｅｌｍｅｒ）のａｎｔｉ−ｃＡＭＰ  ａｃｃｅｐｔｏｒ  ｂｅａｄｓ  ２３μｌ、Ｂｕｆｆｅｒ１  ６６７μｌを混合し、白色９６ｗｅｌｌプレート（Ｃｏｓｔａｒ）に１０μｌずつ分注した。次に、各ウエルに各種胆汁酸をＢｕｆｆｅｒ１で希釈したものを１０μｌずつ加えた。この時、プレートの一列は細胞懸濁液を入れずａｎｔｉ−ｃＡＭＰ  ａｃｃｅｐｔｏｒ  ｂｅａｄｓ  ９μｌ、Ｂｕｆｆｅｒ１  ４４１μｌのみを混ぜた液とし、胆汁酸の代わりにｃＡＭＰの希釈系列を加え、スタンダードとした。細胞懸濁液と胆汁酸を混ぜたプレートは室温で３０分間反応させた。３０分後、Ｂｕｆｆｅｒ２（ＨＢＳＳ  ＋  ０．１％ＢＳＡ、２５ｍＭ  ＨＥＰＥＳ  ｐＨ７．３、１．５％  Ｔｗｅｅｎ２０）  １３．２ｍｌに、アルファスクリーンｃＡＭＰ  ａｓｓａｙ  ｋｉｔのＢｉｏｔｉｎｙｌ  ｃＡＭＰ  ２２μｌ、Ｓｔｒｅｐｔａｖｉｎ  ｄｏｎｏｒ  ｂｅａｄｓ  ９０．２μｌを加えた液をプレートの全ウエルに３０μｌずつ加えた。室温でプレートを２．５時間振とうし、Ｆｕｓｉｏｎα（Ｐａｒｋｉｎ  Ｅｌｍｅｒ）にて蛍光強度を測定し、各プレート上のｃＡＭＰスタンダードを用いて各ウエル内のｃＡＭＰ濃度を算出した。それぞれの胆汁酸によるｃＡＭＰの産生量は、リトコール酸（ＬＣＡ）１０μＭとなるように添加した場合のｃＡＭＰ産生量を１００％とした相対値（コントロール％）で示した。結果を表１に示す。表中のＴＬＣＡはタウロリトコール酸を、ＧＬＣＡはグリコリトコール酸を、ＤＣＡはデオキシコール酸を、ＴＤＣＡはタウロデオキシコール酸を、ＧＤＣＡはグリコデオキシコール酸を、ＵＤＣＡはウルソデオキシコール酸を、ＣＤＣＡはケノデオキシコール酸を、ＨＤＣＡはヒオデオキシコール酸を、ＣＡはコール酸を、ＧＣＡはグルココール酸をそれぞれ示す。
［表１］

胆汁酸                            ｃＡＭＰ産生活性  
（コントロール％）  
ＬＣＡ                                １００．０
ＴＬＣＡ                              １３７．５
ＧＬＣＡ                              １２２．６
ＤＣＡ                                  ８３．１
ＴＤＣＡ                              １３９．６
ＧＤＣＡ                              １３１．３
ＵＤＣＡ                                ９．８
ＣＤＣＡ                                ４５．５
ＨＤＣＡ                                ５．６
ＣＡ                                    ８０．９
ＧＣＡ                                １１２．６      
実施例３２  胆汁酸によるモルモット腸管初代培養細胞からのＧＬＰ−１分泌
モルモット（Ｈａｒｔｌｅｙ、オス、日本チャールズリバー）の結腸粘膜を採取し以下の方法で酵素処理により細胞に分散した。酵素液は５ｍｇ／ｍｌ  Ｃｏｌｌａｇｅｎａｓｅ（Ｓｉｇｍａ）、５ｍｇ／ｍｌ  Ｈｙａｌｕｒｏｎｉｄａｓｅ（Ｓｉｇｍａ）、０．５ｍｇ／ｍｌ  ＤＮａｓｅＩ（Ｓｉｇｍａ）を培地に溶かしたものを用いた。培地はＤｕｌｂｅｃｃｏ’ｓ  Ｍｏｄｉｆｉｅｄ  Ｅａｇｌｅ  Ｍｅｄｉｕｍ（ＤＭＥＭ、Ｉｎｖｉｔｒｏｇｅｎ）に４．５ｇ／ｌ  Ｇｌｕｃｏｓｅ、５％ＦＢＳ（Ｉｎｖｉｔｒｏｇｅｎ）、１００ｕｎｉｔｓ／ｍｌＰｅｎｉｃｉｌｌｉｎ（Ｉｎｖｉｔｒｏｇｅｎ）、５０μｇ／ｍｌ  Ｓｔｒｅｐｔｏｍｙｃｉｎ（Ｉｎｖｉｔｒｏｇｅｎ）、５０μｇ／ｍｌ  Ｇｅｎｔａｍｉｃｉｎ（Ｉｎｖｉｔｒｏｇｅｎ）、２０ｍＭ  Ｈｅｐｅｓ（ｐＨ７．３）を添加したものを用いた。３７℃で酵素液による消化反応を行った後にピペットに通過させて組織片を細胞に分散する操作を４回行って細胞を集めた。集めた細胞を、改変したＫｒｅｂｓ−Ｒｉｎｇｅｒ  ｂｉｃａｒｂｏｎａｔｅ  ｂｕｆｆｅｒ  （ＫＲＢＨ、１１６ｍＭ  ＮａＣｌ、４．７ｍＭ  ＫＣｌ、１．２ｍＭ  ＫＨ２ＰＯ４、１．２ｍＭ  ＭｇＳＯ４、２．５ｍＭ  ＣａＣｌ２、２５ｍＭ  ＮａＨＣＯ３、２４ｍＭ  ＨＥＰＥＳ  ｐＨ７．３）に５．５ｍＭ  Ｇｌｕｃｏｓｅ、０．１％ＢＳＡを添加した緩衝液（インキュベーションバッファー）で洗浄した後、３７℃５％ＣＯ２条件下で３０分間プレインキュベーションした。上記インキュベーションバッファーに、０．１μＭ  ホルボールエステル（Ｗａｋｏ）および１％ＤＰＰIV阻害剤（Ｌｉｎｃｏ）を添加した緩衝液に胆汁酸を希釈して細胞に添加し、９０分間インキュベートした後培養上清を回収し、凍結保存した。培養上清中に放出されたＧＬＰ−１濃度はＥＬＩＳＡキット（Ｌｉｎｃｏ）にて測定した。その結果、図２９に示す通り、胆汁酸で刺激することによりモルモット腸管初代培養細胞からのＧＬＰ−１分泌上昇が観察された。
実施例３３  胆汁酸によるラット腸管初代培養細胞からのＧＬＰ−１分泌
ラット（Ｗｉｓｔａｒ、オス、日本チャールズリバー）の回腸末端部と結腸の粘膜を採取し以下の方法で酵素処理により細胞に分散した。酵素液は５ｍｇ／ｍｌ  Ｃｏｌｌａｇｅｎａｓｅ（Ｓｉｇｍａ）、５ｍｇ／ｍｌ  Ｈｙａｌｕｒｏｎｉｄａｓｅ（Ｓｉｇｍａ）、０．５ｍｇ／ｍｌ  ＤＮａｓｅＩ（Ｓｉｇｍａ）を培地に溶かしたものを用いた。培地はＤｕｌｂｅｃｃｏ’ｓ  Ｍｏｄｉｆｉｅｄ  Ｅａｇｌｅ  Ｍｅｄｉｕｍ（ＤＭＥＭ、Ｉｎｖｉｔｒｏｇｅｎ）に４．５ｇ／ｌ  Ｇｌｕｃｏｓｅ、５％ＦＢＳ（Ｉｎｖｉｔｒｏｇｅｎ）、１００ｕｎｉｔｓ／ｍｌＰｅｎｉｃｉｌｌｉｎ（Ｉｎｖｉｔｒｏｇｅｎ）、５０μｇ／ｍｌ  Ｓｔｒｅｐｔｏｍｙｃｉｎ（Ｉｎｖｉｔｒｏｇｅｎ）、５０μｇ／ｍｌ  Ｇｅｎｔａｍｉｃｉｎ（Ｉｎｖｉｔｒｏｇｅｎ）、２０ｍＭ  Ｈｅｐｅｓ（ｐＨ７．３）を添加したものを用いた。３７℃で酵素液による消化反応を行った後にピペットに通過させて組織片を細胞に分散する操作を７回行って細胞を集めた。集めた細胞を、改変したＫｒｅｂｓ−Ｒｉｎｇｅｒ  ｂｉｃａｒｂｏｎａｔｅ  ｂｕｆｆｅｒ  （ＫＲＢＨ、１１６ｍＭ  ＮａＣｌ、４．７ｍＭ  ＫＣｌ、１．２ｍＭ  ＫＨ２ＰＯ４、１．２ｍＭ  ＭｇＳＯ４、２．５ｍＭ  ＣａＣｌ２、２５ｍＭ  ＮａＨＣＯ３、２４ｍＭ  ＨＥＰＥＳ  ｐＨ７．３）に５．５ｍＭ  Ｇｌｕｃｏｓｅ、０．１％ＢＳＡを添加した緩衝液（インキュベーションバッファー）で洗浄した後、３７℃５％ＣＯ２条件下で３０分間プレインキュベーションした。上記のインキュベーションバッファーに、０．１μＭ  ホルボールエステル（Ｗａｋｏ）および１％ＤＰＰIV阻害剤（Ｌｉｎｃｏ）を添加した緩衝液に胆汁酸を希釈して細胞に添加し、１５０分間インキュベートした後培養上清を回収し、凍結保存した。培養上清中に放出されたＧＬＰ−１濃度はＥＬＩＳＡキット（Ｌｉｎｃｏ）にて測定した。その結果、図３０に示す通り、胆汁酸で刺激することによりラット腸管初代培養細胞からのＧＬＰ−１分泌上昇が観察された。
実験例３４  胆汁酸によるラット血中ＧＬＰ−１濃度の上昇作用
胆汁酸経口投与による血中ＧＬＰ−１濃度に及ぼす影響を検討するため、自由行動下採血用の手術を行った。成熟雄性Ｆ３４４／ＤｕＣｒｊラット（日本チャールズリバー社、手術時体重２３０〜２５０ｇ）をペントバルビタール５０ｍｇ／ｋｇの腹腔内投与にて麻酔した。解剖用パッドの上に背位に固定し、左側の頚静脈を露出させた。ポリエチレンチューブＳＰ３５（内径０．５ｍｍ、外径０．９ｍｍ、夏目製作所）を約３０ｃｍの長さに切り、２００単位／ｍｌのヘパリン含有生理食塩水で満たした後、頚静脈に約３．２ｃｍ挿入し固定した。チューブのもう一端は背側の皮下を通して頚部（背側）より露出させた。
【０６７２】
術後１８−２４時間絶食、胆汁酸投与前に用量１ｍｌのツベルクリン用注射筒と２５ゲージ注射針（いずれもテルモ社）を用いて３００μｌの血液を採取した。血液凝固を防止するため、回収用チューブに予め３ｍｇ／ｍｌ  ＥＤＴＡを含む３００ＫＩＵ／ｍｌ  ａｐｒｏｔｉｎｉｎ溶液を３μｌ入れておいた。実験に使用した胆汁酸は、タウロデオキシコール酸（シグマ社）、コール酸（和光純薬（株））、ウルソデオキシコール酸（和光純薬（株））を６０ｍｇ／ｍＬの濃度で０．５％メトローズ（信越化学工業）水溶液に溶解し、５ｍＬ／ｋｇ（３００ｍｇ／ｋｇ）で経口投与を行った。コントロールとしての対象群は、０．５％メトローズ水溶液を胆汁酸と同用量経口投与した。経口投与の開始時点から０、１０、３０、６０、１８０、３００分後に頚静脈より３００μｌずつ採血した。採血した血液は微量高速冷却遠心機（ＭＲ‐１５０、トミー精工）を用いて遠心（１３，０００ｒｐｍ、５分間）し、上清（血漿）を回収した。血中ＧＬＰ−１濃度は、アクティブＧＬＰ−１測定ＥＩＡキット（ＬＩＮＣＯ社）を用いて測定した。図３１に示すごとくタウロデオキシコール酸投与群は対象群に比し、静脈投与１０分後から３００分後まで有意（ｐ＜０．０１，ｎ＝６）な血中ＧＬＰ−１濃度の上昇を示した。
実施例３５  胆汁酸によるラット腸管初代培養細胞からのコレシストキニン（ＣＣＫ）およびガストリック  インヒビトリー  ペプチド（ＧＩＰ）の分泌
実施例３３と同様の方法によりラット腸管初代培養細胞を調製し、胆汁酸による胆汁酸によるコレシストキニン（ＣＣＫ）およびガストリック  インヒビトリー  ペプチド（ＧＩＰ、Ｇｌｕｃｏｓｅ  ｄｅｐｅｎｄｅｎｔ  ｉｎｓｕｌｉｎｏｔｒｏｐｉｃ  ｐｅｐｔｉｄｅ）の分泌に対する影響を検討した。ＣＣＫの検出にはＣＣＫ  Ｏｃｔａｐｅｐｔｉｄｅ  Ｅｎｚｙｍｅ  Ｉｍｍｕｎｏａｓｓａｙ（Ｐｅｎｉｎｓｕｌａ  Ｌａｂｏｒａｔｏｒｉｅｓ，ＩＮＣ．）を、ＧＩＰの検出にはＧＩＰ  ＥＩＡ  Ｋｉｔ（Ｐｈｏｅｎｉｘ  Ｐｈａｒｍａｃｅｕｔｉｃａｌｓ，ＩＮＣ．）を用いた。その結果、胆汁酸ＴＤＣＡ（タウロデオキシコール酸）５０μＭで１５０分刺激することにより、胆汁酸無添加に比較してＣＣＫ分泌量が２．２７倍、ＧＩＰ分泌量が１．２倍上昇することが判明した。
参考例２
化合物１〜７を以下に記載の試薬会社より購入した。
化合物１：Maybridge plc (UK)
【０６７３】
【化８】
2005021151.tif 000008
【０６７４】
化合物２：Specs (the Netherlands)
【０６７５】
【化９】
2005021151.tif 000009
【０６７６】
化合物３：ChemBridge Corporation (USA)
【０６７７】
【化１０】
2005021151.tif 000010
【０６７８】
化合物４：Intelbioscan, Ltd. (Russia)
【０６７９】
【化１１】
2005021151.tif 000011
【０６８０】
化合物５：Olivia Scientifics (USA)
【０６８１】
【化１２】
2005021151.tif 000012
【０６８２】
化合物６：Vitas-M Laboratory, Ltd. (Russia)
【０６８３】
【化１３】
2005021151.tif 000013
【０６８４】
化合物７：Intelbioscan, Ltd. (Russia)
【０６８５】
【化１４】
2005021151.tif 000014
【０６８６】
製剤例１
１）化合物１                                           ３０ mg
２）微粉末セルロース                                   １０ mg
３）乳糖                                               １９mg
４）ステアリン酸マグネシウム                             １ mg
計  ６０ mg
上記１）、２）、３）および４）を混合して、ゼラチンカプセルに充填する。製剤例２
１）化合物１                                   ３０ g
２）乳糖                                       ５０ g
３）トウモロコシデンプン                       １５ g
４）カルボキシメチルセルロースカルシウム       ４４ g
５）ステアリン酸マグネシウム                     １g
１０００錠    計 １４０ g
上記１）、２）、３）の全量および３０gの４）を水で練合し、真空乾燥後、整粒を行う。この整粒末に１４gの４）および１gの５）を混合し、打錠機により打錠する。このようにして、１錠あたり化合物１  ３０mgを含有する錠剤１０００錠を得る。
試験例１  ヒトＴＧＲ５発現ＣＨＯ細胞における本発明化合物のｃＡＭＰ産生上昇活性
ＷＯ ０２／８４２８６に記載の方法にて作製したヒトTGR5発現ＣＨＯ細胞を４×１０4細胞／ｗｅｌｌの濃度で９６ウェルプレートに撒いて37℃で一晩培養後、ｃＡＭＰ産生量の測定に用いた。アッセイバッファーにはHank's balanced salt solution(HBSS, Invitrogen社)に0.1%ウシ血清アルブミン(BSA, Sigma社)および 0.5mM 3-Isobutyl-1-methylxanthine (IBMX, Sigma社)を添加したものを用いた。アッセイバッファーで希釈した試験化合物サンプル（1μＭ）を細胞に添加した。37℃で30分間インキュベーションした後、上清を吸引した。試験化合物の刺激により上昇した細胞内cAMP量をHitHunterTM EFC Cyclic AMP Chemiluminescence Assay Kit (ABI社)キットを用いて定量した。
【０６８７】
TGR5アゴニストであるリトコール酸（LCA）を1μMとなるように添加したウェルのcAMP量を100%とし、無添加のウェルのcAMP量を0%とした場合の、試験化合物添加ウェルのcAMP量を相対値（コントロール％）として求めた。結果を表２に示す。表中のデータは3群の平均値を示す。
［表２］ヒトＴＧＲ５発現ＣＨＯ細胞における試験化合物のｃＡＭＰ産生上昇活性

試験化合物    ｃＡＭＰ産生上昇活性
（コントロール％）    
化合物1                 121  
化合物2                 128  
化合物3                  47  
化合物4                 123  
化合物5                  57  
化合物6                  45  
化合物7                  42
リトコール酸              100        
これより、本発明化合物がｃＡＭＰ産生上昇活性を有し、ヒトＴＧＲ５に対する優れたアゴニストであることが分かる。
試験例２  ＮＣＩ−Ｈ７１６における本発明化合物のＧＬＰ−１分泌上昇作用
実施例２８と同様の条件でＮＣＩ−Ｈ７１６を培養し、分泌実験バッファーにて希釈した試験化合物（化合物１）を添加、３７℃５％ＣＯ２条件下で２時間培養し、細胞の培養上清をＧＬＰ−１測定用ＥＩＡキット（Ｌｉｎｃｏ）にて測定した。試験化合物を培地に添加しなかったときの培養上清中のＧＬＰ−１濃度を１００％とした場合、試験化合物１００μＭを添加すると１９１％（ｐ＜０．０１：スチューデントｔテスト）のＧＬＰ−１濃度を示し、本発明化合物によるＧＬＰ−１の分泌上昇が認められた。
【図面の簡単な説明】
【０６８８】
【図１】参考例１で得られたＴＧＲ５をコードするｃＤＮＡの塩基配列およびそれから推定されるアミノ酸配列（一文字表記）を示す。
【図２】参考例１で得られたＴＧＲ５をコードするｃＤＮＡの塩基配列およびそれから推定されるアミノ酸配列（一文字表記）を示す（図１に続く）。
【図３】参考例１で得られたＴＧＲ５をコードするｃＤＮＡの塩基配列およびそれから推定されるアミノ酸配列（一文字表記）を示す（図２に続く）。
【図４】参考例１で得られたＴＧＲ５をコードするｃＤＮＡの塩基配列およびそれから推定されるアミノ酸配列（一文字表記）を示す（図３に続く）。
【図５】ＴＧＲ５の疎水性プロット図である。
【図６】ＴＧＲ５発現ベクターを導入したＨＥＫ２９３細胞（Ａ）およびもとのベクターのみを導入したＨＥＫ２９３細胞（Ｂ）における、コレステロール代謝関連物質による活性の検出（ｎ＝２）の結果を示す。
【図７】ＨＥＫ２９３細胞におけるリガンド刺激に対するレポーター遺伝子の発現誘導の結果を示す。
【図８】Ｇｉを用いたＴＧＲ５のリトコール酸に対する反応の結果を示す。
【図９】ヒト（Ｂ）、ウサギ（Ｃ）、ウシ（Ｄ）、マウス（Ｅ）およびラット（Ｆ）型ＴＧＲ５の胆汁酸刺激によるレポーター遺伝子の発現量上昇。胆汁酸はすべて１０μＭとなるように培地に添加した。Ａはコントロール（プラスミドのみ）を示す。
【図１０】ウサギ肺胞マクロファージの貪食活性に対するＴＬＣＡ（１００μＭ）の抑制効果。ｎ＝３の平均値。＊＊，ｐ＜０．０１で有意。
【図１１】ウサギ肺胞マクロファージにおける、リポ多糖（ＬＰＳ）で誘導された腫瘍壊死因子（ＴＮＦ）αの分泌に対するＴＬＣＡ（５０μＭ）の抑制効果。ｎ＝３の平均値。＊＊，ｐ＜０．０１で有意。
【図１２】ウサギ肺胞マクロファージに対するＴＬＣＡによる各種のサイトカインのｍＲＮＡ発現抑制作用を示す。Ａ：ＴＮＦα；Ｂ：ＩＬ−１α；Ｃ：ＩＬ−１β；Ｄ：ＩＬ−６；Ｅ：ＩＬ−８のサイトカインの場合を表す。
【図１３】ＴＨＰ−ＴＧＲ５における、リポ多糖（ＬＰＳ）で誘導された腫瘍壊死因子（ＴＮＦ）αの分泌およびｍＲＮＡ発現量に対するＴＬＣＡ（１００μＭ）の抑制効果。分泌量：ｎ＝３の平均値。＊＊，ｐ＜０．０１で有意。ｍＲＮＡ発現量：ｎ＝２の平均値。
【図１４】ＴＬＣＡによるＣＨＯ−ＴＧＲ５でのＭＡＰキナーゼ活性化の検出を表す。
【図１５】ＣＨＯ−ＴＧＲ５におけるＴＬＣＡ、ＬＣＡ、ＤＣＡ、ＣＤＣＡ、ＣＡのｃＡＭＰ産生上昇活性を表す。ｎ＝３の平均値。グラフ中の構造式は胆汁酸を示す。
【図１６】各種胆汁酸関連化合物（２μＭ）によるＣＨＯ−ＴＧＲ５におけるｃＡＭＰ産生上昇活性の比較を示す。ｎ＝３の平均値。ＴＴＮＰＢは（Ｅ）−［（テトラヒドロテトラメチルナフタレニル）プロピル］ベンゾイックアシッドの略称を表す。
【図１７】ヒト各組織でのＴＧＲ５ ｍＲＮＡ発現分布を示す。
【図１８】ヒト血球でのＴＧＲ５ ｍＲＮＡ発現分布を示す。
【図１９】ウサギＴＧＲ５ ｍＲＮＡの発現分布を示す。
【図２０】ＴＬＣＡによるウサギ肺胞マクロファージのｃＡＭＰ産生上昇を示す。ｎ＝３の平均値。＊＊，ｐ＜０．０１で有意。
【図２１】ウサギ肺胞マクロファージの貪食活性におよぼす各種胆汁酸の抑制効果を表す。ｎ＝３の平均値。＊＊，ｐ＜０．０１で有意。
【図２２】ウサギ肺胞マクロファージからのＴＮＦα分泌に対する胆汁酸の抑制効果を表す。ｎ＝３の平均値。＊＊，ｐ＜０．０１で有意。
【図２３】胆汁酸添加によるＴＨＰ−ＴＧＲ５細胞でのｃＡＭＰ産生上昇を示す。ｎ＝３の平均値。＊＊，ｐ＜０．０１で有意。
【図２４】ＬＰＳで刺激されたＴＨＰ−ＴＧＲ５からの腫瘍壊死因子（ＴＮＦ）α分泌に対する各種胆汁酸の抑制効果を表す。ｎ＝３の平均値。＊＊，ｐ＜０．０１で有意。
【図２５】ＬＰＳで刺激されたＴＨＰ−１からの腫瘍壊死因子（ＴＮＦ）α分泌に対する各種胆汁酸の影響を表す。ｎ＝３の平均値。
【図２６】胆汁酸によるＮＣＩ−Ｈ７１６におけるｃＡＭＰ産生上昇活性を示す。平均＋標準誤差（ｎ＝４）。
【図２７】胆汁酸によるＮＣＩ−Ｈ７１６におけるＧＬＰ−１分泌上昇活性を示す。平均＋標準誤差（ｎ＝４）。
【図２８】ラット各組織でのＴＧＲ５ｍＲＮＡ発現分布を示す。
【図２９】胆汁酸によるモルモット腸管初代培養細胞からのＧＬＰ−１分泌作用を調べた結果を示す。Ｂａｓａｌは胆汁酸無添加を、ＴＬＣＡはタウロリトコール酸を、ＬＣＡはリトコール酸を、ＤＣＡはデオキシコール酸を、ＣＡはコール酸を示す。＊＊、ｐ＜０．０１で有意。Ｃｏｎｃｅｎｔｒａｔｉｏｎ（μＭ）は胆汁酸の濃度（μＭ）を示す。ＧＬＰ−１（ｐＭ）は分泌したＧＬＰ−１濃度（ｐＭ）を示す。
【図３０】胆汁酸によるラット腸管初代培養細胞からのＧＬＰ−１分泌作用を調べた結果を示す。Ｂａｓｅは胆汁酸無添加を、ＴＬＣＡはタウロリトコール酸を、ＧＬＣＡはグリコリトコール酸を、ＬＣＡはリトコール酸を、ＴＤＣＡはタウロデオキシコール酸を、ＧＤＣＡはグリコデオキシコール酸を、ＤＣＡはデオキシコール酸を、ＵＤＣＡはウルソデオキシコール酸を、ＣＡはコール酸を、ＴＣＤＣＡはタウロケノデオキシコール酸を、ＣＤＣＡはケノデオキシコール酸を示す。横軸の数字は胆汁酸の濃度（μＭ）を示す。＊＊，ｐ＜０．０１で有意。＊，ｐ＜０．０５で有意。ＧＬＰ−１（ｐＭ）は分泌したＧＬＰ−１濃度（ｐＭ）を示す。
【図３１】胆汁酸を無麻酔下のラットに経口投与した際の血中ＧＬＰ−１濃度の変動を調べた結果を示す。−○−は対象群、−●−はタウロデオキシコール酸投与群、−▲−はコール酸投与群および−■−はウルソデオキシコール酸投与群を示す。縦軸は血中ＧＬＰ−１濃度（ｐＭ）を表す。値は平均値±標準偏差（ｍｅａｎ±ＳＥ）（ｎ＝６）を示す。＊は対象群に比べてＰ値が０．０５以下、＊＊は対象群に比べて、Ｐ値が０．０１以下であることを示す。
【図１】
2005021151.tif 000018
【図２】
2005021151.tif 000019
【図３】
2005021151.tif 000020
【図４】
2005021151.tif 000021
【図５】
2005021151.tif 000022
【図６】
2005021151.tif 000023
【図７】
2005021151.tif 000024
【図８】
2005021151.tif 000025
【図９】
2005021151.tif 000026
【図１０】
2005021151.tif 000027
【図１１】
2005021151.tif 000028
【図１２】
2005021151.tif 000029
【図１３】
2005021151.tif 000030
【図１４】
2005021151.tif 000031
【図１５】
2005021151.tif 000032
【図１６】
2005021151.tif 000033
【図１７】
2005021151.tif 000034
【図１８】
2005021151.tif 000035
【図１９】
2005021151.tif 000036
【図２０】
2005021151.tif 000037
【図２１】
2005021151.tif 000038
【図２２】
2005021151.tif 000039
【図２３】
2005021151.tif 000040
【図２４】
2005021151.tif 000041
【図２５】
2005021151.tif 000042
【図２６】
2005021151.tif 000043
【図２７】
2005021151.tif 000044
【図２８】
2005021151.tif 000045
【図２９】
2005021151.tif 000046
【図３０】
2005021151.tif 000047
【図３１】
2005021151.tif 000048
【配列表】
2005021151000001.app